(57)【要約】【課題】操作感の良好な遊技機を提供すること。【解決手段】付勢装置３６２が、少なくとも傾倒装置３１０の移動範囲の一部であって、初期位置から所定距離離れた移動範囲において、入力操作を行った遊技者が受ける負荷の増加を抑制する態様で構成されるので、遊技者が受ける負荷を抑制できると共に遊技者が疲労することを防止できる。【選択図】図６
2020022842.tif 000002
【特許請求の範囲】
【請求項１】
遊技者が入力操作を行う入力手段を備える遊技機において、
前記入力手段は、遊技者に入力操作される被操作部材と、入力操作を行った遊技者が受ける負荷を調整する調整手段と、を備え、
前記調整手段は、少なくとも前記被操作部材の移動範囲の一部において、入力操作を行った遊技者が受ける負荷の増加を抑制することを特徴とする遊技機。
【請求項２】
前記被操作部材を初期位置へ向けて移動させる付勢力を発生させる付勢手段を備え、
その付勢手段は、前記被操作部材の移動経路に沿って変位を生じる第１弾性バネ部材から構成され、前記調整手段は、被操作部材が初期位置から所定距離移動した後の範囲において遊技者が受ける負荷を抑制することを特徴とする請求項１記載の遊技機。
【請求項３】
前記被操作部材は、所定の回転軸を中心として回転され、
前記調整手段は、前記被操作部材に周方向から負荷を与える第２弾性バネ部材を備え、その第２弾性バネ部材は、前記被操作部材と対向配置され前記被操作部材の移動中に当接することで前記被操作部材に付勢力を与える態様で構成され、前記第２弾性バネ部材の変位の方向が、前記回転軸を中心とした任意の円弧の接線方向に沿うことを特徴とする請求項２記載の遊技機。
【発明の詳細な説明】
【技術分野】
【０００１】
本発明は、パチンコ機などの遊技機に関するものである。
【背景技術】
【０００２】
パチンコ機などの遊技機において、遊技者が手動操作することで第１位置と第２位置との間を移動する操作部材を備える遊技機がある（特許文献１）。
【先行技術文献】
【特許文献】
【０００３】
【特許文献１】特開２０１４−０１４５７１号公報
【発明の概要】
【発明が解決しようとする課題】
【０００４】
しかしながら、上述した従来の遊技機では、操作部材の操作性に改良の余地があるという問題点があった。本発明は、上記例示した問題点などを解決するためになされたものであり、操作部材の操作性の良好な遊技機を提供することを目的とする。
【課題を解決するための手段】
【０００５】
この目的を達成するために請求項１記載の遊技機は、遊技者が入力操作を行う入力手段を備えるものであって、前記入力手段は、遊技者に入力操作される被操作部材と、入力操作を行った遊技者が受ける負荷を調整する調整手段と、を備え、前記調整手段は、少なくとも前記被操作部材の移動範囲の一部において、入力操作を行った遊技者が受ける負荷の増加を抑制する。
【０００６】
請求項２記載の遊技機は、請求項１記載の遊技機において、前記被操作部材を初期位置へ向けて移動させる付勢力を発生させる付勢手段を備え、その付勢手段は、前記被操作部材の移動経路に沿って変位を生じる第１弾性バネ部材から構成され、前記調整手段は、被操作部材が初期位置から所定距離移動した後の範囲において遊技者が受ける負荷を抑制する。
【０００７】
請求項３記載の遊技機は、請求項２記載の遊技機において、前記被操作部材は、所定の回転軸を中心として回転され、前記調整手段は、前記被操作部材に周方向から負荷を与える第２弾性バネ部材を備え、その第２弾性バネ部材は、前記被操作部材と対向配置され前記被操作部材の移動中に当接することで前記被操作部材に付勢力を与える態様で構成され、前記第２弾性バネ部材の変位の方向が、前記回転軸を中心とした任意の円弧の接線方向に沿う。
【発明の効果】
【０００８】
請求項１記載の遊技機によれば、操作部材の操作性を良好にすることができる。
【０００９】
請求項２記載の遊技機によれば、請求項１記載の遊技機の奏する効果に加え、所定位置まで移動させた後の操作性を良好にすることができる。
【００１０】
請求項３記載の遊技機によれば、請求項２記載の遊技機の奏する効果に加え、操作部材を回転動作させることによる効果を得ることができる。
【図面の簡単な説明】
【００１１】
【図１】第１実施形態におけるパチンコ機の正面図である。
【図２】パチンコ機の遊技盤の正面図である。
【図３】パチンコ機の背面図である。
【図４】パチンコ機の電気的構成を示すブロック図である。
【図５】操作デバイスの正面斜視図である。
【図６】（ａ）は、パチンコ機の部分正面図であり、（ｂ）は、図６（ａ）のＶＩｂ−ＶＩｂ線におけるパチンコ機の部分断面図である。
【図７】（ａ）は、パチンコ機の部分正面図であり、（ｂ）は、図７（ａ）のＶＩＩｂ−ＶＩＩｂ線におけるパチンコ機の部分断面図である。
【図８】操作デバイスの正面斜視図である。
【図９】操作デバイスの上面分解斜視図である。
【図１０】傾倒装置の上面分解斜視図である。
【図１１】傾倒装置の底面分解斜視図である。
【図１２】（ａ）は、上カバーの正面図であり、（ｂ）は、図１２（ａ）の矢印ＸＩＩｂにおける上カバーの側面図であり、（ｃ）は、上カバーの上面図である。
【図１３】（ａ）は、図１２（ａ）のＸＩＩＩａ−ＸＩＩＩａ線における上カバーの断面図であり、（ｂ）は、上カバーの底面斜視図である。
【図１４】（ａ）は、下カバーの正面図であり、（ｂ）は、図１４（ａ）の矢印ＸＩＶｂにおける下カバーの側面図であり、（ｃ）は、下カバーの上面図であり、（ｄ）は、図１４（ａ）のＸＩＶｄ−ＸＩＶｄ線における下カバーの断面図である。
【図１５】（ａ）から（ｄ）は、図１４（ａ）のＸＩＶｄ−ＸＩＶｄ線に対応する線における傾倒装置の部分断面図である。
【図１６】（ａ）は、軸カバーの上面図であり、（ｂ）は、軸カバーの正面図であり、（ｃ）は、図１６（ａ）の矢印ＸＶＩｃにおける軸カバーの側面図である。
【図１７】下ケースの上面分解斜視図である。
【図１８】下ケースの底面分解斜視図である。
【図１９】（ａ）は、操作デバイスの正面図であり、（ｂ）は、図１９（ａ）のＸＩＸｂ−ＸＩＸｂ線における操作デバイスの断面図である。
【図２０】（ａ）及び（ｂ）は、図１９（ａ）のＸＩＸｂ−ＸＩＸｂ線における操作デバイスの断面図である。
【図２１】（ａ）及び（ｂ）は、図１９（ａ）のＸＩＸｂ−ＸＩＸｂ線における操作デバイスの断面図である。
【図２２】傾倒装置の上昇位置からの傾倒角度に対して傾倒装置に与えられる負荷を表すグラフである。
【図２３】第２実施形態における傾倒装置の上面分解斜視図である。
【図２４】（ａ）から（ｃ）は、傾倒装置及び下ケースの部分断面図である。
【図２５】（ａ）から（ｃ）は、傾倒装置及び下ケースの部分断面図である。
【図２６】（ａ）及び（ｂ）は、図１９（ａ）のＸＩＸｂ―ＸＩＸｂ線に対応する線における傾倒装置の部分断面図である。
【図２７】（ａ）及び（ｂ）は、図１９（ａ）のＸＩＸｂ―ＸＩＸｂ線に対応する線における傾倒装置の部分断面図である。
【図２８】傾倒装置の上昇位置からの傾倒角度に対して傾倒装置に与えられる負荷を表すグラフである。
【図２９】（ａ）は、第３実施形態における回転ピストン部材の正面斜視図であり、（ｂ）は、下ケースの部分正面斜視図であり、（ｃ）は、軸カバーの部分正面斜視図である。
【図３０】（ａ）及び（ｂ）は、図１９（ａ）のＸＩＸｂ―ＸＩＸｂ線に対応する線における傾倒装置の部分断面図である。
【図３１】（ａ）及び（ｂ）は、図１９（ａ）のＸＩＸｂ―ＸＩＸｂ線に対応する線における傾倒装置の部分断面図である。
【図３２】（ａ）及び（ｂ）は、図１９（ａ）のＸＩＸｂ―ＸＩＸｂ線に対応する線における第４実施形態における操作デバイスの断面図である。
【図３３】（ａ）及び（ｂ）は、図１９（ａ）のＸＩＸｂ―ＸＩＸｂ線に対応する線における操作デバイスの断面図である。
【図３４】傾倒装置の上昇位置からの傾倒角度に対して傾倒装置に与えられる負荷を表すグラフである。
【図３５】第５実施形態における操作デバイスの側面図である。
【図３６】（ａ）は、上ケースの上面図であり、（ｂ）及び（ｃ）は、図３６（ａ）のＸＸＸＶＩｂ−ＸＸＸＶＩｂ線における上ケース及び第３付勢装置の断面図である。
【図３７】（ａ）は、回転ローラの側面図であり、（ｂ）は、図３７（ａ）の矢印ＸＸＸＶＩＩｂにおける回転ローラの正面図である。
【図３８】（ａ）及び（ｂ）は、図３６（ａ）のＸＸＸＶＩｂ−ＸＸＸＶＩｂ線に対応する線における操作デバイスの断面図である。
【図３９】（ａ）及び（ｂ）は、図３６（ａ）のＸＸＸＶＩｂ−ＸＸＸＶＩｂ線に対応する線における操作デバイスの断面図である。
【図４０】（ａ）及び（ｂ）は、図３６（ａ）のＸＸＸＶＩｂ−ＸＸＸＶＩｂ線に対応する線における操作デバイスの断面図である。
【図４１】（ａ）及び（ｂ）は、図３６のＸＸＸＶＩｂ−ＸＸＸＶＩｂ線に対応する線における操作デバイスの断面図である。
【図４２】図３６のＸＸＸＶＩｂ−ＸＸＸＶＩｂ線に対応する線における操作デバイスの断面図である。
【図４３】第６実施形態における操作デバイスの側面図である。
【図４４】（ａ）及び（ｂ）は、操作デバイスの部分側面図である。
【図４５】（ａ）及び（ｂ）は、図１９（ａ）のＸＩＸｂ―ＸＩＸｂ線に対応する線における第７実施形態における操作デバイスの断面図である。
【図４６】（ａ）及び（ｂ）は、図１９（ａ）のＸＩＸｂ―ＸＩＸｂ線に対応する線における操作デバイスの断面図である。
【図４７】（ａ）及び（ｂ）は、図１９（ａ）のＸＩＸｂ―ＸＩＸｂ線に対応する線における第８実施形態における操作デバイスの部分断面図である。
【図４８】（ａ）及び（ｂ）は、図１９（ａ）のＸＩＸｂ―ＸＩＸｂ線に対応する線における第９実施形態における傾倒装置の断面図である。
【図４９】（ａ）及び（ｂ）は、図１９（ａ）のＸＩＸｂ―ＸＩＸｂ線に対応する線における傾倒装置の断面図である。
【図５０】図１９（ａ）のＸＩＸｂ―ＸＩＸｂ線に対応する線における傾倒装置の断面図である。
【発明を実施するための形態】
【００１２】
以下、本発明の実施形態について、添付図面を参照して説明する。まず、図１から図２２を参照し、第１実施形態として、本発明をパチンコ遊技機（以下、単に「パチンコ機」という）１０に適用した場合の一実施形態について説明する。図１は、第１実施形態におけるパチンコ機１０の正面図であり、図２はパチンコ機１０の遊技盤１３の正面図であり、図３はパチンコ機１０の背面図である。
【００１３】
図１に示すように、パチンコ機１０は、略矩形状に組み合わせた木枠により外殻が形成される外枠１１と、その外枠１１と略同一の外形形状に形成され外枠１１に対して開閉可能に支持された内枠１２とを備えている。外枠１１には、内枠１２を支持するために正面視（図１参照）左側の上下２カ所に金属製のヒンジ１８が取り付けられ、そのヒンジ１８が設けられた側を開閉の軸として内枠１２が正面手前側へ開閉可能に支持されている。
【００１４】
内枠１２には、多数の釘や入賞口６３，６４等を有する遊技盤１３（図２参照）が裏面側から着脱可能に装着される。この遊技盤１３の正面を球（遊技球）が流下することにより弾球遊技が行われる。なお、内枠１２には、球を遊技盤１３の正面領域に発射する球発射ユニット１１２ａ（図４参照）やその球発射ユニット１１２ａから発射された球を遊技盤１３の正面領域まで誘導する発射レール（図示せず）等が取り付けられている。
【００１５】
内枠１２の正面側には、その正面上側を覆う正面枠１４と、その下側を覆う下皿ユニット１５とが設けられている。正面枠１４及び下皿ユニット１５を支持するために正面視（図１参照）左側の上下２カ所に金属製のヒンジ１９が取り付けられ、そのヒンジ１９が設けられた側を開閉の軸として正面枠１４及び下皿ユニット１５が正面手前側へ開閉可能に支持されている。なお、内枠１２の施錠と正面枠１４の施錠とは、シリンダ錠２０の鍵穴２１に専用の鍵を差し込んで所定の操作を行うことでそれぞれ解除される。
【００１６】
正面枠１４は、装飾用の樹脂部品や電気部品等を組み付けたものであり、その略中央部には略楕円形状に開口形成された窓部１４ｃが設けられている。正面枠１４の裏面側には２枚の板ガラスを有するガラスユニット１６が配設され、そのガラスユニット１６を介して遊技盤１３の正面がパチンコ機１０の正面側に視認可能となっている。
【００１７】
正面枠１４には、球を貯留する上皿１７が正面側へ張り出して上面を開放した略箱状に形成されており、この上皿１７に賞球や貸出球などが排出される。上皿１７の底面は正面視（図１参照）右側に下降傾斜して形成され、その傾斜により上皿１７に投入された球が球発射ユニット１１２ａ（図４参照）へと案内される。また、上皿１７の上面には、枠ボタン２２が設けられている。この枠ボタン２２は、例えば、第３図柄表示装置８１（図２参照）で表示される演出のステージを変更したり、スーパーリーチの演出内容を変更したりする場合などに、遊技者により操作される。
【００１８】
正面枠１４には、その周囲（例えばコーナー部分）に各種ランプ等の発光手段が設けられている。これら発光手段は、大当たり時や所定のリーチ時等における遊技状態の変化に応じて、点灯又は点滅することにより発光態様が変更制御され、遊技中の演出効果を高める役割を果たす。窓部１４ｃの周縁には、ＬＥＤ等の発光手段を内蔵した電飾部２９〜３３が設けられている。パチンコ機１０においては、これら電飾部２９〜３３が大当たりランプ等の演出ランプとして機能し、大当たり時やリーチ演出時等には内蔵するＬＥＤの点灯や点滅によって各電飾部２９〜３３が点灯または点滅して、大当たり中である旨、或いは大当たり一歩手前のリーチ中である旨が報知される。また、正面枠１４の正面視（図１参照）左上部には、ＬＥＤ等の発光手段が内蔵され賞球の払い出し中とエラー発生時とを表示可能な表示ランプ３４が設けられている。
【００１９】
また、右側の電飾部３２下側には、正面枠１４の裏面側を視認できるように裏面側より透明樹脂を取り付けて小窓３５が形成され、遊技盤１３正面の貼着スペースＫ１（図２参照）に貼付される証紙等がパチンコ機１０の正面から視認可能とされている。また、パチンコ機１０においては、より煌びやかさを醸し出すために、電飾部２９〜３３の周りの領域にクロムメッキを施したＡＢＳ樹脂製のメッキ部材３６が取り付けられている。
【００２０】
窓部１４ｃの下方には、貸球操作部４０が配設されている。貸球操作部４０には、度数表示部４１と、球貸しボタン４２と、返却ボタン４３とが設けられている。パチンコ機１０の側方に配置されるカードユニット（球貸しユニット）（図示せず）に紙幣やカード等を投入した状態で貸球操作部４０が操作されると、その操作に応じて球の貸出が行われる。具体的には、度数表示部４１はカード等の残額情報が表示される領域であり、内蔵されたＬＥＤが点灯して残額情報として残額が数字で表示される。球貸しボタン４２は、カード等（記録媒体）に記録された情報に基づいて貸出球を得るために操作されるものであり、カード等に残額が存在する限りにおいて貸出球が上皿１７に供給される。返却ボタン４３は、カードユニットに挿入されたカード等の返却を求める際に操作される。なお、カードユニットを介さずに球貸し装置等から上皿１７に球が直接貸し出されるパチンコ機、いわゆる現金機では貸球操作部４０が不要となるが、この場合には、貸球操作部４０の設置部分に飾りシール等を付加して部品構成は共通のものとしても良い。カードユニットを用いたパチンコ機と現金機との共通化を図ることができる。
【００２１】
上皿１７の下側に位置する下皿ユニット１５には、その左側部に上皿１７に貯留しきれなかった球を貯留するための下皿５０が上面を開放した略箱状に形成されている。下皿５０の右側には、球を遊技盤１３の正面へ打ち込むために遊技者によって操作される操作ハンドル５１及び操作デバイス３００が配設される。なお、操作デバイス３００については後述する。
【００２２】
操作ハンドル５１の内部には、球発射ユニット１１２ａの駆動を許可するためのタッチセンサ５１ａと、押下操作している期間中には球の発射を停止する発射停止スイッチ５１ｂと、操作ハンドル５１の回動操作量（回動位置）を電気抵抗の変化により検出する可変抵抗器（図示せず）などが内蔵されている。操作ハンドル５１が遊技者によって右回りに回動操作されると、タッチセンサ５１ａがオンされると共に可変抵抗器の抵抗値が回動操作量に対応して変化し、その可変抵抗器の抵抗値に対応した強さ（発射強度）で球が発射され、これにより遊技者の操作に対応した飛び量で遊技盤１３の正面へ球が打ち込まれる。また、操作ハンドル５１が遊技者により操作されていない状態においては、タッチセンサ５１ａおよび発射停止スイッチ５１ｂがオフとなっている。
【００２３】
下皿５０の正面下方部には、下皿５０に貯留された球を下方へ排出する際に操作するための球抜きレバー５２が設けられている。この球抜きレバー５２は、常時、右方向に付勢されており、その付勢に抗して左方向へスライドさせることにより、下皿５０の底面に形成された底面口が開口して、その底面口から球が自然落下して排出される。この球抜きレバー５２の操作は、通常、下皿５０の下方に下皿５０から排出された球を受け取る箱（一般に「千両箱」と称される）を置いた状態で行われる。下皿５０の右方には、上述したように操作ハンドル５１が配設され、下皿５０の左方には灰皿（図示せず）が取り付けられている。
【００２４】
図２に示すように、遊技盤１３は、正面視略正方形状に切削加工したベース板６０に、球案内用の多数の釘（図示せず）や風車（図示せず）の他、レール６１，６２、一般入賞口６３、第１入賞口６４、第２入賞口６４０、可変入賞装置３３０、スルーゲート６７、可変表示装置ユニット８０等を組み付けて構成され、その周縁部が内枠１２（図１参照）の裏面側に取り付けられる。ベース板６０は光透過性の樹脂材料からなり、その正面側からベース板６０の背面側に配設された各種構造体を遊技者に視認させることが可能に形成される。一般入賞口６３、第１入賞口６４、第２入賞口６４０、可変表示装置ユニット８０は、ルータ加工によってベース板６０に形成された貫通穴に配設され、遊技盤１３の正面側からタッピングネジ等により固定されている。
【００２５】
遊技盤１３の正面中央部分は、正面枠１４の窓部１４ｃ（図１参照）を通じて内枠１２の正面側から視認することができる。以下に、主に図２を参照して、遊技盤１３の構成について説明する。
【００２６】
遊技盤１３の正面には、帯状の金属板を略円弧状に屈曲加工して形成した外レール６２が植立され、その外レール６２の内側位置には外レール６２と同様に帯状の金属板で形成した円弧状の内レール６１が植立される。この内レール６１と外レール６２とにより遊技盤１３の正面外周が囲まれ、遊技盤１３とガラスユニット１６（図１参照）とにより前後が囲まれることにより、遊技盤１３の正面には、球の挙動により遊技が行われる遊技領域が形成される。遊技領域は、遊技盤１３の正面であって２本のレール６１，６２とレール間を繋ぐ樹脂製の外縁部材７３とにより区画して形成される領域（入賞口等が配設され、発射された球が流下する領域）である。
【００２７】
２本のレール６１，６２は、球発射ユニット１１２ａ（図４参照）から発射された球を遊技盤１３上部へ案内するために設けられたものである。内レール６１の先端部分（図２の左上部）には戻り球防止部材６８が取り付けられ、一旦、遊技盤１３の上部へ案内された球が再度球案内通路内に戻ってしまうといった事態が防止される。外レール６２の先端部（図２の右上部）には、球の最大飛翔部分に対応する位置に返しゴム６９が取り付けられ、所定以上の勢いで発射された球は、返しゴム６９に当たって、勢いが減衰されつつ中央部側へ跳ね返される。
【００２８】
遊技領域の正面視左側下部（図２の左側下部）には、発光手段である複数のＬＥＤ及び７セグメント表示器を備える第１図柄表示装置３７Ａ，３７Ｂが配設されている。第１図柄表示装置３７Ａ，３７Ｂは、主制御装置１１０（図４参照）で行われる各制御に応じた表示がなされるものであり、主にパチンコ機１０の遊技状態の表示が行われる。本実施形態では、第１図柄表示装置３７Ａ，３７Ｂは、球が、第１入賞口６４へ入賞したか、第２入賞口６４０へ入賞したかに応じて使い分けられるように構成されている。具体的には、球が、第１入賞口６４へ入賞した場合には、第１図柄表示装置３７Ａが作動し、一方で、球が、第２入賞口６４０へ入賞した場合には、第１図柄表示装置３７Ｂが作動するように構成されている。
【００２９】
また、第１図柄表示装置３７Ａ，３７Ｂは、ＬＥＤにより、パチンコ機１０が確変中か時短中か通常中であるかを点灯状態により示したり、変動中であるか否かを点灯状態により示したり、停止図柄が確変大当たりに対応した図柄か普通大当たりに対応した図柄か外れ図柄であるかを点灯状態により示したり、保留球数を点灯状態により示すと共に、７セグメント表示装置により、大当たり中のラウンド数やエラー表示を行う。なお、複数のＬＥＤは、それぞれのＬＥＤの発光色（例えば、赤、緑、青）が異なるよう構成され、その発光色の組み合わせにより、少ないＬＥＤでパチンコ機１０の各種遊技状態を示唆することができる。
【００３０】
尚、本パチンコ機１０では、第１入賞口６４及び第２入賞口６４０へ入賞があったことを契機として抽選が行われる。パチンコ機１０は、その抽選において、大当たりか否かの当否判定（大当たり抽選）を行うと共に、大当たりと判定した場合はその大当たり種別の判定も行う。ここで判定される大当たり種別としては、１５Ｒ確変大当たり、４Ｒ確変大当たり、１５Ｒ通常大当たりが用意されている。第１図柄表示装置３７Ａ，３７Ｂには、変動終了後の停止図柄として抽選の結果が大当たりであるか否かが示されるだけでなく、大当たりである場合はその大当たり種別に応じた図柄が示される。
【００３１】
ここで、「１５Ｒ確変大当たり」とは、最大ラウンド数が１５ラウンドの大当たりの後に高確率状態へ移行する確変大当たりのことであり、「４Ｒ確変大当たり」とは、最大ラウンド数が４ラウンドの大当たりの後に高確率状態へ移行する確変大当たりのことである。また、「１５Ｒ通常大当たり」は、最大ラウンド数が１５ラウンドの大当たりの後に、低確率状態へ移行すると共に、所定の変動回数の間（例えば、１００変動回数）は時短状態となる大当たりのことである。
【００３２】
また、「高確率状態」とは、大当たり終了後に付加価値としてその後の大当たり確率がアップした状態、いわゆる確率変動中（確変中）の時をいい、換言すれば、特別遊技状態へ移行し易い遊技の状態のことである。本実施形態における高確率状態（確変中）は、後述する第２図柄の当たり確率がアップして第２入賞口６４０へ球が入賞し易い遊技の状態を含む。「低確率状態」とは、確変中でない時をいい、大当たり確率が通常の状態、即ち、確変の時より大当たり確率が低い状態をいう。また、「低確率状態」のうちの時短状態（時短中）とは、大当たり確率が通常の状態であると共に、大当たり確率がそのままで第２図柄の当たり確率のみがアップして第２入賞口６４０へ球が入賞し易い遊技の状態のことをいう。一方、パチンコ機１０が通常中とは、確変中でも時短中でもない遊技の状態（大当たり確率も第２図柄の当たり確率もアップしていない状態）である。
【００３３】
確変中や時短中は、第２図柄の当たり確率がアップするだけではなく、第２入賞口６４０に付随する電動役物６４０ａが開放される時間も変更され、通常中と比して長い時間が設定される。電動役物６４０ａが開放された状態（開放状態）にある場合は、その電動役物６４０ａが閉鎖された状態（閉鎖状態）にある場合と比して、第２入賞口６４０へ球が入賞しやすい状態となる。よって、確変中や時短中は、第２入賞口６４０へ球が入賞し易い状態となり、大当たり抽選が行われる回数を増やすことができる。
【００３４】
なお、確変中や時短中において、第２入賞口６４０に付随する電動役物６４０ａの開放時間を変更するのではなく、または、その開放時間を変更することに加えて、１回の当たりで電動役物６４０ａが開放する回数を通常中よりも増やす変更を行うものとしてもよい。また、確変中や時短中において、第２図柄の当たり確率は変更せず、第２入賞口６４０に付随する電動役物６４０ａが開放される時間および１回の当たりで電動役物６４０ａが開放する回数の少なくとも一方を変更するものとしてもよい。また、確変中や時短中において、第２入賞口６４０に付随する電動役物６４０ａが開放される時間や、１回の当たりで電動役物６４０ａを開放する回数はせず、第２図柄の当たり確率だけを、通常中と比してアップするよう変更するものであってもよい。
【００３５】
遊技領域には、球が入賞することにより５個から１５個の球が賞球として払い出される複数の一般入賞口６３が配設されている。また、遊技領域の中央部分には、可変表示装置ユニット８０が配設されている。可変表示装置ユニット８０には、第１入賞口６４及び第２入賞口６４０への入賞（始動入賞）をトリガとして、第１図柄表示装置３７Ａ，３７Ｂにおける変動表示と同期させながら、第３図柄の変動表示を行う液晶ディスプレイ（以下単に「表示装置」と略す）で構成された第３図柄表示装置８１と、スルーゲート６７の球の通過をトリガとして第２図柄を変動表示するＬＥＤで構成される第２図柄表示装置（図示せず）とが設けられている。また、可変表示装置ユニット８０には、第３図柄表示装置８１の外周を囲むようにして、センターフレーム８６が配設されている。
【００３６】
第３図柄表示装置８１は９インチサイズの大型の液晶ディスプレイで構成されるものであり、表示制御装置１１４（図４参照）によって表示内容が制御されることにより、例えば上、中及び下の３つの図柄列が表示される。各図柄列は複数の図柄（第３図柄）によって構成され、これらの第３図柄が図柄列毎に横スクロールして第３図柄表示装置８１の表示画面上にて第３図柄が可変表示されるようになっている。本実施形態の第３図柄表示装置８１は、主制御装置１１０（図４参照）の制御に伴った遊技状態の表示が第１図柄表示装置３７Ａ，３７Ｂで行われるのに対して、その第１図柄表示装置３７Ａ，３７Ｂの表示に応じた装飾的な表示を行うものである。なお、表示装置に代えて、例えばリール等を用いて第３図柄表示装置８１を構成するようにしても良い。
【００３７】
第２図柄表示装置は、球がスルーゲート６７を通過する毎に表示図柄（第２図柄（図示せず））としての「○」の図柄と「×」の図柄とを所定時間交互に点灯させる変動表示を行うものである。パチンコ機１０では、球がスルーゲート６７を通過したことが検出されると、当たり抽選が行われる。その当たり抽選の結果、当たりであれば、第２図柄表示装置において、第２図柄の変動表示後に「○」の図柄が停止表示される。また、当たり抽選の結果、外れであれば、第２図柄表示装置において、第３図柄の変動表示後に「×」の図柄が停止表示される。
【００３８】
パチンコ機１０は、第２図柄表示装置における変動表示が所定図柄（本実施形態においては「○」の図柄）で停止した場合に、第２入賞口６４０に付随された電動役物６４０ａが所定時間だけ作動状態となる（開放される）よう構成されている。
【００３９】
第２図柄の変動表示にかかる時間は、遊技状態が通常中の場合よりも、確変中または時短中の方が短くなるように設定される。これにより、確変中および時短中は、第２図柄の変動表示が短い時間で行われるので、当たり抽選を通常中よりも多く行うことができる。よって、当たり抽選において当たりとなる機会が増えるので、第２入賞口６４０の電動役物６４０ａが開放状態となる機会を遊技者に多く与えることができる。よって、確変中および時短中は、第２入賞口６４０へ球が入賞しやすい状態とすることができる。
【００４０】
なお、確変中または時短中において、当たり確率を高める、１回に当たりに対する電動役物６４０ａの開放時間や開放回数を増やすなど、その他の方法によっても、確変中または時短中に第２入賞口６４０へ球が入賞しやすい状態としている場合は、第２図柄の変動表示にかかる時間を遊技状態にかかわらず一定としてもよい。一方、第２図柄の変動表示にかかる時間を、確変中または時短中において通常中よりも短く設定する場合は、当たり確率を遊技状態にかかわらず一定にしてもよいし、また、１回の当たりに対する電動役物６４０ａの開放時間や開放回数を遊技状態にかかわらず一定にしてもよい。
【００４１】
スルーゲート６７は、可変表示装置ユニット８０の左右の領域において遊技盤１３に組み付けられ、遊技盤１３に発射された球の一部が通過可能に構成されている。スルーゲート６７を球が通過すると、第２図柄の当たり抽選が行われる。当たり抽選の後、第２図柄表示装置にて変動表示を行い、当たり抽選の結果が当たりであれば、変動表示の停止図柄として「○」の図柄を表示し、当たり抽選の結果が外れであれば、変動表示の停止図柄として「×」の図柄を表示する。
【００４２】
球のスルーゲート６７の通過回数は、合計で最大４回まで保留され、その保留球数が上述した第１図柄表示装置３７Ａ，３７Ｂにより表示されると共に第２図柄保留ランプ（図示せず）においても点灯表示される。第２図柄保留ランプは、最大保留数分の４つ設けられ、第３図柄表示装置８１の下方に左右対称に配設されている。
【００４３】
なお、第２図柄の変動表示は、本実施形態のように、第２図柄表示装置において複数のランプの点灯と非点灯を切り換えることにより行うものの他、第１図柄表示装置３７Ａ，３７Ｂ及び第３図柄表示装置８１の一部を使用して行うようにしても良い。同様に、第２図柄保留ランプの点灯を第３図柄表示装置８１の一部で行うようにしても良い。また、スルーゲート６７の球の通過に対する最大保留球数は４回に限定されるものでなく、３回以下、又は、５回以上の回数（例えば、８回）に設定しても良い。また、スルーゲート６７の組み付け数は２つに限定されるものではなく、例えば１つであっても良い。また、スルーゲート６７の組み付け位置は可変表示装置ユニット８０の左右に限定されるものではなく、例えば、可変表示装置ユニット８０の下方でも良い。また、第１図柄表示装置３７Ａ，３７Ｂにより保留球数が示されるので、第２図柄保留ランプにより点灯表示を行わないものとしてもよい。
【００４４】
可変表示装置ユニット８０の下方には、球が入賞し得る第１入賞口６４が配設されている。この第１入賞口６４へ球が入賞すると遊技盤１３の裏面側に設けられる第１入賞口スイッチ（図示せず）がオンとなり、その第１入賞口スイッチのオンに起因して主制御装置１１０（図４参照）で大当たりの抽選がなされ、その抽選結果に応じた表示が第１図柄表示装置３７Ａで示される。
【００４５】
一方、第１入賞口６４の正面視下方には、球が入賞し得る第２入賞口６４０が配設されている。この第２入賞口６４０へ球が入賞すると遊技盤１３の裏面側に設けられる第２入賞口スイッチ（図示せず）がオンとなり、その第２入賞口スイッチのオンに起因して主制御装置１１０（図４参照）で大当たりの抽選がなされ、その抽選結果に応じた表示が第１図柄表示装置３７Ｂで示される。
【００４６】
また、第１入賞口６４および第２入賞口６４０は、それぞれ、球が入賞すると５個の球が賞球として払い出される入賞口の１つにもなっている。なお、本実施形態においては、第１入賞口６４へ球が入賞した場合に払い出される賞球数と第２入賞口６４０へ球が入賞した場合に払い出される賞球数とを同じに構成したが、第１入賞口６４へ球が入賞した場合に払い出される賞球数と第２入賞口６４０へ球が入賞した場合に払い出される賞球数とを異なる数、例えば、第１入賞口６４へ球が入賞した場合に払い出される賞球数を３個とし、第２入賞口６４０へ球が入賞した場合に払い出される賞球数を５個として構成してもよい。
【００４７】
第２入賞口６４０には電動役物６４０ａが付随されている。この電動役物６４０ａは開閉可能に構成されており、通常は電動役物６４０ａが閉鎖状態（縮小状態）となって、球が第２入賞口６４０へ入賞しにくい状態となっている。一方、スルーゲート６７への球の通過を契機として行われる第２図柄の変動表示の結果、「○」の図柄が第２図柄表示装置に表示された場合、電動役物６４０ａが開放状態（拡大状態）となり、球が第２入賞口６４０へ入賞しやすい状態となる。
【００４８】
上述した通り、確変中および時短中は、通常中と比して第２図柄の当たり確率が高く、また、第２図柄の変動表示にかかる時間も短いので、第２図柄の変動表示において「○」の図柄が表示され易くなって、電動役物６４０ａが開放状態（拡大状態）となる回数が増える。更に、確変中および時短中は、電動役物６４０ａが開放される時間も、通常中より長くなる。よって、確変中および時短中は、通常時と比して、第２入賞口６４０へ球が入賞しやすい状態を作ることができる。
【００４９】
ここで、第１入賞口６４に球が入賞した場合と第２入賞口６４０へ球が入賞した場合とで、大当たりとなる確率は、低確率状態であっても高確率状態でも同一である。しかしながら、大当たりとなった場合に選定される大当たりの種別として１５Ｒ確変大当たりとなる確率は、第２入賞口６４０へ球が入賞した場合のほうが第１入賞口６４へ球が入賞した場合よりも高く設定されている。一方、第１入賞口６４は、第２入賞口６４０にあるような電動役物は有しておらず、球が常時入賞可能な状態となっている。
【００５０】
よって、通常中においては、第２入賞口６４０に付随する電動役物が閉鎖状態にある場合が多く、第２入賞口６４０に入賞しづらいので、電動役物のない第１入賞口６４へ向けて、可変表示装置ユニット８０の左方を球が通過するように球を発射し（所謂「左打ち」）、第１入賞口６４への入賞によって大当たり抽選の機会を多く得て、大当たりとなることを狙った方が、遊技者にとって有利となる。
【００５１】
一方、確変中や時短中は、スルーゲート６７に球を通過させることで、第２入賞口６４０に付随する電動役物６４０ａが開放状態となりやすく、第２入賞口６４０に入賞しやすい状態であるので、第２入賞口６４０へ向けて、可変表示装置８０の右方を球が通過するように球を発射し（所謂「右打ち」）、スルーゲート６７を通過させて電動役物を開放状態にすると共に、第２入賞口６４０への入賞によって１５Ｒ確変大当たりとなることを狙った方が、遊技者にとって有利となる。
【００５２】
なお、本実施形態におけるパチンコ機１０は、遊技盤１３の構成が左右対称とされるため、「右打ち」で第１入賞口６４を狙うことも、「左打ち」で第２入賞口６４０を狙うこともできる。そのため、本実施形態のパチンコ機１０は、パチンコ機１０の遊技状態（確変中であるか、時短中であるか、通常中であるか）に応じて、遊技者に対し、球の発射の仕方を「左打ち」と「右打ち」とに変えさせることを不要にできる。よって、球の打ち方を変化させる煩わしさを解消することができる。
【００５３】
第１入賞口６４の下方には可変入賞装置３３０（図１１参照）が配設されており、その略中央部分に特定入賞口６５ａが設けられている。パチンコ機１０においては、第１入賞口６４又は第２入賞口６４０への入賞に起因して行われた大当たり抽選が大当たりとなると、所定時間（変動時間）が経過した後に、大当たりの停止図柄となるよう第１図柄表示装置３７Ａ又は第１図柄表示装置３７Ｂを点灯させると共に、その大当たりに対応した停止図柄を第３図柄表示装置８１に表示させて、大当たりの発生が示される。その後、球が入賞し易い特別遊技状態（大当たり）に遊技状態が遷移する。この特別遊技状態として、通常時には閉鎖されている特定入賞口６５ａが、所定時間（例えば、３０秒経過するまで、或いは、球が１０個入賞するまで）開放される。
【００５４】
この特定入賞口６５ａは、所定時間が経過すると閉鎖され、その閉鎖後、再度、その特定入賞口６５ａが所定時間開放される。この特定入賞口６５ａの開閉動作は、最高で例えば１５回（１５ラウンド）繰り返し可能にされている。この開閉動作が行われている状態が、遊技者にとって有利な特別遊技状態の一形態であり、遊技者には、遊技上の価値（遊技価値）の付与として通常時より多量の賞球の払い出しが行われる。
【００５５】
なお、上記した形態に特別遊技状態は限定されるものではない。特定入賞口６５ａとは別に開閉される大開放口を遊技領域に設け、第１図柄表示装置３７Ａ，３７Ｂにおいて大当たりに対応したＬＥＤが点灯した場合に、特定入賞口６５ａが所定時間開放され、その特定入賞口６５ａの開放中に、球が特定入賞口６５ａ内へ入賞することを契機として特定入賞口６５ａとは別に設けられた大開放口が所定時間、所定回数開放される遊技状態を特別遊技状態として形成するようにしても良い。また、特定入賞口６５ａは１つに限るものではなく、１つ若しくは２以上の複数（例えば３つ）を配置しても良く、また配置位置も第１入賞口６４の下方右側や、第１入賞口６４の下方左側に限らず、例えば、可変表示装置ユニット８０の左方でも良い。
【００５６】
遊技盤１３の下側における右隅部には、証紙や識別ラベル等を貼着するための貼着スペースＫ１が設けられ、貼着スペースＫ１に貼られた証紙等は、正面枠１４の小窓３５（図１参照）を通じて視認することができる。
【００５７】
遊技盤１３には、アウト口７１が設けられている。遊技領域を流下する球であって、いずれの入賞口６３，６４，６５ａ，６４０にも入賞しなかった球は、アウト口７１を通って図示しない球排出路へと案内される。アウト口７１は、特定入賞口６５ａの左右に一対で配設される。
【００５８】
遊技盤１３には、球の落下方向を適宜分散、調整等するために多数の釘が植設されているとともに、風車等の各種部材（役物）とが配設されている。
【００５９】
図３に示すように、パチンコ機１０の背面側には、制御基板ユニット９０，９１と、裏パックユニット９４とが主に備えられている。制御基板ユニット９０は、主基板（主制御装置１１０）と音声ランプ制御基板（音声ランプ制御装置１１３）と表示制御基板（表示制御装置１１４）とが搭載されてユニット化されている。制御基板ユニット９１は、払出制御基板（払出制御装置１１１）と発射制御基板（発射制御装置１１２）と電源基板（電源装置１１５）とカードユニット接続基板１１６とが搭載されてユニット化されている。
【００６０】
裏パックユニット９４は、保護カバー部を形成する裏パック９２と払出ユニット９３とがユニット化されている。また、各制御基板には、各制御を司る１チップマイコンとしてのＭＰＵ、各種機器との連絡をとるポート、各種抽選の際に用いられる乱数発生器、時間計数や同期を図る場合などに使用されるクロックパルス発生回路等が、必要に応じて搭載されている。
【００６１】
なお、主制御装置１１０、音声ランプ制御装置１１３及び表示制御装置１１４、払出制御装置１１１及び発射制御装置１１２、電源装置１１５、カードユニット接続基板１１６は、それぞれ基板ボックス１００〜１０４に収納されている。基板ボックス１００〜１０４は、ボックスベースと該ボックスベースの開口部を覆うボックスカバーとを備えており、そのボックスベースとボックスカバーとが互いに連結されて、各制御装置や各基板が収納される。
【００６２】
また、基板ボックス１００（主制御装置１１０）及び基板ボックス１０２（払出制御装置１１１及び発射制御装置１１２）は、ボックスベースとボックスカバーとを封印ユニット（図示せず）によって開封不能に連結（かしめ構造による連結）している。また、ボックスベースとボックスカバーとの連結部には、ボックスベースとボックスカバーとに亘って封印シール（図示せず）が貼着されている。この封印シールは、脆性な素材で構成されており、基板ボックス１００，１０２を開封するために封印シールを剥がそうとしたり、基板ボックス１００，１０２を無理に開封しようとすると、ボックスベース側とボックスカバー側とに切断される。よって、封印ユニット又は封印シールを確認することで、基板ボックス１００，１０２が開封されたかどうかを知ることができる。
【００６３】
払出ユニット９３は、裏パックユニット９４の最上部に位置して上方に開口したタンク１３０と、タンク１３０の下方に連結され下流側に向けて緩やかに傾斜するタンクレール１３１と、タンクレール１３１の下流側に縦向きに連結されるケースレール１３２と、ケースレール１３２の最下流部に設けられ、払出モータ２１６（図４参照）の所定の電気的構成により球の払出を行う払出装置１３３とを備えている。タンク１３０には、遊技ホールの島設備から供給される球が逐次補給され、払出装置１３３により必要個数の球の払い出しが適宜行われる。タンクレール１３１には、当該タンクレール１３１に振動を付加するためのバイブレータ１３４が取り付けられている。
【００６４】
また、払出制御装置１１１には状態復帰スイッチ１２０が設けられ、発射制御装置１１２には可変抵抗器の操作つまみ１２１が設けられ、電源装置１１５にはＲＡＭ消去スイッチ１２２が設けられている。状態復帰スイッチ１２０は、例えば、払出モータ２１６（図４参照）部の球詰まり等、払出エラーの発生時に球詰まりを解消（正常状態への復帰）するために操作される。操作つまみ１２１は、発射ソレノイドの発射力を調整するために操作される。ＲＡＭ消去スイッチ１２２は、パチンコ機１０を初期状態に戻したい場合に電源投入時に操作される。
【００６５】
次に、図４を参照して、本パチンコ機１０の電気的構成について説明する。図４は、パチンコ機１０の電気的構成を示すブロック図である。
【００６６】
主制御装置１１０には、演算装置である１チップマイコンとしてのＭＰＵ２０１が搭載されている。ＭＰＵ２０１には、該ＭＰＵ２０１により実行される各種の制御プログラムや固定値データを記憶したＲＯＭ２０２と、そのＲＯＭ２０２内に記憶される制御プログラムの実行に際して各種のデータ等を一時的に記憶するためのメモリであるＲＡＭ２０３と、そのほか、割込回路やタイマ回路、データ送受信回路などの各種回路が内蔵されている。主制御装置１１０では、ＭＰＵ２０１によって、大当たり抽選や第１図柄表示装置３７Ａ，３７Ｂ及び第３図柄表示装置８１における表示の設定、第２図柄表示装置における表示結果の抽選といったパチンコ機１０の主要な処理を実行する。
【００６７】
なお、払出制御装置１１１や音声ランプ制御装置１１３などのサブ制御装置に対して動作を指示するために、主制御装置１１０から該サブ制御装置へ各種のコマンドがデータ送受信回路によって送信されるが、かかるコマンドは、主制御装置１１０からサブ制御装置へ一方向にのみ送信される。
【００６８】
ＲＡＭ２０３は、各種エリア、カウンタ、フラグのほか、ＭＰＵ２０１の内部レジスタの内容やＭＰＵ２０１により実行される制御プログラムの戻り先番地などが記憶されるスタックエリアと、各種のフラグおよびカウンタ、Ｉ／Ｏ等の値が記憶される作業エリア（作業領域）とを有している。なお、ＲＡＭ２０３は、パチンコ機１０の電源の遮断後においても電源装置１１５からバックアップ電圧が供給されてデータを保持（バックアップ）できる構成となっており、ＲＡＭ２０３に記憶されるデータは、すべてバックアップされる。
【００６９】
停電などの発生により電源が遮断されると、その電源遮断時（停電発生時を含む。以下同様）のスタックポインタや、各レジスタの値がＲＡＭ２０３に記憶される。一方、電源投入時（停電解消による電源投入を含む。以下同様）には、ＲＡＭ２０３に記憶される情報に基づいて、パチンコ機１０の状態が電源遮断前の状態に復帰される。ＲＡＭ２０３への書き込みはメイン処理（図示せず）によって電源遮断時に実行され、ＲＡＭ２０３に書き込まれた各値の復帰は電源投入時の立ち上げ処理（図示せず）において実行される。なお、ＭＰＵ２０１のＮＭＩ端子（ノンマスカブル割込端子）には、停電等の発生による電源遮断時に、停電監視回路２５２からの停電信号ＳＧ１が入力されるように構成されており、その停電信号ＳＧ１がＭＰＵ２０１へ入力されると、停電時処理としてのＮＭＩ割込処理（図示せず）が即座に実行される。
【００７０】
主制御装置１１０のＭＰＵ２０１には、アドレスバス及びデータバスで構成されるバスライン２０４を介して入出力ポート２０５が接続されている。入出力ポート２０５には、払出制御装置１１１、音声ランプ制御装置１１３、第１図柄表示装置３７Ａ，３７Ｂ、第２図柄表示装置、第２図柄保留ランプ、特定入賞口６５ａの開閉板の下辺を軸として正面側に開閉駆動するための大開放口ソレノイドや電動役物を駆動するためのソレノイドなどからなるソレノイド２０９が接続され、ＭＰＵ２０１は、入出力ポート２０５を介してこれらに対し各種コマンドや制御信号を送信する。
【００７１】
また、入出力ポート２０５には、図示しないスイッチ群およびスライド位置検出センサＳや回転位置検出センサＲを含むセンサ群などからなる各種スイッチ２０８、電源装置１１５に設けられた後述のＲＡＭ消去スイッチ回路２５３が接続され、ＭＰＵ２０１は各種スイッチ２０８から出力される信号や、ＲＡＭ消去スイッチ回路２５３より出力されるＲＡＭ消去信号ＳＧ２に基づいて各種処理を実行する。
【００７２】
払出制御装置１１１は、払出モータ２１６を駆動させて賞球や貸出球の払出制御を行うものである。演算装置であるＭＰＵ２１１は、そのＭＰＵ２１１により実行される制御プログラムや固定値データ等を記憶したＲＯＭ２１２と、ワークメモリ等として使用されるＲＡＭ２１３とを有している。
【００７３】
払出制御装置１１１のＲＡＭ２１３は、主制御装置１１０のＲＡＭ２０３と同様に、ＭＰＵ２１１の内部レジスタの内容やＭＰＵ２１１により実行される制御プログラムの戻り先番地などが記憶されるスタックエリアと、各種のフラグおよびカウンタ、Ｉ／Ｏ等の値が記憶される作業エリア（作業領域）とを有している。ＲＡＭ２１３は、パチンコ機１０の電源の遮断後においても電源装置１１５からバックアップ電圧が供給されてデータを保持（バックアップ）できる構成となっており、ＲＡＭ２１３に記憶されるデータは、すべてバックアップされる。なお、主制御装置１１０のＭＰＵ２０１と同様、ＭＰＵ２１１のＮＭＩ端子にも、停電等の発生による電源遮断時に停電監視回路２５２から停電信号ＳＧ１が入力されるように構成されており、その停電信号ＳＧ１がＭＰＵ２１１へ入力されると、停電時処理としてのＮＭＩ割込処理（図示せず）が即座に実行される。
【００７４】
払出制御装置１１１のＭＰＵ２１１には、アドレスバス及びデータバスで構成されるバスライン２１４を介して入出力ポート２１５が接続されている。入出力ポート２１５には、主制御装置１１０や払出モータ２１６、発射制御装置１１２などがそれぞれ接続されている。また、図示はしないが、払出制御装置１１１には、払い出された賞球を検出するための賞球検出スイッチが接続されている。なお、該賞球検出スイッチは、払出制御装置１１１に接続されるが、主制御装置１１０には接続されていない。
【００７５】
発射制御装置１１２は、主制御装置１１０により球の発射の指示がなされた場合に、操作ハンドル５１の回動操作量に応じた球の打ち出し強さとなるよう球発射ユニット１１２ａを制御するものである。球発射ユニット１１２ａは、図示しない発射ソレノイドおよび電磁石を備えており、その発射ソレノイドおよび電磁石は、所定条件が整っている場合に駆動が許可される。具体的には、遊技者が操作ハンドル５１に触れていることをタッチセンサ５１ａにより検出し、球の発射を停止させるための発射停止スイッチ５１ｂがオフ（操作されていないこと）を条件に、操作ハンドル５１の回動操作量（回動位置）に対応して発射ソレノイドが励磁され、操作ハンドル５１の操作量に応じた強さで球が発射される。
【００７６】
音声ランプ制御装置１１３は、音声出力装置（図示しないスピーカなど）２２６における音声の出力、ランプ表示装置（電飾部２９〜３３、表示ランプ３４など）２２７における点灯および消灯の出力、変動演出（変動表示）や予告演出といった表示制御装置１１４で行われる第３図柄表示装置８１の表示態様の設定などを制御するものである。演算装置であるＭＰＵ２２１は、そのＭＰＵ２２１により実行される制御プログラムや固定値データ等を記憶したＲＯＭ２２２と、ワークメモリ等として使用されるＲＡＭ２２３とを有している。
【００７７】
音声ランプ制御装置１１３のＭＰＵ２２１には、アドレスバス及びデータバスで構成されるバスライン２２４を介して入出力ポート２２５が接続されている。入出力ポート２２５には、主制御装置１１０、表示制御装置１１４、音声出力装置２２６、ランプ表示装置２２７、その他装置２２８、枠ボタン２２などがそれぞれ接続されている。その他装置２２８には駆動モータＭ１が含まれる。
【００７８】
音声ランプ制御装置１１３は、主制御装置１１０から受信した各種のコマンド（変動パターンコマンド、停止種別コマンド等）に基づいて、第３図柄表示装置８１の表示態様を決定し、決定した表示態様をコマンド（表示用変動パターンコマンド、表示用停止種別コマンド等）によって表示制御装置１１４へ通知する。また、音声ランプ制御装置１１３は、枠ボタン２２からの入力を監視し、遊技者によって枠ボタン２２が操作された場合は、第３図柄表示装置８１で表示されるステージを変更したり、スーパーリーチ時の演出内容を変更したりするように、表示制御装置１１４へ指示する。ステージが変更される場合は、変更後のステージに応じた背面画像を第３図柄表示装置８１に表示させるべく、変更後のステージに関する情報を含めた背面画像変更コマンドを表示制御装置１１４へ送信する。ここで、背面画像とは、第３図柄表示装置８１に表示させる主要な画像である第３図柄の背面側に表示される画像のことである。表示制御装置１１４は、この音声ランプ制御装置１１３から送信されるコマンドに従って、第３図柄表示装置８１に各種の画像を表示する。
【００７９】
また、音声ランプ制御装置１１３は、表示制御装置１１４から第３図柄表示装置８１の表示内容を表すコマンド（表示コマンド）を受信する。音声ランプ制御装置１１３では、表示制御装置１１４から受信した表示コマンドに基づき、第３図柄表示装置８１の表示内容に合わせて、その表示内容に対応する音声を音声出力装置２２６から出力し、また、その表示内容に対応させてランプ表示装置２２７の点灯および消灯を制御する。
【００８０】
表示制御装置１１４は、音声ランプ制御装置１１３及び第３図柄表示装置８１が接続され、音声ランプ制御装置１１３より受信したコマンドに基づいて、第３図柄表示装置８１における第３図柄の変動演出などの表示を制御するものである。また、表示制御装置１１４は、第３図柄表示装置８１の表示内容を通知する表示コマンドを適宜音声ランプ制御装置１１３へ送信する。音声ランプ制御装置１１３は、この表示コマンドによって示される表示内容にあわせて音声出力装置２２６から音声を出力することで、第３図柄表示装置８１の表示と音声出力装置２２６からの音声出力とをあわせることができる。
【００８１】
電源装置１１５は、パチンコ機１０の各部に電源を供給するための電源部２５１と、停電等による電源遮断を監視する停電監視回路２５２と、ＲＡＭ消去スイッチ１２２（図３参照）が設けられたＲＡＭ消去スイッチ回路２５３とを有している。電源部２５１は、図示しない電源経路を通じて、各制御装置１１０〜１１４等に対して各々に必要な動作電圧を供給する装置である。その概要としては、電源部２５１は、外部より供給される交流２４ボルトの電圧を取り込み、各種スイッチ２０８などの各種スイッチや、ソレノイド２０９などのソレノイド、モータ等を駆動するための１２ボルトの電圧、ロジック用の５ボルトの電圧、ＲＡＭバックアップ用のバックアップ電圧などを生成し、これら１２ボルトの電圧、５ボルトの電圧及びバックアップ電圧を各制御装置１１０〜１１４等に対して必要な電圧を供給する。
【００８２】
停電監視回路２５２は、停電等の発生による電源遮断時に、主制御装置１１０のＭＰＵ２０１及び払出制御装置１１１のＭＰＵ２１１の各ＮＭＩ端子へ停電信号ＳＧ１を出力するための回路である。停電監視回路２５２は、電源部２５１から出力される最大電圧である直流安定２４ボルトの電圧を監視し、この電圧が２２ボルト未満になった場合に停電（電源断、電源遮断）の発生と判断して、停電信号ＳＧ１を主制御装置１１０及び払出制御装置１１１へ出力する。停電信号ＳＧ１の出力によって、主制御装置１１０及び払出制御装置１１１は、停電の発生を認識し、ＮＭＩ割込処理を実行する。なお、電源部２５１は、直流安定２４ボルトの電圧が２２ボルト未満になった後においても、ＮＭＩ割込処理の実行に充分な時間の間、制御系の駆動電圧である５ボルトの電圧の出力を正常値に維持するように構成されている。よって、主制御装置１１０及び払出制御装置１１１は、ＮＭＩ割込処理（図示せず）を正常に実行し完了することができる。
【００８３】
ＲＡＭ消去スイッチ回路２５３は、ＲＡＭ消去スイッチ１２２（図３参照）が押下された場合に、主制御装置１１０へ、バックアップデータをクリアさせるためのＲＡＭ消去信号ＳＧ２を出力するための回路である。主制御装置１１０は、パチンコ機１０の電源投入時に、ＲＡＭ消去信号ＳＧ２を入力した場合に、バックアップデータをクリアすると共に、払出制御装置１１１においてバックアップデータをクリアさせるための払出初期化コマンドを払出制御装置１１１に対して送信する。
【００８４】
図５は、操作デバイス３００の正面斜視図である。図５に示すように、操作デバイス３００は、正面視における内枠１２の左右方向中央部（即ち、パチンコ機１０の左右方向中央部）に配置される。
【００８５】
操作デバイス３００は、遊技者に押し込まれることにより傾倒動作可能に構成される傾倒装置３１０を備え、その傾倒装置３１０は、上皿１７の外枠に沿って前後方向に凹設される収容凹部１７ａによって構成される領域を移動可能とされる。遊技者が傾倒装置３１０を傾倒（回転）操作することにより、パチンコ機１０（図１参照）に信号が入力される。
【００８６】
傾倒装置３１０と収容凹部１７ａとの間には、少なくとも手の指が無理なく入る程度の隙間が空けられる。これにより、遊技者は、傾倒装置３１０の上面奥側に指を入れ込む態様で傾倒装置３１０を操作する準備を行うことができる。
【００８７】
なお、遊技者は右手で操作ハンドル５１を握るため、首振り操作部材３１０の操作は左手で行われることが多くなる。そのため、以下の説明では、遊技者が首振り操作部材３１０を左手で操作するという前提で、説明を行う。
【００８８】
図６（ａ）は、パチンコ機１０の部分正面図であり、図６（ｂ）は、図６（ａ）のＶＩｂ−ＶＩｂ線におけるパチンコ機１０の部分断面図であり、図７（ａ）は、パチンコ機１０の部分正面図であり、図７（ｂ）は、図７（ａ）のＶＩＩｂ−ＶＩＩｂ線におけるパチンコ機１０の部分断面図である。
【００８９】
図６及び図７では、パチンコ機１０の、操作デバイス３００付近が部分的に図示される。なお、図６では、傾倒装置３１０が上昇位置（本実施形態における初期位置）に配置された状態が図示され、図７では、傾倒装置３１０が下降位置（本実施形態における押し込み終端）に配置された状態が図示され、傾倒装置３１０を操作する遊技者の手の一例が想像線で図示される。
【００９０】
傾倒装置３１０の操作の一例について説明する。傾倒装置３１０の操作は、例えば、第３図柄表示装置８１（図２参照）に特定の表示（例えば、「ペダルを押し込め」という表示）が現れた時に遊技者が行うものである。特定の表示が現れる前においては、遊技者は手をパチンコ機１０に置いた状態で待機している（図６（ｂ）参照）。このとき、傾倒装置３１０の回転軸の上部に手を置くことにより、傾倒装置３１０を上昇位置に維持したまま、遊技者は、特定の表示が現れたら即座に傾倒装置３１０の操作を行い得る姿勢で、楽に待機することができる。
【００９１】
図６（ｂ）に示す状態から、手の根本を軸に手を倒すことにより、傾倒装置３１０を上昇位置から下降位置まで移動させることで、傾倒装置３１０の操作を行う（図７（ｂ）参照）。本実施形態では、傾倒装置３１０は、上昇位置から傾倒する角度を検出可能に構成される。
【００９２】
上皿１７の収容凹部１７ａは、傾倒装置３１０の外形から十分に離間して配置される。そのため、遊技者が傾倒装置３１０の左右側面を把持する際に、傾倒装置３１０と収容凹部１７ａとの間に指を入れ易くすることができる。
【００９３】
図７に示すように、図６に示す状態から遊技者が円弧に沿った曲線を描く矢印Ｆ１の方向に力をかけることで、傾倒装置３１０を移動（傾倒）させる。即ち、傾倒装置３１０を移動させる力の方向が直線ではなく曲線を描くので、上昇位置（図６参照）において遊技者が傾倒装置３１０に直線的な大きな力をかけたとしても、傾倒装置３１０が移動するにつれて、力の方向と傾倒装置３１０の移動方向（回転軌跡の接線方向）との間の角度が大きくなる。そのため、下降位置において傾倒装置３１０に与えられる負荷を小さくすることができる（遊技者から与えられる直線的な力を部分的に逃がすことができる）。
【００９４】
図８は、操作デバイス３００の正面斜視図である。なお、図８では、操作デバイス３００の傾倒装置３１０が上昇位置（図６参照）に配置された状態が図示される。図８に示すように、操作デバイス３００は、断面扇形状の傾倒装置３１０が手前側の端部で軸支され押し込み操作に対して傾倒動作可能（図６及び図７参照）に構成される。
【００９５】
図９は、操作デバイス３００の上面分解斜視図である。図９に示すように、操作デバイス３００は、正面側端部（図９紙面手前側端部）で左右端部にそれぞれ配設されるリング部材ＢＲ１を備える傾倒装置３１０と、その傾倒装置３１０のリング部材ＢＲ１を下側から支持する凹設軸受け部３６１ａを有すると共に傾倒装置３１０の押し込み終端を形成する下ケース３６０と、傾倒装置３１０のリング部材ＢＲ１を上側から支持し下ケース３６０と向かい合わせで配置される凹設部を有し下ケース３６０との間に傾倒部材３１０を配置する態様で下ケース３６０に締結固定されると共に傾倒装置３１０と当接することで傾倒装置３１０の上昇位置を定める（コ字状枠の内周縁部に傾倒装置３１０が当接される）上ケース３７０と、を主に備える。
【００９６】
図１０は、傾倒装置３１０の上面分解斜視図であり、図１１は、傾倒装置３１０の底面分解斜視図である。図１０及び図１１に示すように、傾倒装置３１０は、最上部に配置され遊技者からの注目度が最も高い装飾部分としての役割を持つと共に遊技者から押し込み操作される部分である上カバー３１１と、その上カバー３１１と上下方向に面で重ねられると共に上カバー３１１に締結固定される下カバー３２０と、上カバー３１１に締結固定されると共に作用爪部３３２で下カバー３２０を上カバー３１１との間で挟み込む軸カバー３３０と、上カバー３１１と軸カバー３３０との間に内嵌される一対の軸部材３４０と、上カバー３１１の後端部内側と下カバー３２０の後端部外側との間に配設されると共に櫛状の櫛状部３５２を有する湾曲した湾曲部材３５０と、上カバー３１１と下カバー３２０との間に挟持される駆動モータＭ１と、上カバー３１１の延設判軸部３１３ｃ及び軸カバー３３０の延設半軸部３３１ｃを内嵌するリング形状のリング部材ＢＲ１と、を主に備える。
【００９７】
軸部材３４０は、左右一対で配設され、上カバー３１１及び軸カバー３３０の凹設部３１３ｂ，３３１ｂ及び延設半軸部３１３ｃ，３３１ｃに内嵌される円筒形状の筒状部３４１と、その筒状部３４１の中腹において筒状部３４１よりも直径の大きい円盤形状に形成される円盤部３４２と、その円盤部３４２に軸方向の移動を係止されると共にねじり部分に筒状部３４１が挿通された状態で配設されるねじりバネ３４３と、を主に備える。
【００９８】
軸部材３４０が左右一対で配設されることにより、上カバー３１１及び軸カバー３３０の軸心の中心部付近に締結ネジを通して締結固定することができる。これにより、軸心の中心部付近に遊技者から大きな負荷をかけられたとしても（遊技者が誤操作を行ったとしても）、締結ネジの強度によって、上カバー３１１及び軸カバー３３０が軸心の中心部付近が破損することを防止することができる。
【００９９】
ねじりバネ３４３は、傾倒部材３１０の軸方向の内側において下方へ延びる下腕３４３ａと、軸方向外側において上方へ延びる上腕３４３ｂと、を備え、下腕３４３ａは、軸カバー３３０の貫通孔３３１ｆに挿通されると共に下ケース３６０の帯状凸設部３６１ｂ（図９参照）に係止され、上腕３４３ｂは、上カバー３１１の切り欠き３１４ａ及び下カバー３２０の切り欠き３２３ａに係止される。
【０１００】
湾曲部材３５０は、上カバー３１１の湾曲壁部３１６及び下カバー３２０の湾曲壁部３２２の形状に沿って湾曲する断面Ｉ字形状の本体部３５１と、その本体部３５１の手前側端部（図１０紙面手前側）の形状に沿った形状で右方に延設される櫛状部３５２と、その櫛状部３５２の逆方向に延設される切替延設部３５３と、を主に備える。
【０１０１】
本体部３５１は、奥側端部（図１０紙面奥側）から左右方向に延設される板状の被挟持部３５１ａと、下端部において被挟持部３５１ａと隣接する部分において上方へ向けて凹設される嵌合凹部３５１ｂと、を備え、被挟持部３５１ａが上カバー３１１の後端部（湾曲壁部３１６）内側と下カバー３２０の後端部（湾曲壁部３２２）外側との間に挟持される。
【０１０２】
被挟持部３５１ａは、湾曲壁部３２２の形状に沿って湾曲する板部であって、上カバー３１１の湾曲壁部３１６と下カバー３２０の湾曲壁部３２２との間に挟持される部分である。
【０１０３】
櫛状部３５２は、本体部３５１から右方に凸設される凸設部３５２ａと、隣り合う凸設部３５２ａに挟まれて本体部３５１側へ凹設される凹設部３５２ｂと、を備え、本実施形態では、それらが均等間隔（組立状態で傾倒装置３１０が３°回転（傾倒）するごとに切り替わる間隔）で配設される。
【０１０４】
切替延設部３５３は、本体部３５１から左方に凸設される凸設部３５３ａと、その凸設部３５３ａの下端部に隣り合って本体部３５１側へ凹設される凹設部３５３ｂと、を備える。本実施形態では、凸設部３５３ａ及び凹設部３５３ｂの境界位置が、櫛状部３５２の下端の凸設部３５２ａの中間位置（半分の位置）と一致する態様で構成される。
【０１０５】
駆動モータＭ１は、左右一対で配設され、回転駆動される回転軸に偏心して軸支される扇形状の錘部材Ｍ１ａを備える。駆動モータＭ１が回転駆動されることにより、錘部材Ｍ１ａの重心が移動し、その重心の移動により傾倒部材３１０を振動させることができ、傾倒装置３１０を操作する遊技者の期待感を高めることができる。
【０１０６】
次いで、図１２及び図１３を参照して、上カバー３１１について説明する。図１２（ａ）は、上カバー３１１の正面図であり、図１２（ｂ）は、図１２（ａ）の矢印ＸＩＩｂにおける上カバー３１１の側面図であり、図１２（ｃ）は、上カバー３１１の上面図である。図１３（ａ）は、図１２（ａ）のＸＩＩＩａ−ＸＩＩＩａ線における上カバー３１１の断面図であり、図１３（ｂ）は、上カバー３１１の底面斜視図である。
【０１０７】
図１２及び図１３に示すように、上カバー３１１は、手前側から奥側へ向けて上方へ傾斜する板形状の押圧板部３１２と、その押圧板部３１２の手前側端部に配設され外形が左右方向に延設されるハーフパイプ形状で構成される円筒上半部３１３と、押圧板部３１２の手前側部分において円筒上半部３１３の後端部辺りへ向けて上下方向（図１３（ａ）上下方向）に沿って延設される前側壁部３１４と、その前側壁部３１４の後方に所定間隔を開けて前側壁部３１４と平行に押圧板部３１２から延設される後側壁部３１５と、押圧板部３１２の後端部から下方へ湾曲して延設される湾曲壁部３１６と、湾曲壁部３１６の下端部から同一平面に沿って延設されると共に上カバー３１１の底面を形成する底壁部３１７と、を主に備える。
【０１０８】
押圧板部３１２は、左右方向外側部分に比較して左右方向中心部分の方が上方へ張り出す形状で構成され、円筒上半部３１３の反対側の部分に開口３１２ａを備える。開口３１２ａは、下カバー３２０の張出部３２１ａが張り出す部分であり、下カバー３２０を通して装飾板３６３ｄ（図９参照）に配設されるＬＥＤによる光の演出が視認可能とされる。
【０１０９】
円筒上半部３１３は、その円筒の中心軸を傾倒装置３１０の回転軸と同じくする部分であって、ねじりバネ３４３を収容する収容部３１３ａと、その収容部３１３ａから傾倒装置３１０の中心側に向けて断面半円形状の凹設部分として形成される凹設部３１３ｂと、その凹設部３１３ｂと略同形状（若干半径が大）の内周面を有し傾倒装置３１０の外方へ向けてハーフパイプ形状で延設される延設半軸部３１３ｃと、凹設部３１３ｂよりも傾倒装置３１０の中心側に配置されると共に軸カバー３３０を締結固定する締結ネジが固定される締結孔３１３ｄと、傾倒装置３１０が上昇位置に配置された場合に下ケース３６０の張出当接部３６１ｇ（図９参照）と周方向で当接される張出当接部３１３ｅと、を主に備える。
【０１１０】
凹設部３１３ｂ及び延設半軸部３１３ｃは、傾倒装置３１０の組立状態（図９参照）において、軸カバー３３０の円筒下半部３３１と共に軸部材３４０の筒状部３４１を内嵌する部分であり、また、延設半軸部３１３ｃは、リング部材ＢＲ１（図１１参照）に内嵌される。
【０１１１】
締結孔３１３ｄは、軸カバー３３０を締結固定する締結ネジが固定されるネジ孔である。傾倒装置３１０の組立状態（図９参照）において、締結孔３１３ｄに固定される締結ネジの強度により円筒上半部３１３を補強することができるので、遊技者が円筒上半部３１３付近（傾倒装置３１０の手前側部分）を叩く等の操作を行ったとしても、それにより傾倒装置３１０が破損することを抑制することができる。
【０１１２】
張出当接部３１３ｅは、下ケース３６０（図９参照）の手前側端部の装飾と一体となって視認されることで演出する演出効果を有すると共に、傾倒装置３１０が上方へ移動し上昇位置まで到達した場合に当接部３６１ｇと当接し、回り止めとして機能する。
【０１１３】
前側壁部３１４は、円筒上半部３１３の後端部と連結される板状部分であって、左右両端部に前後方向に一対で配設される切り欠き３１４ａを備える。切り欠き３１４ａは、ねじりバネ３４３の上腕３４３ｂ（図１０参照）が係止される切り欠きであるので、傾倒装置３１０は、切り欠き３１４ａを介してねじりバネ３４３から回転（傾倒）方向の付勢力を受ける。
【０１１４】
後側壁部３１５は、下カバー３２０の当接端面３２１ｂと面で当接する部分であって、前側壁部３１４との間に複数配設され前側壁部３１４と連結される板状の補強板部３１５ａを備える。
【０１１５】
補強板部３１５ａは、複数の板状部が左右対称に列設され、中心に配設される板状部以外の板状部は、下面に駆動モータＭ１を受け入れ支持する凹みである凹設支持部３１５ｂを備える。これにより、前側壁部３１４、後側壁部３１５及び補強板部３１５ａで小さな複数の枠形状が形成されるので、押圧板部３１２の前側壁部３１４及び後側壁部３１５付近の強度を向上させることができる。
【０１１６】
湾曲壁部３１６は、左右方向外側部分に比較して左右方向中心部分の方が円筒上半部３１３から外方に張り出して構成され（図１３（ｂ）参照）、傾倒装置３１０の回転軸（即ち円筒上半部３１３の円の中心）を中心とした円弧形状で形成される上下左右に湾曲した板状部であり、内側面（回転軸側の側面）に上下方向に沿って湾曲して凹設される湾曲凹部３１６ａを備える。湾曲凹部３１６ａは、幅が、湾曲部材３５０の被挟持部３５１ａの幅よりも若干大きく形成される。
【０１１７】
次いで、図１４を参照して下カバー３２０について説明する。図１４（ａ）は、下カバー３２０の正面図であり、図１４（ｂ）は、図１４（ａ）の矢印ＸＩＶｂにおける下カバー３２０の側面図であり、図１４（ｃ）は、下カバー３２０の上面図であり、図１４（ｄ）は、図１４（ａ）のＸＩＶｄ−ＸＩＶｄ線における下カバー３２０の断面図である。
【０１１８】
図１４に示すように、下カバー３２０は、光透過性の樹脂材料から形成され、手前側から奥側へ向けて上方へ傾斜する板形状の補強板部３２１と、その補強板部３２１の後端部から下方へ湾曲して延設される湾曲壁部３２２と、補強板部３２１の左右方向端部から下方へ延設されると共に湾曲壁部３２２と連結される一対の板状の側壁部３２３と、それら側壁部３２３の正面側の端部から左右方向内側へ延設される前当て壁部３２４と、その前当て壁部３２４に連結されると共に正面側と上方とが開放された箱状に形成されるモータ支持部３２５と、を主に備える。
【０１１９】
補強板部３２１は、上面が上カバー３１１の押圧板部３１２（図１２（ａ）参照）の下面と密着可能な形状（転写した形状）から構成されるので、上カバー３１１に上下方向で締結固定されることにより上カバー３１１の強度を補強することができる。これにより、遊技者が上カバー３１１に強い衝撃を与えた場合に、上カバー３１１が破損することを防止することができる。また、補強板部３２１は、前後方向中央部において上方へ張り出す張出部３２１ａと、正面側の端面に形成される当接端面３２１ｂと、を備える。
【０１２０】
張出部３２１ａは、組立状態（図８参照）において、上カバー３１１の開口３１２ａ（図１０参照）を通して遊技者が視認可能とされる部分である。
【０１２１】
当接端面３２１ｂは、組立状態（図８参照）において、上カバー３１１の後側壁部３１５と面で当接する位置に配置される。これにより、後側壁部３１５の強度を利用して、下カバー３２０を補強することができる。
【０１２２】
湾曲壁部３２２は、上カバー３１１（図１３（ａ）参照）の湾曲壁部３１６の湾曲形状の中心軸と同一の軸を中心軸とした円弧形状から形成され、左右方向の各位置において、湾曲壁部３１６よりも若干小さな半径で構成される。これにより、湾曲壁部３１６と湾曲壁部３２２とを密着させた状態で下カバー３２０を上カバー３１１に収容することができる。
【０１２３】
また、湾曲壁部３２２は左右方向中心位置において上下方向に切りかかれる切り欠き３２２ａと、その切り欠き３２２ａの上端部分において切り欠き幅が拡大される拡大開口部３２２ｂと、湾曲壁部３２２の下端部において切り欠き３２２ａを閉塞する抜止部３２２ｃと、を主に備える。
【０１２４】
切り欠き３２２ａは、湾曲部材３５０（図１０参照）の本体部３５１が挿通される隙間であり、本体部３５１の厚みよりも隙間の寸法が若干広くされる。また、拡大開口部３２２ｂは、湾曲部材３５０の櫛状部３５２及び切替延設部３５３を挿通する開口であり、左右方向の幅が櫛状部３５２及び切替延設部３５３の左右方向の幅（凸設長さ）を合計した幅よりも大きくされる。
【０１２５】
抜止部３２２ｃは、湾曲部材３５０（図１１参照）が抜け落ちることを防止する部分であって、湾曲部材３５０の嵌合凹部３５１ｂと嵌合可能となるように、嵌合凹部３５１ｂより若干小さな厚さ形状で構成される。
【０１２６】
側壁部３２３は、正面側端面において、下端から上方へ向けて切り欠かれる切り欠き３２３ａを備える。切り欠き３２３ａは、組立状態（図８参照）において、上カバー３１１の切り欠き３１４ａ（図１１参照）の後方に配置され、切り欠き３１４ａと同様にねじりバネ３４３の上腕３４３ｂ（図１１参照）が挿通され係止される。
【０１２７】
前当て壁部３２４は、組立状態（図８参照）において、上カバー３１１の前側壁部３１４（図１３（ｂ）参照）と面で当接する配置で形成される。これにより、前側壁部３１４の強度を利用して、前当て壁部３２４を補強することができる。
【０１２８】
モータ支持部３２５は、駆動モータＭ１（図１０参照）を載置する部分であって、底面を形成する底板部３２５ａと、その底板部３２５ａの左右両端部から上方へ延設され駆動モータＭ１の基端部を下方から支持する凹設支持部３２５ｂ１を有する側壁部３２５ｂと、底板部３２５ａ及び側壁部３２５ｂを連結する板状の後板部３２５ｃと、を主に備える。
【０１２９】
駆動モータＭ１（図１０参照）が、下カバー３２０の最前端という傾倒装置３１０の回転軸に近い位置に配置されることにより、傾倒装置３１０が動作した場合に駆動モータＭ１がパチンコ機１０（図１参照）に固定される下ケース３６０（図８参照）に対して相対移動する距離を短く抑えることができる。そのため、移動する傾倒装置３１０に駆動モータＭ１を搭載しながらも、駆動モータＭ１に電気を供給する配線が傾倒装置３１０の動作により変形する度合いを小さくすることができる。これにより、駆動モータＭ１の配線の劣化を遅らせることができるので、メンテナンス期間を長くすることができる。
【０１３０】
側壁部３２５ｂは、上カバー３１１の複数の補強板部３１５ａ（図１３（ｂ）参照）の内、最外方に配置される補強板部３１５ａと上下方向で対面し、その補強板部３１５ａに配設さえる凹設支持部３１５ｂと凹設支持部３２５ｂ１とで駆動モータＭ１を挟持可能に構成される。
【０１３１】
後板部３２５ｃは、組立状態（図８参照）において、上端面が上カバー３１１の後側壁部３１５（図１３（ｂ）参照）と当接する。これにより、モータ支持部３２５が上方への負荷を受けたときの抵抗を大きく確保することができる（モータ支持部３２５が上方への負荷を後述するピストン部材３６２ａ（図２０（ａ）参照）から受けた時の抵抗を大きく確保することができる）。
【０１３２】
次いで、図１５を参照して、湾曲部材３５０を下カバー３２０と上カバー３１１との間に挟持する手順について説明する。図１５（ａ）から図１５（ｄ）は、下カバー３２０に上カバー３１１を被せる手順を時系列で図示した、図１４（ａ）のＸＩＶｄ−ＸＩＶｄ線に対応する線における傾倒装置３１０の部分断面図である。
【０１３３】
なお、図１５（ａ）では、下カバー３２０の切り欠き３２２ａに湾曲部材３５０が挿通された状態が図示され、図１５（ｂ）では、図１５（ａ）の状態から上カバー３１１が湾曲部材３５０に当接する直前の位置まで下降された状態が図示され、図１５（ｃ）では、図１５（ｂ）の状態から上カバー３１１が所定量下降された状態が図示され、図１５（ｄ）では、図１５（ｃ）の状態から上カバー３１１が下カバー３２０に対して固定される位置まで下降された状態が図示される。
【０１３４】
図１５に図示されるように、組立の過程において、湾曲部材３５０の嵌合凹部３５１ｂが抜止部３２２ｃにしっかり嵌っていなくとも（図１５（ａ）参照）、その状態から上カバー３１１を被せ、下降させることにより、湾曲部材３５０の被挟持部３５１ａが下カバー３２０の湾曲壁部３２２及び上カバー３１１の湾曲壁部３１６の形状になつく態様で湾曲部材３５０が姿勢変化され（図１５（ｂ）及び図１５（ｃ）参照）、上カバー３１１を下降させきることにより、湾曲部材３５０の嵌合凹部３５１ｂが抜止部３２２ｃに嵌った状態を形成することができる（図１５（ｄ）参照）。これにより、湾曲部材３５０を上カバー３１１及び下カバー３２０の間に固定する作業を行い易くでき、作業時間を短縮することができる。
【０１３５】
また、図１５（ｄ）に示す状態において、湾曲部材３５０の本体部３５１は幅方向が上カバー３１１の湾曲壁部３１６の厚さ方向に沿う態様とされるので、湾曲壁部３１６の厚さが薄い場合であっても、厚さ方向に変形することを湾曲部材３５０の剛性により防止することができる。なお、湾曲部材３５０の上端が湾曲壁部３１６の湾曲凹部３１６ａの上端面と当接されることにより、湾曲部材３５０が上下方向に移動することが防止され、湾曲部材３５０が上カバー３１１と下カバー３２０との間に固定される。
【０１３６】
なお、図１５（ｄ）に示す状態から更に上カバー３１１が下降される場合（過度な負荷により、部分的に破壊される場合等）、湾曲部材３５０が更に押し込まれ、下カバー３２０の抜止部３２２ｃを折って湾曲部材３５０がずり落ち得るが、本実施形態では、下カバー３２０の補強板部３２１と、上カバー３１１の押圧板部３１２とが面で当接することにより、下カバー３２０に対して上カバー３１１の位置を維持する強度が向上されるので、抜止部３２２ｃが折れることを抑制することができる。
【０１３７】
図１６を参照して、軸カバー３３０について説明する。図１６（ａ）は、軸カバー３３０の上面図であり、図１６（ｂ）は、軸カバー３３０の正面図であり、図１６（ｃ）は、図１６（ａ）の矢印ＸＶＩｃにおける軸カバー３３０の側面図である。
【０１３８】
図１６に示すように、軸カバー３３０は、円筒上半部３１３（図１３（ｂ）参照）と同様の形状を備える円筒下半部３３１と、その円筒下半部３３１から後方に延設される複数の作用爪部３３２と、を主に備える。
【０１３９】
円筒下半部３３１は、その円筒の中心軸を傾倒装置３１０の回転軸と同じくする部分であって、ねじりバネ３４３（図１０参照）を収容する収容部３３１ａと、その収容部３３１ａから円筒下半部３３１の左右方向中心側に向けて断面半円形状の凹設部分として形成される凹設部３３１ｂと、その凹設部３３１ｂと略同形状（若干半径が大）の内周面を有し円筒下半部３３１の外方へ向けてハーフパイプ形状で延設される延設半軸部３３１ｃと、凹設部３３１ｂよりも円筒下半部３３１の中心側に配置されると共に締結ネジが挿通される挿通孔３３１ｄと、傾倒装置３１０が上昇位置に配置された場合に下ケース３６０の張出当接部３６１ｇと周方向で当接される張出当接部３３１ｅと、収容部３３１ａの凹設部３３１ｂ側の部分において貫通形成される貫通孔３３１ｆと、を主に備える。なお、収容部３３１ａ、凹設部３３１ｂ、延設半軸部３３１ｃ、挿通孔３３１ｄ及び張出当接部３３１ｅは、円筒上半部３１３（図１３（ｂ）参照）の同一名称の構成と同等の部分であるため、説明を省略する。
【０１４０】
貫通孔３３１ｆは、ねじりバネ３４３の下腕３４３ａ（図１０参照）が挿通される孔であり、円筒下半部３３１の円周の中心軸を中心として約４５°に亘って形成される。そのため、貫通孔３３１ｆに挿通されたねじりバネ３４３の下腕３４３ｂを軸カバー３３０の外側で変位させることにより、ねじりバネ３４３をねじり変形させることができる。
【０１４１】
作用爪部３３２は、左右方向に複数（本実施形態では４個）が連設される板状部であり、平面形状とされる上端面３３２ａと、円弧形状とされる下端面３３２ｂと、を主に備える。
【０１４２】
上端面３３２ａは、組立状態（図８参照）において、下カバー３２０の底板部３２５ａ（図１１参照）の下面に当接される。これにより、下カバー３２０の底板部３２５ａの曲げ変形に対する抵抗を向上させることができる。
【０１４３】
下端面３３２ｂは、下ケース３６０のピストン部材３６２ａと当接される側面であり、図１６（ｃ）に示す状態において最下点となる切替点３３２ｃが、図１６（ｃ）に示す姿勢（上端面３３２ａが水平となる姿勢）でピストン部材３６２ａと当接する場合に下ケース３６０のピストン部材３６２ａの中心軸上に配置される（図２０（ｂ）参照）。また、下端面３３２ｂは、切替点３３２ｃの手前側に配設される前側円弧部３３２ｄと、切替点３３２ｃの後方側に配設される後側円弧部３３２ｅと、を備え、それら前側円弧部３３２ｄ及び後側円弧部３３２ｅが同一半径の円弧をなす形状とされる。
【０１４４】
なお、作用爪部３３２が複数（本実施形態では４個）連設され、それぞれ下ケース３６０のピストン部材３６２ａ（図１７参照）と当接されることにより、傾倒装置３１０が傾倒する際にピストン部材３６２ａ一つ辺りから負荷される付勢力を基準として付勢装置３６２（図１７参照）から与えられる負荷を倍増（本実施形態では４倍）させることができるので、傾倒装置３１０の動作量が小さい場合にでも、付勢装置３６２から与えられる負荷の変化量を大きくすることができる。
【０１４５】
また、遊技者に操作された際の衝撃により、複数の作用爪部３３２の内、例えば、一つの作用爪部３３２が折れたとしても、残りの作用爪部３３２がピストン部材３６２ａから負荷を受けることにより、通常通り遊技を継続することができる。従って、傾倒装置３１０のメンテナンス期間を長く設定することができる。
【０１４６】
次いで、図１７及び図１８を参照して、下ケース３６０について説明する。図１７は、下ケース３６０の上面分解斜視図であり、図１８は、下ケース３６０の底面分解斜視図である。図１７及び図１８に図示されるように、下ケース３６０は、上方が開放された皿状に形成される底受け部材３６１と、その底受け部材３６１に下方から組み付けられると共に底受け部材３６１の厚さ方向（鉛直方向）に移動可能に構成されるピストン部材３６２ａを有する付勢装置３６２と、底受け部材３６１の上側に固定され電力が供給される部材が集合配置される電力作用装置３６３と、を主に備える。
【０１４７】
底受け部材３６１は、手前側端部の左右両端部に上方が開放された半円形状に凹設される凹設軸受け部３６１ａと、その凹設軸受け部３６１ａの中心軸の後下方において左右方向に帯状に延設されると共に上方へ凸設される帯状凸設部３６１ｂと、その帯状凸設部３６１ｂの後方において上下方向に筒状に延設されると共に底が穿設される筒状受け部３６１ｃと、その筒状受け部３６１ｃの上端部においてピストン部材３６２ａの移動をせき止める蓋として作用する蓋板に前後方向に沿って形成される切れ目である切り込み部３６１ｄと、凹設軸受け部３６１ａの後方から斜め下方に傾斜する外形Ｕ字状の平面として形成される受け面３６１ｅと、電力作用装置３６３が載置される台部３６１ｆと、傾倒装置３１０の上昇位置（図８参照）において傾倒装置３１０の張出当接部３１３ｅと周方向で当接する張出当接部３６１ｇと、受け面３６１ｅの後端部付近に載置されるゴム板ＧＲ１と、を主に備える。
【０１４８】
凹設軸受け部３６１ａは、傾倒装置３１０のリング部材ＢＲ１（図９参照）を上ケース３７０と共に挟み込んで軸支する凹設部であり、リング部材ＢＲ１よりも若干大きな半径の半円形状で構成される。
【０１４９】
帯状凸設部３６１ｂは、ねじりバネ３４３の下腕３４３ａ（図１０参照）が係止される突起である。これにより、傾倒装置３１０が上昇位置から下降位置へ向けて操作される場合に、ねじりバネ３４３が巻かれ、傾倒装置３１０を上昇位置へ向けて移動させる付勢力が増大する。
【０１５０】
筒状受け部３６１ｃは、付勢装置３６２のピストン部材３６２ａが内嵌される筒状部であって、鉛直方向に向けて延設されると共に左右に複数（本実施形態では４個）が列設される。
【０１５１】
切り込み部３６１ｄは、傾倒装置３１０の作用爪部３３２（図１０参照）を受け入れ可能な幅（作用爪部３３２の幅よりも若干大きな幅）で形成されると共に、その中心部が付勢装置３６２のピストン部材３６２ａの半球形状部分の外形よりも若干大きな外形で凹設される。従って、切り込み部３６１ｄにより、ピストン部材３６２ａ及び作用爪部３３２双方の位置合わせ（位置ずれの抑制）を行うことができる。これにより、傾倒装置３１０の押し込み量が大きくなった場合に、付勢装置３６２のピストン部材３６２ａと傾倒装置３１０の作用爪部３３２とが左右方向（傾倒装置３１０の軸心方向）で位置ずれすることを抑制することができる。
【０１５２】
受け面３６１ｅは、傾倒装置３１０が下降位置に配置された場合に、底壁部３１７（図１０参照）と対向配置される部分である。平常時は、傾倒装置３１０が下降位置に配置された場合に衝撃が発生したとしても（高速で下降位置まで移動されたとしても）、傾倒装置３１０の底壁部３１７がゴム板ＧＲ１に押し付けられることにより衝撃が吸収されるので、傾倒装置３１０の破損が抑制される（この場合には、受け面３６１ｅと底壁部３１７との間には隙間が空けられる）。一方で、ゴム板ＧＲ１が摩耗した場合に、十分な衝撃吸収が行われなかったとしても、受け面３６１ｅが傾倒装置３１０の底壁部３１７と面で当接することにより、傾倒装置３１０が下降位置に到達した際に傾倒装置が受ける衝撃（圧力）を低減することができる。台部３６１ｆには、矩形状の開口が配設されている。この開口を通して、電力作用装置３６３に電力を供給する電気配線が挿通される。
【０１５３】
付勢装置３６２は、作用爪部３３２を通して傾倒装置３１０（図１０参照）に付勢力を負荷する装置であり、筒状受け部３６１ｃの内側を上下方向に動作可能に支持されると共に下方に開放される有底筒形状のピストン部材３６２ａと、そのピストン部材３６２ａの開放端部からピストン部材３６２ａに収容されるコイルスプリング３６２ｂと、金属などの剛性の高い材料から構成され筒状受け部３６１ｃの下側開口部に蓋をする態様で底受け部材３６１に締結固定される底蓋部材３６２ｃと、を主に備える。
【０１５４】
ピストン部材３６２ａは、上方先端部が半球形状で構成されると共に上半分部分は切り込み部３６１ｄを通過可能な外形で構成される一方で、下半分部分は切り込み部３６１ｄよりも大きな外形で構成され、ピストン部材３６２ａの通過が防止される。また、下半分部分には、中心軸から八方へ向けて凸設されると共に上下方向に延設される断面半円形状のリブが形成されるので、ピストン部材３６２ａが筒状受け部３６１ｃに支持されることにより姿勢を維持する作用を保ちながら、ピストン部材３６２ａと筒状受け部３６１ｃとの接触面積を減らすことでピストン部材３６２ａに筒状受け部３６１ｃからかけられる摩擦力を低減することができる。
【０１５５】
コイルスプリング３６２ｂは、本実施形態では、組立状態（図８参照）において自然長から予め縮んだ状態で筒状受け部３６１ｃに収容される。そのため、作用爪部３２２から負荷が与えられていない時には、コイルスプリング３６２ｂの付勢力によりピストン部材３６２ａが上昇終端位置（ピストン部材３６２ａの移動が切り込み部３６１ｄにせき止められる位置）に配置される。
【０１５６】
電力作用装置３６３は、底受け部材３６１の台部３６１ｆに載置されると共に上端面が手前から奥へ向けて上方へ傾斜する態様で構成されるカップ形状の本体部材３６３ａと、その本体部材３６３ａの後壁に上端から下方へ向けて形成される切り込みに挿通されると共に本体部材３６３ａの後方へ延設される板部に締結固定される電子基板である右側センサ固定板３６３ｂと、その右側センサ固定板３６３ｂの反対側に右側センサ固定板３６３ｂと同様の態様で本体部材３６３ａの後方へ延設される板部に締結固定される電子基板である左側センサ固定板３６３ｃと、本体部材３６３ａの上端面に面で固定されると共にＬＥＤ等の照明装置が配設される電子基板である装飾板３６３ｄと、を主に備える。
【０１５７】
本体部材３６３ａは、底板に開口を有し、その開口を通して電気配線が内部に挿通される。その電気配線がセンサ固定板３６３ｂ，３６３ｃや、装飾板３６３ｄに接続されることにより、各センサＳ１〜Ｓ３及び装飾板３６３ｄに配設されるＬＥＤに電力を供給することができる。
【０１５８】
右側センサ固定板３６３ｂには、後端部にフォトカプラ形式の第１センサＳ１と第２センサＳ２とが上下に列設される。左側センサ固定板３６３ｃには、それら第１センサＳ１及び第２センサＳ２と対向配置される位置にフォトカプラ形式の第３センサＳ３が配設される。
【０１５９】
第１センサＳ１及び第２センサＳ２は、湾曲部材３５０の凸設部３５２ａ（図１０参照）の通過を検出することで傾倒装置３１０の向き及び位置を検出するセンサであり、第３センサＳ３は、湾曲部材３５０の凸設部３５３ａ（図１０参照）の通過を検出することで傾倒装置３１０の操作状態（押し込み又は連打操作か、押し込み量を検出するペダル操作か）を検出するセンサである。なお、以下において、押し込みや連打操作などの押し込み量によって検出に差が無い操作を「プッシュ操作」と称し、押し込み量を検出する操作を「ペダル操作」と称す。
【０１６０】
また、フォトカプラ形式のセンサとは、光を投光する投光部と、この投光部からの光を受光する受光部とを備え、検出する部分を挿入可能な隙間（スリット）を備えて略コ字状に配置されるセンサを意味する。
【０１６１】
次いで、図１９から図２１を参照して、傾倒装置３１０の押し込み操作について説明する。図１９（ａ）は、操作デバイス３００の正面図であり、図１９（ｂ）は、図１９（ａ）のＸＩＸｂ−ＸＩＸｂ線における操作デバイス３００の断面図である。なお、図１９（ａ）及び図１９（ｂ）では、傾倒装置３１０が上昇位置に配置された状態が図示される。また、ＸＩＸｂ−ＸＩＸｂ線は下ケース３６０の所定のピストン部材３６２ａの中心を通る線として図示される。
【０１６２】
図１９（ａ）及び図１９（ｂ）に示すように、傾倒装置３１０が上昇位置に配置される状態において、ねじりバネ３４３の下腕３４３ａが、下ケース３６０の帯状凸設部３６１ｂに当接され、係止される。そのため、上昇位置から傾倒装置３１０が下方へ押し込み操作（傾倒操作）されることにより、ねじりバネ３４３が巻かれ、傾倒装置３１０の回転（傾倒）角度に比例してねじりバネ３４３による付勢力が上昇する。
【０１６３】
湾曲部材３５０と各センサＳ１〜Ｓ３との関係において、上昇位置では、湾曲部材３５０の凹設部３５２ｂ，３５３ｂ（図１０参照）が投光部と受光部との間の領域に配置されるので、全てのセンサＳ１〜Ｓ３において、投光部から照射された光が受光部に到達する。そのため、傾倒装置３１０を傾倒動作させた際に、各センサＳ１〜Ｓ３のいずれかが遮光される態様で湾曲部材３５０を構成することで、全てのセンサＳ１〜Ｓ３において投光部から照射された光が受光部に到達する状態を検出したら傾倒装置３１０が上昇位置に配置されたことを検出することができる。
【０１６４】
次いで図２０及び図２１を参照して、傾倒装置３１０の傾倒動作（回転動作）について説明する。図２０（ａ）、図２０（ｂ）、図２１（ａ）及び図２１（ｂ）は、図１９（ａ）のＸＩＸｂ−ＸＩＸｂ線における操作デバイス３００の断面図である。
【０１６５】
なお、図２０（ａ）では、図１９（ｂ）に図示される状態から傾倒装置３１０が所定角度（約３°）だけ傾倒された状態が図示され、図２０（ｂ）では、図２０（ａ）に図示される状態から傾倒装置３１０が所定角度（約７°、上昇位置から約１０°）だけ傾倒された状態が図示され、図２１（ａ）では、図２０（ｂ）に図示される状態から傾倒装置３１０が所定角度（約１０°、上昇位置から約２０°）だけ傾倒された状態が図示され、図２１（ｂ）では、図２１（ａ）に図示される状態から傾倒装置３１０が所定角度（約４°、上昇位置から約２４°）だけ傾倒されると共に、下降位置に配置された状態が図示される。また、理解を容易とするために、作用爪部３２２及びピストン部材３６２ａが部分的に拡大して図示される。
【０１６６】
図２０（ａ）に示すように、上昇位置から傾倒装置３１０を３°傾倒させると、作用爪部３３２の下端面がピストン部材３６２ａに当接開始する。そのため、傾倒装置３１０を介して遊技者が感じる負荷は、ねじりバネ３４３の付勢力と、コイルスプリング３６２ｂによる付勢力とを足し合わせたものとなる。
【０１６７】
本実施形態では、コイルスプリング３６２ｂが自然長から所定量縮められた状態で筒状受け部３６１ｃに配設されるので、コイルスプリング３６２ｂから作用爪部３３２に与えられる負荷は、当接開始時から大きいため、遊技者が感じる負荷の変化割合が急激に大きくなる（図２２参照）。
【０１６８】
そのため、遊技者は傾倒装置３１０を介して与えられる負荷が急激に変化する位置を境に、操作デバイス３００の状態が変化したことを感じることができる。本実施形態では、図１９（ｂ）から図２０（ａ）までの間の状態をプッシュ操作の状態として、図２０（ａ）から図２１（ｂ）までの間の状態をペダル操作用の状態として、構成される。
【０１６９】
即ち、図２０（ａ）に示す状態で負荷が急激に上昇する位置までを目標地点として、プッシュ操作（押し込み操作や、連打操作）を行うことができ、急激な負荷の上昇に抗して更に押し込むことでペダル操作を行うことができる。従って、傾倒装置３１０を傾倒させるという単一の操作により、プッシュ操作とペダル操作という別々の操作を行うことができると共に、傾倒装置３１０から遊技者に与えられる負荷を目印に各操作方法を切り替えることができることから、目盛りを見ながら操作方法を変えるなどの視覚を通した操作ではなく、直感的（押し心地を利用）に各操作方法を切り替えることができる。
【０１７０】
図２０（ａ）に示すように、作用爪部３３２の下端面３３２ｂは、回転軸Ｏ１から引かれると共に作用爪部３３２とピストン部材３６２ａとの当接点を通る直線Ｎ１から後方（図２０（ａ）右方）へ向かうほど上昇傾斜して構成される。
【０１７１】
そのため、例えば、作用爪部３３２の下端面３３２ｂが直線Ｎ１に沿って形成される場合に比較して、傾倒装置３１０の傾倒角度に対するコイルスプリング３６２ｂの変位量を低減することができるので、傾倒装置３１０の押し込み量が大の時（図２１（ａ）や図２１（ｂ）参照）に、ねじりバネ３４３の変位量が過度に大きくなることを抑制することができる。
【０１７２】
ここで、図２０（ａ）から図２１（ｂ）へ向かうにつれて、ピストン部材３６２ａに対する作用爪部３３２の当接点は回転軸Ｏ１から遠ざかるため、例えば、作用爪部３３２の下端面３３２ｂが直線Ｎ１に沿って形成される場合、傾倒装置３１０が所定角度傾倒する場合の当接点の上下方向の変位は増大し、コイルスプリング３６２ｂの変位量が増大するため、ピストン部材３６２ａから作用爪部３３２に与えられる負荷が増大する。
【０１７３】
この場合、傾倒装置３１０の変位速度が大きな状態で押し込まれる場合に、押し込み終端に近くなるほど、作用爪部３３２にピストン部材３６２ａから与えられる負荷の変化量が急激に大きくなり、作用爪部３３２が破損する恐れがある。
【０１７４】
これに対し、本実施形態では、作用爪部３３２の下端面３３２ｂが後方へ向かうほど上昇傾斜（ピストン部材３６２ａから離反する方向に傾斜）しているので、傾倒装置３１０の変位速度が大きな状態で押し込み操作された場合にも、コイルスプリング３６２ｂが変位する速度を低減することができる。これにより、ピストン部材３６２ａから作用爪部３２２に与えられる負荷の変化量が急激に大きくなることを抑制することができる。
【０１７５】
また、作用爪部３３２の下端面３３２ｂが円弧形状から構成されると共にピストン部材３６２ａの先端が半球形状から構成されるので、接触の態様を点接触に維持でき、作用爪部３３２とピストン部材３６２ａとの間で生じる摩擦力を低減することができる。これにより、作用爪部３３２が傾倒動作する際にピストン部材３６２ａを横倒れ（前後方向に倒れ）させる負荷が生じることを防止することができる。
【０１７６】
図２１（ａ）に示すように、傾倒装置３１０が上昇位置から２０°傾倒された状態において、作用爪部３３２が下ケース３６０の切り込み部３６１ｄに挿通される。そのため、ピストン部材３６２ａの先端が半球形状とされると共に作用爪部３３２がピストン部材３６２ａの直径よりも薄い幅で構成され、作用爪部３３２が左右方向（図２１（ａ）紙面垂直方向）にピストン部材３６２ａに対してずれ易い場合であっても、作用爪部３３２の左右方向への移動を切り込み部３６１ｄで止めることで抑制することができる。これにより、コイルスプリング３６２ｂの変位に応じて生じる付勢力を、ピストン部材３６２を介して作用爪部３３２に確実に負荷することができる。
【０１７７】
なお、本実施形態よりも切り込み部３６１ｄの離間幅を小さく形成したり、切り込み部３６１ｄの側面に緩衝部材を配設したりして、切り込み部３６１ｄで作用爪部３３２を挟み込んで摩擦力をかけるようにしても良い。この場合、作用爪部３３２が切り込み部３６１ｄに入り込んだ際に遊技者が受ける負荷を急激に変化させることができるので、図２０（ａ）で図示した作用爪部３３２とピストン部材３６２ａとが当接開始する位置の次の目印となる位置として形成することができる（負荷の境界位置を複数設けることができる）。
【０１７８】
図２１（ｂ）に示すように、傾倒装置３１０が下降位置に配置されると、傾倒装置３１０の底壁部３１７がゴム板ＧＲ１に押し当てられることで、停止時の衝撃が吸収されると共に、重厚感を生じさせることができる。
【０１７９】
ここで、傾倒装置３１０の姿勢、動作方向、及び動作速度の検出方法について説明する。各センサＳ１〜Ｓ３（図１７参照）は、湾曲部材３５０の凸設部３５２ａ，３５３ａが各センサＳ１〜Ｓ３の投光部と受光部との間に介在していない（遮光されていない）時はオンとなり、湾曲部材３５０の凸設部３５２ａ，３５３ａが各センサＳ１〜Ｓ３の投光部と受光部との間に介在している（遮光されている）時にオフとなる。
【０１８０】
上述したように、傾倒装置３１０が上昇位置に配置された状態で、各センサＳ１〜Ｓ３がオンとされるので、各センサＳ１〜Ｓ３がオンとされることを契機に、カウンタを補正（ゼロにする）態様で制御される。
【０１８１】
傾倒装置３１０が上昇位置から３°までの間では、第２センサＳ２がオフとされ、第３センサＳ３がオンのままとされ、第１センサＳ１がオンとオフとで切り替えられる。本実施形態では、第３センサＳ３がオンの状態をプッシュ操作の区間として制御している。そのため、第３センサＳ３がオンのままの状態で、第１センサＳ１がオンとオフとで切り替わる回数や速度を検出することにより、押し込み操作や連打操作を検出する。
【０１８２】
傾倒装置３１０が上昇位置から３°よりも大きな角度で傾倒動作されると、第３センサＳ３がオフとされる。本実施形態では、第３センサＳ３がオフの状態をペダル操作の区間として制御している。第３センサＳ３がオフとされて以降においては、第１センサＳ１及び第２センサＳ２の切替時間に応じて傾倒装置３１０の動作速度が検出されると共に、第１センサＳ１及び第２センサＳ２のパルス信号の立ち上がりのタイミングによって傾倒装置３１０の動作方向（いずれの方向に動作しているか）が検出され、更に、それらの動作速度から割り出した距離と動作方向とをカウントすることにより傾倒装置３１０の現在の姿勢が検出される。これにより、傾倒装置３１０の傾倒の度合いと、演出とを関連づけることが可能となる。
【０１８３】
図２２を参照して、傾倒装置３１０（図８参照）を傾倒動作させる際に、遊技者が感じる負荷について説明する。図２２は、傾倒装置３１０の上昇位置からの傾倒角度に対して傾倒装置３１０に与えられる負荷を表すグラフである。図２２に示すグラフには、横軸に、傾倒装置３１０が上昇位置に配置された状態（図１９（ｂ）を左端として、そこから右方へ増大する態様で傾倒角度が示され、縦軸に、傾倒装置３１０を介して遊技者に与えられる負荷が示される。
【０１８４】
図２２に示すように、傾倒装置３１０を介して遊技者に与えられる負荷は、傾倒装置３１０が上昇位置から３°だけ傾倒される状態（図２０（ａ）参照）までは、ねじりバネ３４３（図１０参照）のバネ定数に比例して所定の角度α１で上昇する。
【０１８５】
傾倒装置３１０が上昇位置から３°だけ傾倒される状態を境に、ピストン部材３６２ａ（図２０（ａ）参照）を介してコイルスプリング３６２ｂの変位に応じた付勢力が傾倒装置３１０に負荷される。
【０１８６】
コイルスプリング３６２ｂは、組立状態（図８参照）において、予め自然長から縮められた状態で配設されるので、傾倒装置３１０が上昇位置から３°だけ傾倒する位置において、遊技者が感じる負荷が急激に変化する（負荷の変化割合が変化する）。本実施形態では、この位置を境に制御をプッシュ操作とペダル操作とで切り替えるようにしているので、遊技者は急激な負荷の変化（負荷の変化割合の急激な変化）を目印に操作方法を切り替えることを容易に行うことができる。
【０１８７】
上述したように、作用爪部３３２の下端面３３２ｂが直線Ｎ１（図２０（ａ）参照）に沿った面で形成されると、傾倒装置３１０の傾倒角度が大きくなるに従ってピストン部材３６２ａの変位の割合（傾倒装置３１０の傾倒角度に対するピストン部材３６２ａの変位量）が大きくなる。
【０１８８】
そのため、傾倒装置３１０に与えられる負荷のねじりバネ３４３の付勢力に加算される増加量が、傾倒装置３１０の傾倒角度が大きくなるに従って所定の２次関数に沿って増加されるので、破線Ｄ１に示すように、傾倒装置３１０に与えられる負荷が大きくなる側（図２２のグラフの右側）に向かうに従って、傾倒装置３１０の傾倒角度に対する負荷の変化割合が大きくなる。そのため、傾倒装置３１０を大きな速度で傾倒させる場合に、その傾倒角度が上昇位置から大きくなるに従って、ピストン部材３６２ａから作用爪部３３２に与えられる負荷（衝撃）が大きくなり、作用爪部３３２の耐久性が低下する恐れがある。
【０１８９】
これに対し、本実施形態では、作用爪部３３２の下端面３３２ｂが後方に向かうにつれて上昇傾斜する円弧形状とされるので（図２０（ｂ）参照）、ピストン部材３６２ａの変位を抑制することができ、負荷の上昇を補正曲線Ｔ１に示す態様で抑えることができる。これにより、作用爪部３３２に与えられる負荷（衝撃）を抑制することができ。作用爪部３３２の耐久性を向上させることができる。
【０１９０】
また、作用爪部３３２が複数（本実施形態では４個）配設される（図１０参照）ので、傾倒装置３１０を介して遊技者が感じる負荷を大きく保ちながら、作用爪部３３２一個当たりに与えられる負荷を抑制することができる。これにより、遊技者の操作感に変化を与えるという目的と、作用爪部３３２の耐久性を向上させるという目的との双方を達成することができる。
【０１９１】
次いで、図２３から図２８を参照して、第２実施形態について説明する。第１実施形態では、傾倒装置３１０をペダル操作することにより、遊技者が感じる負荷が増加する場合を説明したが、第２実施形態における操作デバイス２３００は、傾倒装置２３１０をペダル操作する場合に所定の姿勢を境に遊技者が感じる負荷が一定となる態様で傾倒装置２３１０の作用爪部２３３２及びピストン部材２３６２ａの外形が形成される場合を説明する。なお、上述した各実施形態と同一の部分には同一の符号を付して、その説明は省略する。
【０１９２】
図２３は、第２実施形態における傾倒装置２３１０の上面分解斜視図である。なお、図２３では、左側の駆動モータＭ１及び左側の切替動作部材２３２６が下カバー２３２０に取り付けられた状態が図示され、右側の駆動モータＭ１及び右側の切替動作部材２３２６が下カバー２３２０から離間された状態が図示されると共に、切替動作部材２３２６が拡大して図示される。
【０１９３】
図２３に示すように、傾倒装置２３１０は、下カバー２３２０のモータ支持部２３２５の底板部２３２５ａが上下方向に穿設される貫通孔２３２５ａ１と、その貫通孔２３２５ａ１に上下移動可能に挿通される切替動作部材２３２６と、を備える。
【０１９４】
図２３に示すように、切替動作部材２３２６は、隣り合う作用爪部２３３２の間の隙間に配設されると共に樹脂材料から一体成型される本体部材２３２６ａと、その本体部材２３２６ａの上部に張り出すと共に首振り可能に軸支される首振り部材２３２６ｂと、を主に備える。
【０１９５】
本体部材２３２６ａは、前後方向に長尺な板形状で形成される当接板部２３２６ａ１と、その当接板部２３２６ａ１の上端部から前後に下降傾斜しながら張り出すと共に板バネとして作用する薄板形状の板バネ作用部２３２６ａ２と、前後に傾倒する首振り部材２３２６ｂを収容する凹みである収容凹部２３２６ａ３と、当接板部２３２６ａ１の中間位置から外方へ張り出すと共に、撓み変形可能な薄さで構成される抜け止め部２３２６ａ４と、を主に備える。
【０１９６】
収容凹部２３２６ａ３は、正面側（図２３左側）の壁部が鉛直方向に沿って立ち上がり、奥側（図２３右側）の壁部が上方へ向かうほど奥（図２３右方）へ変位する態様で傾斜される。これにより、首振り部材２３２６ｂが鉛直方向に沿って立つ姿勢から正面側へ向けての傾倒が規制され、奥へ向けての傾倒が許容される。
【０１９７】
抜け止め部２３２６ａ４は、当接板部２３２６ａ１に近接する方向に変位可能とされ、当接板部２３２６ａ１に押し付けられた際には、当接板部２３２６ａ１の最大幅の内側に収容される（当接板部２３２６ａ１の側面に抜け止め部２３２６ａ４を受け入れる凹みがある）。これにより、貫通孔２３２５ａ１の幅を当接板部２３２６ａ１の幅よりも若干大きな大きさとしておけば、切替動作部材２３２６を貫通孔２３２５ａ１に上方から挿通する場合に抜け止め部２３２６ａ４が原因で切替動作部材２３２６が貫通孔２３２５ａ１に詰まることを防止することができると共に、切替動作部材２３２６を挿通仕切ったあとは、抜け止め部２３２６ａ４によって、切替動作部材２３２６が貫通孔２３２５ａ１から抜けることを防止することができる。
【０１９８】
首振り部材２３２６ｂは、本体部材２３２６ａの厚さ方向に沿って回転軸を備える棒状の部材であって、収容凹部２３２６ａ３の正面側の壁部へ向けてバネ部材（図示せず）により付勢される。即ち、図２３に示す状態が首振り部材２３２６ｂの初期位置（外方からの負荷が生じない位置）とされ、その初期位置において、本体部材２３２６ａからの張出長さが最大とされる。
【０１９９】
図２４及び図２５を参照して、切替動作部材２３２６の作用について説明する。図２４（ａ）から図２４（ｃ）及び図２５（ａ）から図２５（ｃ）は、傾倒装置２３１０及び下ケース２３６０の部分断面図である。なお、図２４（ａ）から図２４（ｃ）及び図２５（ａ）から図２５（ｃ）では、傾倒装置２３１０が下降位置に配置された状態が図示される。
【０２００】
図２４（ａ）から図２４（ｃ）及び図２５（ａ）から図２５（ｃ）では、駆動モータＭ１の回転軸に垂直な平面で切替動作部材２３２６が断面視されると共に、傾倒装置２３１０が下降位置に配置された状態が図示される（そのため、図２４（ａ）から図２４（ｃ）及び図２５（ａ）から図２５（ｃ）の上下方向は、鉛直方向から傾斜した方向とされる）。
【０２０１】
図２４（ａ）から図２４（ｃ）まででは、駆動モータＭ１の駆動力により、錘部材Ｍ１ａが図２４において反時計回りに回転される状態が時系列で図示される。即ち、図２４（ａ）では、錘部材Ｍ１ａが首振り部材２３２６ｂに当接する前の状態が、図２４（ｂ）では、錘部材Ｍ１ａが首振り部材２３２６ｂに当接した後で錘部材Ｍ１ａを時計回りに最大角度回転させた状態が、図２４（ｃ）では、錘部材Ｍ１ａが首振り部材２３２６ｂから離間され、首振り部材２３２６ｂが初期位置に復帰した状態がそれぞれ図示される。
【０２０２】
図２４（ａ）から図２４（ｃ）に示すように、錘部材Ｍ１ａが図２４において反時計回りに回転する場合には、首振り部材２３２６ｂの変位が収容凹部２３２６ａ３の凹みの範囲内で収まるため、本体部材２３２６ａは上下移動することはなく、切替動作部材２３２６の配置が維持される。
【０２０３】
図２５（ａ）から図２５（ｃ）まででは、駆動モータＭ１の駆動力により、錘部材Ｍ１ａが図２５において時計回りに回転される状態が時系列で図示される。即ち、図２５（ａ）では、錘部材Ｍ１ａが首振り部材２３２６ｂに当接する前の状態が、図２５（ｂ）では、錘部材Ｍ１ａが首振り部材２３２６ｂに当接した後で錘部材Ｍ１ａを反時計回りに回転させようとする方向の負荷を与えた状態が、図２５（ｃ）では、錘部材Ｍ１ａが首振り部材２３２６ｂから離間された状態がそれぞれ図示される。
【０２０４】
図２５（ａ）から図２５（ｃ）に示すように、錘部材Ｍ１ａが図２５において時計回りに回転する場合には、首振り部材２３２６ｂが収容凹部２３２６ａ３の正面側の壁面に押し付けられ回転動作できないので、錘部材Ｍ１ａと首振り部材２３２６ｂとの干渉が、切替動作部材２３２６が下方へ移動することにより回避される。即ち、錘部材Ｍ１ａの回転に合わせて、切替動作部材２３２６が上下方向に振動する。
【０２０５】
本実施形態では、切替動作部材２３２６が初期位置に配置された状態では、切替動作部材２３２６の下端は下ケース２３６０の底受け部材３６１に当接されず（図２５（ａ）参照）、錘部材Ｍ１ａが切替動作部材２３２６を下方へ押し下げた状態では、切替動作部材２３２６の下端が底受け部材３６１に当接される（図２５（ｂ）参照）。
【０２０６】
ここで、本実施形態では、図２５（ａ）における切替動作部材２３２６の下端と底受け部材３６１との離間幅は、切替動作部材２３２６の上下移動幅（図２５（ａ）と図２５（ｂ）との間における切替動作部材２３２６の変位）よりも短くなるように本体部材２３２６ａの形状が設計される。
【０２０７】
そのため、図２５（ａ）から図２５（ｂ）に状態が変化することによって、切替動作部材２３２６から底受け部材３６１に圧がかかり、その反力が駆動モータＭ１を上方へ押し上げる向きにかけられるので、その駆動モータＭ１を上方から押さえる上カバー３１１に負荷がかけられる。
【０２０８】
従って、傾倒装置２３１０を下降位置まで押し下げた状態において、遊技者は、切替動作部材２３２６の振動に伴って繰り返し生じる負荷を感じることができる。この繰り返し生じる負荷は、下降位置まで押し下げることにより遊技者が感じることが可能となるものであって、例えば、傾倒装置２３１０が切替動作部材２３２６の下端と底受け部材３６１との離間幅が切替動作部材２３２６の上下移動幅よりも長くなる姿勢とされる場合には、切替動作部材２３２６と底受け部材３６１とが当接しないので、遊技者が繰り返し生じる負荷を受けることは無い。
【０２０９】
そのため、遊技者は、繰り返し生じる負荷を感じることにより、傾倒装置２３１０を下降位置まで押し込み操作できていることを認識することができる。これにより、押し込み量が不足するために生じる操作ミスや、目標位置が曖昧になることから生じる押しすぎ（押し込み量の過大）等を防止することができる。
【０２１０】
また、傾倒装置２３１０が下降位置に配置され、駆動モータＭ１が回転されたとしても、その回転方向により切替動作部材２３２６が振動動作する場合と、しない場合とが形成される。
【０２１１】
ここで、パチンコ機１０が操作デバイス２３００の操作を要求するタイミングで、その操作により動作開始する他の役物（例えば、第３図柄表示装置８１の周囲に配置され演出として内方へ向けて張出移動する役物）の駆動装置が、動作開始位置まで駆動される場合がある（動作準備される場合がある）。通常、抽選結果が当たりの場合には他の役物が激しく動き、抽選結果が外れの場合には他の役物は停止したままとなるが、動作準備時のモータ駆動音や、振動により、他の役物の演出を待つことなく抽選結果を遊技者が知ることになってしまい、遊技者の興趣を低減させるという問題点があった。
【０２１２】
そのため、操作デバイス２３００においても、駆動モータＭ１の駆動音や振動で、抽選結果が予想できてしまい、傾倒装置２３１０の操作を行う意義が薄れ、遊技者が操作を行うことを止めてしまう恐れがある。
【０２１３】
これに対し、本実施形態では、図２４及び図２５に示す状態の両方において、同様に駆動モータＭ１は回転されるので、同様の駆動音や振動が発生する一方で、その駆動モータＭ１の回転方向によって切替動作部材２３２６が底受け部材３６１に当接するか否かが変化される。切替動作部材２３２６が底受け部材３６１に当接することにより生じる傾倒装置２３１０の変位は僅かであり、目視では切替動作部材２３２６が底受け部材３６１に当接しているか否かを確認しづらい態様で構成される。
【０２１４】
従って、例えば、抽選結果が当たりの場合の、傾倒装置２３１０が下降位置に配置される際に切替動作部材２３２６が振動動作する確率を高くすることにより、切替動作部材２３２６と底受け部材３６１とが当接することにより生じる繰り返し負荷を手にかけられる負荷の変化として感じることにより抽選結果を予想することができるので、遊技者が傾倒装置２３１０を下降位置まで押し込む意義を高くすることができる。これにより、操作デバイス２３００の有効活用を図る（遊技者に傾倒装置２３１０を押させる）ことができる。
【０２１５】
図２３に戻って説明する。軸カバー２３３０は、作用爪部２３３２が、手前側（図２３左側）の傾斜角度が緩い一方で、奥側（図２３右側）の傾斜角度が急となっており、遊技者に与える負荷の上昇を抑制可能に構成される。
【０２１６】
図２６及び図２７を参照して、傾倒装置２３１０の回転（傾倒）に伴うピストン部材２３６２ａの上下動作について説明する。図２６（ａ）及び図２６（ｂ）と図２７（ａ）及び図２７（ｂ）は、図１９（ａ）のＸＩＸｂ―ＸＩＸｂ線に対応する線における傾倒装置２３１０の部分断面図である。
【０２１７】
図２６（ａ）では、傾倒装置２３１０が上昇位置から３°回転され作用爪部２３３２とピストン部材２３６２ａとが当接開始した点が、図２６（ｂ）では、図２６（ａ）に示す状態から傾倒装置２３１０が１０°回転され作用爪部２３３２がピストン部材２３６２ａを押し下げた状態が、図２７（ａ）では、図２６（ｂ）に示す状態から傾倒装置２３１０が５°回転されピストン部材２３６２ａが上昇した状態が、図２７（ｂ）では、図２７（ａ）に示す状態から傾倒装置２３１０が５°回転されピストン部材２３６２ａが初期位置まで上昇した状態が、それぞれ図示される。
【０２１８】
図２６及び図２７に示すように、下ケース２３６０は、第１実施形態の筒状受け部３６１ｃに比較して下方に配置される筒状受け部２３６１ｃを備え、その内側を上下方向に動作するピストン部材２３６２ａの上端部は正面側が円弧で切り欠かれる形状から構成される。
【０２１９】
図２６及び図２７に示すように、作用爪部２３３２の下端面２３３２ｂは、図２６（ｂ）に示す状態（上昇位置から１３°回転された状態）で、切替点２３３２ｃとピストン部材２３６２ａとが当接されると共に、その切替点２３３２ｃの後方（図２６（ａ）右方）の後側円弧部２３３２ｅが、切替点２３３２ｃから遠ざかるほど回転軸Ｏ１からの長さが短くなる態様で構成される。なお、回転軸Ｏ１を中心として回転軸Ｏ１から切替点２３３２ｃまでの距離を半径とする円弧Ｃ１が想像線で図示される。
【０２２０】
傾倒装置２３１０を傾倒させる場合に傾倒装置２３１０に与えられる負荷について説明する。なお、ピストン部材２３６２ａから傾倒装置２３１０の移動方向に与えられる負荷は、ピストン部材２３６２ａの移動方向に沿った傾倒装置２３１０の変位量の成分比が変わることにより傾倒装置２３１０の姿勢によっても変動するが、ここではその説明は省略し、コイルスプリング３６２ｂの変位量に比例する負荷が全て傾倒装置２３１０の移動方向に対抗してかけられると仮定して説明する。
【０２２１】
傾倒装置２３１０を上昇位置から３°回転させた位置を基準として、傾倒装置２３１０を１０°回転させる場合（図２６（ａ）に示す状態から図２６（ｂ）に示す状態まで傾倒装置２３１０を回転させる場合）、作用爪部２３３２の切替点２３３２ｃの手前側（図２６（ｂ）左側）の前側円弧部２３３２ｄがピストン部材２３６２ａを位置Ｐ１まで押し込むことにより、付勢装置２３６２のコイルスプリング３６２ｂが変位して、ピストン部材２３６２ａから作用爪部２３３２に与えられる負荷が増大する。なお、傾倒装置２３１０を回転させる場合、遊技者は、ねじりバネ３４３と付勢装置２３６２との両方から負荷を受けるので、図２６（ａ）から図２６（ｂ）まで傾倒装置２３１０を回転させるに伴って、遊技者に与えられる負荷は増加する。
【０２２２】
図２６（ｂ）に示す状態から、傾倒装置２３１０を５°回転させる場合（図２６（ｂ）に示す状態から図２７（ａ）に示す状態まで傾倒装置２３１０を回転させる場合）、ピストン部材２３６２ａは位置Ｐ２まで上昇する。即ち、円弧Ｃ１に沿って後側円弧部２３３２ｅが形成される場合には傾倒装置２３１０の回転に対してピストン部材２３６２ａの位置が維持されるので、その円弧Ｃ１よりも半径が小さく形成されることにより、ピストン部材２３６２ａが図２６（ｂ）に示す位置Ｐ１から位置Ｐ２まで上昇する。
【０２２３】
そのため、図２６（ｂ）に示す状態から図２７（ａ）に示す状態まで傾倒装置２３１０を回転させる場合、遊技者は、ねじりバネ３４３の変位による負荷の増加と、コイルスプリング３６２ｂの変位の回復による負荷の減少との合力を負荷として受ける。
【０２２４】
本実施形態では、ねじりバネ３４３が５°だけ変位する場合に生じる付勢力の変化量と、コイルスプリング３６２ｂが位置Ｐ１と位置Ｐ２との間の距離だけ変位する場合に生じる付勢力の変化量とが、同等となるようにねじりバネ３４３及びコイルスプリング３６２ｂが選定される。従って、図２６（ｂ）の状態と、図２７（ａ）の状態とで遊技者が受ける負荷は一定とされる。
【０２２５】
図２７（ａ）に示す状態から、傾倒装置２３１０を５°回転させる場合（図２７（ａ）に示す状態から図２７（ｂ）に示す状態まで傾倒装置２３１０を回転させる場合）、ピストン部材２３６２ａは位置Ｐ３まで上昇する。ここで、位置Ｐ３は、位置Ｐ２から、位置Ｐ１と位置Ｐ２との間の距離だけ上昇した位置とされる。
【０２２６】
即ち、図２７（ａ）に示す状態から、図２７（ｂ）に示す状態まで傾倒装置２３１０が回転（傾倒）する場合、図２６（ｂ）に示す状態から図２７（ａ）に示す状態まで傾倒装置２３１０を回転させる場合と同じだけ、ねじりバネ３４３及びコイルスプリング３６２ｂがそれぞれ変位する。従って、図２７（ａ）の状態と、図２７（ｂ）の状態とで遊技者が受ける負荷は一定とされる。そのため、図２６（ｂ）から図２７（ｂ）までの間（傾倒装置２３１０を１０°回転させる期間）、遊技者が受ける負荷を一定とすることができる。
【０２２７】
次いで、図２８を参照して、傾倒装置２３１０を操作する際に、遊技者に傾倒装置２３１０から与えられる負荷について説明する。図２８は、傾倒装置２３１０の上昇位置からの傾倒角度に対して傾倒装置２３１０に与えられる負荷を表すグラフである。図２８に示すグラフには、横軸に、傾倒装置２３１０が上昇位置に配置された状態を左端として、そこから右方へ増大する態様で傾倒角度が示され、縦軸に、傾倒装置２３１０を介して遊技者に与えられる負荷が示される。
【０２２８】
図２８に示すように、傾倒装置２３１０を介して遊技者に与えられる負荷は、傾倒装置２３１０が上昇位置から３°だけ傾倒される状態（図２６（ａ）参照）までは、ねじりバネ３４３（図１０参照）のバネ定数に比例して所定の角度α１で上昇する。
【０２２９】
傾倒装置２３１０が上昇位置から３°だけ傾倒される状態を境に、ピストン部材２３６２ａ（図２６（ａ）参照）を介してコイルスプリング３６２ｂの変位に応じた付勢力が傾倒装置２３１０に負荷される。
【０２３０】
コイルスプリング３６２ｂは、組立状態（図８参照）において、予め自然長から縮められた状態で配設されるので、傾倒装置２３１０が上昇位置から３°だけ傾倒する位置において、遊技者が感じる負荷が急激に変化する（負荷の変化割合が変化する）。本実施形態では、この位置を境に制御をプッシュ操作とペダル操作とで切り替えるようにしているので、遊技者は急激な負荷の変化を目印に操作方法を切り替えることを容易に行うことができる。
【０２３１】
傾倒装置２３１０が上昇位置から３°だけ傾倒する状態から更に１０°傾倒する状態までは、遊技者に与えられる負荷が、ねじりバネ３４３による負荷の上昇割合（角度α１）よりも大きな割合で増加する。
【０２３２】
傾倒装置２３１０が上昇位置から１３°だけ傾斜する状態から更に１０°傾斜する状態までは、遊技者に与えられる負荷が一定とされる。これにより、傾倒装置２３１０が角度１３°の姿勢からも更に付勢力が増加する場合に比較して、遊技者が傾倒装置２３１０をペダル操作する際の負担を低減することができると共に、傾倒装置２３１０を一定の角度で維持する操作を行うことを容易にすることができる。
【０２３３】
次いで、図２９から図３１を参照して、第３実施形態について説明する。第１実施形態では、付勢装置３６２のピストン部材３６２ａの姿勢が固定される場合を説明したが、第３実施形態における操作デバイス３３００は、ピストン部材３６２ａが上下移動の途中で傾倒動作可能な場合を説明する。なお、上述した各実施形態と同一の部分には同一の符号を付して、その説明は省略する。
【０２３４】
図２９（ａ）は、第３実施形態における回転ピストン部材３３６４の正面斜視図であり、図２９（ｂ）は、下ケース３３６０の部分正面斜視図であり、図２９（ｃ）は、軸カバー３３３０の部分正面斜視図である。なお、図２９（ｂ）では、筒状受け部３３６１ｃの内周形状の手前側の一部が想像線で図示され、図２９（ｃ）では、回転ピストン部材３３６４の組立構造が部分的に想像線で図示される。
【０２３５】
図２９（ａ）に図示されるように、回転ピストン部材３３６４は、筒状受け部３３６１ｃの内径よりも若干小さな径で構成される球状部に板状部が延設される本体部材３３６４ａと、その本体部材３３６４ａの下部から板状部の延設される平面と同一平面上に断面コ字状に切り欠かれる切り欠き部３３６４ｂと、その切り欠き部３３６４ｂに挿通され変位可能に配設される長尺棒形状の棒部材３３６４ｃと、その棒部材３３６４ｃを軸支すると共に本体部材３３６４ａの球状部の内部に貫通固定される貫通軸部材３３６４ｄと、を主に備える。
【０２３６】
棒部材３３６４ｃは、本体部材３３６４ａに収容される側の端部に棒部材３３６４ｃが挿通される軸支孔を備え、その反対側の端部に軸支孔の貫通方向と平行な方向に凸設される案内ピン部３３６４ｃ１を備える。
【０２３７】
貫通軸部材３３６４ｄは、本体部材３３６４ａの球状部に、板状部の厚さ方向に沿って穿設される支持孔に挿通固定され、貫通軸部材３３６４ｄに棒部材３３６４ｃが回転可能に軸支される。
【０２３８】
図２９（ｂ）に図示されるように、回転ピストン部材３３６４は、下ケース３３６０の筒状受け部３３６１ｃに支持される。筒状受け部３３６１ｃは、内周が回転ピストン部材３３６４の本体部材３３６４ａの球状部の直径よりも若干大きな内径で形成される筒状に形成され、その上面に蓋がされ、その蓋に回転ピストン部材３３６４の本体部材３３６４ａの板状部の厚さよりも若干大きな幅の切り込み部３３６１ｄが形成される。
【０２３９】
この切り込み部３３６１ｄを介して棒部材３３６４ｃ及び本体部材３３６４ａが筒状受け部３３６１ｃの外方へ張り出される。
【０２４０】
図２９（ｃ）に図示されるように、軸カバー３３３０は、円筒下半部３３３１に、棒部材３３６４ｃが挿通される貫通孔３３３１ｇと、その貫通孔３３３１ｇが形成される平面と同一平面に沿って形成されると共に上面に切り込みを有する円弧状の長孔を備えると共に案内ピン部３３６４ｃ１を支持可能に構成される支持長孔部３３３１ｈと、を備える。なお、支持長孔部３３３１ｈは、回転軸Ｏ１を中心として角度３０°の範囲で延設される。
【０２４１】
組立状態において、案内ピン部３３６４ｃ１は支持長孔部３３３１ｈに挿通される。その組立方法は、作用爪部３３２が回転ピストン部材３３６４と当接しない姿勢で傾倒装置３３１０を下ケース３３６０に近づけ、貫通孔３３３１ｇに棒部材３３６４ｃを挿通させた後で傾倒装置３３１０を回転させ回転ピストン部材３３６４を所定量押し込む方法である。これにより、案内ピン部３３６４ｃ１を支持長孔部３３３１ｈの切り込みを通して支持長孔部３３３１ｈに内嵌させることができ、図３０（ａ）に示す組立状態を構成することができる。
【０２４２】
次いで、図３０及び図３１を参照して、回転ピストン部材３３６４の動作について説明する。図３０（ａ）、図３０（ｂ）、図３１（ａ）及び図３１（ｂ）は、図１９（ａ）のＸＩＸｂ―ＸＩＸｂ線に対応する線における傾倒装置３３１０の部分断面図である。なお、図３０（ａ）では、傾倒装置３３１０が上昇位置に配置された状態が図示され、図３０（ｂ）では、傾倒装置３３１０が上昇位置から３°回転（傾倒）された状態が図示され、図３１（ａ）では、傾倒装置３３１０が上昇位置から１０°回転（傾倒）された状態が図示され、図３１（ｂ）では、傾倒装置３３１０が上昇位置から２０°回転（傾倒）された状態が図示される。
【０２４３】
図３０（ａ）及び図３０（ｂ）に示すように、傾倒装置３３１０が上昇位置に配置された状態では、案内ピン部３３６４ｃ１が支持長孔部３３３１ｈの正面側（図３０（ａ）左側）の端部に配置され、傾倒装置３３１０が上昇位置から３°回転された状態では、案内ピン部３３６４ｃ１が支持長孔部３３３１ｈの中間に配置される。
【０２４４】
図３０（ａ）から図３０（ｂ）までの間、回転ピストン部材３３６４の位置は変化しておらず、支持長孔部３３３１ｈの形状が回転軸Ｏ１を中心とした円弧形状とされるので、案内ピン部３３６４ｃ１と支持長孔部３３３１ｈとの間で負荷は生じず、遊技者に与えられる負荷はねじりバネ３４３によって生じる付勢力のみとされる。
【０２４５】
図３１（ａ）に示すように、傾倒装置３３１０が上昇位置から１０°回転された状態では、作用爪部３３２に回転ピストン部材３３６４が押し下げられると共に、案内ピン部３３６４ｃ１が支持長孔部３３３１ｈの後側（図３１（ａ）右側）の端部に配置される。この状態において、傾倒装置３３１０には、ねじりバネ３４３から受ける負荷に加え、回転ピストン部材３３６４の下方に配置されるコイルスプリング３６２ｂから生じる付勢力が負荷される。
【０２４６】
図３１（ｂ）に示すように、傾倒装置３３１０が上昇位置から２０°回転された状態では、支持長孔部３３３１ｈが回転軸Ｏ１を中心として更に時計回りに回転されることにより、案内ピン部３３６４ｃが引っ張られ、それにより回転ピストン部材３３６４が回転することにより、作用爪部３３２と当接する本体部材３３６４ａの板状部の上端部分が、作用爪部３３２から逃げる方向に移動する。これにより、回転ピストン部材３３６４がそれ以上下方に移動することを抑制することができるので、コイルスプリング３６２ｂが更に縮むことを防止することができ、傾倒装置３３１０に与えられる負荷の増大を抑制することができる。
【０２４７】
次いで、図３２から図３４を参照して、第４実施形態について説明する。第１実施形態では、傾倒装置３１０がバネ弾性を備えるバネ部材により付勢される場合を説明したが、第４実施形態における操作デバイス４３００は、傾倒装置４３１０が磁力による付勢力を受ける場合を説明する。なお、上述した各実施形態と同一の部分には同一の符号を付して、その説明は省略する。
【０２４８】
図３２（ａ）、図３２（ｂ）、図３３（ａ）及び図３３（ｂ）は、図１９（ａ）のＸＩＸｂ―ＸＩＸｂ線に対応する線における第４実施形態における操作デバイス４３００の断面図である。なお、図３２（ａ）では、傾倒装置４３１０が上昇位置に配置された状態が、図３２（ｂ）では、図３２（ａ）に示す状態から傾倒装置４３１０が３°回転（傾倒）された状態が、図３３（ａ）では、図３２（ｂ）に示す状態から傾倒装置４３１０が５°回転（傾倒）された状態（上昇位置から８°回転（傾倒）された状態）が、図３３（ｂ）では、図３３（ａ）に示す状態から傾倒装置４３１０が５°回転（傾倒）された状態（上昇位置から１３°回転（傾倒）された状態）がそれぞれ図示される。なお、本実施形態では、図３２（ａ）に示す状態において付勢装置３６２のコイルスプリング３６２ｂが自然長で配設される。
【０２４９】
図３２及び図３３に示すように、操作デバイス４３００は、磁性体材料から形成され傾倒装置４３１０の下カバー３２０の湾曲壁部３２２に固定される移動磁石Ｍａ１と、その移動磁石Ｍａ１と対向配置する態様で下ケース３６０の右側センサ固定板３６３ｂの後端部に固定されると共に磁性体材料から形成される固定磁石Ｍａ２と、を備える。なお、移動磁石Ｍａ１及び固定磁石Ｍａ２は、回転軸Ｏ１を中心とした円弧に沿った形状で形成され、移動磁石Ｍａ１は中心角度が約５°の円弧形状で、固定磁石は中心角度が約３°の円弧形状で、それぞれ構成されると共に、回転軸Ｏ１を中心とした径方向で磁性が切り替わり、近接するほど吸着方向の磁力が働く態様で構成される。
【０２５０】
移動磁石Ｍａ１及び固定磁石Ｍａ２の作用について説明する。図３２（ａ）に示すように、傾倒装置４３１０が上昇位置に配置された状態において、移動磁石Ｍａ１及び固定磁石Ｍａ２の対向する面が回転軸Ｏ１を中心とした径方向で重ならない位置に移動磁石Ｍａ１及び固定磁石Ｍａ２が配設される。移動磁石Ｍａ１及び固定磁石Ｍａ２の吸着力は対向配置して重なる面の面積に比例して増大するが、対向する面が重ならない場合には、吸着力が発生しない（無視できるほど小さい）。
【０２５１】
また、図３２（ａ）に示すように、固定磁石Ｍａ２の上端位置と、移動磁石Ｍａ１の下端位置とが回転軸Ｏ１を中心とした径方向で一致するので、傾倒装置４３１０が移動開始すると移動磁石Ｍａ１と固定磁石Ｍａ２との間で吸着方向の磁力が作用し始める。
【０２５２】
図３２（ｂ）に示すように、傾倒装置４３１０が上昇位置から３°回転した状態において、移動磁石Ｍａ１と固定磁石Ｍａ２とが回転軸Ｏ１の径方向で重なる面積が最大となる。即ち、傾倒装置４３１０が上昇位置に配置された状態から回転（傾倒）するごとに、その回転角度に比例して移動磁石Ｍａ１と固定磁石Ｍａ２との間で生じる磁力が増大し、図３２（ｂ）に示す状態で最大となる。また、移動磁石Ｍａ１の上端位置は固定磁石Ｍａ２の上端位置から２°分上方に配置されるので、図３２（ｂ）の状態から更に傾倒装置４３１０が２°回転されるまで（上昇位置からの回転角度が３°から５°まで）は磁力が最大の状態が維持される。
【０２５３】
図３３（ａ）に示すように、傾倒装置４３１０が上昇位置から８°回転した状態において、固定磁石Ｍａ２の下端位置と移動磁石Ｍａ１の上端位置とが回転軸Ｏ１を中心とした径方向で一致する。即ち、移動磁石Ｍａ１及び固定磁石Ｍａ２の対向する面が重ならなくなるので、移動磁石Ｍａ１と固定磁石Ｍａ２との間で磁力が生じなくなる（無視できるほど小さくなる）。
【０２５４】
図３３（ｂ）の状態に到達するまでには、傾倒装置４３１０が上昇位置から５°回転（傾倒）した位置から、傾倒装置４３１０が回転（傾倒）するのに伴って、移動磁石Ｍａ１と固定磁石Ｍａ２との対向する面の重なる面積が減少する。そのため、傾倒装置４３１０が上昇位置から５°回転した位置（磁力が最大となる位置）から、図３３（ｂ）の状態に到達するまでの間、傾倒装置４３１０の回転角度に比例して移動磁石Ｍａ１と固定磁石Ｍａ２との間で発生する磁力が減少する。
【０２５５】
図３３（ｂ）に示すように、上昇位置から傾倒装置４３１０が１３°回転した状態では、移動磁石Ｍａ１と固定磁石Ｍａ２とが離間され、傾倒装置４３１０に与えられる負荷は、ねじりバネ３４３及び付勢装置３６２により生じる付勢力のみとなる。従って、傾倒装置４３１０が回転（傾倒）するに従って、傾倒装置４３１０に与えられる負荷は増大する。
【０２５６】
図３４を参照して、傾倒装置４３１０から遊技者に与えられる負荷について説明する。図３４は、傾倒装置４３１０の上昇位置からの傾倒角度に対して傾倒装置４３１０に与えられる負荷を表すグラフである。図３４に示すグラフには、横軸に、傾倒装置４３１０が上昇位置に配置された状態（図３２（ａ）参照）を左端として、そこから右方へ増大する態様で傾倒角度が示され、縦軸に、傾倒装置４３１０を介して遊技者に与えられる負荷が示される。なお、図３４では、理解を容易とするために、コイルスプリング３６２ｂの変位が傾倒装置４３１０の回転角度に比例すると仮定したグラフが記載される（第１実施形態で上述した作用爪部３３２の形状による効果が無視される）。
【０２５７】
図３４に示すように、傾倒装置４３１０を介して遊技者に与えられる負荷は、傾倒装置４３１０が上昇位置から３°だけ傾倒される状態（図３２（ｂ）参照）までは、ねじりバネ３４３（図１０参照）のバネ定数に比例して所定の角度α１で上昇する直線に移動磁石Ｍａ１と固定磁石Ｍａ２との間に傾倒装置４３１０の回転方向の成分として生じる磁力ＭＦ１を加えた態様で、傾倒装置４３１０の回転角度に比例して増加する。
【０２５８】
傾倒装置４３１０が上昇位置から３°だけ傾倒される状態を境に、ピストン部材３６２ａ（図３２（ｂ）参照）を介してコイルスプリング３６２ｂの変位に応じた付勢力が傾倒装置４３１０に負荷され始めると共に、移動磁石Ｍａ１と固定磁石Ｍａ２との対向する面の回転軸Ｏ１の径方向で重なる面積が最大となりはじめる。
【０２５９】
面積が最大の区間は傾倒装置４３１０の回転角度が５°となるまで続くので、その区間は、磁力の変化は生じず、ねじりバネ３４３（図１０参照）及びコイルスプリング３６２ｂ（図３２（ｂ）参照）の変位により付勢力が増加することで、傾倒装置４３１０に与えられる負荷が変化する。なお、上述したように、本実施形態ではコイルスプリング３６２ｂが自然長で配設されるので、傾倒装置４３１０の回転角度が上昇位置から３°の状態から、負荷が滑らかに上昇する。
【０２６０】
傾倒装置４３１０の回転角度が上昇位置から５°である位置から傾倒装置４３１０が３°回転（傾倒）する（上昇位置から８°の位置まで回転（傾倒）する）際には、移動磁石Ｍａ１と固定磁石Ｍａ２との対向する面の回転軸Ｏ１の径方向で重なる面積が減少し始める。この減少量が、ねじりバネ３４３（図１０参照）及びコイルスプリング３６２ｂ（図３２（ｂ）参照）の変位により生じる付勢力の増加量よりも大きくされることにより、回転角度が５°の位置から８°の位置までにおいて遊技者に与えられる負荷が減少する。
【０２６１】
即ち、傾倒装置４３１０が上昇位置から回転角度が５°の位置までの間に配置される間は、回転角度が大きくなるにつれ遊技者に与えられる負荷は増加し、その一方で回転角度が５°の位置から回転角度が８°の位置までの間は、回転角度が大きくなるにつれ遊技者に与えられる負荷が減少するので、回転角度が５°の位置を境に負荷の変化割合の正負が逆転することになる。そのため、回転角度が５°の位置で負荷の変化割合が変化したことを遊技者が認識し易くすることができ、回転角度が５°の位置を、遊技者が傾倒装置４３１０を操作した量を把握するための目印として利用することができるので、本構成を遊技に役立てることができる。
【０２６２】
傾倒装置４３１０の回転角度が上昇位置から８°である位置から更に回転させると、磁力による負荷の変動は無くなるので、傾倒装置４３１０の回転角度を増加させるにつれて、ねじりバネ３４３（図１０参照）及びコイルスプリング３６２ｂ（図３２（ｂ）参照）の変位により遊技者に与えられる付勢力が増大する。即ち、回転角度が８°の位置を境に負荷の変化割合の正負が再度、逆転することになる。そのため、回転角度が８°の位置で負荷の変化割合が変化したことを遊技者が認識し易くすることができ、回転角度が８°の位置を、遊技者が傾倒装置４３１０を操作した量を把握するための目印として利用することができる。
【０２６３】
図３４に示すように、本実施形態では、傾倒装置４３１０を回転させる過程において、回転角度が８°の位置を谷底として遊技者に与えられる負荷が減少する。そのため、傾倒装置４３１０の回転角度が増加するに従って遊技者に与えられる負荷が増大する場合に比較して、回転角度が８°の姿勢で傾倒装置４３１０を維持することを容易とすることができる。これにより、ペダル操作の前段階において、上昇位置から傾倒装置４３１０を３°以上回転させた位置において傾倒装置４３１０の姿勢を維持することを容易とすることができる。
【０２６４】
なお、本実施形態では、傾倒装置４３１０を回転角度８°の位置から５°の位置まで復帰させる復帰装置（エアーを傾倒装置４３１０の周方向に沿って下方から噴出する装置など、図示せず）を備える。これにより、傾倒装置４３１０の下降位置から上昇位置への復帰動作を補助し、傾倒装置４３１０が回転角度８°の位置で停止し続けることを防止することができる。
【０２６５】
次いで、図３５から図４２を参照して、第５実施形態について説明する。第１実施形態では、傾倒装置３１０の回転（傾倒）角度によってのみ傾倒装置３１０を上昇位置側へ復帰させる付勢力が変化する場合を説明したが、第５実施形態における操作デバイス５３００は、傾倒装置５３１０の回転（傾倒）速度によっても傾倒装置５３１０へ与えられる付勢力が変化する場合（回転速度が大きい時に付勢力が増加する場合）を説明する。なお、上述した各実施形態と同一の部分には同一の符号を付して、その説明は省略する。
【０２６６】
図３５は、第５実施形態における操作デバイス５３００の側面図である。図３５に示すように、操作デバイス５３００は、傾倒装置５３１０の上カバー５３１１が、湾曲壁部５３１６の左右方向に沿って溝状に凹設される凹設部５３１６ｂを備える態様で構成されると共に、上ケース５３７０の後上部に第３付勢装置５３８０を備える。第３付勢装置５３８０は、湾曲壁部５３１６と当接することにより傾倒装置５３１０に負荷を与える装置である。
【０２６７】
図３６を参照して、第３付勢装置５３８０の上ケース５３７０との組立構造について説明する。図３６（ａ）は、上ケース５３７０の上面図であり、図３６（ｂ）及び図３６（ｃ）は、図３６（ａ）のＸＸＸＶＩｂ−ＸＸＸＶＩｂ線における上ケース５３７０及び第３付勢装置５３８０の断面図である。なお、図３６（ｃ）では、第３付勢装置５３８０の回転ローラ５３８１の図示が省略される。
【０２６８】
図３６に示すように、上ケース５３７０は、その後上部において正面側へ向けて開放される箱状の収容箱部５３７１と、その収容箱部５３７１の側面に前後方向に沿って長孔として延設される逃げ孔５３７２と、回転ローラ５３８１を２点で支持する一対の円柱部５３７３と、ねじりバネ５３８３が係止される係止部５３７４と、を主に備える。
【０２６９】
第３付勢装置５３８０は、傾倒装置５３１０と当接することで傾倒装置５３１０の回転（傾倒）に伴って回転する回転ローラ５３８１と、その回転ローラ５３８１を回転可能に軸支すると共に逃げ孔５３７２に挿通される軸棒部材５３８２と、その軸棒部材５３８２に巻き付けられると共に回転ローラ５３８１に弾性的な付勢力を与えるねじりバネ５３８３と、を主に備える。
【０２７０】
ねじりバネ５３８３は、一方の腕部が係止部５３７４の下方から当接し、他方の腕部が回転ローラ５３８１の凸設ピン５３８１ｃの下方から当接することで、回転ローラ５３８１が下方へ巻き込まれる方向（図３６（ｂ）反時計回り）に回転する場合に付勢力が上昇する態様とされる。一方、回転ローラ５３８１が上方へ向かう方向（図３６（ｂ）時計回り）に回転する場合には、回転ローラ５３８１の凸設ピン５３８１ｃがねじりバネ５３８３の他方の腕部から離反するだけであり、付勢力の変化は生じない。
【０２７１】
図３７を参照して、回転ローラ５３８１について説明する。図３７（ａ）は、回転ローラ５３８１の側面図であり、図３７（ｂ）は、図３７（ａ）の矢印ＸＸＸＶＩＩｂにおける回転ローラ５３８１の正面図である。
【０２７２】
図３７に示すように、回転ローラ５３８１は、円盤形状に形成される本体部５３８１ａと、その本体部５３８１ａの円の中心に断面円形状で厚さ方向に穿設されると共に軸棒部材５３８２（図３６（ｃ）参照）が挿通される貫通孔５３８１ｂと、本体部５３８１ａの偏心した位置から厚さ方向に沿って凸設される凸設ピン５３８１ｃと、本体部５３８１ａの外周面から中心部へ向けて凹設されると共に軸心方向に亘って延設される凹設部５３８１ｄと、を主に備える。
【０２７３】
凸設ピン５３８１ｃは、ねじりバネ５３８３が係止される部分であって、ねじりバネ５３８３の腕部に上方から当接する（図３６（ｂ）参照）。凹設部５３８１ｄは、回転ローラ５３８１を後方へ移動可能とするための凹設部分であって、円柱部５３７３の直径よりも大きな幅で凹設される。
【０２７４】
次いで、傾倒装置５３１０と第３付勢装置５３８０との動作の関係について説明する。図３８（ａ）、図３８（ｂ）、図３９（ａ）、図３９（ｂ）、図４０（ａ）及び図４０（ｂ）は、図３６（ａ）のＸＸＸＶＩｂ−ＸＸＸＶＩｂ線に対応する線における操作デバイス５３００の断面図である。
【０２７５】
図３８（ａ）では、傾倒装置５３１０が上昇位置に配置された状態が図示され、図３８（ｂ）では、傾倒装置５３１０が上昇位置から３°回転（傾倒）した状態が図示され、図３９（ａ）では、図３８（ｂ）に示す状態から傾倒装置５３１０が更に所定量回転（傾倒）した状態が図示され、図３９（ｂ）では、傾倒装置５３１０が上昇位置から６°回転（傾倒）した状態が図示され、図４０（ａ）では、図３９（ｂ）に示す状態から傾倒装置５３１０が素早く１４°回転（傾倒）した状態が図示され、図４０（ｂ）では、図４０（ａ）に示す状態から傾倒装置５３１０が更に回転（傾倒）した状態がそれぞれ図示される。
【０２７６】
図３８から図４０に示すように、上カバー５３１１の湾曲壁部５３１６は、凹設部５３１６ｂと、回転ローラ５３８１に当接する部分である当接部５３１６ｃとを組で備える。即ち、回転ローラ５３８１と最初に当接する当接部５３１６ｃ（回転軸Ｏ１を中心に３°で形成）及びそれに続く凹設部５３１６ｂ（回転軸Ｏ１を中心に２．５°で形成）と、同様の形状でその後に続く２組の当接部５３１６ｃ及び凹設部５３１６ｂが形成される。なお、最後の当接部５３１６ｃ（最上部に配置される凹設部５３６１ｂの下側の当接部）は、他の当接部５３６１ｃに比較して、約半分の幅（回転軸Ｏ１を中心に約１．５°）で形成される。
【０２７７】
図３８（ａ）では、回転ローラ５３８１と対面する位置に凹設部５３１６ｂが配置されるので、回転ローラ５３８１と湾曲壁部５３１６とが当接せず、傾倒装置５３１０を回転させたとしても、回転ローラ５３８１から傾倒装置５３１０に与えられる負荷の上昇は生じない。
【０２７８】
図３８（ｂ）に示すように、傾倒装置５３１０を上昇位置から３°回転させると、当接部５３１６ｃと回転ローラ５３８１とが当接開始する。ここから更に傾倒装置５３１０を回転させることにより（図３９（ａ）参照）、回転ローラ５３８１からねじりバネ５３８３の変位に伴う付勢力が傾倒装置５３１０に与えられ始める。
【０２７９】
図３９（ｂ）に示すように、傾倒装置５３１０を図３８（ａ）に示す状態から６°回転させると、当接部５３１６ｃの上端部に回転ローラ５３８１が当接する。この位置から、僅かに傾倒装置５３１０を回転させると、回転ローラ５３８１と凹設部５３８１ｄとが対面し、回転ローラ５３８１と湾曲壁部５３１６との当接が解除されるため、回転ローラ５３８１がねじりバネ５３８３の付勢力により初期位置に復帰しようとする。
【０２８０】
そのため、傾倒装置５３１０を回転させる速度が遅い場合には、次の当接部５３１６ｃ（図３９（ｂ）において、回転ローラ５３８１が当接している当接部５３１６ｃの上隣の当接部５３１６ｃ）が回転ローラ５３８１と当接する前に回転ローラ５３８１が初期位置（図３８（ａ）参照）に復帰する。
【０２８１】
一方で、図４０（ａ）に示すように、回転ローラ５３８１が復帰する前に次の当接部５３１６ｃを回転ローラ５３８１と当接させる態様で傾倒装置５３１０を素早く回転させる場合、回転ローラ５３８１と当接部５３１６ｃとが対面し、傾倒装置５３１０が回転（傾倒）する毎に回転ローラ５３８１及びねじりバネ５３８３の変位が大きくなり（蓄積され）、回転ローラ５３８１から傾倒装置５３１０へ与えられる負荷が大きくなる。
【０２８２】
従って、傾倒装置５３１０が回転する速度によって、遊技者に与えられる負荷を変化させることができる。なお、本実施形態では、傾倒装置５３１０が上昇位置から３°回転した位置を境に、プッシュ操作とペダル操作とが切替られるが、図３８（ａ）及び図３８（ｂ）で上述したように、プッシュ操作に対応する上昇位置から３°までの位置では、傾倒装置５３１０と回転ローラ５３８１とが当接しないので、この位置において遊技者が傾倒装置５３１０をどれだけ素早く操作しようと、負荷が過大となることは無い。そのため、遊技者がプッシュ操作を行う際の傾倒装置５３１０の変位の速度によっては傾倒装置５３１０の操作抵抗は変化せず、例えば、プッシュ操作で連打を行う場合に傾倒装置５３１０の動きが固くなり連打に支障が出るという事態を回避することができる。
【０２８３】
一方で、上昇位置から３°より大きな角度で回転した後の位置では、当接部５３１６ｃが回転ローラ５３８１と当接し始め、その後に凹設部５３１６ｂが回転ローラ５３８１と対面する位置を通過する速度により、再度、当接部５３１６ｃと回転ローラ５３８１とが当接する際の回転ローラ５３８１の状態が変化する（回転ローラ５３８１の初期位置からの回転量が変化されることにより、回転ローラ５３８１から傾倒装置５３１０へ与えられる負荷が変化する）。
【０２８４】
従って、本実施形態では、ペダル操作を行う範囲においては傾倒装置５３１０の変位の速度に応じて傾倒装置５３１０の操作抵抗を変更可能としながら、プッシュ操作を行う範囲においては傾倒装置５３１０の操作抵抗が変位の速度に依存せず、その操作性能を向上させることができる。
【０２８５】
図４０（ａ）では、当接部５３１６ｃの全周長分、回転ローラ５３８１が回転した場合が図示される。この状態において、回転ローラ５３８１の凹設部５３８１ｄが円柱部５３７３に差し掛かる状態とされる。
【０２８６】
図４０（ｂ）に示すように、図４０（ａ）から更に傾倒装置５３１０を回転させると、回転ローラ５３８１の凹設部５３８１ｄが円柱部５３７３に対向配置される。そのため、回転ローラ５３８１が円柱部５３７３に近接する方向に逃げ孔５３７２に沿って移動可能となる。
【０２８７】
これにより、回転ローラ５３８１から傾倒装置５３１０へ与えられる負荷が過大となるとしても、回転ローラ５３８１が傾倒装置５３１０から離反する方向に移動可能となるので、傾倒装置５３１０を素早く操作した場合に、遊技者が傾倒装置５３１０から受ける負荷が過大となることを防止することができる。
【０２８８】
次いで、図４１及び図４２を参照して、当接部５３１６ｃの長さを位置によって変更する場合に付いて説明する。図４１（ａ）、図４１（ｂ）及び図４２は、図３６のＸＸＸＶＩｂ−ＸＸＸＶＩｂ線に対応する線における操作デバイス５３００ｂの断面図である。
【０２８９】
操作デバイス５３００ｂは、操作デバイス５３００と比較して、湾曲壁部５３１６の凹設部５３１６ｂ及び当接部５３１６ｃの形成パターンのみが異なる。即ち、図４１（ａ）に示す上昇位置から傾倒装置５３１０ｂが最初に当接する当接部５３１６ｃは幅が短くされ（回転軸Ｏ１を中心として１°で形成）、更に上昇位置から傾倒装置５３１０ｂを素早く１０°回転させた状態（図４１（ｂ）参照）において回転ローラ５３８１と当接する当接部５３１６ｃは、幅が長くされ（回転軸Ｏ１を中心として４°で形成）、更に上昇位置から傾倒装置５３１０ｂを素早く２０°回転させた状態（図４２参照）において回転ローラ５３８１と当接する当接部５３１６ｃは、幅が更に長くされる（回転軸Ｏ１を中心として７°で形成）。
【０２９０】
そのため、傾倒装置５３１０ｂを素早く操作する遊技者にだけでなく、傾倒装置５３１０ｂを遅く操作する遊技者に対しても、傾倒装置５３１０ｂから与えられる負荷が変化するという操作感の変化を感じさせることができる。
【０２９１】
即ち、各凹設部５３８１ｄの区間で回転ローラ５３８１が初期位置に完全に復帰する程度に遅く傾倒装置５３１０ｂを操作する遊技者を想定する場合に、図４１（ｂ）で回転ローラ５３８１と当接する当接部５３１６ｃとの当接開始から当接終了までには、その当接部５３１６ｃの下方に配設される幅の短い当接部５３１６ｃと回転ローラ５３８１とが当接する場合に生じる付勢力の４倍の付勢力が与えられる。
【０２９２】
更に、図４２に図示される状態で回転ローラ５３８１と当接する当接部５３１６ｃとの当接開始から当接終了までには、幅の短い当接部５３１６ｃと回転ローラ５３８１とが当接する場合に生じる付勢力の７倍の付勢力が与えられる。また、回転ローラ５３８１と当接部５３１６ｃとの当接が解除する瞬間には、傾倒装置５３１０ｂに与えられる負荷が急激に減少する。従って、遊技者は、回転ローラ５３８１から与えられる負荷の最大値の変化と、負荷の急激な減少とが生じたことを目印として、傾倒装置５３１０ｂを目視しなくとも、傾倒装置５３１０ｂをどれくらい押し込んでいるかを予想することができる。
【０２９３】
次いで、図４３及び図４４を参照して、第６実施形態について説明する。第１実施形態では、傾倒装置３１０の回転（傾倒）角度によってのみ傾倒装置３１０を上昇位置側へ復帰させる付勢力が変化する場合を説明したが、第６実施形態における操作デバイス６３００は、傾倒装置６３１０の回転（傾倒）速度によっても傾倒装置６３１０へ与えられる付勢力が変化する場合（回転速度が大きい時に付勢力が減少する場合）を説明する。なお、上述した各実施形態と同一の部分には同一の符号を付して、その説明は省略する。
【０２９４】
図４３は、第６実施形態における操作デバイス６３００の側面図である。なお、図４３では、傾倒装置６３１０が上昇位置に配置される状態が図示されると共に、操作デバイス６３００の後ろ部分が部分的に断面視される。図４３に示すように、操作デバイス６３００は、傾倒装置６３１０の上カバー６３１１の湾曲壁部６３１６の形状が、傾倒装置６３１０が上昇位置に配置された状態において回転部材６３８１と当接する当接点Ｊ１を通り、傾倒装置６３１０の回転軸Ｏ１を中心とする円弧Ｃ６を基準として、その当接点Ｊ１から遠ざかるほど円弧Ｃ６の径よりも小さくなる形状とされると共に、上ケース６３７０の後上部に第４付勢装置６３８０を備える。第４付勢装置６３８０は、湾曲壁部６３１６と当接することにより傾倒装置６３１０に負荷を与える装置である。
【０２９５】
上ケース６３７０は、その後上部において正面側へ向けて開放される箱状の収容箱部６３７１と、その収容箱部６３７１の側面に穿設される軸支孔６３７２と、ねじりバネ６３８３が係止される係止部６３７３と、を主に備える。
【０２９６】
第４付勢装置６３８０は、傾倒装置６３１０と当接することで傾倒装置６３１０に負荷を与える回転部材６３８１と、その回転部材６３８１を回転可能に軸支すると共に軸支孔６３７２に挿通される軸棒部材６３８２と、その軸棒部材６３８２に巻き付けられると共に回転部材６３８１に弾性的な付勢力を与えるねじりバネ６３８３と、を主に備える。
【０２９７】
回転部材６３８１は、ひょうたん形状の本体部６３８１ａに、偏心して穿設され軸棒部材６３８２が挿通される貫通孔６３８１ｂを備えると共に、ねじりバネ６３８３を係止可能な態様で軸方向と平行な方向に凸設される凸設ピン６３８１ｃを備える。
【０２９８】
ねじりバネ６３８３は、一方の腕部が係止部６３７３の下方から当接し、他方の腕部が回転部材６３８１の凸設ピン６３８１ｃの下方から当接することで、回転部材６３８１が下方へ巻き込まれる方向（図４３反時計回り）に回転する場合に付勢力が上昇する態様とされる。一方、回転部材６３８１が上方へ向かう方向（図４３時計回り）に回転する場合には、回転部材６３８１の凸設ピン６３８１ｃがねじりバネ５３８３の他方の腕部から離反するだけであり、付勢力の変化は生じない。
【０２９９】
図４４（ａ）及び図４４（ｂ）は、操作デバイス６３００の部分側面図である。なお、図４４（ａ）では、傾倒装置６３１０が上昇位置から３°回転された状態が、図４４（ｂ）では、図４４（ａ）の状態から傾倒装置６３１０が素早く１７°回転された状態（上昇位置から傾倒装置６３１０が２０°回転された状態）が、それぞれ図示されると共に、図４４（ａ）及び図４４（ｂ）では、操作デバイス６３００の後ろ部分が部分的に断面視される。
【０３００】
図４４（ａ）では、図４３に示す状態から回転部材６３８１がねじりバネ６３８３の付勢力により時計回りに回転し、回転部材６３８１と湾曲壁部６３１６との当接が維持される。ここで、回転部材６３８１と湾曲壁部６３１６との当接により生じる力が傾倒装置６３１０の周方向に沿って同一であると仮定すると、図４４（ａ）で回転部材６３８１と湾曲壁部６３１６とが当接する位置から回転軸Ｏ１までの距離は、円弧Ｃ６の半径よりも短いため、図４３に示す状態に比較して、図４４（ａ）に示す状態の方が回転部材６３８１から与えられる負荷により傾倒装置６３１０に生じるモーメントの腕の長さが短くなる。
【０３０１】
従って、回転部材６３８１が湾曲壁部６３１６に当接する状態において、傾倒装置６３１０が上昇位置から回転（傾倒）する角度が大きくなるほど、回転部材６３８１により生じる傾倒装置６３１０の回転抵抗が低減される。そのため、傾倒装置６３１０が上昇位置に配置され回転され始める状態から傾倒装置６３１０に与えられる負荷を確保しつつ、傾倒装置６３１０の回転角度が大きくなった場合に、傾倒装置６３１０から遊技者に与えられる負荷が過度に大きくなることを防止することができる。
【０３０２】
図４４（ｂ）では、図４４（ａ）に示す状態から傾倒装置６３１０が素早く回転された状態が図示され、この状態において、回転部材６３８１が湾曲壁部６３１６から離間される。即ち、回転部材６３８１がねじりバネ６３８３の付勢力により回転し湾曲壁部６３１６になつくよりも高速で傾倒装置６３１０が回転された状態が図示される。
【０３０３】
この場合、回転部材６３８１から傾倒装置６３１０に与えられる負荷が無くなるので、傾倒装置６３１０を操作する為に必要な力を低減することができる。即ち、傾倒装置６３１０をゆっくりペダル操作する場合に比較して、高速でペダル操作する場合の方が傾倒装置６３１０の回転抵抗を小さくすることができるので、例えば、可動範囲の途中で傾倒装置６３１０を維持する操作をし易くするために必要な回転抵抗は確保しながら、傾倒装置６３１０を高速で操作（押し込みきる操作）を行う場合には、確保していた回転抵抗を一気に解除することにより、回転抵抗の大きな装置を押し切るような場合に比較して、遊技者が感じる疲労感を低減する事ができる。
【０３０４】
次いで、図４５及び図４６を参照して、第７実施形態について説明する。第１実施形態では、傾倒装置３１０のプッシュ操作とペダル操作との境界を付勢力の変化する姿勢で判断する場合を説明したが、第７実施形態における操作デバイス７３００は、傾倒装置７３１０を回転（傾倒）させ、ペダル操作の開始点まで到達すると傾倒装置７３１０が係止される場合を説明する。なお、上述した各実施形態と同一の部分には同一の符号を付して、その説明は省略する。
【０３０５】
図４５（ａ）、図４５（ｂ）、図４６（ａ）及び図４６（ｂ）は、図１９（ａ）のＸＩＸｂ―ＸＩＸｂ線に対応する線における第７実施形態における操作デバイス７３００の断面図である。なお、図４５（ａ）では、傾倒装置７３１０が上昇位置に配置された状態が、図４５（ｂ）及び図４６（ａ）では、傾倒装置７３１０が上昇位置から３°回転された状態が、図４６（ｂ）では、図４６（ａ）に示す状態から傾倒装置７３１０が所定量素早く回転した状態が図示される。
【０３０６】
図４５及び図４６に示すように、操作デバイス７３００は、傾倒装置７３１０の上カバー７３１１がスライド移動可能に形成されるスライド装置７３１８と、湾曲壁部７３１６に配設される変位付勢装置７３１９と、を備える態様で構成される。
【０３０７】
スライド装置７３１８は、上カバー７３１１の押圧板部３１２から後側壁部３１５へ貫通して穿設される貫通孔７３１１ａに挿通される断面Ｚ字形状の係止部材７３１８ａと、その係止部材７３１８ａを後方へ向けて付勢するコイルスプリング７３１８ｂと、を主に備える。
【０３０８】
係止部材７３１８ａは、上カバー７３１１に対して前後方向（図４５（ａ）左右方向）に移動可能に構成され、後方へ配置された場合には、傾倒装置７３１０を回転させることで、回転軸Ｏ１を中心とした回転方向で電力作用装置３６３と当接可能とされる。
【０３０９】
変位付勢装置７３１９は、下カバー７３２０の湾曲壁部７３２２に形成される切り欠き７３２２ａに収容される範囲において上カバー７３１１の湾曲壁部７３１６に軸支される作用部材７３１９ａと、その作用部材７３１９ａを湾曲壁部７３１６に近接する方向へ付勢するねじりバネ７３１９ｂと、作用部材７３１９ａの下方に配置されると共に作用部材７３１９ａが湾曲部材７３１６に対して開閉動作する側から作用部材７３１９ａに近接する方向に移動可能に構成される慣性動作部材７３１９ｃと、その慣性動作部材７３１９ｃを下方に維持する引っ張りバネ７３１９ｄと、を主に備える。
【０３１０】
作用部材７３１９ａは、先端に磁性材料から構成される移動磁石Ｍａ７が配設され、固定磁石Ｍａ２に回転軸Ｏ１を中心とした円の径方向で吸着する方向に極性を有する。作用部材７３１９ａの下端は、慣性作用部材７３１９ｃの上端に近接するほど湾曲壁部７３１６から遠ざかる態様で傾斜する。これにより、慣性作用部材７３１９ｃが上方へ移動する際に、作用部材７３１９ａを湾曲壁部７３１６から遠ざける方向に回転させることができる。
【０３１１】
慣性作用部材７３１９ｃは、十分な慣性を作用可能な程度（傾倒装置７３１０の素早い移動に対してその場に留まれる程度）に重い材料から構成され、湾曲壁部７３１６と当接する側の周面が、湾曲壁部７３１６の内周形状にそった円弧形状から形成される。そのため、慣性作用部材７３１９ｃが上カバー７３１１に対して相対移動する場合には、その移動方向は、湾曲壁部７３１６の周面に沿った方向とされる。
【０３１２】
図４５（ｂ）に示すように、傾倒装置７３１０が上昇位置から３°回転（傾倒）すると、作用爪部３３２がピストン部材３６２ａに当接し始めると共に、係止部材７３１８ａの下端が電力作用装置３６３に対して傾倒装置７３１０の回転方向で当接する。そのため、傾倒装置７３１０の回転が機械的に係止され、それ以上、傾倒装置７３１０を回転（傾倒）することができない状態を構成することができる。
【０３１３】
これにより、遊技者の誤操作を抑止することができる。即ち、第１実施形態における操作デバイス３００を操作する遊技者は、プッシュ操作をする領域とペダル操作をする領域とを、傾倒装置３１０から生じる負荷の変化により感じ取れるところ、その境界が曖昧になる場合があり、例えば、遊技者が、プッシュ操作の領域での連打を行っていると思っていても、実はペダル操作の領域まで傾倒装置３１０を押し込んでしまっており、連打が困難となる恐れがあった。これに対し、本実施形態では、負荷の変化に加えて、傾倒装置７３１０の回転が停止される位置において、プッシュ操作の領域とペダル操作の領域との境界が形成されるので、上述したような誤操作を抑制することができる。
【０３１４】
また、係止部材７３１８ａの電力作用装置３６３との当接面は、回転軸Ｏ１を中心とした円弧と垂直な面として構成される（図４５（ｂ）参照）。これにより、図４５（ｂ）に示す状態から回転方向の負荷が更にかけられた場合に、係止部材７３１８ａが電力作用装置３６３から受ける力により手前側にスライドしてしまうことを抑制することができる。
【０３１５】
図４６（ａ）に示すように、スライド装置７３１８の係止部材７３１８ａを手前側に移動させることにより、係止部材７３１８ａと電力作用装置３６３との当接が解除され、傾倒装置７３１０を回転動作させることが可能となる。
【０３１６】
傾倒装置７３１０を回転動作させる方向と係止部材７３１８ａを移動させる方向とがほぼ直角方向である（成す角度が直角に近い）ので、傾倒装置７３１０を回転させる操作と、係止部材７３１８ａを移動させる操作とを同時に行うことを困難とすることができる。これにより、自然と係止部材７３１８ａが移動してしまい、傾倒装置７３１０を誤ってペダル操作の領域まで押し込むという誤操作が起きることを防止することができる。
【０３１７】
図４６（ａ）に示す位置から傾倒装置７３１０がゆっくりと押し込まれる場合、慣性作用部材７３１９ｃが上カバー７３１１に対して相対的に停止した状態で傾倒装置７３１０が回転動作される。この場合、移動磁石Ｍａ７と固定磁石Ｍａ２との間の距離は離れたままであり、その吸着力は無視できるほど小さい。
【０３１８】
これに対し、図４６（ａ）に示す状態から押し込み操作され、過度に大きな速度で傾倒装置７３１０が変位したり、何らかの原因で係止部材７３１８ａが手前側に固定された状態で上昇位置から傾倒装置７３１０が回転操作されたりした場合には、図４６（ｂ）に示すように、慣性作用部材７３１９ｃが上カバー７３１１に対して相対変位することで作用部材７３１９ａが回転し、固定磁石Ｍａ２と移動磁石Ｍａ７との間の距離が短くなることで、磁力による抵抗が大きくなる。これにより、傾倒装置７３１０の回転抵抗を一時的に大きくすることができ、その制動効果により遊技者に操作感の変化を与えることができると共に、傾倒装置７３１０がペダル操作の領域で勢いよく回転（傾倒）することを抑制でき傾倒装置７３１０の破損防止を図ることができる。
【０３１９】
なお、傾倒装置７３１０が勢いよく下降位置まで到達した場合に慣性作用部材７３１９ｃが上方に変位していたとしても、遊技者が傾倒装置７３１０から手を離した後は、傾倒装置７３１０が上方へ復帰動作するのに伴って慣性作用部材７３１９ｃが慣性で下方へ移動されるので、傾倒装置７３１０が復帰動作する場合に移動磁石Ｍａ７と固定磁石Ｍａ２とが吸着され抵抗が大きくなることにより傾倒装置７３１０の復帰が遅れることを回避することができる。
【０３２０】
また、図４５（ａ）及び図４５（ｂ）に示すように、傾倒装置７３１０の上昇位置と、その上昇位置から３°回転された後の位置との間（図４５（ａ）で示される位置から図４５（ｂ）で示される位置との間）、即ちプッシュ操作の範囲に傾倒装置７３１０が配置される場合には、移動磁石Ｍａ７と固定磁石Ｍａ２とが回転軸Ｏ１を中心する円の径方向で重ならない態様とされる。そのため、プッシュ操作の範囲においては、傾倒装置７３１０が移動磁石Ｍａ７と固定磁石Ｍａ２との吸着力により変位が遅くなることを回避することができる。
【０３２１】
即ち、上昇位置から３°だけ傾倒装置７３１０を回転させる際に、傾倒装置７３１０を素早く回転させることで吸着力が働くとすると、プッシュ操作をした後の傾倒装置７３１０の戻り動作の速度が遅くなり、例えばプッシュ操作の範囲で連打操作を行う場合等に操作がしづらくなり、遊技の快適性が損なわれる恐れがある。
【０３２２】
これに対し、本実施形態では、プッシュ操作の範囲では移動磁石Ｍａ７と固定磁石Ｍａ２との吸着が起きないようにすることができ、任意の速度で傾倒装置７３１０を変位させたとしても、傾倒装置７３１０の戻り動作の速度が遅くなることを回避することができ、遊技の快適性を向上させることができる。
【０３２３】
次いで、図４７を参照して、第８実施形態について説明する。第１実施形態では、傾倒装置３１０の姿勢により遊技者に与えられる負荷が変化する場合を説明したが、第８実施形態における操作デバイス８３００は、傾倒装置８３１０を回転（傾倒）させる速度によって遊技者に与えられる負荷が変化する場合を説明する。なお、上述した各実施形態と同一の部分には同一の符号を付して、その説明は省略する。
【０３２４】
図４７（ａ）及び図４７（ｂ）は、図１９（ａ）のＸＩＸｂ―ＸＩＸｂ線に対応する線における第８実施形態における操作デバイス８３００の部分断面図である。なお、図４７（ａ）では、傾倒装置８３１０が上昇位置に配置された状態が、図４７（ｂ）では、傾倒装置８３１０が上昇位置から所定角度だけ素早く回転した状態が図示される。
【０３２５】
図４７に示すように、操作デバイス８３００は、傾倒装置８３１０の上カバー８３１１が、湾曲壁部８３１６に配設される変位付勢装置８３１９を備え、上ケース８３７０が、その内周壁後部に傾倒装置８３１０の外端部の回転軌跡に沿って延設されると共に傾倒装置８３１０の回転軌跡の径方向に沿った向きで極性が切り替わる磁性材料から形成される固定磁石Ｍａ８１を備える。
【０３２６】
変位付勢装置８３１９は、下カバー７３２０の湾曲壁部７３２２に形成される切り欠き７３２２ａに収容される範囲において、上カバー８３１１の湾曲壁部８３１６に軸支される作用部材８３１９ａと、その作用部材８３１９ａを湾曲壁部８３１６に近接する方向へ付勢するねじりバネ７３１９ｂと、作用部材８３１９ａの下方に配置されると共に作用部材８３１９ａが湾曲部材８３１６に対して開閉動作する側から作用部材８３１９ａに近接する方向に移動可能に構成される慣性動作部材７３１９ｃと、その慣性動作部材７３１９ｃを下方に維持する引っ張りバネ７３１９ｄと、を主に備える。
【０３２７】
作用部材８３１９ａは、湾曲壁部８３１６に軸支される位置から二股に延設される部材であって、一方の腕部（図４７（ａ）左側の腕部）が、第７実施形態における作用部材７３１９ａと同様に湾曲壁部８３１６の内側において延設されると共に、他方の腕部（図４７（ａ）右側の腕部）が、湾曲壁部８３１６の厚さ方向に穿設される貫通孔８３１６ｂを通って湾曲壁部８３１６の外方へ延設される態様で構成される。
【０３２８】
作用部材８３１９ａの他方の腕部の先端には、磁性材料から形成される移動磁石Ｍａ８２が配設され、移動磁石Ｍａ８２の磁極の方向は、固定磁石Ｍａ８１と吸着する磁力を発生させる方向で形成される。
【０３２９】
作用部材８３１９ａの一方の腕部の下端は、慣性作用部材７３１９ｃの上端に近接するほど湾曲壁部８３１６から遠ざかる態様で傾斜する。これにより、慣性作用部材７３１９ｃが上方へ移動する際に、作用部材８３１９ａを湾曲壁部８３１６から遠ざける方向に回転させることができる。
【０３３０】
図４７（ａ）に示すように、傾倒装置８３１０が上昇位置に配置される場合、作用部材８３１９ａは一方の腕部が湾曲壁部８３１６に近接される姿勢とされ、この姿勢において他方の腕部の移動磁石Ｍａ８２が固定磁石Ｍａ８１に近接される。そのため、移動磁石Ｍａ８２と固定磁石Ｍａ８１との間の磁力（による吸着力）が無視できないほど大きくなり、傾倒装置８３１０を回転させる際の抵抗が大きくなる。
【０３３１】
図４７（ｂ）に示すように、傾倒装置８３１０を上昇位置から所定量だけ素早く回転させると、慣性作用部材７３１９ｃが慣性で留まり、慣性作用部材７３１９ｃが作用部材８３１９ａの一方の腕部と湾曲壁部８３１６との間に入り込み、作用部材８３１９ａがねじりバネ７３１９ｂの付勢力に抗して回転される（図４７（ａ）時計回りに回転される）。これにより、他方の腕部に配設される移動磁石Ｍａ８２が固定磁石Ｍａ８１から離反され、移動磁石Ｍａ８２と固定磁石Ｍａ８１との間の磁力が無視できるほど小さくなる。
【０３３２】
一方で、傾倒装置８３１０をゆっくりと操作する場合には、慣性作用部材８３１９ｃは上カバー８３１１と同じ速度で移動する（上カバー８３１１に対して相対的に停止する）。従って、傾倒装置８３１０をゆっくりと回転操作する場合に遊技者が感じる回転抵抗を大きく確保できると共に、傾倒装置８３１０を素早く回転操作する場合に遊技者が感じる回転抵抗を小さくすることができる。
【０３３３】
これにより、例えば、傾倒装置８３１０を所定位置で維持操作する等、傾倒装置８３１０をゆっくり操作する場合には回転抵抗を大きくし維持を容易とする一方で、傾倒装置８３１０を一気に押し込む時など、傾倒装置８３１０の動作が素早くなる場合には回転抵抗回転抵抗を小さくし、傾倒装置８３１０の押し込みに必要な力を低減することができる。そのため、遊技者が傾倒装置８３１０を操作する際の操作負担を低減することができる。
【０３３４】
なお、慣性作用部材７３１９ｃは、湾曲壁部８３１６の内周面と当接する側の面が、湾曲壁部８３１６の内周面の円弧形状に沿った形状とされ、上カバー８３１１と相対移動する際に湾曲壁部８３１６の周面に沿って移動する（傾倒装置８３１０の回転方向と同じ方向で移動する）ので、傾倒装置８３１０の回転角度に対する移動距離が最大となる位置（最大径位置）において上カバー８３１１の移動方向に沿って移動可能とされるという、最も慣性を利用しやすい構成とされる。
【０３３５】
従って、傾倒装置８３１０の回転角度が僅かな場合でも、上カバー８３１１に対して慣性作用部材７３１９ｃを相対移動させやすくでき、磁力による回転抵抗の変化を起こしやすくすることができる。
【０３３６】
なお、傾倒装置８３１０が勢いよく下降位置まで到達した場合に慣性作用部材７３１９ｃが上方に変位していたとしても、遊技者が傾倒装置８３１０から手を離した後は、傾倒装置８３１０が上方へ復帰動作するのに伴って慣性作用部材７３１９ｃが慣性で下方へ移動されるので、傾倒装置８３１０が復帰動作する場合に移動磁石Ｍａ８２と固定磁石Ｍａ８１とが吸着される。これにより、一気に押し込んだ傾倒装置８３１０が勢いよく復帰することを抑制し、傾倒装置８３１０の戻り動作の遅さからくる重厚感を演出することができる。
【０３３７】
次いで、図４８から図５０を参照して、第９実施形態について説明する。第１実施形態では、傾倒装置３１０のプッシュ操作とペダル操作との境界を付勢力の変化する姿勢で判断する場合を説明したが、第９実施形態における操作デバイス９３００は、傾倒装置９３１０を回転（傾倒）させペダル操作の開始点まで到達すると傾倒装置９３１０が係止され、その係止を解除するために傾倒装置９３１０を並進移動させる場合を説明する。なお、上述した各実施形態と同一の部分には同一の符号を付して、その説明は省略する。
【０３３８】
図４８（ａ）、図４８（ｂ）、図４９（ａ）、図４９（ｂ）及び図５０は、図１９（ａ）のＸＩＸｂ―ＸＩＸｂ線に対応する線における第９実施形態における傾倒装置９３１０の断面図である。なお、図４８（ａ）では、傾倒装置９３１０が上昇位置に配置された状態が、図４８（ｂ）では、傾倒装置９３１０が上昇位置から３°回転（傾倒）された状態が、図４９（ａ）では、図４８（ｂ）に示す状態から傾倒装置９３１０が奥側に所定量だけ並進移動された状態が、図４９（ｂ）では、図４９（ａ）に示す状態から傾倒装置９３１０が下降位置まで素早く回転（傾倒）動作された状態が、図５０では、傾倒装置９３１０が下降位置に配置された状態から上昇位置から３°の位置（図４８（ｂ）に示す状態と傾倒装置９３１０の前後位置のみが違う）まで復帰された状態が、それぞれ図示される。
【０３３９】
また、図４８（ａ）、図４８（ｂ）、図４９（ａ）、図４９（ｂ）及び図５０では、回転軸Ｏ１近傍が、下ケース９３６０の凹設軸受け部９３６１ａ（傾倒装置９３１０を軸支する部分）を含む断面で部分的に断面視される。
【０３４０】
図４８（ａ）に示すように、傾倒装置９３１０は、上カバー９３１１の延設半軸部３１３ｃ（図９参照）と、軸カバー３３０の延設半軸部３３１ｃ（図９参照）とを内嵌するカップ形状の部材であってその外周が半径ｒ１の円の一部を直線で切り欠いた切り欠き面ＢＲ９ａを有する形状から構成される軸固定部材ＢＲ９と、軸部材３４０（図１０参照）に巻かれると共に傾倒装置９３１０に対して回転方向と前後方向とに向く付勢力を与えるねじりバネ９３４３と、を備える。
【０３４１】
上カバー９３１１は、湾曲壁部９３１６の内周側に配設され、湾曲壁部９３１６の径方向に移動可能に弾性的に支持される移動磁石Ｍａ９を備える。移動磁石Ｍａ９は、傾倒装置９３１０の回転によって生じる遠心力により湾曲壁部９３１６に近接する方向に移動可能とされる。
【０３４２】
傾倒装置９３１０の軸固定部材ＢＲ９は、下ケース９３６０の凹設軸受け部９３６１ａの内側を前後方向に並進動作可能に構成される。即ち、凹設軸受け部９３６１ａは、軸固定部材ＢＲ９の外形の円を距離Ｌ１だけ並進移動させた場合に形成される形状（半径ｒ１の円弧（９０°分の円弧）が前後（図４８（ａ）における左右）一対で配置され、それらの下側端部を前後（図４８（ａ）における左右）方向に距離Ｌ１の直線で結んだ形状）で形成される。
【０３４３】
下ケース９３６０の上側に締結固定され傾倒装置９３１０を軸支する上ケース９３７０は、下ケース９３６０の凹設軸受け部９３６１ａと対向配置され軸固定部材ＢＲ９を支持する凹設軸受け部９３７１を備える。
【０３４４】
凹設軸受け部９３７１は、軸固定部材ＢＲ９の切り欠き面ＢＲ９ａが前後方向（図４８（ａ）左右方向）に沿う状態となる姿勢で軸固定部材ＢＲ９を前後方向に移動させた際に占める形状を元にして、中央部分を上方へ向けて軸固定部材ＢＲ９の円弧部分が回転可能となる大きさの円弧で凹設した形状から構成される。即ち、凹設軸受け部９３７１は、前後両端部の円弧と中央部分の円弧とが前後方向に沿って延設される係止平面９３７１ａで連結される形状から構成される。
【０３４５】
下ケース９３６０は、筒状受け部３６１ｃの正面側に鉛直方向に所定幅を有し左右方向に延設される押し戻し壁部９３６１ｈと、ゴム板ＧＲ１の手前側において電力作用装置３６３から後方に張り出す態様で配設されると共にゴム弾性を有する係止ゴム部材９３６１ｉと、を備える。
【０３４６】
ねじりバネ９３４３は、一方の腕部９３４３ａが先端の屈曲した形状から形成されると共に下ケース９３６０の押し戻し壁部９３６１ｈと当接する態様で配置され、他方の腕部９３４３ｂが、傾倒装置９３１０の回転軸Ｏ１の手前斜め上方（図４８左上方）において上カバー３１１に配設される凸部に係止され、両腕を開く方向に付勢力を生じる。即ち、傾倒装置９３１０を上昇位置に復帰させる方向に付勢力が作用する。
【０３４７】
係止ゴム部材９３６１ｉは、傾倒装置９３１０が凹設軸受け部９３６１ａの手前側端部に配置される状態では湾曲部材３５０と干渉する位置である一方で、傾倒装置９３１０が凹設軸受け部９３６１ａの奥側端部に配置される状態では湾曲部材３５０との干渉が回避される位置に配設される（傾倒装置９３１０が凹設軸受け部９３６１ａの手前側端部に配置される状態における櫛状部３５２の回転軌跡と、傾倒装置９３１０が凹設軸受け部９３６１ａの奥側端部に配置される状態における櫛状部３５２の回転軌跡との間に配設される）。
【０３４８】
これにより、係止ゴム部材９３６１ｉを、傾倒装置９３１０が何らかの理由（例えば、係止平面９３７１ａが摩耗して軸固定部材ＢＲ９を係止することができなくなる等）で傾倒装置９３１０が凹設軸受け部９３６１ａの手前側端部に配置される状態で過回転した場合に、傾倒装置９３１０の回転を停止させるストッパとして機能させることができる。また、ゴム材料から形成することにより、係止ゴム部材９３６１ｉで十分な変形量を確保することができるので、傾倒装置９３１０の形状が厳しく管理される部材（湾曲部材３５０等）が変形することを防止することができる。
【０３４９】
図４８（ａ）に示すように、傾倒装置９３１０が上昇位置に配置される状態において、軸固定部材ＢＲ９が下ケースの凹設軸受け部９３６１ａの手前側端部（図４８（ａ）左側端部）に配置されると共に、切り欠き面ＢＲ９ａと係止平面９３７１ａとの間が回転軸Ｏ１を中心として３°の角度で隙間が空けられる態様とされる。
【０３５０】
図４８（ａ）の状態から、矢印Ｆ１の方向で傾倒装置９３１０に負荷を与えると、傾倒装置９３１０は回転動作を行う。傾倒装置９３１０が上昇位置に配置された状態から３°回転（傾倒）すると、図４８（ｂ）に示すように、軸固定部材ＢＲ９の切り欠き面ＢＲ９ａと、上ケースの係止平面９３７１ａとが面で当接することで、軸固定部材ＢＲ９の回転が停止され、傾倒装置９３１０の移動が停止される。
【０３５１】
従って、第１実施形態で上述したように、傾倒装置３１０から与えられる負荷によって遊技者が操作方法を切り替える場合に比較して、本実施形態では、上昇位置から３°というプッシュ操作の領域で傾倒装置９３１０が停止されるので、遊技者が傾倒装置９３１０から与えられる負荷の変化を認識できずに誤操作するという事態を回避することができる。
【０３５２】
図４８（ｂ）に示す状態から、更に傾倒装置９３１０を回転させる為には、図４９（ａ）に示すように、傾倒装置９３１０を矢印Ｆ２の方向で奥側（図４８（ｂ）右方）に並進移動させて、切り欠き面ＢＲ９ａと、係止平面９３７１ａとの当接を解除する必要がある。図４９（ａ）に示す状態において、ねじりバネ９３４３の一方の腕部９３４３ａは押し戻し壁部９３６１ｈに押し付けられ、所定量変形する。
【０３５３】
ここで、矢印Ｆ１と矢印Ｆ２との方向とが異なっているので、傾倒装置９３１０が回転しながら傾倒装置９３１０が奥側へ並進移動することを抑制することができる。また、傾倒装置９３１０を回転させる前に並進移動させる為には、回転軸Ｏ１付近を奥側に押し込めば可能となるところ、傾倒装置９３１０は回転動作する装置であり、回転軸Ｏ１から遠い側を押した方が操作負担は小さいので、遊技者に回転軸Ｏ１の反対側（傾倒装置９３１０の上端部）を押すよう推奨することができ、傾倒装置９３１０が回転動作する前に並進移動する事態が発生することを抑制することができる。
【０３５４】
図４９（ａ）に示す状態から更に傾倒装置９３１０を回転させることにより、図４９（ｂ）に示すように、傾倒装置９３１０を下降位置までペダル操作することができる。ここで、図４９（ａ）に示す状態からゆっくりと（所定の速度未満で）傾倒装置９３１０を変位させる態様でペダル操作する場合には、移動磁石Ｍａ９が湾曲壁部９３１６と離間した状態が維持されるので、固定磁石Ｍａ２との間に生じる吸着力が大きくなり、ペダル操作の際の回転抵抗を確保することができる。
【０３５５】
一方で、図４９（ａ）に示す状態から素早く（所定の速度以上で）傾倒装置９３１０を変位させる態様でペダル操作する場合には、図４９（ｂ）に示すように移動磁石Ｍａ９が遠心力の作用で湾曲壁部９３１６に近接され、傾倒装置９３１０の移動中に移動磁石Ｍａ９と固定磁石Ｍａ２との間で生じる吸着力を無視できるほど小さくすることができる。即ち、ペダル操作の際の回転抵抗を低減することができる。
【０３５６】
従って、ペダル操作の際の傾倒装置９３１０の変位の速度によって、傾倒装置９３１０の回転抵抗を変化させることができる。本実施形態によれば、ゆっくりと操作する場合には磁力により回転抵抗が上昇するので傾倒装置９３１０を所定位置で維持する操作を行い易くすると共に、傾倒装置９３１０を素早く操作する場合には磁力による回転抵抗を低減することで、遊技者が傾倒装置９３１０を一気に押し込む際に感じる負荷を低減することで遊技者が感じる操作負担を低減することができる。
【０３５７】
図４９（ｂ）に示す状態から遊技者が傾倒装置９３１０から手を離すと、傾倒装置９３１０が初期位置へ向けて復帰動作を開始する。この復帰動作は、ねじりバネ９３４３の構成によって様々な速度で生じるが、回転と並進とが同時に生じる態様とされる。
【０３５８】
即ち、ねじりバネ９３４３の回転方向の変位が戻ることにより矢印Ｔａに沿って傾倒装置９３１０の回転方向の動作が生じると共に、ねじりバネ９３４３の一方の腕部９３４３ａが押し戻し壁部９３６１ｈに押し付けられたことにより生じた変位が戻ることにより矢印Ｔｂに沿って傾倒装置９３１０の並進方向の動作が生じる。
【０３５９】
ここで、上述したように、傾倒装置９３１０を上昇位置から回転させる場合には、回転操作を先に行い、傾倒装置９３１０が係止された位置から並進操作を行い、最後に回転操作を行うといったように、操作の段階が明確に分けられていた。これに対し、傾倒装置９３１０の復帰動作は、矢印Ｔａに沿って生じる回転動作と矢印Ｔｂに沿って生じる並進動作とが混合した動作となる。従って、傾倒装置９３１０を押し込む際に傾倒装置９３１０が移動する経路と、傾倒装置９３１０が復帰する際に傾倒装置９３１０が移動する経路とを異ならせることができる。
【０３６０】
この場合に、図５０に示すように、軸固定部材ＢＲ９の切り欠き面ＢＲ９ａと、奥側（図５０右側）の係止平面９３７１ａとの当接が回避される態様でねじりバネ９３４３の弾性係数が調整される。
【０３６１】
これにより、押し込み時には傾倒装置９３１０を移動範囲の途中で停止させる作用を維持しながら、復帰時には途中で停止させずにそのままの速度で復帰させることができるので、傾倒装置９３１０が途中で停止する場合に比較して、下降位置から上昇位置までの復帰動作にかかる時間を短縮することができる。
【０３６２】
以上、上記実施形態に基づき本発明を説明したが、本発明は上記形態に何ら限定されるものではなく、本発明の趣旨を逸脱しない範囲内で種々の変形改良が可能であることは容易に推察できるものである。
【０３６３】
上記各実施形態において、一の実施形態における構成の一部または全部を、他の実施形態における構成の一部または全部の構成と組み合わせて或いは置き換えて、別の実施形態としても良い。
【０３６４】
上記第２実施形態では、作用爪部２３３２の下端面２３３２ｂが遊技者の感じる負荷を一定とする為の形状とされたが、必ずしもこれに限られるものではない。例えば、切替点２３３２ｃの後方の形状をピストン部材２３６２ａから更に離反する方向に凹設される形状としても良い。これにより、切替点２３３２ｃとピストン部材２３６２ａとが当接を解除した後に（傾倒装置２３１０の回転角度が更に大きくなった場合に）ピストン部材２３６２ａから傾倒装置２３１０に与えられる負荷が低下するので、遊技者に与える負荷を減少させる演出に活用することができる。
【０３６５】
上記第４実施形態では、傾倒装置４３１０が上昇位置から３°回転した直後は傾倒装置４３１０にかけられる負荷が上昇し続ける場合を説明したが、必ずしもこれに限られるものではない。例えば、傾倒装置４３１０が上昇位置から３°回転した位置（プッシュ操作とペダル操作との境界）において、回転軸Ｏ１を中心とした円の径方向で重なる磁石の面積がゼロとされることにより、上昇位置から３°回転した位置において傾倒装置４３１０にかけられる負荷が最低値となるように構成しても良い。この場合、プッシュ操作とペダル操作との境界を遊技者が判断することを容易とすることができる。
【０３６６】
上記第５実施形態では、傾倒装置５３１０が上昇位置から３°回転されるまでは、傾倒装置５３１０と回転ローラ５３８１とが非当接な場合を説明したが、必ずしもこれに限られるものではない。例えば、傾倒装置５３１０が上昇位置から３°回転されるまでの間、常時傾倒装置５３１０と回転ローラ５３８１とが当接されるように構成しても良い。この場合、例えば、回転ローラ５３８１に付勢力を与えるねじりバネ５３８３のしまり具合を手動で変更可能に構成することにより、傾倒装置５３１０をプッシュ操作する場合の動作抵抗を変更することができる。
【０３６７】
上記第６実施形態では、傾倒装置６３１０の湾曲壁部６３１６の形状が、傾倒装置６３１０を上昇位置に配置した状態における傾倒装置６３１０と回転部材６３８１との当接点Ｊ１を基準として、回転軸Ｏ１を中心とした円弧Ｃ６から内側に入り込む場合を説明したが、必ずしもこれに限られるものではない。例えば、当接点Ｊ１から上方に３°までの範囲では、湾曲壁部６３１６の形状が円弧Ｃ６に沿った形状とされ、当接点Ｊ１から上方に３°以降の範囲では、湾曲壁部６３１６の形状が円弧Ｃ６から内側に入り込む形状とされても良い。この場合、傾倒装置６３１０を上昇位置に配置した状態から３°回転させるまでの範囲（プッシュ操作の範囲）では、傾倒装置６３１０の動作速度により回転部材６３８１が傾倒装置６３１０から離間することを防止することができるので、プッシュ操作の範囲において、傾倒装置６３１０の変位の速度により遊技者に与えられる抵抗が変化することを防止することができる。
【０３６８】
上記第７実施形態では、固定磁石Ｍａ２と移動磁石Ｍａ７とが傾倒装置７３１０のペダル操作の範囲で吸着する場合を説明したが、必ずしもこれに限られるものではない。例えば、固定磁石Ｍａ２と移動磁石Ｍａ７とがプッシュ操作でも吸着するようにしても良い。この場合、プッシュ操作の際の傾倒装置７３１０の変位の速度により傾倒装置７３１０の移動抵抗が変わる（例えば、勢いよく傾倒装置７３１０を押し込むと戻りが遅くなる）ため、適切な連打操作を行うことができる傾倒装置７３１０の変位の速度の許容幅が狭められる。これにより、遊技者が連打操作する際の連打の態様を均一側に寄せる事ができ、予期せぬ操作（連打速度が過度に大きくされる操作等）により傾倒装置７３１０が破損することを予防することができる。
【０３６９】
上記第７実施形態では、係止部材７３１８を手動で移動させる場合を説明したが、必ずしもこれに限られるものではない。例えば、係止部材７３１８が奥方向へ向けてダッシュポットで付勢されると共に係止部材７３１８と電力作用部材３６３の上面部とが滑る角度に傾斜する構造としても良い。この場合、傾倒装置７３１０を回転させる速度が大きい場合には、ダッシュポットの付勢力に抗して係止部材７３１８を手前側に移動させる前に回転方向の負荷により係止部材７３１８が電力作用部材３６３に押し付けられ、傾倒装置７３１０が停止する一方で、傾倒装置７３１０を回転させる速度が小さい場合には、係止部材７３１８を電力作用部材３６３に押し付ける力が大きくなる前に係止部材７３１８を手前側へ移動させることができる。従って、操作速度が小さい場合に限って、係止部材７３１８を自動的に移動させることができる。
【０３７０】
上記第７実施形態では、傾倒装置７３１０が回転の途中で停止した際に、係止部材７３１８ａを回転方向とは異なる方向に移動させることで傾倒装置７３１０を更に回転可能となる場合を説明したが、必ずしもこれに限られるものではない。例えば、傾倒装置７３１０の回転を止める部材がノッチ機構で出没可能に構成され、傾倒装置７３１０を押し込む方向の操作でノッチ機構が一段階切り替えられ、出状態では傾倒装置７３１０を途中で停止させ、没状態では下降位置まで回転仕切ることができる構成としても良い。この場合、傾倒装置７３１０を押し込む方向と同じ方向の動作で傾倒装置７３１０を回転途中で停止させる操作を行わせることができる。
【０３７１】
上記第８実施形態では、固定磁石Ｍａ８１と移動磁石Ｍａ８２とが傾倒装置８３１０が上昇位置に配置された状態から吸着可能とされる場合を説明したが、必ずしもこれに限られるものではない。例えば、傾倒装置８３１０が上昇位置から３°回転した位置から固定磁石Ｍａ８１と移動磁石Ｍａ８２とが吸着可能に構成されても良い。この場合、傾倒装置８３１０の変位の速度が小さな状態（慣性作用部材７３１９ｃが上カバー８３１１に対して相対的に停止する状態）で傾倒装置８３１０を回転させる場合に、付勢装置３６２により傾倒装置８３１０の変位の抵抗が増加するタイミングと、固定磁石Ｍａ８１と移動磁石Ｍａ８２との吸着により傾倒装置８３１０の変位の抵抗が増加するタイミングとを合わせることができ、傾倒装置８３１０が上昇位置から３°回転した場合において傾倒装置８３１０に与えられる負荷の増加量を大きくすることができる。これにより、プッシュ操作とペダル操作との境界を遊技者が判別し易くすることができる。
【０３７２】
上記各実施形態では、コイルスプリング３６２ｂの下端が下ケース３６０の底蓋部材３６２ｃにせき止められる場合を説明したが、必ずしもこれに限られるものではない。例えば、底蓋部材３６２ｃがコイルスプリング３６２ｂの変位の方向（上下方向）に沿って移動可能とされ、底蓋部材３６２ｃが傾倒装置３１０の傾倒に伴って移動する（下降する）態様で構成されても良い。この場合、傾倒装置３１０が上昇位置から同じ角度傾倒した場合であっても、底壁部材３６２ｃが固定される場合に比較して、コイルスプリング３６２ｂの変位を低減できる領域を任意に設定することができる。
【０３７３】
上記各実施形態では、傾倒装置３１０が、ねじりバネ３４３などの付勢部材により上昇位置へ向けて常時付勢される場合を説明したが、必ずしもこれに限られるものではない。例えば、ねじりバネ３４３は配設せず、初期位置への復帰を行う別の駆動装置（エアーによる噴出装置や、ワンウェイで駆動する駆動装置など）を配設するようにしても良い。この場合、遊技者が操作途中で傾倒装置３１０から手を離した後における、傾倒装置３１０の動作を任意に設定することができる。
【０３７４】
例えば、磁力により傾倒装置３１０に回転抵抗を与える場合において、上昇位置から所定の角度未満の位置で手を離した場合には傾倒装置３１０その場に停留する一方で、上昇位置から所定の角度以上の位置で手を離した場合には（例えば、重心の配置次第で）下降位置へ継続動作する態様で構成することもできる。これにより、傾倒装置３１０を予想外の動作態様で動作させることができ、遊技者の興趣を向上させることができる。
【０３７５】
本発明を上記各実施形態とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される）として実施してもよい。また、大当たり図柄が表示された後に、所定の領域に球を入賞させることを必要条件として遊技者に所定の遊技価値を付与する特別遊技を発生させるパチンコ機として実施してもよい。また、Ｖゾーン等の特別領域を有する入賞装置を有し、その特別領域に球を入賞させることを必要条件として特別遊技状態となるパチンコ機に実施してもよい。更に、パチンコ機以外にも、アレパチ、雀球、スロットマシン、いわゆるパチンコ機とスロットマシンとが融合した遊技機などの各種遊技機として実施するようにしても良い。
【０３７６】
なお、スロットマシンは、例えばコインを投入して図柄有効ラインを決定させた状態で操作レバーを操作することにより図柄が変動され、ストップボタンを操作することにより図柄が停止されて確定される周知のものである。従って、スロットマシンの基本概念としては、「複数の識別情報からなる識別情報列を変動表示した後に識別情報を確定表示する表示装置を備え、始動用操作手段（例えば操作レバー）の操作に起因して識別情報の変動表示が開始され、停止用操作手段（例えばストップボタン）の操作に起因して、或いは、所定時間経過することにより、識別情報の変動表示が停止して確定表示され、その停止時の識別情報の組合せが特定のものであることを必要条件として、遊技者に所定の遊技価値を付与する特別遊技を発生させるスロットマシン」となり、この場合、遊技媒体はコイン、メダル等が代表例として挙げられる。
【０３７７】
また、パチンコ機とスロットマシンとが融合した遊技機の具体例としては、複数の図柄からなる図柄列を変動表示した後に図柄を確定表示する表示装置を備えており、球打出用のハンドルを備えていないものが挙げられる。この場合、所定の操作（ボタン操作）に基づく所定量の球の投入の後、例えば操作レバーの操作に起因して図柄の変動が開始され、例えばストップボタンの操作に起因して、或いは、所定時間経過することにより、図柄の変動が停止され、その停止時の確定図柄がいわゆる大当たり図柄であることを必要条件として遊技者に所定の遊技価値を付与する特別遊技が発生させられ、遊技者には、下部の受皿に多量の球が払い出されるものである。かかる遊技機をスロットマシンに代えて使用すれば、遊技ホールでは球のみを遊技価値として取り扱うことができるため、パチンコ機とスロットマシンとが混在している現在の遊技ホールにおいてみられる、遊技価値たるメダルと球との別個の取扱による設備上の負担や遊技機設置個所の制約といった問題を解消し得る。
【０３７８】
以下に、本発明の遊技機に加えて上述した実施形態に含まれる各種発明の概念を示す。
【０３７９】
＜傾倒装置の操作感の操作角度に対する変化を抑制する技術思想の一例＞
遊技者が入力操作を行う入力手段を備える遊技機において、前記入力手段は、遊技者に入力操作される被操作部材と、入力操作を行った遊技者が受ける負荷を調整する調整手段と、を備え、前記調整手段は、少なくとも前記被操作部材の移動範囲の一部において、入力操作を行った遊技者が受ける負荷の増加を抑制することを特徴とする遊技機Ａ１。
【０３８０】
ここで、パチンコ機等の遊技機において、遊技者が押し込み操作を行う被操作部材を備え、その被操作部材の押し込み量に対応して、その被操作部材を初期位置へ戻す付勢力が増加する遊技機がある（例えば特開２０１４−０１４５７１号公報を参照）。しかし、上述した従来の遊技機では、被操作部材の移動距離が長くなる場合に対応がしづらいという問題点があった。即ち、遊技者が感じる操作感を向上させるためには、初期位置からの被操作部材の移動距離に対する付勢力の上昇割合を大きくすることが望ましいが、被操作部材の移動距離が長くなると、遊技者が受ける負荷が過大となり、操作を行う遊技者が疲労することにより、遊技中に被操作部材の押し込みを行うことを止めてしまうという問題点があった。
【０３８１】
この場合、被操作部材を押し込み操作することにより液晶表示装置の状態が変化する演出を遊技者に見せることができなくなり、遊技者の興趣が低下する恐れがある。
【０３８２】
これに対し、遊技機Ａ１によれば、調整手段が、少なくとも被操作部材の移動範囲の一部において、入力操作を行った遊技者が受ける負荷の増加量を抑制するので、遊技者が受ける負荷の増加を抑制できると共に遊技者が疲労することを防止できる。
【０３８３】
なお、被操作部材の移動距離が長くなる場合としては、例えば、被操作部材の押し込み量を検出して操作に反映させる場合や、被操作部材が円弧軌道（直線軌道では無い）や、ジグザグ軌道で操作される場合等が例示される。
【０３８４】
例えば、押し込み量を検出して操作に反映させる場合、検出の境界間を長くする方が、目標とする押し込み量に維持することを容易とでき、遊技を快適に行うことを促進できるため、被操作部材の移動距離が長くなる可能性が高い。
【０３８５】
遊技機Ａ１において、前記被操作部材を初期位置へ向けて移動させる付勢力を発生させる付勢手段を備え、その付勢手段は、前記被操作部材の移動経路に沿って変位を生じる第１弾性バネ部材から構成され、前記調整手段は、被操作部材が初期位置から所定距離移動した後の範囲において遊技者が受ける負荷を抑制することを特徴とする遊技機Ａ２。
【０３８６】
遊技機Ａ２によれば、遊技機Ａ１の奏する効果に加え、付勢手段が被操作部材の移動経路に沿って変位を生じる第１弾性バネ部材から構成されると共に、被操作部材を初期位置から所定距離移動させた後の範囲において遊技者が受ける負荷を抑制するので、遊技者が感じる負荷を、遊技者が被操作部材を移動させた距離に比例して増加させることにより遊技者に操作感を与えながら、初期位置から所定距離移動させた後の範囲において遊技者に与える負荷の上昇割合が切り替わった点（例えば、比例定数が変化した点）を遊技者に認識させることができる。
【０３８７】
これにより、遊技者に与える負荷の変化点を目印とすることで、被操作部材の移動範囲における任意の点まで被操作部材を移動させることを容易に行わせることができる。
【０３８８】
なお、第１弾性バネ部材としては、被操作部材が所定の回転軸を中心として回転動作する場合には、その回転軸を中心としたねじりバネや、被操作部材の回転軸を中心とした円弧形状の壁部に沿って湾曲して配設されるコイルスプリング等が例示され、被操作部材が並進動作する場合には、被操作部材の移動方向に沿って配設されるコイルスプリングが例示される。
【０３８９】
遊技機Ａ２において、前記被操作部材は、所定の回転軸を中心として回転され、前記調整手段は、前記被操作部材に周方向から負荷を与える第２弾性バネ部材を備え、その第２弾性バネ部材は、前記被操作部材と対向配置され前記被操作部材の移動中に当接することで前記被操作部材に付勢力を与える態様で構成され、前記第２弾性バネ部材の変位の方向が、前記回転軸を中心とした任意の円弧の接線方向に沿うことを特徴とする遊技機Ａ３。
【０３９０】
遊技機Ａ３によれば、遊技機Ａ２の奏する効果に加え、被操作部材が所定の回転軸を中心として回転され、第２弾性バネ部材が被操作部材の移動中に当接することで付勢力を与え、その変位の方向が回転軸を中心とした任意の円弧の接線方向に沿うので、被操作部材と第２弾性バネ部材とが当接した後において、その当接点を被操作部材の回転角度に応じて被操作部材の回転軸から遠ざかる方向へ変化させることができ、第２弾性バネ部材の変位を被操作部材の角度変化の割合とは異なった態様で変化させることができる。従って、被操作部材の当接点の形状を様々に変化させることで、第２弾性バネ部材から被操作部材へ与えられる負荷を任意に設定することができる。
【０３９１】
遊技機Ａ３において、前記被操作部材は、前記第２弾性バネ部材と対向配置され、その第２弾性バネ部材と当接可能に構成される当接部を備え、その当接部は、前記被操作部材が初期位置から所定距離移動された第１状態において前記第２弾性バネ部材と当接する第１当接点と、前記第１状態から更に同一方向に移動された第２状態において前記弾性バネ部材と当接する第２当接点と、を備え、前記第１当接点よりも、前記第２当接点の方が、前記回転軸と前記第１当接点とを通る直線よりも前記被操作部材の初期位置側に配置されることを特徴とする遊技機Ａ４。
【０３９２】
遊技機Ａ４によれば、遊技機Ａ３の奏する効果に加え、当接部の第１当接点よりも第２当接点の方が、回転軸と第１当接点とを通る直線よりも被操作部材の初期位置側に配置されるので、例えば、第２当接点が第１当接点と回転軸とを通る直線上に配置される場合に比較して、第１状態から第２状態まで被操作部材を回転させる際に第２弾性バネ部材と当接する付近の部分が変位する距離よりも、第２弾性バネ部材の変位量を抑制することができる。これにより、第２弾性バネ部材により被操作部材に与えられる負荷を抑制することができる。
【０３９３】
遊技機Ａ４において、前記第１状態に比較して、前記第２状態の方が、前記第２弾性バネ部材の変位量が減少する態様で前記第２当接点の形状が設定されることを特徴とする遊技機Ａ５。
【０３９４】
遊技機Ａ５によれば、遊技機Ａ４の奏する効果に加え、第１状態に比較して第２状態の方が第２弾性バネ部材の変位量が減少する態様で第２当接点の形状が設定されるので、第２弾性バネ部材が第１状態において被操作部材に与える負荷に比較して、第２弾性バネ部材が第２状態において被操作部材に与える負荷を小さくすることができる。従って、第１状態から第２状態へ被操作部材が移動することにより上昇する第１弾性バネ部材の付勢力を、第２弾性バネ部材が被操作部材に与える負荷の減少分で部分的に相殺することができる。
【０３９５】
遊技機Ａ３からＡ５のいずれかにおいて、前記第２弾性バネ部材が姿勢変化可能に構成され、その姿勢変化の方向が、前記第１弾性バネ部材の変位量が大きくなるほど、前記第２弾性バネ部材の移動方向と前記被操作部材の移動方向とのなす角度が大きくなる向きとされることを特徴とする遊技機Ａ６。
【０３９６】
遊技機Ａ６によれば、遊技機Ａ３からＡ５のいずれかの奏する効果に加え、第２弾性バネ部材が姿勢変化可能に構成され、その姿勢変化の方向が、第１弾性バネ部材の変位量が大きくなるほど、第２弾性バネ部材の移動方向と前記被操作部材の移動方向とのなす角度が大きくなる向きとされるので、第１弾性バネ部材の付勢力が大きくなるにつれて、第２弾性バネ部材の付勢力の内、被操作部材へ負荷される成分を小さくすることができる。これにより、遊技者が感じる負荷の上昇を抑制することができる。
【０３９７】
遊技機Ａ６において、前記第２弾性バネ部材が前記被操作部材に連結されることにより、前記被操作部材の姿勢に対する前記第２弾性バネ部材の姿勢の関係が一対一で対応付けされることを特徴とする遊技機Ａ７。
【０３９８】
遊技機Ａ７によれば、遊技機Ａ６の奏する効果に加え、第２弾性バネ部材が被操作部材に連結されることにより、被操作部材の姿勢に対する第２弾性バネ部材の姿勢の関係が一対一で対応付けされるので、被操作部材に急激な負荷が与えられることにより、第２弾性バネ部材が想定外の方向に姿勢変化することを防止することができる。
【０３９９】
＜傾倒装置の回転抵抗の変化割合を変化させる技術思想の一例＞
遊技者が入力操作を行う入力手段を備える遊技機において、前記入力手段は、遊技者に入力操作される被操作部材と、その被操作部材から遊技者に与えられる負荷の変化割合を変化させる変化手段と、を備えることを特徴とする遊技機Ｂ１。
【０４００】
ここで、パチンコ機等の遊技機において、遊技者が押し込み操作を行う被操作部材を備え、その被操作部材の押し込み量（変位、速度または強さ等）に対応して、入力を切り替える態様で制御される遊技機がある（例えば特開２０１２−０２４３２２号公報を参照）。しかし、上述した従来の遊技機では、押し込み量を遊技者が認識することが困難なため、押し込み量を遊技者に把握させるために液晶表示装置に目盛りを別で設ける等する必要があるという問題点があった。
【０４０１】
この場合、押し込み量を指定する演出を行ったとしても、目盛りに注目しながら被操作部材の操作を行う必要があるので、遊技盤の盤面の他の部分（例えば発射された球の流れ等）に視線を送ることができず、思い通りの遊技を行うことができなくなるという問題点があった。
【０４０２】
これに対し、遊技機Ｂ１によれば、被操作部材から遊技者に与えられる負荷の変化割合を変化させる変化手段を備えるので、その負荷の変化を目印として、遊技者に被操作部材が所定位置まで押し込まれたことを把握させることができる。これにより、目盛りを見なくとも被操作部材を所定位置まで押し込んだことを遊技者が把握することができるので、遊技者は、被操作部材を操作しながら、遊技盤の盤面の任意の箇所に注目することができる。
【０４０３】
遊技機Ｂ１において、前記変化手段は、前記被操作部材が初期位置から所定距離離間された開始位置に配置された状態において前記被操作部材の作用部と対面配置され、その状態において、前記被操作部材を介して、遊技者に負荷を与え始める態様で構成されることを特徴とする遊技機Ｂ２。
【０４０４】
遊技機Ｂ２によれば、遊技機Ｂ１の奏する効果に加え、変化手段は、被操作部材が初期位置から所定距離離間された開始位置に配置された状態において被操作部材の作用部と対面配置され、その状態において、被操作部材を介して遊技者に負荷を与え始めるので、別で駆動手段を設けることなく、遊技者が被操作部材から感じる負荷を被操作部材が開始位置に配置された状態を境に変化させることができる。
【０４０５】
これにより、制御不良に影響されることなく、確実に開始位置を境として遊技者に与える負荷を変化させることができ、その変化を、被操作部材の押し込み量を遊技者が把握する目印として利用することができる。
【０４０６】
遊技機Ｂ２において、前記変化手段は、前記被操作部材の移動方向に負荷を与える弾性バネ部材から構成され、その弾性バネ部材は、前記被操作部材の前記作用部に当接される前の初期状態において自然長から所定距離変位された状態で配置されることを特徴とする遊技機Ｂ３。
【０４０７】
遊技機Ｂ３によれば、遊技機Ｂ２の奏する効果に加え、変化手段は、被操作部材の移動方向に負荷を与える弾性バネ部材から構成され、その弾性バネ部材は被操作部材の作用部に当接される前の初期状態において自然長から所定距離変位された状態で配置されるので、被操作部材が弾性バネ部材に当接される直前と直後との間において、被操作部材に弾性バネ部材の変位分の弾性力が一時にかけられるので、遊技者に与える負荷を急激に変化させることができる。これにより、遊技者が、被操作部材から与えられる負荷の変化から、被操作部材が所定位置に配置された状態を経由したことを認識し易くすることができる。
【０４０８】
遊技機Ｂ３において、前記作用部と前記弾性バネ部材との当接点が前記被操作部材の移動に伴って変化する場合において、前記作用部は、先に前記弾性バネ部材と当接する区間である第１当接区間と、その第１当接区間の後で前記弾性バネ部材と当接する区間である第２当接区間と、を備え、前記作用部の第１当接区間と前記弾性バネ部材とが当接した状態で前記被操作部材が所定量移動する場合に比較して、前記作用部の第２当接区間と前記弾性バネ部材とが当接した状態で前記被操作部材が所定量移動する場合の方が、遊技者に与える負荷の増加量が小さくされることを特徴とする遊技機Ｂ４。
【０４０９】
遊技機Ｂ４によれば、遊技機Ｂ３の奏する効果に加え、前記作用部が第１当接区間で弾性バネ部材と当接しながら被操作部材を所定量移動させる場合に比較して、第１当接区間よりも押し込み量が大きい側で当接する第２当接区間で弾性バネ部材と当接しながら被操作部材を所定量移動させる場合の方が遊技者に与える負荷の増加量が小さくされるので、被操作部材が所定位置に配置されたことを認識しやすくする効果は保ちながら、被操作部材が所定位置を通り過ぎた後で遊技者が感じる負荷が過大となることを防止することができる。
【０４１０】
遊技機Ｂ２において、前記作用部は磁性材料を含む態様で構成され、前記変化手段は、前記作用部の移動経路の一部と対向配置される磁性負荷部材から構成され、その磁性負荷部材は、前記作用部を構成する磁性材料に対して吸着力を生じる磁性を備えることを特徴とする遊技機Ｂ５。
【０４１１】
遊技機Ｂ５によれば、遊技機Ｂ２の奏する効果に加え、被操作部材に与えられる負荷の変化が、作用部と磁性負荷部材との間で発生する磁力（吸着力）によって生じるので、作用部と磁性負荷部材とが近くにある場合と遠くにある場合との負荷の変化を遊技者に感じやすくさせることができる。
【０４１２】
なお、遊技者が被操作部材を押し込む時の負荷は増加するものの、遊技者が維持操作する場合等は、作用部が磁性負荷部材に吸着されることから、被操作部材から遊技者に与えられる負荷は弱められる。そのため、弾性バネの付勢力で被操作部材に与えられる負荷を増加させる場合に比較して、遊技者が被操作部材の位置を維持するために必要な力が小さくなり、遊技者の疲労感を軽減することができる。
【０４１３】
遊技機Ｂ１からＢ５のいずれかにおいて、前記被操作部材は、その被操作部材に対して相対移動可能に構成される移動手段と、その移動部材を動作させる駆動力を発生する駆動手段と、を備え、前記移動部材が、第１状態と、その第１状態から異なった位置に移動した後の第２状態とを構成可能とされ、少なくとも、前記移動部材が前記第１状態と前記第２状態とで変化する時に遊技者に与えられる負荷を変化可能に構成されることを特徴とする遊技機Ｂ６。
【０４１４】
遊技機Ｂ６によれば、遊技機Ｂ１からＢ５のいずれかの奏する効果に加え、移動手段の状態の変化によって遊技者に与えられる負荷を変化させることができるので、被操作部材が所定位置に配置されたことを検出した場合に駆動手段を動作させることにより、遊技者に与えられる負荷を変化させ、遊技者に被操作部材の現状の押し込み位置を認識させることができる。
【０４１５】
遊技機Ｂ６において、駆動手段が回転モータから構成され、その回転モータが正回転する場合には、前記移動部材が前記被操作部材に対して相対移動され、前記回転モータが逆回転する場合には、前記移動部材が前記被操作部材に対して相対的に停止することを特徴とする遊技機Ｂ７。
【０４１６】
遊技機Ｂ７によれば、遊技機Ｂ６の奏する効果に加え、回転モータの回転方向により遊技機に与える負荷が変化する場合と、変化しない場合とを構成できるので、例えば、被操作部材を操作せずに遊技機の一部分に伝達される振動を確認することで内部の状態を確認する遊技の仕方を抑制し、被操作部材を操作することの意義を高めることができる。これにより、被操作部材を効果的に活用することができる。
【０４１７】
＜傾倒装置の回転速度が大の時、遊技者が受ける負荷が大となる技術思想の一例＞
遊技者が入力操作を行う入力手段を備える遊技機において、前記入力手段は、遊技者に入力操作される被操作部材と、その被操作部材に移動抵抗として負荷を与えると共にその負荷を変化可能に構成される制動手段と、を備え、前記被操作部材が第１速度と、その第１速度よりも大きな第２速度とで変位可能とされる場合に、前記第１速度で変位した際に前記被操作部材に前記制動手段から与えられる負荷に比較して、前記第２速度で変位した際に前記被操作部材に前記制動手段から与えられる負荷の方が大きくされることを特徴とする遊技機Ｃ１。
【０４１８】
ここで、パチンコ機等の遊技機において、遊技者が押し込み操作を行う被操作部材を備え、その被操作部材の押し込み量（変位、速度または強さ等）に対応して、入力を切り替える態様で制御される遊技機がある（例えば特開２０１２−０２４３２２号公報を参照）。しかし、上述した従来の遊技機では、被操作部材を所定位置まで移動させるという操作を行う際に、その所定位置を通り過ぎることを防止するために若干速度を落として操作することにより操作期間が長くなることが一般的であり、例えば、操作可能期間の終了間際に操作を求められていることに気付いた場合には、操作が間に合わない場合があるという問題点があった。
【０４１９】
これに対し、遊技機Ｃ１によれば、被操作部材が第１速度で変位する場合に比較して、その第１速度よりも大きな第２速度で変位する場合の方が、制動手段から被操作部材に抵抗として与えられる負荷が大きいので、強い力（加速度大）で被操作部材を操作し、被操作部材の速度が大きくなった場合にでも、操作する力を解除した後で被操作部材が停止されるまでに必要な距離を短くすることができる。これにより、被操作部材の速度を落として被操作部材を操作することが不要となり、被操作部材の操作期間を短縮できるので、操作可能期間の終了間際に操作を求められていることに気付いた場合でも操作を間に合わせることができる。
【０４２０】
なお、制動手段としては、特に限定されるものではなく、例えば、ロータリダンパなどの、作用部の変位速度に対して負荷を変化させる市販の製品を、任意に選定して使用することができる。本遊技機Ｃ１の特徴は、被操作部材を押し込み操作することを遊技機側から要求されていることに遊技者が気付くのが遅くなったとしても、制動手段を遊技機に配設する事で、即座に目標位置まで被操作部材を操作することを可能としたことにある。
【０４２１】
遊技機Ｃ１において、前記被操作部材は、その変位量により、少なくとも第１の入力と、第２の入力とで入力の態様が変化され、前記第１の入力を行う範囲においては、前記制動手段から与えられる負荷の変化が抑制されることを特徴とする遊技機Ｃ２。
【０４２２】
遊技機Ｃ２によれば、遊技機Ｃ１の奏する効果に加え、被操作部材が変位量により第１の入力と第２の入力とで入力の態様が変化され、第１の入力を行う範囲においては、制動手段から与えられる負荷の変化が抑制されるので、入力の態様により制動手段の機能が邪魔になる場合に対応することができる。
【０４２３】
例えば、被操作部材が、第１の入力で連打操作を含めたボタン押し操作を、第２の入力でその変位量を検出するペダル押し込み操作を行う態様で構成され、第１の入力であるボタン押し操作を勢いよく行うことで被操作部材の変位の抵抗が上昇する場合、ボタン押し操作を勢いよく行うことで被操作部材の戻りが遅くなり、連打操作に支障をきたす恐れがある（被操作部材が元の位置に戻って来るまで待ってから押すしかできず、連打がしづらくなる恐れがある）。
【０４２４】
これに対し、遊技機Ｃ２によれば、第１の入力を行う範囲では被操作部材の変位の抵抗が制動手段により上昇することが抑制されるので、ボタン押し操作を行う際の被操作部材の変位の速度により被操作部材の戻りが遅くなることが防止され、連打操作を容易に行うことができる。
【０４２５】
遊技機Ｃ１又はＣ２において、前記制動手段は、前記被操作部材から伝達される負荷により変位可能とされる弾性バネ部材から構成され、前記被操作部材は、前記弾性バネ部材と対向配置する部分であって、当接して前記弾性バネ部材との間で負荷が伝達可能とされる第１部分と、その第１部分とは異なる部分であって前記弾性バネ部材との間で負荷が非伝達とされる第２部分と、を備え、少なくとも、一対の前記第１部分の間に、前記第２部分が配置されることを特徴とする遊技機Ｃ３。
【０４２６】
遊技機Ｃ３によれば、遊技機Ｃ１又はＣ２の奏する効果に加え、制動手段が、被操作部材から伝達される負荷により変位可能とされる弾性バネ部材から構成され、被操作部材は、弾性バネ部材と対向配置する部分であって、当接して弾性バネ部材との間で負荷が伝達可能とされる第１部分と、その第１部分とは異なる部分であって弾性バネ部材との間で負荷が非伝達とされる第２部分を備え、少なくとも、一対の第１部分の間に、第２部分が配置されるので、第２部分が被操作部材と対向配置される部分を通り過ぎる期間の長短により、被操作部材に負荷される負荷を調整することができる。
【０４２７】
即ち、一対の第１部分の間の第２部分を弾性バネ部材に対向配置させながら被操作部材が通り過ぎる期間が、それまでに弾性バネ部材に与えられた変位が戻りきるまでの期間よりも短ければ、第２部分を通り過ぎた後の第１部分が当接移動することにより弾性バネ部材に与えられる変位は、弾性バネ部材が戻りきらず残存した変位に加えられることになるため、戻りきった状態から弾性バネ部材を変位させる場合に比較して、被操作部材に与えられる負荷は大きくなる。
【０４２８】
一方で、一対の第１部分の間の第２部分を弾性バネ部材に対向配置させながら被操作部材が通り過ぎる期間が、それまでに弾性バネ部材に与えられた変位が戻りきるまでの期間よりも長ければ、第２部分を通り過ぎた後の第１部分が当接移動することにより弾性バネ部材に与えられる変位は、自然長からの変位となるので、被操作部材に与えられる負荷は小さくなる。これにより、被操作部材が第２部分を弾性バネ部材に対向配置させながら移動する速度の大小によって、被操作部材に弾性バネ部材から与えられる負荷を調整することができる。
【０４２９】
遊技機Ｃ３において、前記第１部分が複数配置されると共にそれら第１部分の間に前記第２部分が配置され、その第１部分の前記被操作部材の移動方向に沿った長さは、前記被操作部材が初期位置から移動する場合に、前記弾性バネ部材に対して後で当接する部分の方が、先に当接する部分に比較して長くされることを特徴とする遊技機Ｃ４。
【０４３０】
遊技機Ｃ４によれば、遊技機Ｃ３の奏する効果に加え、第１部分が複数配置されると共にそれら第１部分の間に第２部分が配置され、その第１部分の被操作部材の移動方向に沿った長さは、被操作部材が初期位置から移動する場合に、弾性バネ部材に対して後で当接する部分の方が、先に当接する部分に比較して長くされるので、被操作部材を移動させ過ぎて目標位置からの被操作部材のずれはばが大きくなりやすい初期位置から遠い位置において１の第１部分が被操作部材に弾性的な負荷を与える範囲を広く確保することができ、被操作部材を移動させすぎた後に操作力を解除すれば弾性的な負荷で目標位置に復帰させ易くすることができると共に、速度が過大とはなりにくい初期位置に近い側の部分と弾性バネ部材とが当接することにおいて負荷が過大となり遊技者が疲れやすくなることを防止することができる。
【０４３１】
遊技機Ｃ３又はＣ４において、前記被操作部材が初期位置から遠ざかる方向へ移動する間に前記第１部分を前記弾性バネ部材に当接させて移動する場合には、前記被操作部材へ前記弾性バネ部材の弾性的な負荷が伝達される一方で、前記被操作部材が初期位置へ向けて移動する間に前記第１部分を前記弾性バネ部材に当接させて移動する場合には、前記被操作部材へ前記弾性バネ部材による弾性的な負荷が非伝達とされることを特徴とする遊技機Ｃ５。
【０４３２】
遊技機Ｃ５によれば、遊技機Ｃ３又はＣ４の奏する効果に加え、被操作部材が移動する方向によって弾性バネ部材から弾性的な負荷が被操作部材へ伝達されるか否かが変化するので、被操作部材が第１部分を弾性バネ部材に当接させて移動する場合の減速度合いを、その移動方向によって変化させることができる。
【０４３３】
即ち、被操作部材が初期位置から遠ざかる方向へ向けて移動する場合には、弾性的に増加する負荷を抵抗として与えられることで移動速度が増加することを抑制できる一方で、被操作部材が初期位置へ向けて移動する場合には、抵抗が抑制され移動速度が遅くなることを抑制することができる。
【０４３４】
遊技機Ｃ１からＣ５のいずれかにおいて、前記制動手段から前記被操作部材に与えられる負荷が過大となった場合に、前記制動手段から前記被操作部材への負荷の伝達を遮断する遮断手段を備えることを特徴とする遊技機Ｃ６。
【０４３５】
遊技機Ｃ６によれば、遊技機Ｃ１からＣ５のいずれかの奏する効果に加え、制動手段から被操作部材に与えられる負荷が過大となった場合に、制動手段から被操作部材への負荷の伝達を遮断する遮断手段を備えるので、被操作部材を介して遊技者へ与える負荷の上限を定めることができる。これにより、被操作部材が遊技者へ与える負荷が過大となり、遊技者の操作負担が上昇することを抑制することができる。
【０４３６】
遊技機Ｃ１からＣ６のいずれかにおいて、前記被操作部材の移動経路に沿って前記被操作部材に併設される固定壁と、その固定壁に近接離反する態様で移動可能とされると共に被操作部材に配設される補助動作部材と、を備え、その補助動作部材は、前記被操作部材が前記第１速度で操作される場合には前記固定壁から離間する位置に配置されると共に、前記被操作部材が前記第２速度で操作される場合には前記固定壁へ近接移動され前記固定壁と当接可能に構成されることを特徴とする遊技機Ｃ７。
【０４３７】
遊技機Ｃ７によれば、遊技機Ｃ１からＣ６のいずれかの奏する効果に加え、固定壁が被操作部材の移動経路に沿って併設され、被操作部材に配設される補助動作部材が固定壁と当接するか否かを、被操作部材の変位の速度の大小によって変化させる態様で構成されるので、補助動作部材と固定壁とが当接した状態で被操作部材が移動することにより生じる摩擦力の分だけ、被操作部材を介して遊技者に与えられる負荷を変化させることができる。
【０４３８】
被操作部材を第１速度で移動させる場合には、補助動作部材と固定壁との当接は生じないので、第１速度で移動させる場合にも当接は生じる制動手段を備える場合に比較して、被操作部材を第１速度で移動させる場合に、微弱な負荷の増減が生じることを防止することができる。
【０４３９】
なお、補助動作部材の移動態様としては、被操作部材の移動時の慣性力（遠心力）で固定壁へ近接する方向に直接移動する態様や、慣性力（遠心力）で被操作部材の移動方向に沿って相対移動する他の部材を備え、その他の部材の移動により固定機構が外れ、固定壁へ近接する方向に移動する態様等が例示される。
【０４４０】
＜傾倒装置の回転速度が大の時に、遊技者への負荷が小となる技術思想の一例＞
遊技者が入力操作を行う入力手段を備える遊技機において、前記入力手段は、遊技者に入力操作される被操作部材と、その被操作部材に移動抵抗としての負荷を与えると共にその負荷を変化させる制動手段と、を備え、前記被操作部材が第１速度と、その第１速度よりも大きな第２速度とで変位する場合に、前記第１速度で変位した際に前記被操作部材に前記制動手段から与えられる負荷に比較して、前記第２速度で変位した際に前記被操作部材に前記制動手段から与えられる負荷の方が小さくされることを特徴とする遊技機Ｄ１。
【０４４１】
ここで、パチンコ機等の遊技機において、遊技者が押し込み操作を行う被操作部材を備え、その被操作部材の押し込み量（変位、速度または強さ等）に対応して、入力を切り替える態様で制御される遊技機がある（例えば特開２０１２−０２４３２２号公報を参照）。しかし、上述した従来の遊技機では、被操作部材を移動範囲の途中まで移動させて維持させる操作と、終端まで一気に押し込む操作とを要求される場合に、それら両方に適した抵抗をかけることが困難であるという問題点があった。
【０４４２】
即ち、被操作部材を移動範囲の途中まで移動させて維持する場合には、被操作部材の移動抵抗が大きい方が被操作部材に負荷を与える遊技者の力の調節が容易となる一方で、終端まで一気に押し込む操作を行う場合には移動抵抗が小さいほど快適に操作を行うことができるので、相反する性能を要求することになるという問題点があった。
【０４４３】
これに対し、遊技機Ｄ１によれば、被操作部材に移動抵抗としての負荷を与えると共にその負荷を変化させる制動手段を備え、被操作部材の移動速度が第１速度とされる場合に比較して、その第１速度よりも大きな第２速度で被操作部材が移動する場合の方が制動手段から与えられる負荷が小さくされるので、被操作部材が第１速度で変位する場合には被操作部材の位置を維持し易い状態にできると共に、被操作部材が第２速度で変位する場合には被操作部材を一気に押し込み易い状態とすることができる。
【０４４４】
遊技機Ｄ１において、前記制動手段が、付勢力により前記被操作部材に近接する方向に移動する制動補助部材を備え、その制動補助部材は前記被操作部材と当接することにより前記被操作部材に移動抵抗としての負荷を与え、前記被操作部材が初期位置から遠ざかる向きに移動する程、前記制動補助部材と前記被操作部材との当接位置が前記制動補助部材の初期位置から遠ざかる態様で構成されることを特徴とする遊技機Ｄ２。
【０４４５】
遊技機Ｄ２によれば、遊技機Ｄ１の奏する効果に加え、被操作部材と当接することにより被操作部材に移動抵抗としての負荷を与える制動補助部材が、被操作部材が初期位置から遠ざかる向きに移動する程、制動補助部材と被操作部材との当接位置が制動補助部材の初期位置から遠ざかる態様で構成されるので、被操作部材の移動後の当接位置に制動補助部材が追い付く前に更に被操作部材を移動させる速度で被操作部材を移動させることにより、制動補助部材から被操作部材へ移動抵抗としての負荷が伝達されることを抑制することができる。
【０４４６】
遊技機Ｄ２において、被操作部材が所定の回転軸を中心に回転する態様で構成され、前記制動補助部材が被操作部材の移動経路に沿った側壁部と当接され、その側壁部が、初期位置から前記被操作部材が移動する場合に先に前記制動補助部材と当接する第１当接点に比較して、その後で前記制動補助部材と当接する第２当接点の方が、前記第１当接点を通る前記所定の回転軸を中心とした円よりも内側に配置されることを特徴とする遊技機Ｄ３。
【０４４７】
遊技機Ｄ３によれば、遊技機Ｄ２の奏する効果に加え、第１当接点よりも後で制動補助部材と当接可能となる点が第１当接点を通り所定の回転軸を中心とする円の内側に配置されるので、被操作部材が初期位置から移動する程、制動補助部材から被操作部材へ与えられる負荷により発生するモーメントの腕を短くすることができ、被操作部材の回転抵抗を低減することができる。
【０４４８】
遊技機Ｄ１において、前記被操作部材の移動経路に沿って併設される固定壁を備え、前記制動手段は、前記被操作部材に弾性的に支持される慣性部材と、その慣性部材が前記被操作部材に対して相対的に停止する場合には前記固定壁と当接される一方で前記慣性部材が前記被操作部材に対して相対移動する場合には前記固定壁から離間される態様で構成される補助動作部材と、を備えることを特徴とする遊技機Ｄ４。
【０４４９】
遊技機Ｄ４によれば、遊技機Ｄ１の奏する効果に加え、制動手段が、被操作部材に弾性的に支持される慣性部材と、その慣性部材の被操作部材に対する移動に応じて固定壁と当接するか離間するか変化する補助動作部材と、を備え、慣性部材が被操作部材に対して相対移動する場合に補助動作部材が固定壁から離間するので、補助動作部材が被操作部材と同じ速度で移動し易い低速での移動時に移動抵抗としての負荷をかけやすい一方、補助動作部材が被操作部材に対して置いていかれ易い高速での移動じの移動抵抗としての負荷を小さくすることができる。
【０４５０】
遊技機Ｄ４において、前記被操作部材が所定の回転軸を中心に回転動作され、前記慣性部材は、前記被操作部材の前記回転軸の反対側の端部において回転軌跡に沿って移動する態様で支持されることを特徴とする遊技機Ｄ５。
【０４５１】
遊技機Ｄ５によれば、遊技機Ｄ４の奏する効果に加え、被操作部材が所定の回転軸を中心に回転動作され、その被操作部材が高速で移動される場合に、被操作部材の中で最も移動距離が大きくなる回転軸の反対側の端部に慣性部材が配置され、その移動距離を最も有効に活用できる回転軌跡に沿った経路で移動可能に支持されるので、慣性部材の慣性を有効に利用して慣性部材を被操作部材に対して相対移動し易くすることができる。
【０４５２】
遊技機Ｄ４又はＤ５において、前記固定壁の一部に磁性材料が配設され、前記補助動作部材が、前記固定壁に配設される磁性材料と逆の極性を有する磁性材料を含有すると共に前記補助動作部材と前記固定壁とが当接する場合に磁力により吸着可能に構成されることを特徴とする遊技機Ｄ６。
【０４５３】
遊技機Ｄ６によれば、遊技機Ｄ４又はＤ５の奏する効果に加え、固定壁の一部に磁性材料が配設され、補助動作部材と固定壁とが当接する場合に磁力により吸着可能に構成されるので、磁力による吸着が生じる部分と、磁力による吸着が生じない部分とで、被操作部材を同一速度で移動させた場合における補助動作部材の配置を変化させることができる。これにより、磁力による吸着が生じる部分において被操作部材を維持することを容易にすることができる。
【０４５４】
＜操作の種類が変化する位置で傾倒装置が係止される技術思想の一例＞
遊技者が入力操作を行う入力手段を備える遊技機において、前記入力手段は、遊技者に入力操作される被操作部材と、その被操作部材の移動を係止する係止手段と、を備え、前記被操作部材は、操作量により入力の態様を少なくとも第１の入力と第２の入力とで変更可能とされると共に、前記第２の入力がされない係止位置において前記係止手段に係止されることを特徴とする遊技機Ｅ１。
【０４５５】
ここで、パチンコ機等の遊技機において、遊技者が押し込み操作を行う被操作部材を備え、その被操作部材の押し込み量（変位、速度または強さ等）に対応して、入力の態様が変更される遊技機がある（例えば特開２０１２−０２４３２２号公報を参照）。しかし、上述した従来の遊技機では、入力の態様の変更されるタイミングを図るために被操作部材の姿勢に注目する必要があったり、被操作部材から遊技者に与えられる負荷により押し込み量を調整する必要があったりして、入力の態様が変更されるタイミングで被操作部材を停止させることが困難であるという問題点があった。
【０４５６】
そのため、例えば、連打操作と、押し込み量を変化させる押し込み操作との境界を認識できずに、押し込み操作の範囲に入り込みながら連打操作を行う恐れがあり、快適に遊技できない恐れがあるという問題点があった。
【０４５７】
これに対し、遊技機Ｅ１によれば、被操作部材の第２の入力がされない位置において、被操作部材が係止手段に係止されるので、被操作部材を第２の入力がされる位置に侵入する前に確実に停止させることができる。従って、第１の入力範囲で被操作部材の操作を完結させることができ、遊技の快適性を向上させることができる。
【０４５８】
また、この場合、途中で係止されずに移動範囲を移動仕切る場合に比較して、被操作部材の移動速度が過大となる恐れを小さくすることができる。これにより、被操作部材の破損防止を図ることができる。
【０４５９】
なお、係止手段の態様としては特に限定されるものではなく、種々の態様を採用することが可能である。例えば、被操作部材が係止位置に配置されたことを検出することにより被操作部材を係止する部材がソレノイドやバネにより被操作部材へ向けて近接変位される態様としても良いし、被操作部材が所定位置に配置された状態で吸着する固定磁石を設けその吸着により係止するようにしても良い。また、被操作部材が回転動作する場合には、被操作部材を軸支する軸棒の形状と、その軸棒を支持する軸孔の形状との関係で係止するようにしても良い。
【０４６０】
遊技機Ｅ１において、前記被操作部材を初期位置へ向けて移動させる付勢力を発生させる付勢手段を備え、前記係止手段による前記被操作部材の係止は、その係止位置まで前記被操作部材を移動させた後に開始される第２段階目の操作により解除されることを特徴とする遊技機Ｅ２。
【０４６１】
遊技機Ｅ２によれば、遊技機Ｅ１の奏する効果に加え、係止手段による被操作部材の係止の解除が、付勢手段の付勢力に抗して被操作部材を係止位置まで移動させた後で開始される第２段階目の操作により解除されるので、係止位置以降の操作を勢いよく行うことを抑制できる。これにより、被操作部材が初期位置に配置された状態から、被操作部材を移動終端まで一気に移動させるという操作を抑制することができる。
【０４６２】
なお、係止位置に被操作部材を移動させた後で開始される第２段階目の操作とは、例えば、被操作部材が押し込み操作をされる場合、係止位置で再度同じ方向に押し込まれる操作や、係止位置に至るまでに押し込まれた方向とは異なる方向に押し込まれる操作や、被操作部材に引き金を模した態様のトリガー部材が配置され、そのトリガー部材を引く操作等が例示される。
【０４６３】
遊技機Ｅ２において、前記第２段階目の操作の操作方向が、前記被操作部材が初期位置に配置された状態から行う操作の操作方向と異なった方向とされることを特徴とする遊技機Ｅ３。
【０４６４】
遊技機Ｅ３によれば、遊技機Ｅ２の奏する効果に加え、第２段階目の操作の操作方向が、被操作部材が初期位置に配置された状態から行う操作の操作方向と異なった方向とされるので、例えば、初期位置と係止位置との間に被操作部材が配置された状態において連打操作を要求された場合に、誤って、被操作部材が係止位置に配置された状態で被操作部材を押す操作を行ったとしても、被操作部材の係止が解除されないので、連打操作を続行することができる。これにより、遊技者が被操作部材を想定外に誤操作することを抑制することができる。
【０４６５】
遊技機Ｅ２において、前記被操作部材が回転動作可能に構成され、その被操作部材の回転軸は、前記被操作部材が初期位置に配置された状態における回転中心となる第１軸と、その第１軸とは異なる第２軸との間を移動可能とされ、前記被操作部材が前記係止位置に配置された状態で前記回転軸の移動が開始可能とされ、前記係止手段は、前記被操作部材が前記第１軸を中心に回転する場合に被操作部材と周方向で当接する当接係止部材を備え、前記被操作部材が前記第２軸を中心に回転する場合には前記被操作部材と前記当接係止部材との当接が解除されることを特徴とする遊技機Ｅ４。
【０４６６】
遊技機Ｅ４によれば、遊技機Ｅ２の奏する効果に加え、被操作部材が当接手段の当接係止部材と当接するか否かが、被操作部材が第１回転軸を中心に回転するか、第２回転軸を中心に回転するかによって変化するので、他の可動部材を追加することなく、被操作部材の係止と、その係止の解除とを行うことができる。これにより、部材個数の低減を図ることができる。
【０４６７】
なお、被操作部材が係止位置に配置された状態で回転軸の移動を開始可能とされる場合としては、被操作部材の回転軸の形状が真円形状ではなく、切り欠きを有する不完全円から構成され、回転軸が挿通される軸孔が真円ではなく内側に、凸部を有する形状から構成される場合に、被操作部材が係止位置に配置された状態で切り欠きと凸部とが当接されると共に、その姿勢で回転軸が軸孔に沿って第１位置から第２位置へ移動可能とされる形状で回転軸と軸孔とが形成される場合が例示される。
【０４６８】
なお、回転軸と軸孔とは、形状の関係が限られる物では無く、円柱形状の回転軸と長孔形状の軸孔で構成されても良いし、回転軸と軸孔とが共に凹凸を有する異形の形状で構成されても良い。
【０４６９】
遊技機Ｅ４において、前記付勢手段の発生させる付勢力が、前記被操作部材の回転を初期位置側に戻す方向と、前記被操作部材の前記回転軸を前記第１軸側に戻す方向との両方向にかけられることを特徴とする遊技機Ｅ５。
【０４７０】
遊技機Ｅ５によれば、遊技機Ｅ４の奏する効果に加え、付勢手段の発生させる付勢力が、被操作部材の回転を初期位置側に戻す方向と、被操作部材の回転軸を第１軸側に戻す方向との両方向にかけられるので、被操作部材の移動方向の増加に伴って付勢手段の配設個数が増加することを抑制することができる。
【０４７１】
遊技機Ｅ４又はＥ５において、前記被操作部材の初期位置からの回転操作が、前記被操作部材を奏する遊技者を基準として、手前から奥へ向けて行われる押し込み操作であり、前記第１軸が、前記第２軸よりも手前側に配置されることを特徴とする遊技機Ｅ６。
【０４７２】
遊技機Ｅ６によれば、遊技機Ｅ４又はＥ５の奏する効果に加え、被操作部材の初期位置からの回転操作が、被操作部材を奏する遊技者を基準として、手前から奥へ向けて行われる押し込み操作であり、第１軸が、第２軸よりも手前側に配置されるので、第１軸から第２軸へ被操作部材の回転軸を移動させる場合に被操作部材に遊技者からかけられる負荷の方向と、被操作部材を回転操作させる際に遊技者からかけられる負荷の方向とのなす角度が小さくされ、被操作部材を回転操作させる操作から滑らかに被操作部材の回転軸を移動させる操作に移ることができる。
【０４７３】
遊技機Ａ１からＡ７，Ｂ１からＢ７，Ｃ１からＣ７，Ｄ１からＤ６，Ｅ１からＥ６のいずれかにおいて、前記遊技機はスロットマシンであることを特徴とする遊技機Ｆ１。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０４７４】
遊技機Ａ１からＡ７，Ｂ１からＢ７，Ｃ１からＣ７，Ｄ１からＤ６，Ｅ１からＥ６のいずれかにおいて、前記遊技機はパチンコ遊技機であることを特徴とする遊技機Ｆ２。中でも、パチンコ遊技機の基本構成としては操作ハンドルを備え、その操作ハンドルの操作に応じて球を所定の遊技領域へ発射し、球が遊技領域内の所定の位置に配設された作動口に入賞（又は作動口を通過）することを必要条件として、表示手段において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
【０４７５】
遊技機Ａ１からＡ７，Ｂ１からＢ７，Ｃ１からＣ７，Ｄ１からＤ６，Ｅ１からＥ６のいずれかにおいて、前記遊技機はパチンコ遊技機とスロットマシンとを融合させたものであることを特徴とする遊技機Ｆ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
【符号の説明】
【０４７６】
１０                                              パチンコ機（遊技機）
３００、２３００、３３００、４３００、５３００、６３００、７３００、８３００、９３００                                              操作デバイス（入力手段）
３１０、２３１０、３３１０、４３１０、５３１０、６３１０、７３１０、８３１０、９３１０                                              傾倒装置（被操作部材）
３３２                                            作用爪部（作用部）
３３２ｂ                                          下端面（当接部）
３３２ｄ                                          前側円弧部（第１当接区間の一部）
３３２ｅ                                          後側円弧部（第２当接区間の一部）
３４３                                            ねじりバネ（付勢手段、第１弾性バネ部材）
３６２                                            付勢装置（調整手段の一部、変化手段の一部）
３６２ａ                                          ピストン部材（第２弾性バネ部材の一部、弾性バネ部材の一部）
３６２ｂ                                          コイルスプリング（第２弾性バネ部材の一部、弾性バネ部材の一部）
２３２６                                          切替動作部材（移動部材）
５３７２                                          逃げ孔（遮断手段の一部）
５３８０                                          第３付勢装置（制動手段の一部）
５３８３                                          ねじりバネ（弾性バネ部材の一部）
６３１６                                          湾曲壁部（側壁部）
６３８０                                          第４付勢装置（制動手段の一部）
６３８１                                          回転部材（制動補助部材）
７３１８                                          スライド装置（係止手段の一部）
７３１９ａ                                        作用部材（補助動作部材の一部）
７３１９ｃ                                        慣性作用部材（慣性部材）
８３１９ａ                                        作用部材（補助動作部材の一部）
９３４３                                          ねじりバネ（付勢手段の一部）
９３６１ｉ                                        係止ゴム部材（当接係止部材の一部）
９３７１ａ                                        係止平面（当接係止部材の一部）
Ｍ１                                              駆動モータ（回転モータ、駆動手段）
Ｍａ１                                            移動磁石（作用部の一部）
Ｍａ２                                            固定磁石（磁性負荷部材）
Ｍａ８１                                          固定磁石（固定壁の一部）
Ｎ１                                              直線
Ｏ１                                              回転軸
【図１】
2020022842.tif 000003
【図２】
2020022842.tif 000004
【図３】
2020022842.tif 000005
【図４】
2020022842.tif 000006
【図５】
2020022842.tif 000007
【図６】
2020022842.tif 000008
【図７】
2020022842.tif 000009
【図８】
2020022842.tif 000010
【図９】
2020022842.tif 000011
【図１０】
2020022842.tif 000012
【図１１】
2020022842.tif 000013
【図１２】
2020022842.tif 000014
【図１３】
2020022842.tif 000015
【図１４】
2020022842.tif 000016
【図１５】
2020022842.tif 000017
【図１６】
2020022842.tif 000018
【図１７】
2020022842.tif 000019
【図１８】
2020022842.tif 000020
【図１９】
2020022842.tif 000021
【図２０】
2020022842.tif 000022
【図２１】
2020022842.tif 000023
【図２２】
2020022842.tif 000024
【図２３】
2020022842.tif 000025
【図２４】
2020022842.tif 000026
【図２５】
2020022842.tif 000027
【図２６】
2020022842.tif 000028
【図２７】
2020022842.tif 000029
【図２８】
2020022842.tif 000030
【図２９】
2020022842.tif 000031
【図３０】
2020022842.tif 000032
【図３１】
2020022842.tif 000033
【図３２】
2020022842.tif 000034
【図３３】
2020022842.tif 000035
【図３４】
2020022842.tif 000036
【図３５】
2020022842.tif 000037
【図３６】
2020022842.tif 000038
【図３７】
2020022842.tif 000039
【図３８】
2020022842.tif 000040
【図３９】
2020022842.tif 000041
【図４０】
2020022842.tif 000042
【図４１】
2020022842.tif 000043
【図４２】
2020022842.tif 000044
【図４３】
2020022842.tif 000045
【図４４】
2020022842.tif 000046
【図４５】
2020022842.tif 000047
【図４６】
2020022842.tif 000048
【図４７】
2020022842.tif 000049
【図４８】
2020022842.tif 000050
【図４９】
2020022842.tif 000051
【図５０】
2020022842.tif 000052
【手続補正書】
【提出日】令和1年11月15日(2019.11.15)
【手続補正１】
【補正対象書類名】特許請求の範囲
【補正対象項目名】全文
【補正方法】変更
【補正の内容】
【特許請求の範囲】
【請求項１】
遊技者が入力操作を行う入力手段を備える遊技機において、
前記入力手段は、遊技者に入力操作される被操作部材を備え、
少なくとも前記被操作部材の移動範囲の一部において、遊技者が所定の直線方向で前記被操作部材を入力操作する場合に、前記所定の直線方向と、遊技者から負荷を与えられる前記被操作部材の所定部の移動方向との間の角度が、入力操作中に増大するよう構成されることにより、入力操作を行った遊技者が受ける負荷を変化可能に構成され、
遊技者が前記被操作部材を前記所定の直線方向で入力操作する場合に、前記被操作部材の移動量が所定量よりも大きくなると遊技者に伝達可能となる所定の振動を発生可能に構成されることを特徴とする遊技機。
【手続補正２】
【補正対象書類名】明細書
【補正対象項目名】全文
【補正方法】変更
【補正の内容】
【発明の詳細な説明】
【技術分野】
【０００１】
本発明は、パチンコ機などの遊技機に関するものである。
【背景技術】
【０００２】
パチンコ機などの遊技機において、遊技者が手動操作することで第１位置と第２位置との間を移動する操作部材を備える遊技機がある（特許文献１）。
【先行技術文献】
【特許文献】
【０００３】
【特許文献１】特開２０１４−０１４５７１号公報
【発明の概要】
【発明が解決しようとする課題】
【０００４】
しかしながら、上述した従来の遊技機では、被操作部材の操作性に改良の余地があるという問題点があった。本発明は、上記例示した問題点などを解決するためになされたものであり、被操作部材の操作性の良好な遊技機を提供することを目的とする。
【課題を解決するための手段】
【０００５】
この目的を達成するために請求項１記載の遊技機は、遊技者が入力操作を行う入力手段を備えるものであって、前記入力手段は、遊技者に入力操作される被操作部材を備え、少なくとも前記被操作部材の移動範囲の一部において、遊技者が所定の直線方向で前記被操作部材を入力操作する場合に、前記所定の直線方向と、遊技者から負荷を与えられる前記被操作部材の所定部の移動方向との間の角度が、入力操作中に増大するよう構成されることにより、入力操作を行った遊技者が受ける負荷を変化可能に構成され、遊技者が前記被操作部材を前記所定の直線方向で入力操作する場合に、前記被操作部材の移動量が所定量よりも大きくなると遊技者に伝達可能となる所定の振動を発生可能に構成される。
【０００６】
【０００７】
【発明の効果】
【０００８】
請求項１記載の遊技機によれば、被操作部材の操作性を良好にすることができる。
【０００９】
【００１０】
【図面の簡単な説明】
【００１１】
【図１】第１実施形態におけるパチンコ機の正面図である。
【図２】パチンコ機の遊技盤の正面図である。
【図３】パチンコ機の背面図である。
【図４】パチンコ機の電気的構成を示すブロック図である。
【図５】操作デバイスの正面斜視図である。
【図６】（ａ）は、パチンコ機の部分正面図であり、（ｂ）は、図６（ａ）のＶＩｂ−ＶＩｂ線におけるパチンコ機の部分断面図である。
【図７】（ａ）は、パチンコ機の部分正面図であり、（ｂ）は、図７（ａ）のＶＩＩｂ−ＶＩＩｂ線におけるパチンコ機の部分断面図である。
【図８】操作デバイスの正面斜視図である。
【図９】操作デバイスの上面分解斜視図である。
【図１０】傾倒装置の上面分解斜視図である。
【図１１】傾倒装置の底面分解斜視図である。
【図１２】（ａ）は、上カバーの正面図であり、（ｂ）は、図１２（ａ）の矢印ＸＩＩｂにおける上カバーの側面図であり、（ｃ）は、上カバーの上面図である。
【図１３】（ａ）は、図１２（ａ）のＸＩＩＩａ−ＸＩＩＩａ線における上カバーの断面図であり、（ｂ）は、上カバーの底面斜視図である。
【図１４】（ａ）は、下カバーの正面図であり、（ｂ）は、図１４（ａ）の矢印ＸＩＶｂにおける下カバーの側面図であり、（ｃ）は、下カバーの上面図であり、（ｄ）は、図１４（ａ）のＸＩＶｄ−ＸＩＶｄ線における下カバーの断面図である。
【図１５】（ａ）から（ｄ）は、図１４（ａ）のＸＩＶｄ−ＸＩＶｄ線に対応する線における傾倒装置の部分断面図である。
【図１６】（ａ）は、軸カバーの上面図であり、（ｂ）は、軸カバーの正面図であり、（ｃ）は、図１６（ａ）の矢印ＸＶＩｃにおける軸カバーの側面図である。
【図１７】下ケースの上面分解斜視図である。
【図１８】下ケースの底面分解斜視図である。
【図１９】（ａ）は、操作デバイスの正面図であり、（ｂ）は、図１９（ａ）のＸＩＸｂ−ＸＩＸｂ線における操作デバイスの断面図である。
【図２０】（ａ）及び（ｂ）は、図１９（ａ）のＸＩＸｂ−ＸＩＸｂ線における操作デバイスの断面図である。
【図２１】（ａ）及び（ｂ）は、図１９（ａ）のＸＩＸｂ−ＸＩＸｂ線における操作デバイスの断面図である。
【図２２】傾倒装置の上昇位置からの傾倒角度に対して傾倒装置に与えられる負荷を表すグラフである。
【図２３】第２実施形態における傾倒装置の上面分解斜視図である。
【図２４】（ａ）から（ｃ）は、傾倒装置及び下ケースの部分断面図である。
【図２５】（ａ）から（ｃ）は、傾倒装置及び下ケースの部分断面図である。
【図２６】（ａ）及び（ｂ）は、図１９（ａ）のＸＩＸｂ―ＸＩＸｂ線に対応する線における傾倒装置の部分断面図である。
【図２７】（ａ）及び（ｂ）は、図１９（ａ）のＸＩＸｂ―ＸＩＸｂ線に対応する線における傾倒装置の部分断面図である。
【図２８】傾倒装置の上昇位置からの傾倒角度に対して傾倒装置に与えられる負荷を表すグラフである。
【図２９】（ａ）は、第３実施形態における回転ピストン部材の正面斜視図であり、（ｂ）は、下ケースの部分正面斜視図であり、（ｃ）は、軸カバーの部分正面斜視図である。
【図３０】（ａ）及び（ｂ）は、図１９（ａ）のＸＩＸｂ―ＸＩＸｂ線に対応する線における傾倒装置の部分断面図である。
【図３１】（ａ）及び（ｂ）は、図１９（ａ）のＸＩＸｂ―ＸＩＸｂ線に対応する線における傾倒装置の部分断面図である。
【図３２】（ａ）及び（ｂ）は、図１９（ａ）のＸＩＸｂ―ＸＩＸｂ線に対応する線における第４実施形態における操作デバイスの断面図である。
【図３３】（ａ）及び（ｂ）は、図１９（ａ）のＸＩＸｂ―ＸＩＸｂ線に対応する線における操作デバイスの断面図である。
【図３４】傾倒装置の上昇位置からの傾倒角度に対して傾倒装置に与えられる負荷を表すグラフである。
【図３５】第５実施形態における操作デバイスの側面図である。
【図３６】（ａ）は、上ケースの上面図であり、（ｂ）及び（ｃ）は、図３６（ａ）のＸＸＸＶＩｂ−ＸＸＸＶＩｂ線における上ケース及び第３付勢装置の断面図である。
【図３７】（ａ）は、回転ローラの側面図であり、（ｂ）は、図３７（ａ）の矢印ＸＸＸＶＩＩｂにおける回転ローラの正面図である。
【図３８】（ａ）及び（ｂ）は、図３６（ａ）のＸＸＸＶＩｂ−ＸＸＸＶＩｂ線に対応する線における操作デバイスの断面図である。
【図３９】（ａ）及び（ｂ）は、図３６（ａ）のＸＸＸＶＩｂ−ＸＸＸＶＩｂ線に対応する線における操作デバイスの断面図である。
【図４０】（ａ）及び（ｂ）は、図３６（ａ）のＸＸＸＶＩｂ−ＸＸＸＶＩｂ線に対応する線における操作デバイスの断面図である。
【図４１】（ａ）及び（ｂ）は、図３６のＸＸＸＶＩｂ−ＸＸＸＶＩｂ線に対応する線における操作デバイスの断面図である。
【図４２】図３６のＸＸＸＶＩｂ−ＸＸＸＶＩｂ線に対応する線における操作デバイスの断面図である。
【図４３】第６実施形態における操作デバイスの側面図である。
【図４４】（ａ）及び（ｂ）は、操作デバイスの部分側面図である。
【図４５】（ａ）及び（ｂ）は、図１９（ａ）のＸＩＸｂ―ＸＩＸｂ線に対応する線における第７実施形態における操作デバイスの断面図である。
【図４６】（ａ）及び（ｂ）は、図１９（ａ）のＸＩＸｂ―ＸＩＸｂ線に対応する線における操作デバイスの断面図である。
【図４７】（ａ）及び（ｂ）は、図１９（ａ）のＸＩＸｂ―ＸＩＸｂ線に対応する線における第８実施形態における操作デバイスの部分断面図である。
【図４８】（ａ）及び（ｂ）は、図１９（ａ）のＸＩＸｂ―ＸＩＸｂ線に対応する線における第９実施形態における傾倒装置の断面図である。
【図４９】（ａ）及び（ｂ）は、図１９（ａ）のＸＩＸｂ―ＸＩＸｂ線に対応する線における傾倒装置の断面図である。
【図５０】図１９（ａ）のＸＩＸｂ―ＸＩＸｂ線に対応する線における傾倒装置の断面図である。
【発明を実施するための形態】
【００１２】
以下、本発明の実施形態について、添付図面を参照して説明する。まず、図１から図２２を参照し、第１実施形態として、本発明をパチンコ遊技機（以下、単に「パチンコ機」という）１０に適用した場合の一実施形態について説明する。図１は、第１実施形態におけるパチンコ機１０の正面図であり、図２はパチンコ機１０の遊技盤１３の正面図であり、図３はパチンコ機１０の背面図である。
【００１３】
図１に示すように、パチンコ機１０は、略矩形状に組み合わせた木枠により外殻が形成される外枠１１と、その外枠１１と略同一の外形形状に形成され外枠１１に対して開閉可能に支持された内枠１２とを備えている。外枠１１には、内枠１２を支持するために正面視（図１参照）左側の上下２カ所に金属製のヒンジ１８が取り付けられ、そのヒンジ１８が設けられた側を開閉の軸として内枠１２が正面手前側へ開閉可能に支持されている。
【００１４】
内枠１２には、多数の釘や入賞口６３，６４等を有する遊技盤１３（図２参照）が裏面側から着脱可能に装着される。この遊技盤１３の正面を球（遊技球）が流下することにより弾球遊技が行われる。なお、内枠１２には、球を遊技盤１３の正面領域に発射する球発射ユニット１１２ａ（図４参照）やその球発射ユニット１１２ａから発射された球を遊技盤１３の正面領域まで誘導する発射レール（図示せず）等が取り付けられている。
【００１５】
内枠１２の正面側には、その正面上側を覆う正面枠１４と、その下側を覆う下皿ユニット１５とが設けられている。正面枠１４及び下皿ユニット１５を支持するために正面視（図１参照）左側の上下２カ所に金属製のヒンジ１９が取り付けられ、そのヒンジ１９が設けられた側を開閉の軸として正面枠１４及び下皿ユニット１５が正面手前側へ開閉可能に支持されている。なお、内枠１２の施錠と正面枠１４の施錠とは、シリンダ錠２０の鍵穴２１に専用の鍵を差し込んで所定の操作を行うことでそれぞれ解除される。
【００１６】
正面枠１４は、装飾用の樹脂部品や電気部品等を組み付けたものであり、その略中央部には略楕円形状に開口形成された窓部１４ｃが設けられている。正面枠１４の裏面側には２枚の板ガラスを有するガラスユニット１６が配設され、そのガラスユニット１６を介して遊技盤１３の正面がパチンコ機１０の正面側に視認可能となっている。
【００１７】
正面枠１４には、球を貯留する上皿１７が正面側へ張り出して上面を開放した略箱状に形成されており、この上皿１７に賞球や貸出球などが排出される。上皿１７の底面は正面視（図１参照）右側に下降傾斜して形成され、その傾斜により上皿１７に投入された球が球発射ユニット１１２ａ（図４参照）へと案内される。また、上皿１７の上面には、枠ボタン２２が設けられている。この枠ボタン２２は、例えば、第３図柄表示装置８１（図２参照）で表示される演出のステージを変更したり、スーパーリーチの演出内容を変更したりする場合などに、遊技者により操作される。
【００１８】
正面枠１４には、その周囲（例えばコーナー部分）に各種ランプ等の発光手段が設けられている。これら発光手段は、大当たり時や所定のリーチ時等における遊技状態の変化に応じて、点灯又は点滅することにより発光態様が変更制御され、遊技中の演出効果を高める役割を果たす。窓部１４ｃの周縁には、ＬＥＤ等の発光手段を内蔵した電飾部２９〜３３が設けられている。パチンコ機１０においては、これら電飾部２９〜３３が大当たりランプ等の演出ランプとして機能し、大当たり時やリーチ演出時等には内蔵するＬＥＤの点灯や点滅によって各電飾部２９〜３３が点灯または点滅して、大当たり中である旨、或いは大当たり一歩手前のリーチ中である旨が報知される。また、正面枠１４の正面視（図１参照）左上部には、ＬＥＤ等の発光手段が内蔵され賞球の払い出し中とエラー発生時とを表示可能な表示ランプ３４が設けられている。
【００１９】
また、右側の電飾部３２下側には、正面枠１４の裏面側を視認できるように裏面側より透明樹脂を取り付けて小窓３５が形成され、遊技盤１３正面の貼着スペースＫ１（図２参照）に貼付される証紙等がパチンコ機１０の正面から視認可能とされている。また、パチンコ機１０においては、より煌びやかさを醸し出すために、電飾部２９〜３３の周りの領域にクロムメッキを施したＡＢＳ樹脂製のメッキ部材３６が取り付けられている。
【００２０】
窓部１４ｃの下方には、貸球操作部４０が配設されている。貸球操作部４０には、度数表示部４１と、球貸しボタン４２と、返却ボタン４３とが設けられている。パチンコ機１０の側方に配置されるカードユニット（球貸しユニット）（図示せず）に紙幣やカード等を投入した状態で貸球操作部４０が操作されると、その操作に応じて球の貸出が行われる。具体的には、度数表示部４１はカード等の残額情報が表示される領域であり、内蔵されたＬＥＤが点灯して残額情報として残額が数字で表示される。球貸しボタン４２は、カード等（記録媒体）に記録された情報に基づいて貸出球を得るために操作されるものであり、カード等に残額が存在する限りにおいて貸出球が上皿１７に供給される。返却ボタン４３は、カードユニットに挿入されたカード等の返却を求める際に操作される。なお、カードユニットを介さずに球貸し装置等から上皿１７に球が直接貸し出されるパチンコ機、いわゆる現金機では貸球操作部４０が不要となるが、この場合には、貸球操作部４０の設置部分に飾りシール等を付加して部品構成は共通のものとしても良い。カードユニットを用いたパチンコ機と現金機との共通化を図ることができる。
【００２１】
上皿１７の下側に位置する下皿ユニット１５には、その左側部に上皿１７に貯留しきれなかった球を貯留するための下皿５０が上面を開放した略箱状に形成されている。下皿５０の右側には、球を遊技盤１３の正面へ打ち込むために遊技者によって操作される操作ハンドル５１及び操作デバイス３００が配設される。なお、操作デバイス３００については後述する。
【００２２】
操作ハンドル５１の内部には、球発射ユニット１１２ａの駆動を許可するためのタッチセンサ５１ａと、押下操作している期間中には球の発射を停止する発射停止スイッチ５１ｂと、操作ハンドル５１の回動操作量（回動位置）を電気抵抗の変化により検出する可変抵抗器（図示せず）などが内蔵されている。操作ハンドル５１が遊技者によって右回りに回動操作されると、タッチセンサ５１ａがオンされると共に可変抵抗器の抵抗値が回動操作量に対応して変化し、その可変抵抗器の抵抗値に対応した強さ（発射強度）で球が発射され、これにより遊技者の操作に対応した飛び量で遊技盤１３の正面へ球が打ち込まれる。また、操作ハンドル５１が遊技者により操作されていない状態においては、タッチセンサ５１ａおよび発射停止スイッチ５１ｂがオフとなっている。
【００２３】
下皿５０の正面下方部には、下皿５０に貯留された球を下方へ排出する際に操作するための球抜きレバー５２が設けられている。この球抜きレバー５２は、常時、右方向に付勢されており、その付勢に抗して左方向へスライドさせることにより、下皿５０の底面に形成された底面口が開口して、その底面口から球が自然落下して排出される。この球抜きレバー５２の操作は、通常、下皿５０の下方に下皿５０から排出された球を受け取る箱（一般に「千両箱」と称される）を置いた状態で行われる。下皿５０の右方には、上述したように操作ハンドル５１が配設され、下皿５０の左方には灰皿（図示せず）が取り付けられている。
【００２４】
図２に示すように、遊技盤１３は、正面視略正方形状に切削加工したベース板６０に、球案内用の多数の釘（図示せず）や風車（図示せず）の他、レール６１，６２、一般入賞口６３、第１入賞口６４、第２入賞口６４０、可変入賞装置３３０、スルーゲート６７、可変表示装置ユニット８０等を組み付けて構成され、その周縁部が内枠１２（図１参照）の裏面側に取り付けられる。ベース板６０は光透過性の樹脂材料からなり、その正面側からベース板６０の背面側に配設された各種構造体を遊技者に視認させることが可能に形成される。一般入賞口６３、第１入賞口６４、第２入賞口６４０、可変表示装置ユニット８０は、ルータ加工によってベース板６０に形成された貫通穴に配設され、遊技盤１３の正面側からタッピングネジ等により固定されている。
【００２５】
遊技盤１３の正面中央部分は、正面枠１４の窓部１４ｃ（図１参照）を通じて内枠１２の正面側から視認することができる。以下に、主に図２を参照して、遊技盤１３の構成について説明する。
【００２６】
遊技盤１３の正面には、帯状の金属板を略円弧状に屈曲加工して形成した外レール６２が植立され、その外レール６２の内側位置には外レール６２と同様に帯状の金属板で形成した円弧状の内レール６１が植立される。この内レール６１と外レール６２とにより遊技盤１３の正面外周が囲まれ、遊技盤１３とガラスユニット１６（図１参照）とにより前後が囲まれることにより、遊技盤１３の正面には、球の挙動により遊技が行われる遊技領域が形成される。遊技領域は、遊技盤１３の正面であって２本のレール６１，６２とレール間を繋ぐ樹脂製の外縁部材７３とにより区画して形成される領域（入賞口等が配設され、発射された球が流下する領域）である。
【００２７】
２本のレール６１，６２は、球発射ユニット１１２ａ（図４参照）から発射された球を遊技盤１３上部へ案内するために設けられたものである。内レール６１の先端部分（図２の左上部）には戻り球防止部材６８が取り付けられ、一旦、遊技盤１３の上部へ案内された球が再度球案内通路内に戻ってしまうといった事態が防止される。外レール６２の先端部（図２の右上部）には、球の最大飛翔部分に対応する位置に返しゴム６９が取り付けられ、所定以上の勢いで発射された球は、返しゴム６９に当たって、勢いが減衰されつつ中央部側へ跳ね返される。
【００２８】
遊技領域の正面視左側下部（図２の左側下部）には、発光手段である複数のＬＥＤ及び７セグメント表示器を備える第１図柄表示装置３７Ａ，３７Ｂが配設されている。第１図柄表示装置３７Ａ，３７Ｂは、主制御装置１１０（図４参照）で行われる各制御に応じた表示がなされるものであり、主にパチンコ機１０の遊技状態の表示が行われる。本実施形態では、第１図柄表示装置３７Ａ，３７Ｂは、球が、第１入賞口６４へ入賞したか、第２入賞口６４０へ入賞したかに応じて使い分けられるように構成されている。具体的には、球が、第１入賞口６４へ入賞した場合には、第１図柄表示装置３７Ａが作動し、一方で、球が、第２入賞口６４０へ入賞した場合には、第１図柄表示装置３７Ｂが作動するように構成されている。
【００２９】
また、第１図柄表示装置３７Ａ，３７Ｂは、ＬＥＤにより、パチンコ機１０が確変中か時短中か通常中であるかを点灯状態により示したり、変動中であるか否かを点灯状態により示したり、停止図柄が確変大当たりに対応した図柄か普通大当たりに対応した図柄か外れ図柄であるかを点灯状態により示したり、保留球数を点灯状態により示すと共に、７セグメント表示装置により、大当たり中のラウンド数やエラー表示を行う。なお、複数のＬＥＤは、それぞれのＬＥＤの発光色（例えば、赤、緑、青）が異なるよう構成され、その発光色の組み合わせにより、少ないＬＥＤでパチンコ機１０の各種遊技状態を示唆することができる。
【００３０】
尚、本パチンコ機１０では、第１入賞口６４及び第２入賞口６４０へ入賞があったことを契機として抽選が行われる。パチンコ機１０は、その抽選において、大当たりか否かの当否判定（大当たり抽選）を行うと共に、大当たりと判定した場合はその大当たり種別の判定も行う。ここで判定される大当たり種別としては、１５Ｒ確変大当たり、４Ｒ確変大当たり、１５Ｒ通常大当たりが用意されている。第１図柄表示装置３７Ａ，３７Ｂには、変動終了後の停止図柄として抽選の結果が大当たりであるか否かが示されるだけでなく、大当たりである場合はその大当たり種別に応じた図柄が示される。
【００３１】
ここで、「１５Ｒ確変大当たり」とは、最大ラウンド数が１５ラウンドの大当たりの後に高確率状態へ移行する確変大当たりのことであり、「４Ｒ確変大当たり」とは、最大ラウンド数が４ラウンドの大当たりの後に高確率状態へ移行する確変大当たりのことである。また、「１５Ｒ通常大当たり」は、最大ラウンド数が１５ラウンドの大当たりの後に、低確率状態へ移行すると共に、所定の変動回数の間（例えば、１００変動回数）は時短状態となる大当たりのことである。
【００３２】
また、「高確率状態」とは、大当たり終了後に付加価値としてその後の大当たり確率がアップした状態、いわゆる確率変動中（確変中）の時をいい、換言すれば、特別遊技状態へ移行し易い遊技の状態のことである。本実施形態における高確率状態（確変中）は、後述する第２図柄の当たり確率がアップして第２入賞口６４０へ球が入賞し易い遊技の状態を含む。「低確率状態」とは、確変中でない時をいい、大当たり確率が通常の状態、即ち、確変の時より大当たり確率が低い状態をいう。また、「低確率状態」のうちの時短状態（時短中）とは、大当たり確率が通常の状態であると共に、大当たり確率がそのままで第２図柄の当たり確率のみがアップして第２入賞口６４０へ球が入賞し易い遊技の状態のことをいう。一方、パチンコ機１０が通常中とは、確変中でも時短中でもない遊技の状態（大当たり確率も第２図柄の当たり確率もアップしていない状態）である。
【００３３】
確変中や時短中は、第２図柄の当たり確率がアップするだけではなく、第２入賞口６４０に付随する電動役物６４０ａが開放される時間も変更され、通常中と比して長い時間が設定される。電動役物６４０ａが開放された状態（開放状態）にある場合は、その電動役物６４０ａが閉鎖された状態（閉鎖状態）にある場合と比して、第２入賞口６４０へ球が入賞しやすい状態となる。よって、確変中や時短中は、第２入賞口６４０へ球が入賞し易い状態となり、大当たり抽選が行われる回数を増やすことができる。
【００３４】
なお、確変中や時短中において、第２入賞口６４０に付随する電動役物６４０ａの開放時間を変更するのではなく、または、その開放時間を変更することに加えて、１回の当たりで電動役物６４０ａが開放する回数を通常中よりも増やす変更を行うものとしてもよい。また、確変中や時短中において、第２図柄の当たり確率は変更せず、第２入賞口６４０に付随する電動役物６４０ａが開放される時間および１回の当たりで電動役物６４０ａが開放する回数の少なくとも一方を変更するものとしてもよい。また、確変中や時短中において、第２入賞口６４０に付随する電動役物６４０ａが開放される時間や、１回の当たりで電動役物６４０ａを開放する回数はせず、第２図柄の当たり確率だけを、通常中と比してアップするよう変更するものであってもよい。
【００３５】
遊技領域には、球が入賞することにより５個から１５個の球が賞球として払い出される複数の一般入賞口６３が配設されている。また、遊技領域の中央部分には、可変表示装置ユニット８０が配設されている。可変表示装置ユニット８０には、第１入賞口６４及び第２入賞口６４０への入賞（始動入賞）をトリガとして、第１図柄表示装置３７Ａ，３７Ｂにおける変動表示と同期させながら、第３図柄の変動表示を行う液晶ディスプレイ（以下単に「表示装置」と略す）で構成された第３図柄表示装置８１と、スルーゲート６７の球の通過をトリガとして第２図柄を変動表示するＬＥＤで構成される第２図柄表示装置（図示せず）とが設けられている。また、可変表示装置ユニット８０には、第３図柄表示装置８１の外周を囲むようにして、センターフレーム８６が配設されている。
【００３６】
第３図柄表示装置８１は９インチサイズの大型の液晶ディスプレイで構成されるものであり、表示制御装置１１４（図４参照）によって表示内容が制御されることにより、例えば上、中及び下の３つの図柄列が表示される。各図柄列は複数の図柄（第３図柄）によって構成され、これらの第３図柄が図柄列毎に横スクロールして第３図柄表示装置８１の表示画面上にて第３図柄が可変表示されるようになっている。本実施形態の第３図柄表示装置８１は、主制御装置１１０（図４参照）の制御に伴った遊技状態の表示が第１図柄表示装置３７Ａ，３７Ｂで行われるのに対して、その第１図柄表示装置３７Ａ，３７Ｂの表示に応じた装飾的な表示を行うものである。なお、表示装置に代えて、例えばリール等を用いて第３図柄表示装置８１を構成するようにしても良い。
【００３７】
第２図柄表示装置は、球がスルーゲート６７を通過する毎に表示図柄（第２図柄（図示せず））としての「○」の図柄と「×」の図柄とを所定時間交互に点灯させる変動表示を行うものである。パチンコ機１０では、球がスルーゲート６７を通過したことが検出されると、当たり抽選が行われる。その当たり抽選の結果、当たりであれば、第２図柄表示装置において、第２図柄の変動表示後に「○」の図柄が停止表示される。また、当たり抽選の結果、外れであれば、第２図柄表示装置において、第３図柄の変動表示後に「×」の図柄が停止表示される。
【００３８】
パチンコ機１０は、第２図柄表示装置における変動表示が所定図柄（本実施形態においては「○」の図柄）で停止した場合に、第２入賞口６４０に付随された電動役物６４０ａが所定時間だけ作動状態となる（開放される）よう構成されている。
【００３９】
第２図柄の変動表示にかかる時間は、遊技状態が通常中の場合よりも、確変中または時短中の方が短くなるように設定される。これにより、確変中および時短中は、第２図柄の変動表示が短い時間で行われるので、当たり抽選を通常中よりも多く行うことができる。よって、当たり抽選において当たりとなる機会が増えるので、第２入賞口６４０の電動役物６４０ａが開放状態となる機会を遊技者に多く与えることができる。よって、確変中および時短中は、第２入賞口６４０へ球が入賞しやすい状態とすることができる。
【００４０】
なお、確変中または時短中において、当たり確率を高める、１回に当たりに対する電動役物６４０ａの開放時間や開放回数を増やすなど、その他の方法によっても、確変中または時短中に第２入賞口６４０へ球が入賞しやすい状態としている場合は、第２図柄の変動表示にかかる時間を遊技状態にかかわらず一定としてもよい。一方、第２図柄の変動表示にかかる時間を、確変中または時短中において通常中よりも短く設定する場合は、当たり確率を遊技状態にかかわらず一定にしてもよいし、また、１回の当たりに対する電動役物６４０ａの開放時間や開放回数を遊技状態にかかわらず一定にしてもよい。
【００４１】
スルーゲート６７は、可変表示装置ユニット８０の左右の領域において遊技盤１３に組み付けられ、遊技盤１３に発射された球の一部が通過可能に構成されている。スルーゲート６７を球が通過すると、第２図柄の当たり抽選が行われる。当たり抽選の後、第２図柄表示装置にて変動表示を行い、当たり抽選の結果が当たりであれば、変動表示の停止図柄として「○」の図柄を表示し、当たり抽選の結果が外れであれば、変動表示の停止図柄として「×」の図柄を表示する。
【００４２】
球のスルーゲート６７の通過回数は、合計で最大４回まで保留され、その保留球数が上述した第１図柄表示装置３７Ａ，３７Ｂにより表示されると共に第２図柄保留ランプ（図示せず）においても点灯表示される。第２図柄保留ランプは、最大保留数分の４つ設けられ、第３図柄表示装置８１の下方に左右対称に配設されている。
【００４３】
なお、第２図柄の変動表示は、本実施形態のように、第２図柄表示装置において複数のランプの点灯と非点灯を切り換えることにより行うものの他、第１図柄表示装置３７Ａ，３７Ｂ及び第３図柄表示装置８１の一部を使用して行うようにしても良い。同様に、第２図柄保留ランプの点灯を第３図柄表示装置８１の一部で行うようにしても良い。また、スルーゲート６７の球の通過に対する最大保留球数は４回に限定されるものでなく、３回以下、又は、５回以上の回数（例えば、８回）に設定しても良い。また、スルーゲート６７の組み付け数は２つに限定されるものではなく、例えば１つであっても良い。また、スルーゲート６７の組み付け位置は可変表示装置ユニット８０の左右に限定されるものではなく、例えば、可変表示装置ユニット８０の下方でも良い。また、第１図柄表示装置３７Ａ，３７Ｂにより保留球数が示されるので、第２図柄保留ランプにより点灯表示を行わないものとしてもよい。
【００４４】
可変表示装置ユニット８０の下方には、球が入賞し得る第１入賞口６４が配設されている。この第１入賞口６４へ球が入賞すると遊技盤１３の裏面側に設けられる第１入賞口スイッチ（図示せず）がオンとなり、その第１入賞口スイッチのオンに起因して主制御装置１１０（図４参照）で大当たりの抽選がなされ、その抽選結果に応じた表示が第１図柄表示装置３７Ａで示される。
【００４５】
一方、第１入賞口６４の正面視下方には、球が入賞し得る第２入賞口６４０が配設されている。この第２入賞口６４０へ球が入賞すると遊技盤１３の裏面側に設けられる第２入賞口スイッチ（図示せず）がオンとなり、その第２入賞口スイッチのオンに起因して主制御装置１１０（図４参照）で大当たりの抽選がなされ、その抽選結果に応じた表示が第１図柄表示装置３７Ｂで示される。
【００４６】
また、第１入賞口６４および第２入賞口６４０は、それぞれ、球が入賞すると５個の球が賞球として払い出される入賞口の１つにもなっている。なお、本実施形態においては、第１入賞口６４へ球が入賞した場合に払い出される賞球数と第２入賞口６４０へ球が入賞した場合に払い出される賞球数とを同じに構成したが、第１入賞口６４へ球が入賞した場合に払い出される賞球数と第２入賞口６４０へ球が入賞した場合に払い出される賞球数とを異なる数、例えば、第１入賞口６４へ球が入賞した場合に払い出される賞球数を３個とし、第２入賞口６４０へ球が入賞した場合に払い出される賞球数を５個として構成してもよい。
【００４７】
第２入賞口６４０には電動役物６４０ａが付随されている。この電動役物６４０ａは開閉可能に構成されており、通常は電動役物６４０ａが閉鎖状態（縮小状態）となって、球が第２入賞口６４０へ入賞しにくい状態となっている。一方、スルーゲート６７への球の通過を契機として行われる第２図柄の変動表示の結果、「○」の図柄が第２図柄表示装置に表示された場合、電動役物６４０ａが開放状態（拡大状態）となり、球が第２入賞口６４０へ入賞しやすい状態となる。
【００４８】
上述した通り、確変中および時短中は、通常中と比して第２図柄の当たり確率が高く、また、第２図柄の変動表示にかかる時間も短いので、第２図柄の変動表示において「○」の図柄が表示され易くなって、電動役物６４０ａが開放状態（拡大状態）となる回数が増える。更に、確変中および時短中は、電動役物６４０ａが開放される時間も、通常中より長くなる。よって、確変中および時短中は、通常時と比して、第２入賞口６４０へ球が入賞しやすい状態を作ることができる。
【００４９】
ここで、第１入賞口６４に球が入賞した場合と第２入賞口６４０へ球が入賞した場合とで、大当たりとなる確率は、低確率状態であっても高確率状態でも同一である。しかしながら、大当たりとなった場合に選定される大当たりの種別として１５Ｒ確変大当たりとなる確率は、第２入賞口６４０へ球が入賞した場合のほうが第１入賞口６４へ球が入賞した場合よりも高く設定されている。一方、第１入賞口６４は、第２入賞口６４０にあるような電動役物は有しておらず、球が常時入賞可能な状態となっている。
【００５０】
よって、通常中においては、第２入賞口６４０に付随する電動役物が閉鎖状態にある場合が多く、第２入賞口６４０に入賞しづらいので、電動役物のない第１入賞口６４へ向けて、可変表示装置ユニット８０の左方を球が通過するように球を発射し（所謂「左打ち」）、第１入賞口６４への入賞によって大当たり抽選の機会を多く得て、大当たりとなることを狙った方が、遊技者にとって有利となる。
【００５１】
一方、確変中や時短中は、スルーゲート６７に球を通過させることで、第２入賞口６４０に付随する電動役物６４０ａが開放状態となりやすく、第２入賞口６４０に入賞しやすい状態であるので、第２入賞口６４０へ向けて、可変表示装置８０の右方を球が通過するように球を発射し（所謂「右打ち」）、スルーゲート６７を通過させて電動役物を開放状態にすると共に、第２入賞口６４０への入賞によって１５Ｒ確変大当たりとなることを狙った方が、遊技者にとって有利となる。
【００５２】
なお、本実施形態におけるパチンコ機１０は、遊技盤１３の構成が左右対称とされるため、「右打ち」で第１入賞口６４を狙うことも、「左打ち」で第２入賞口６４０を狙うこともできる。そのため、本実施形態のパチンコ機１０は、パチンコ機１０の遊技状態（確変中であるか、時短中であるか、通常中であるか）に応じて、遊技者に対し、球の発射の仕方を「左打ち」と「右打ち」とに変えさせることを不要にできる。よって、球の打ち方を変化させる煩わしさを解消することができる。
【００５３】
第１入賞口６４の下方には可変入賞装置３３０（図１１参照）が配設されており、その略中央部分に特定入賞口６５ａが設けられている。パチンコ機１０においては、第１入賞口６４又は第２入賞口６４０への入賞に起因して行われた大当たり抽選が大当たりとなると、所定時間（変動時間）が経過した後に、大当たりの停止図柄となるよう第１図柄表示装置３７Ａ又は第１図柄表示装置３７Ｂを点灯させると共に、その大当たりに対応した停止図柄を第３図柄表示装置８１に表示させて、大当たりの発生が示される。その後、球が入賞し易い特別遊技状態（大当たり）に遊技状態が遷移する。この特別遊技状態として、通常時には閉鎖されている特定入賞口６５ａが、所定時間（例えば、３０秒経過するまで、或いは、球が１０個入賞するまで）開放される。
【００５４】
この特定入賞口６５ａは、所定時間が経過すると閉鎖され、その閉鎖後、再度、その特定入賞口６５ａが所定時間開放される。この特定入賞口６５ａの開閉動作は、最高で例えば１５回（１５ラウンド）繰り返し可能にされている。この開閉動作が行われている状態が、遊技者にとって有利な特別遊技状態の一形態であり、遊技者には、遊技上の価値（遊技価値）の付与として通常時より多量の賞球の払い出しが行われる。
【００５５】
なお、上記した形態に特別遊技状態は限定されるものではない。特定入賞口６５ａとは別に開閉される大開放口を遊技領域に設け、第１図柄表示装置３７Ａ，３７Ｂにおいて大当たりに対応したＬＥＤが点灯した場合に、特定入賞口６５ａが所定時間開放され、その特定入賞口６５ａの開放中に、球が特定入賞口６５ａ内へ入賞することを契機として特定入賞口６５ａとは別に設けられた大開放口が所定時間、所定回数開放される遊技状態を特別遊技状態として形成するようにしても良い。また、特定入賞口６５ａは１つに限るものではなく、１つ若しくは２以上の複数（例えば３つ）を配置しても良く、また配置位置も第１入賞口６４の下方右側や、第１入賞口６４の下方左側に限らず、例えば、可変表示装置ユニット８０の左方でも良い。
【００５６】
遊技盤１３の下側における右隅部には、証紙や識別ラベル等を貼着するための貼着スペースＫ１が設けられ、貼着スペースＫ１に貼られた証紙等は、正面枠１４の小窓３５（図１参照）を通じて視認することができる。
【００５７】
遊技盤１３には、アウト口７１が設けられている。遊技領域を流下する球であって、いずれの入賞口６３，６４，６５ａ，６４０にも入賞しなかった球は、アウト口７１を通って図示しない球排出路へと案内される。アウト口７１は、特定入賞口６５ａの左右に一対で配設される。
【００５８】
遊技盤１３には、球の落下方向を適宜分散、調整等するために多数の釘が植設されているとともに、風車等の各種部材（役物）とが配設されている。
【００５９】
図３に示すように、パチンコ機１０の背面側には、制御基板ユニット９０，９１と、裏パックユニット９４とが主に備えられている。制御基板ユニット９０は、主基板（主制御装置１１０）と音声ランプ制御基板（音声ランプ制御装置１１３）と表示制御基板（表示制御装置１１４）とが搭載されてユニット化されている。制御基板ユニット９１は、払出制御基板（払出制御装置１１１）と発射制御基板（発射制御装置１１２）と電源基板（電源装置１１５）とカードユニット接続基板１１６とが搭載されてユニット化されている。
【００６０】
裏パックユニット９４は、保護カバー部を形成する裏パック９２と払出ユニット９３とがユニット化されている。また、各制御基板には、各制御を司る１チップマイコンとしてのＭＰＵ、各種機器との連絡をとるポート、各種抽選の際に用いられる乱数発生器、時間計数や同期を図る場合などに使用されるクロックパルス発生回路等が、必要に応じて搭載されている。
【００６１】
なお、主制御装置１１０、音声ランプ制御装置１１３及び表示制御装置１１４、払出制御装置１１１及び発射制御装置１１２、電源装置１１５、カードユニット接続基板１１６は、それぞれ基板ボックス１００〜１０４に収納されている。基板ボックス１００〜１０４は、ボックスベースと該ボックスベースの開口部を覆うボックスカバーとを備えており、そのボックスベースとボックスカバーとが互いに連結されて、各制御装置や各基板が収納される。
【００６２】
また、基板ボックス１００（主制御装置１１０）及び基板ボックス１０２（払出制御装置１１１及び発射制御装置１１２）は、ボックスベースとボックスカバーとを封印ユニット（図示せず）によって開封不能に連結（かしめ構造による連結）している。また、ボックスベースとボックスカバーとの連結部には、ボックスベースとボックスカバーとに亘って封印シール（図示せず）が貼着されている。この封印シールは、脆性な素材で構成されており、基板ボックス１００，１０２を開封するために封印シールを剥がそうとしたり、基板ボックス１００，１０２を無理に開封しようとすると、ボックスベース側とボックスカバー側とに切断される。よって、封印ユニット又は封印シールを確認することで、基板ボックス１００，１０２が開封されたかどうかを知ることができる。
【００６３】
払出ユニット９３は、裏パックユニット９４の最上部に位置して上方に開口したタンク１３０と、タンク１３０の下方に連結され下流側に向けて緩やかに傾斜するタンクレール１３１と、タンクレール１３１の下流側に縦向きに連結されるケースレール１３２と、ケースレール１３２の最下流部に設けられ、払出モータ２１６（図４参照）の所定の電気的構成により球の払出を行う払出装置１３３とを備えている。タンク１３０には、遊技ホールの島設備から供給される球が逐次補給され、払出装置１３３により必要個数の球の払い出しが適宜行われる。タンクレール１３１には、当該タンクレール１３１に振動を付加するためのバイブレータ１３４が取り付けられている。
【００６４】
また、払出制御装置１１１には状態復帰スイッチ１２０が設けられ、発射制御装置１１２には可変抵抗器の操作つまみ１２１が設けられ、電源装置１１５にはＲＡＭ消去スイッチ１２２が設けられている。状態復帰スイッチ１２０は、例えば、払出モータ２１６（図４参照）部の球詰まり等、払出エラーの発生時に球詰まりを解消（正常状態への復帰）するために操作される。操作つまみ１２１は、発射ソレノイドの発射力を調整するために操作される。ＲＡＭ消去スイッチ１２２は、パチンコ機１０を初期状態に戻したい場合に電源投入時に操作される。
【００６５】
次に、図４を参照して、本パチンコ機１０の電気的構成について説明する。図４は、パチンコ機１０の電気的構成を示すブロック図である。
【００６６】
主制御装置１１０には、演算装置である１チップマイコンとしてのＭＰＵ２０１が搭載されている。ＭＰＵ２０１には、該ＭＰＵ２０１により実行される各種の制御プログラムや固定値データを記憶したＲＯＭ２０２と、そのＲＯＭ２０２内に記憶される制御プログラムの実行に際して各種のデータ等を一時的に記憶するためのメモリであるＲＡＭ２０３と、そのほか、割込回路やタイマ回路、データ送受信回路などの各種回路が内蔵されている。主制御装置１１０では、ＭＰＵ２０１によって、大当たり抽選や第１図柄表示装置３７Ａ，３７Ｂ及び第３図柄表示装置８１における表示の設定、第２図柄表示装置における表示結果の抽選といったパチンコ機１０の主要な処理を実行する。
【００６７】
なお、払出制御装置１１１や音声ランプ制御装置１１３などのサブ制御装置に対して動作を指示するために、主制御装置１１０から該サブ制御装置へ各種のコマンドがデータ送受信回路によって送信されるが、かかるコマンドは、主制御装置１１０からサブ制御装置へ一方向にのみ送信される。
【００６８】
ＲＡＭ２０３は、各種エリア、カウンタ、フラグのほか、ＭＰＵ２０１の内部レジスタの内容やＭＰＵ２０１により実行される制御プログラムの戻り先番地などが記憶されるスタックエリアと、各種のフラグおよびカウンタ、Ｉ／Ｏ等の値が記憶される作業エリア（作業領域）とを有している。なお、ＲＡＭ２０３は、パチンコ機１０の電源の遮断後においても電源装置１１５からバックアップ電圧が供給されてデータを保持（バックアップ）できる構成となっており、ＲＡＭ２０３に記憶されるデータは、すべてバックアップされる。
【００６９】
停電などの発生により電源が遮断されると、その電源遮断時（停電発生時を含む。以下同様）のスタックポインタや、各レジスタの値がＲＡＭ２０３に記憶される。一方、電源投入時（停電解消による電源投入を含む。以下同様）には、ＲＡＭ２０３に記憶される情報に基づいて、パチンコ機１０の状態が電源遮断前の状態に復帰される。ＲＡＭ２０３への書き込みはメイン処理（図示せず）によって電源遮断時に実行され、ＲＡＭ２０３に書き込まれた各値の復帰は電源投入時の立ち上げ処理（図示せず）において実行される。なお、ＭＰＵ２０１のＮＭＩ端子（ノンマスカブル割込端子）には、停電等の発生による電源遮断時に、停電監視回路２５２からの停電信号ＳＧ１が入力されるように構成されており、その停電信号ＳＧ１がＭＰＵ２０１へ入力されると、停電時処理としてのＮＭＩ割込処理（図示せず）が即座に実行される。
【００７０】
主制御装置１１０のＭＰＵ２０１には、アドレスバス及びデータバスで構成されるバスライン２０４を介して入出力ポート２０５が接続されている。入出力ポート２０５には、払出制御装置１１１、音声ランプ制御装置１１３、第１図柄表示装置３７Ａ，３７Ｂ、第２図柄表示装置、第２図柄保留ランプ、特定入賞口６５ａの開閉板の下辺を軸として正面側に開閉駆動するための大開放口ソレノイドや電動役物を駆動するためのソレノイドなどからなるソレノイド２０９が接続され、ＭＰＵ２０１は、入出力ポート２０５を介してこれらに対し各種コマンドや制御信号を送信する。
【００７１】
また、入出力ポート２０５には、図示しないスイッチ群およびスライド位置検出センサＳや回転位置検出センサＲを含むセンサ群などからなる各種スイッチ２０８、電源装置１１５に設けられた後述のＲＡＭ消去スイッチ回路２５３が接続され、ＭＰＵ２０１は各種スイッチ２０８から出力される信号や、ＲＡＭ消去スイッチ回路２５３より出力されるＲＡＭ消去信号ＳＧ２に基づいて各種処理を実行する。
【００７２】
払出制御装置１１１は、払出モータ２１６を駆動させて賞球や貸出球の払出制御を行うものである。演算装置であるＭＰＵ２１１は、そのＭＰＵ２１１により実行される制御プログラムや固定値データ等を記憶したＲＯＭ２１２と、ワークメモリ等として使用されるＲＡＭ２１３とを有している。
【００７３】
払出制御装置１１１のＲＡＭ２１３は、主制御装置１１０のＲＡＭ２０３と同様に、ＭＰＵ２１１の内部レジスタの内容やＭＰＵ２１１により実行される制御プログラムの戻り先番地などが記憶されるスタックエリアと、各種のフラグおよびカウンタ、Ｉ／Ｏ等の値が記憶される作業エリア（作業領域）とを有している。ＲＡＭ２１３は、パチンコ機１０の電源の遮断後においても電源装置１１５からバックアップ電圧が供給されてデータを保持（バックアップ）できる構成となっており、ＲＡＭ２１３に記憶されるデータは、すべてバックアップされる。なお、主制御装置１１０のＭＰＵ２０１と同様、ＭＰＵ２１１のＮＭＩ端子にも、停電等の発生による電源遮断時に停電監視回路２５２から停電信号ＳＧ１が入力されるように構成されており、その停電信号ＳＧ１がＭＰＵ２１１へ入力されると、停電時処理としてのＮＭＩ割込処理（図示せず）が即座に実行される。
【００７４】
払出制御装置１１１のＭＰＵ２１１には、アドレスバス及びデータバスで構成されるバスライン２１４を介して入出力ポート２１５が接続されている。入出力ポート２１５には、主制御装置１１０や払出モータ２１６、発射制御装置１１２などがそれぞれ接続されている。また、図示はしないが、払出制御装置１１１には、払い出された賞球を検出するための賞球検出スイッチが接続されている。なお、該賞球検出スイッチは、払出制御装置１１１に接続されるが、主制御装置１１０には接続されていない。
【００７５】
発射制御装置１１２は、主制御装置１１０により球の発射の指示がなされた場合に、操作ハンドル５１の回動操作量に応じた球の打ち出し強さとなるよう球発射ユニット１１２ａを制御するものである。球発射ユニット１１２ａは、図示しない発射ソレノイドおよび電磁石を備えており、その発射ソレノイドおよび電磁石は、所定条件が整っている場合に駆動が許可される。具体的には、遊技者が操作ハンドル５１に触れていることをタッチセンサ５１ａにより検出し、球の発射を停止させるための発射停止スイッチ５１ｂがオフ（操作されていないこと）を条件に、操作ハンドル５１の回動操作量（回動位置）に対応して発射ソレノイドが励磁され、操作ハンドル５１の操作量に応じた強さで球が発射される。
【００７６】
音声ランプ制御装置１１３は、音声出力装置（図示しないスピーカなど）２２６における音声の出力、ランプ表示装置（電飾部２９〜３３、表示ランプ３４など）２２７における点灯および消灯の出力、変動演出（変動表示）や予告演出といった表示制御装置１１４で行われる第３図柄表示装置８１の表示態様の設定などを制御するものである。演算装置であるＭＰＵ２２１は、そのＭＰＵ２２１により実行される制御プログラムや固定値データ等を記憶したＲＯＭ２２２と、ワークメモリ等として使用されるＲＡＭ２２３とを有している。
【００７７】
音声ランプ制御装置１１３のＭＰＵ２２１には、アドレスバス及びデータバスで構成されるバスライン２２４を介して入出力ポート２２５が接続されている。入出力ポート２２５には、主制御装置１１０、表示制御装置１１４、音声出力装置２２６、ランプ表示装置２２７、その他装置２２８、枠ボタン２２などがそれぞれ接続されている。その他装置２２８には駆動モータＭ１が含まれる。
【００７８】
音声ランプ制御装置１１３は、主制御装置１１０から受信した各種のコマンド（変動パターンコマンド、停止種別コマンド等）に基づいて、第３図柄表示装置８１の表示態様を決定し、決定した表示態様をコマンド（表示用変動パターンコマンド、表示用停止種別コマンド等）によって表示制御装置１１４へ通知する。また、音声ランプ制御装置１１３は、枠ボタン２２からの入力を監視し、遊技者によって枠ボタン２２が操作された場合は、第３図柄表示装置８１で表示されるステージを変更したり、スーパーリーチ時の演出内容を変更したりするように、表示制御装置１１４へ指示する。ステージが変更される場合は、変更後のステージに応じた背面画像を第３図柄表示装置８１に表示させるべく、変更後のステージに関する情報を含めた背面画像変更コマンドを表示制御装置１１４へ送信する。ここで、背面画像とは、第３図柄表示装置８１に表示させる主要な画像である第３図柄の背面側に表示される画像のことである。表示制御装置１１４は、この音声ランプ制御装置１１３から送信されるコマンドに従って、第３図柄表示装置８１に各種の画像を表示する。
【００７９】
また、音声ランプ制御装置１１３は、表示制御装置１１４から第３図柄表示装置８１の表示内容を表すコマンド（表示コマンド）を受信する。音声ランプ制御装置１１３では、表示制御装置１１４から受信した表示コマンドに基づき、第３図柄表示装置８１の表示内容に合わせて、その表示内容に対応する音声を音声出力装置２２６から出力し、また、その表示内容に対応させてランプ表示装置２２７の点灯および消灯を制御する。
【００８０】
表示制御装置１１４は、音声ランプ制御装置１１３及び第３図柄表示装置８１が接続され、音声ランプ制御装置１１３より受信したコマンドに基づいて、第３図柄表示装置８１における第３図柄の変動演出などの表示を制御するものである。また、表示制御装置１１４は、第３図柄表示装置８１の表示内容を通知する表示コマンドを適宜音声ランプ制御装置１１３へ送信する。音声ランプ制御装置１１３は、この表示コマンドによって示される表示内容にあわせて音声出力装置２２６から音声を出力することで、第３図柄表示装置８１の表示と音声出力装置２２６からの音声出力とをあわせることができる。
【００８１】
電源装置１１５は、パチンコ機１０の各部に電源を供給するための電源部２５１と、停電等による電源遮断を監視する停電監視回路２５２と、ＲＡＭ消去スイッチ１２２（図３参照）が設けられたＲＡＭ消去スイッチ回路２５３とを有している。電源部２５１は、図示しない電源経路を通じて、各制御装置１１０〜１１４等に対して各々に必要な動作電圧を供給する装置である。その概要としては、電源部２５１は、外部より供給される交流２４ボルトの電圧を取り込み、各種スイッチ２０８などの各種スイッチや、ソレノイド２０９などのソレノイド、モータ等を駆動するための１２ボルトの電圧、ロジック用の５ボルトの電圧、ＲＡＭバックアップ用のバックアップ電圧などを生成し、これら１２ボルトの電圧、５ボルトの電圧及びバックアップ電圧を各制御装置１１０〜１１４等に対して必要な電圧を供給する。
【００８２】
停電監視回路２５２は、停電等の発生による電源遮断時に、主制御装置１１０のＭＰＵ２０１及び払出制御装置１１１のＭＰＵ２１１の各ＮＭＩ端子へ停電信号ＳＧ１を出力するための回路である。停電監視回路２５２は、電源部２５１から出力される最大電圧である直流安定２４ボルトの電圧を監視し、この電圧が２２ボルト未満になった場合に停電（電源断、電源遮断）の発生と判断して、停電信号ＳＧ１を主制御装置１１０及び払出制御装置１１１へ出力する。停電信号ＳＧ１の出力によって、主制御装置１１０及び払出制御装置１１１は、停電の発生を認識し、ＮＭＩ割込処理を実行する。なお、電源部２５１は、直流安定２４ボルトの電圧が２２ボルト未満になった後においても、ＮＭＩ割込処理の実行に充分な時間の間、制御系の駆動電圧である５ボルトの電圧の出力を正常値に維持するように構成されている。よって、主制御装置１１０及び払出制御装置１１１は、ＮＭＩ割込処理（図示せず）を正常に実行し完了することができる。
【００８３】
ＲＡＭ消去スイッチ回路２５３は、ＲＡＭ消去スイッチ１２２（図３参照）が押下された場合に、主制御装置１１０へ、バックアップデータをクリアさせるためのＲＡＭ消去信号ＳＧ２を出力するための回路である。主制御装置１１０は、パチンコ機１０の電源投入時に、ＲＡＭ消去信号ＳＧ２を入力した場合に、バックアップデータをクリアすると共に、払出制御装置１１１においてバックアップデータをクリアさせるための払出初期化コマンドを払出制御装置１１１に対して送信する。
【００８４】
図５は、操作デバイス３００の正面斜視図である。図５に示すように、操作デバイス３００は、正面視における内枠１２の左右方向中央部（即ち、パチンコ機１０の左右方向中央部）に配置される。
【００８５】
操作デバイス３００は、遊技者に押し込まれることにより傾倒動作可能に構成される傾倒装置３１０を備え、その傾倒装置３１０は、上皿１７の外枠に沿って前後方向に凹設される収容凹部１７ａによって構成される領域を移動可能とされる。遊技者が傾倒装置３１０を傾倒（回転）操作することにより、パチンコ機１０（図１参照）に信号が入力される。
【００８６】
傾倒装置３１０と収容凹部１７ａとの間には、少なくとも手の指が無理なく入る程度の隙間が空けられる。これにより、遊技者は、傾倒装置３１０の上面奥側に指を入れ込む態様で傾倒装置３１０を操作する準備を行うことができる。
【００８７】
なお、遊技者は右手で操作ハンドル５１を握るため、首振り操作部材３１０の操作は左手で行われることが多くなる。そのため、以下の説明では、遊技者が首振り操作部材３１０を左手で操作するという前提で、説明を行う。
【００８８】
図６（ａ）は、パチンコ機１０の部分正面図であり、図６（ｂ）は、図６（ａ）のＶＩｂ−ＶＩｂ線におけるパチンコ機１０の部分断面図であり、図７（ａ）は、パチンコ機１０の部分正面図であり、図７（ｂ）は、図７（ａ）のＶＩＩｂ−ＶＩＩｂ線におけるパチンコ機１０の部分断面図である。
【００８９】
図６及び図７では、パチンコ機１０の、操作デバイス３００付近が部分的に図示される。なお、図６では、傾倒装置３１０が上昇位置（本実施形態における初期位置）に配置された状態が図示され、図７では、傾倒装置３１０が下降位置（本実施形態における押し込み終端）に配置された状態が図示され、傾倒装置３１０を操作する遊技者の手の一例が想像線で図示される。
【００９０】
傾倒装置３１０の操作の一例について説明する。傾倒装置３１０の操作は、例えば、第３図柄表示装置８１（図２参照）に特定の表示（例えば、「ペダルを押し込め」という表示）が現れた時に遊技者が行うものである。特定の表示が現れる前においては、遊技者は手をパチンコ機１０に置いた状態で待機している（図６（ｂ）参照）。このとき、傾倒装置３１０の回転軸の上部に手を置くことにより、傾倒装置３１０を上昇位置に維持したまま、遊技者は、特定の表示が現れたら即座に傾倒装置３１０の操作を行い得る姿勢で、楽に待機することができる。
【００９１】
図６（ｂ）に示す状態から、手の根本を軸に手を倒すことにより、傾倒装置３１０を上昇位置から下降位置まで移動させることで、傾倒装置３１０の操作を行う（図７（ｂ）参照）。本実施形態では、傾倒装置３１０は、上昇位置から傾倒する角度を検出可能に構成される。
【００９２】
上皿１７の収容凹部１７ａは、傾倒装置３１０の外形から十分に離間して配置される。そのため、遊技者が傾倒装置３１０の左右側面を把持する際に、傾倒装置３１０と収容凹部１７ａとの間に指を入れ易くすることができる。
【００９３】
図７に示すように、図６に示す状態から遊技者が円弧に沿った曲線を描く矢印Ｆ１の方向に力をかけることで、傾倒装置３１０を移動（傾倒）させる。即ち、傾倒装置３１０を移動させる力の方向が直線ではなく曲線を描くので、上昇位置（図６参照）において遊技者が傾倒装置３１０に直線的な大きな力をかけたとしても、傾倒装置３１０が移動するにつれて、力の方向と傾倒装置３１０の移動方向（回転軌跡の接線方向）との間の角度が大きくなる。そのため、下降位置において傾倒装置３１０に与えられる負荷を小さくすることができる（遊技者から与えられる直線的な力を部分的に逃がすことができる）。
【００９４】
図８は、操作デバイス３００の正面斜視図である。なお、図８では、操作デバイス３００の傾倒装置３１０が上昇位置（図６参照）に配置された状態が図示される。図８に示すように、操作デバイス３００は、断面扇形状の傾倒装置３１０が手前側の端部で軸支され押し込み操作に対して傾倒動作可能（図６及び図７参照）に構成される。
【００９５】
図９は、操作デバイス３００の上面分解斜視図である。図９に示すように、操作デバイス３００は、正面側端部（図９紙面手前側端部）で左右端部にそれぞれ配設されるリング部材ＢＲ１を備える傾倒装置３１０と、その傾倒装置３１０のリング部材ＢＲ１を下側から支持する凹設軸受け部３６１ａを有すると共に傾倒装置３１０の押し込み終端を形成する下ケース３６０と、傾倒装置３１０のリング部材ＢＲ１を上側から支持し下ケース３６０と向かい合わせで配置される凹設部を有し下ケース３６０との間に傾倒部材３１０を配置する態様で下ケース３６０に締結固定されると共に傾倒装置３１０と当接することで傾倒装置３１０の上昇位置を定める（コ字状枠の内周縁部に傾倒装置３１０が当接される）上ケース３７０と、を主に備える。
【００９６】
図１０は、傾倒装置３１０の上面分解斜視図であり、図１１は、傾倒装置３１０の底面分解斜視図である。図１０及び図１１に示すように、傾倒装置３１０は、最上部に配置され遊技者からの注目度が最も高い装飾部分としての役割を持つと共に遊技者から押し込み操作される部分である上カバー３１１と、その上カバー３１１と上下方向に面で重ねられると共に上カバー３１１に締結固定される下カバー３２０と、上カバー３１１に締結固定されると共に作用爪部３３２で下カバー３２０を上カバー３１１との間で挟み込む軸カバー３３０と、上カバー３１１と軸カバー３３０との間に内嵌される一対の軸部材３４０と、上カバー３１１の後端部内側と下カバー３２０の後端部外側との間に配設されると共に櫛状の櫛状部３５２を有する湾曲した湾曲部材３５０と、上カバー３１１と下カバー３２０との間に挟持される駆動モータＭ１と、上カバー３１１の延設判軸部３１３ｃ及び軸カバー３３０の延設半軸部３３１ｃを内嵌するリング形状のリング部材ＢＲ１と、を主に備える。
【００９７】
軸部材３４０は、左右一対で配設され、上カバー３１１及び軸カバー３３０の凹設部３１３ｂ，３３１ｂ及び延設半軸部３１３ｃ，３３１ｃに内嵌される円筒形状の筒状部３４１と、その筒状部３４１の中腹において筒状部３４１よりも直径の大きい円盤形状に形成される円盤部３４２と、その円盤部３４２に軸方向の移動を係止されると共にねじり部分に筒状部３４１が挿通された状態で配設されるねじりバネ３４３と、を主に備える。
【００９８】
軸部材３４０が左右一対で配設されることにより、上カバー３１１及び軸カバー３３０の軸心の中心部付近に締結ネジを通して締結固定することができる。これにより、軸心の中心部付近に遊技者から大きな負荷をかけられたとしても（遊技者が誤操作を行ったとしても）、締結ネジの強度によって、上カバー３１１及び軸カバー３３０が軸心の中心部付近が破損することを防止することができる。
【００９９】
ねじりバネ３４３は、傾倒部材３１０の軸方向の内側において下方へ延びる下腕３４３ａと、軸方向外側において上方へ延びる上腕３４３ｂと、を備え、下腕３４３ａは、軸カバー３３０の貫通孔３３１ｆに挿通されると共に下ケース３６０の帯状凸設部３６１ｂ（図９参照）に係止され、上腕３４３ｂは、上カバー３１１の切り欠き３１４ａ及び下カバー３２０の切り欠き３２３ａに係止される。
【０１００】
湾曲部材３５０は、上カバー３１１の湾曲壁部３１６及び下カバー３２０の湾曲壁部３２２の形状に沿って湾曲する断面Ｉ字形状の本体部３５１と、その本体部３５１の手前側端部（図１０紙面手前側）の形状に沿った形状で右方に延設される櫛状部３５２と、その櫛状部３５２の逆方向に延設される切替延設部３５３と、を主に備える。
【０１０１】
本体部３５１は、奥側端部（図１０紙面奥側）から左右方向に延設される板状の被挟持部３５１ａと、下端部において被挟持部３５１ａと隣接する部分において上方へ向けて凹設される嵌合凹部３５１ｂと、を備え、被挟持部３５１ａが上カバー３１１の後端部（湾曲壁部３１６）内側と下カバー３２０の後端部（湾曲壁部３２２）外側との間に挟持される。
【０１０２】
被挟持部３５１ａは、湾曲壁部３２２の形状に沿って湾曲する板部であって、上カバー３１１の湾曲壁部３１６と下カバー３２０の湾曲壁部３２２との間に挟持される部分である。
【０１０３】
櫛状部３５２は、本体部３５１から右方に凸設される凸設部３５２ａと、隣り合う凸設部３５２ａに挟まれて本体部３５１側へ凹設される凹設部３５２ｂと、を備え、本実施形態では、それらが均等間隔（組立状態で傾倒装置３１０が３°回転（傾倒）するごとに切り替わる間隔）で配設される。
【０１０４】
切替延設部３５３は、本体部３５１から左方に凸設される凸設部３５３ａと、その凸設部３５３ａの下端部に隣り合って本体部３５１側へ凹設される凹設部３５３ｂと、を備える。本実施形態では、凸設部３５３ａ及び凹設部３５３ｂの境界位置が、櫛状部３５２の下端の凸設部３５２ａの中間位置（半分の位置）と一致する態様で構成される。
【０１０５】
駆動モータＭ１は、左右一対で配設され、回転駆動される回転軸に偏心して軸支される扇形状の錘部材Ｍ１ａを備える。駆動モータＭ１が回転駆動されることにより、錘部材Ｍ１ａの重心が移動し、その重心の移動により傾倒部材３１０を振動させることができ、傾倒装置３１０を操作する遊技者の期待感を高めることができる。
【０１０６】
次いで、図１２及び図１３を参照して、上カバー３１１について説明する。図１２（ａ）は、上カバー３１１の正面図であり、図１２（ｂ）は、図１２（ａ）の矢印ＸＩＩｂにおける上カバー３１１の側面図であり、図１２（ｃ）は、上カバー３１１の上面図である。図１３（ａ）は、図１２（ａ）のＸＩＩＩａ−ＸＩＩＩａ線における上カバー３１１の断面図であり、図１３（ｂ）は、上カバー３１１の底面斜視図である。
【０１０７】
図１２及び図１３に示すように、上カバー３１１は、手前側から奥側へ向けて上方へ傾斜する板形状の押圧板部３１２と、その押圧板部３１２の手前側端部に配設され外形が左右方向に延設されるハーフパイプ形状で構成される円筒上半部３１３と、押圧板部３１２の手前側部分において円筒上半部３１３の後端部辺りへ向けて上下方向（図１３（ａ）上下方向）に沿って延設される前側壁部３１４と、その前側壁部３１４の後方に所定間隔を開けて前側壁部３１４と平行に押圧板部３１２から延設される後側壁部３１５と、押圧板部３１２の後端部から下方へ湾曲して延設される湾曲壁部３１６と、湾曲壁部３１６の下端部から同一平面に沿って延設されると共に上カバー３１１の底面を形成する底壁部３１７と、を主に備える。
【０１０８】
押圧板部３１２は、左右方向外側部分に比較して左右方向中心部分の方が上方へ張り出す形状で構成され、円筒上半部３１３の反対側の部分に開口３１２ａを備える。開口３１２ａは、下カバー３２０の張出部３２１ａが張り出す部分であり、下カバー３２０を通して装飾板３６３ｄ（図９参照）に配設されるＬＥＤによる光の演出が視認可能とされる。
【０１０９】
円筒上半部３１３は、その円筒の中心軸を傾倒装置３１０の回転軸と同じくする部分であって、ねじりバネ３４３を収容する収容部３１３ａと、その収容部３１３ａから傾倒装置３１０の中心側に向けて断面半円形状の凹設部分として形成される凹設部３１３ｂと、その凹設部３１３ｂと略同形状（若干半径が大）の内周面を有し傾倒装置３１０の外方へ向けてハーフパイプ形状で延設される延設半軸部３１３ｃと、凹設部３１３ｂよりも傾倒装置３１０の中心側に配置されると共に軸カバー３３０を締結固定する締結ネジが固定される締結孔３１３ｄと、傾倒装置３１０が上昇位置に配置された場合に下ケース３６０の張出当接部３６１ｇ（図９参照）と周方向で当接される張出当接部３１３ｅと、を主に備える。
【０１１０】
凹設部３１３ｂ及び延設半軸部３１３ｃは、傾倒装置３１０の組立状態（図９参照）において、軸カバー３３０の円筒下半部３３１と共に軸部材３４０の筒状部３４１を内嵌する部分であり、また、延設半軸部３１３ｃは、リング部材ＢＲ１（図１１参照）に内嵌される。
【０１１１】
締結孔３１３ｄは、軸カバー３３０を締結固定する締結ネジが固定されるネジ孔である。傾倒装置３１０の組立状態（図９参照）において、締結孔３１３ｄに固定される締結ネジの強度により円筒上半部３１３を補強することができるので、遊技者が円筒上半部３１３付近（傾倒装置３１０の手前側部分）を叩く等の操作を行ったとしても、それにより傾倒装置３１０が破損することを抑制することができる。
【０１１２】
張出当接部３１３ｅは、下ケース３６０（図９参照）の手前側端部の装飾と一体となって視認されることで演出する演出効果を有すると共に、傾倒装置３１０が上方へ移動し上昇位置まで到達した場合に当接部３６１ｇと当接し、回り止めとして機能する。
【０１１３】
前側壁部３１４は、円筒上半部３１３の後端部と連結される板状部分であって、左右両端部に前後方向に一対で配設される切り欠き３１４ａを備える。切り欠き３１４ａは、ねじりバネ３４３の上腕３４３ｂ（図１０参照）が係止される切り欠きであるので、傾倒装置３１０は、切り欠き３１４ａを介してねじりバネ３４３から回転（傾倒）方向の付勢力を受ける。
【０１１４】
後側壁部３１５は、下カバー３２０の当接端面３２１ｂと面で当接する部分であって、前側壁部３１４との間に複数配設され前側壁部３１４と連結される板状の補強板部３１５ａを備える。
【０１１５】
補強板部３１５ａは、複数の板状部が左右対称に列設され、中心に配設される板状部以外の板状部は、下面に駆動モータＭ１を受け入れ支持する凹みである凹設支持部３１５ｂを備える。これにより、前側壁部３１４、後側壁部３１５及び補強板部３１５ａで小さな複数の枠形状が形成されるので、押圧板部３１２の前側壁部３１４及び後側壁部３１５付近の強度を向上させることができる。
【０１１６】
湾曲壁部３１６は、左右方向外側部分に比較して左右方向中心部分の方が円筒上半部３１３から外方に張り出して構成され（図１３（ｂ）参照）、傾倒装置３１０の回転軸（即ち円筒上半部３１３の円の中心）を中心とした円弧形状で形成される上下左右に湾曲した板状部であり、内側面（回転軸側の側面）に上下方向に沿って湾曲して凹設される湾曲凹部３１６ａを備える。湾曲凹部３１６ａは、幅が、湾曲部材３５０の被挟持部３５１ａの幅よりも若干大きく形成される。
【０１１７】
次いで、図１４を参照して下カバー３２０について説明する。図１４（ａ）は、下カバー３２０の正面図であり、図１４（ｂ）は、図１４（ａ）の矢印ＸＩＶｂにおける下カバー３２０の側面図であり、図１４（ｃ）は、下カバー３２０の上面図であり、図１４（ｄ）は、図１４（ａ）のＸＩＶｄ−ＸＩＶｄ線における下カバー３２０の断面図である。
【０１１８】
図１４に示すように、下カバー３２０は、光透過性の樹脂材料から形成され、手前側から奥側へ向けて上方へ傾斜する板形状の補強板部３２１と、その補強板部３２１の後端部から下方へ湾曲して延設される湾曲壁部３２２と、補強板部３２１の左右方向端部から下方へ延設されると共に湾曲壁部３２２と連結される一対の板状の側壁部３２３と、それら側壁部３２３の正面側の端部から左右方向内側へ延設される前当て壁部３２４と、その前当て壁部３２４に連結されると共に正面側と上方とが開放された箱状に形成されるモータ支持部３２５と、を主に備える。
【０１１９】
補強板部３２１は、上面が上カバー３１１の押圧板部３１２（図１２（ａ）参照）の下面と密着可能な形状（転写した形状）から構成されるので、上カバー３１１に上下方向で締結固定されることにより上カバー３１１の強度を補強することができる。これにより、遊技者が上カバー３１１に強い衝撃を与えた場合に、上カバー３１１が破損することを防止することができる。また、補強板部３２１は、前後方向中央部において上方へ張り出す張出部３２１ａと、正面側の端面に形成される当接端面３２１ｂと、を備える。
【０１２０】
張出部３２１ａは、組立状態（図８参照）において、上カバー３１１の開口３１２ａ（図１０参照）を通して遊技者が視認可能とされる部分である。
【０１２１】
当接端面３２１ｂは、組立状態（図８参照）において、上カバー３１１の後側壁部３１５と面で当接する位置に配置される。これにより、後側壁部３１５の強度を利用して、下カバー３２０を補強することができる。
【０１２２】
湾曲壁部３２２は、上カバー３１１（図１３（ａ）参照）の湾曲壁部３１６の湾曲形状の中心軸と同一の軸を中心軸とした円弧形状から形成され、左右方向の各位置において、湾曲壁部３１６よりも若干小さな半径で構成される。これにより、湾曲壁部３１６と湾曲壁部３２２とを密着させた状態で下カバー３２０を上カバー３１１に収容することができる。
【０１２３】
また、湾曲壁部３２２は左右方向中心位置において上下方向に切りかかれる切り欠き３２２ａと、その切り欠き３２２ａの上端部分において切り欠き幅が拡大される拡大開口部３２２ｂと、湾曲壁部３２２の下端部において切り欠き３２２ａを閉塞する抜止部３２２ｃと、を主に備える。
【０１２４】
切り欠き３２２ａは、湾曲部材３５０（図１０参照）の本体部３５１が挿通される隙間であり、本体部３５１の厚みよりも隙間の寸法が若干広くされる。また、拡大開口部３２２ｂは、湾曲部材３５０の櫛状部３５２及び切替延設部３５３を挿通する開口であり、左右方向の幅が櫛状部３５２及び切替延設部３５３の左右方向の幅（凸設長さ）を合計した幅よりも大きくされる。
【０１２５】
抜止部３２２ｃは、湾曲部材３５０（図１１参照）が抜け落ちることを防止する部分であって、湾曲部材３５０の嵌合凹部３５１ｂと嵌合可能となるように、嵌合凹部３５１ｂより若干小さな厚さ形状で構成される。
【０１２６】
側壁部３２３は、正面側端面において、下端から上方へ向けて切り欠かれる切り欠き３２３ａを備える。切り欠き３２３ａは、組立状態（図８参照）において、上カバー３１１の切り欠き３１４ａ（図１１参照）の後方に配置され、切り欠き３１４ａと同様にねじりバネ３４３の上腕３４３ｂ（図１１参照）が挿通され係止される。
【０１２７】
前当て壁部３２４は、組立状態（図８参照）において、上カバー３１１の前側壁部３１４（図１３（ｂ）参照）と面で当接する配置で形成される。これにより、前側壁部３１４の強度を利用して、前当て壁部３２４を補強することができる。
【０１２８】
モータ支持部３２５は、駆動モータＭ１（図１０参照）を載置する部分であって、底面を形成する底板部３２５ａと、その底板部３２５ａの左右両端部から上方へ延設され駆動モータＭ１の基端部を下方から支持する凹設支持部３２５ｂ１を有する側壁部３２５ｂと、底板部３２５ａ及び側壁部３２５ｂを連結する板状の後板部３２５ｃと、を主に備える。
【０１２９】
駆動モータＭ１（図１０参照）が、下カバー３２０の最前端という傾倒装置３１０の回転軸に近い位置に配置されることにより、傾倒装置３１０が動作した場合に駆動モータＭ１がパチンコ機１０（図１参照）に固定される下ケース３６０（図８参照）に対して相対移動する距離を短く抑えることができる。そのため、移動する傾倒装置３１０に駆動モータＭ１を搭載しながらも、駆動モータＭ１に電気を供給する配線が傾倒装置３１０の動作により変形する度合いを小さくすることができる。これにより、駆動モータＭ１の配線の劣化を遅らせることができるので、メンテナンス期間を長くすることができる。
【０１３０】
側壁部３２５ｂは、上カバー３１１の複数の補強板部３１５ａ（図１３（ｂ）参照）の内、最外方に配置される補強板部３１５ａと上下方向で対面し、その補強板部３１５ａに配設さえる凹設支持部３１５ｂと凹設支持部３２５ｂ１とで駆動モータＭ１を挟持可能に構成される。
【０１３１】
後板部３２５ｃは、組立状態（図８参照）において、上端面が上カバー３１１の後側壁部３１５（図１３（ｂ）参照）と当接する。これにより、モータ支持部３２５が上方への負荷を受けたときの抵抗を大きく確保することができる（モータ支持部３２５が上方への負荷を後述するピストン部材３６２ａ（図２０（ａ）参照）から受けた時の抵抗を大きく確保することができる）。
【０１３２】
次いで、図１５を参照して、湾曲部材３５０を下カバー３２０と上カバー３１１との間に挟持する手順について説明する。図１５（ａ）から図１５（ｄ）は、下カバー３２０に上カバー３１１を被せる手順を時系列で図示した、図１４（ａ）のＸＩＶｄ−ＸＩＶｄ線に対応する線における傾倒装置３１０の部分断面図である。
【０１３３】
なお、図１５（ａ）では、下カバー３２０の切り欠き３２２ａに湾曲部材３５０が挿通された状態が図示され、図１５（ｂ）では、図１５（ａ）の状態から上カバー３１１が湾曲部材３５０に当接する直前の位置まで下降された状態が図示され、図１５（ｃ）では、図１５（ｂ）の状態から上カバー３１１が所定量下降された状態が図示され、図１５（ｄ）では、図１５（ｃ）の状態から上カバー３１１が下カバー３２０に対して固定される位置まで下降された状態が図示される。
【０１３４】
図１５に図示されるように、組立の過程において、湾曲部材３５０の嵌合凹部３５１ｂが抜止部３２２ｃにしっかり嵌っていなくとも（図１５（ａ）参照）、その状態から上カバー３１１を被せ、下降させることにより、湾曲部材３５０の被挟持部３５１ａが下カバー３２０の湾曲壁部３２２及び上カバー３１１の湾曲壁部３１６の形状になつく態様で湾曲部材３５０が姿勢変化され（図１５（ｂ）及び図１５（ｃ）参照）、上カバー３１１を下降させきることにより、湾曲部材３５０の嵌合凹部３５１ｂが抜止部３２２ｃに嵌った状態を形成することができる（図１５（ｄ）参照）。これにより、湾曲部材３５０を上カバー３１１及び下カバー３２０の間に固定する作業を行い易くでき、作業時間を短縮することができる。
【０１３５】
また、図１５（ｄ）に示す状態において、湾曲部材３５０の本体部３５１は幅方向が上カバー３１１の湾曲壁部３１６の厚さ方向に沿う態様とされるので、湾曲壁部３１６の厚さが薄い場合であっても、厚さ方向に変形することを湾曲部材３５０の剛性により防止することができる。なお、湾曲部材３５０の上端が湾曲壁部３１６の湾曲凹部３１６ａの上端面と当接されることにより、湾曲部材３５０が上下方向に移動することが防止され、湾曲部材３５０が上カバー３１１と下カバー３２０との間に固定される。
【０１３６】
なお、図１５（ｄ）に示す状態から更に上カバー３１１が下降される場合（過度な負荷により、部分的に破壊される場合等）、湾曲部材３５０が更に押し込まれ、下カバー３２０の抜止部３２２ｃを折って湾曲部材３５０がずり落ち得るが、本実施形態では、下カバー３２０の補強板部３２１と、上カバー３１１の押圧板部３１２とが面で当接することにより、下カバー３２０に対して上カバー３１１の位置を維持する強度が向上されるので、抜止部３２２ｃが折れることを抑制することができる。
【０１３７】
図１６を参照して、軸カバー３３０について説明する。図１６（ａ）は、軸カバー３３０の上面図であり、図１６（ｂ）は、軸カバー３３０の正面図であり、図１６（ｃ）は、図１６（ａ）の矢印ＸＶＩｃにおける軸カバー３３０の側面図である。
【０１３８】
図１６に示すように、軸カバー３３０は、円筒上半部３１３（図１３（ｂ）参照）と同様の形状を備える円筒下半部３３１と、その円筒下半部３３１から後方に延設される複数の作用爪部３３２と、を主に備える。
【０１３９】
円筒下半部３３１は、その円筒の中心軸を傾倒装置３１０の回転軸と同じくする部分であって、ねじりバネ３４３（図１０参照）を収容する収容部３３１ａと、その収容部３３１ａから円筒下半部３３１の左右方向中心側に向けて断面半円形状の凹設部分として形成される凹設部３３１ｂと、その凹設部３３１ｂと略同形状（若干半径が大）の内周面を有し円筒下半部３３１の外方へ向けてハーフパイプ形状で延設される延設半軸部３３１ｃと、凹設部３３１ｂよりも円筒下半部３３１の中心側に配置されると共に締結ネジが挿通される挿通孔３３１ｄと、傾倒装置３１０が上昇位置に配置された場合に下ケース３６０の張出当接部３６１ｇと周方向で当接される張出当接部３３１ｅと、収容部３３１ａの凹設部３３１ｂ側の部分において貫通形成される貫通孔３３１ｆと、を主に備える。なお、収容部３３１ａ、凹設部３３１ｂ、延設半軸部３３１ｃ、挿通孔３３１ｄ及び張出当接部３３１ｅは、円筒上半部３１３（図１３（ｂ）参照）の同一名称の構成と同等の部分であるため、説明を省略する。
【０１４０】
貫通孔３３１ｆは、ねじりバネ３４３の下腕３４３ａ（図１０参照）が挿通される孔であり、円筒下半部３３１の円周の中心軸を中心として約４５°に亘って形成される。そのため、貫通孔３３１ｆに挿通されたねじりバネ３４３の下腕３４３ｂを軸カバー３３０の外側で変位させることにより、ねじりバネ３４３をねじり変形させることができる。
【０１４１】
作用爪部３３２は、左右方向に複数（本実施形態では４個）が連設される板状部であり、平面形状とされる上端面３３２ａと、円弧形状とされる下端面３３２ｂと、を主に備える。
【０１４２】
上端面３３２ａは、組立状態（図８参照）において、下カバー３２０の底板部３２５ａ（図１１参照）の下面に当接される。これにより、下カバー３２０の底板部３２５ａの曲げ変形に対する抵抗を向上させることができる。
【０１４３】
下端面３３２ｂは、下ケース３６０のピストン部材３６２ａと当接される側面であり、図１６（ｃ）に示す状態において最下点となる切替点３３２ｃが、図１６（ｃ）に示す姿勢（上端面３３２ａが水平となる姿勢）でピストン部材３６２ａと当接する場合に下ケース３６０のピストン部材３６２ａの中心軸上に配置される（図２０（ｂ）参照）。また、下端面３３２ｂは、切替点３３２ｃの手前側に配設される前側円弧部３３２ｄと、切替点３３２ｃの後方側に配設される後側円弧部３３２ｅと、を備え、それら前側円弧部３３２ｄ及び後側円弧部３３２ｅが同一半径の円弧をなす形状とされる。
【０１４４】
なお、作用爪部３３２が複数（本実施形態では４個）連設され、それぞれ下ケース３６０のピストン部材３６２ａ（図１７参照）と当接されることにより、傾倒装置３１０が傾倒する際にピストン部材３６２ａ一つ辺りから負荷される付勢力を基準として付勢装置３６２（図１７参照）から与えられる負荷を倍増（本実施形態では４倍）させることができるので、傾倒装置３１０の動作量が小さい場合にでも、付勢装置３６２から与えられる負荷の変化量を大きくすることができる。
【０１４５】
また、遊技者に操作された際の衝撃により、複数の作用爪部３３２の内、例えば、一つの作用爪部３３２が折れたとしても、残りの作用爪部３３２がピストン部材３６２ａから負荷を受けることにより、通常通り遊技を継続することができる。従って、傾倒装置３１０のメンテナンス期間を長く設定することができる。
【０１４６】
次いで、図１７及び図１８を参照して、下ケース３６０について説明する。図１７は、下ケース３６０の上面分解斜視図であり、図１８は、下ケース３６０の底面分解斜視図である。図１７及び図１８に図示されるように、下ケース３６０は、上方が開放された皿状に形成される底受け部材３６１と、その底受け部材３６１に下方から組み付けられると共に底受け部材３６１の厚さ方向（鉛直方向）に移動可能に構成されるピストン部材３６２ａを有する付勢装置３６２と、底受け部材３６１の上側に固定され電力が供給される部材が集合配置される電力作用装置３６３と、を主に備える。
【０１４７】
底受け部材３６１は、手前側端部の左右両端部に上方が開放された半円形状に凹設される凹設軸受け部３６１ａと、その凹設軸受け部３６１ａの中心軸の後下方において左右方向に帯状に延設されると共に上方へ凸設される帯状凸設部３６１ｂと、その帯状凸設部３６１ｂの後方において上下方向に筒状に延設されると共に底が穿設される筒状受け部３６１ｃと、その筒状受け部３６１ｃの上端部においてピストン部材３６２ａの移動をせき止める蓋として作用する蓋板に前後方向に沿って形成される切れ目である切り込み部３６１ｄと、凹設軸受け部３６１ａの後方から斜め下方に傾斜する外形Ｕ字状の平面として形成される受け面３６１ｅと、電力作用装置３６３が載置される台部３６１ｆと、傾倒装置３１０の上昇位置（図８参照）において傾倒装置３１０の張出当接部３１３ｅと周方向で当接する張出当接部３６１ｇと、受け面３６１ｅの後端部付近に載置されるゴム板ＧＲ１と、を主に備える。
【０１４８】
凹設軸受け部３６１ａは、傾倒装置３１０のリング部材ＢＲ１（図９参照）を上ケース３７０と共に挟み込んで軸支する凹設部であり、リング部材ＢＲ１よりも若干大きな半径の半円形状で構成される。
【０１４９】
帯状凸設部３６１ｂは、ねじりバネ３４３の下腕３４３ａ（図１０参照）が係止される突起である。これにより、傾倒装置３１０が上昇位置から下降位置へ向けて操作される場合に、ねじりバネ３４３が巻かれ、傾倒装置３１０を上昇位置へ向けて移動させる付勢力が増大する。
【０１５０】
筒状受け部３６１ｃは、付勢装置３６２のピストン部材３６２ａが内嵌される筒状部であって、鉛直方向に向けて延設されると共に左右に複数（本実施形態では４個）が列設される。
【０１５１】
切り込み部３６１ｄは、傾倒装置３１０の作用爪部３３２（図１０参照）を受け入れ可能な幅（作用爪部３３２の幅よりも若干大きな幅）で形成されると共に、その中心部が付勢装置３６２のピストン部材３６２ａの半球形状部分の外形よりも若干大きな外形で凹設される。従って、切り込み部３６１ｄにより、ピストン部材３６２ａ及び作用爪部３３２双方の位置合わせ（位置ずれの抑制）を行うことができる。これにより、傾倒装置３１０の押し込み量が大きくなった場合に、付勢装置３６２のピストン部材３６２ａと傾倒装置３１０の作用爪部３３２とが左右方向（傾倒装置３１０の軸心方向）で位置ずれすることを抑制することができる。
【０１５２】
受け面３６１ｅは、傾倒装置３１０が下降位置に配置された場合に、底壁部３１７（図１０参照）と対向配置される部分である。平常時は、傾倒装置３１０が下降位置に配置された場合に衝撃が発生したとしても（高速で下降位置まで移動されたとしても）、傾倒装置３１０の底壁部３１７がゴム板ＧＲ１に押し付けられることにより衝撃が吸収されるので、傾倒装置３１０の破損が抑制される（この場合には、受け面３６１ｅと底壁部３１７との間には隙間が空けられる）。一方で、ゴム板ＧＲ１が摩耗した場合に、十分な衝撃吸収が行われなかったとしても、受け面３６１ｅが傾倒装置３１０の底壁部３１７と面で当接することにより、傾倒装置３１０が下降位置に到達した際に傾倒装置が受ける衝撃（圧力）を低減することができる。台部３６１ｆには、矩形状の開口が配設されている。この開口を通して、電力作用装置３６３に電力を供給する電気配線が挿通される。
【０１５３】
付勢装置３６２は、作用爪部３３２を通して傾倒装置３１０（図１０参照）に付勢力を負荷する装置であり、筒状受け部３６１ｃの内側を上下方向に動作可能に支持されると共に下方に開放される有底筒形状のピストン部材３６２ａと、そのピストン部材３６２ａの開放端部からピストン部材３６２ａに収容されるコイルスプリング３６２ｂと、金属などの剛性の高い材料から構成され筒状受け部３６１ｃの下側開口部に蓋をする態様で底受け部材３６１に締結固定される底蓋部材３６２ｃと、を主に備える。
【０１５４】
ピストン部材３６２ａは、上方先端部が半球形状で構成されると共に上半分部分は切り込み部３６１ｄを通過可能な外形で構成される一方で、下半分部分は切り込み部３６１ｄよりも大きな外形で構成され、ピストン部材３６２ａの通過が防止される。また、下半分部分には、中心軸から八方へ向けて凸設されると共に上下方向に延設される断面半円形状のリブが形成されるので、ピストン部材３６２ａが筒状受け部３６１ｃに支持されることにより姿勢を維持する作用を保ちながら、ピストン部材３６２ａと筒状受け部３６１ｃとの接触面積を減らすことでピストン部材３６２ａに筒状受け部３６１ｃからかけられる摩擦力を低減することができる。
【０１５５】
コイルスプリング３６２ｂは、本実施形態では、組立状態（図８参照）において自然長から予め縮んだ状態で筒状受け部３６１ｃに収容される。そのため、作用爪部３２２から負荷が与えられていない時には、コイルスプリング３６２ｂの付勢力によりピストン部材３６２ａが上昇終端位置（ピストン部材３６２ａの移動が切り込み部３６１ｄにせき止められる位置）に配置される。
【０１５６】
電力作用装置３６３は、底受け部材３６１の台部３６１ｆに載置されると共に上端面が手前から奥へ向けて上方へ傾斜する態様で構成されるカップ形状の本体部材３６３ａと、その本体部材３６３ａの後壁に上端から下方へ向けて形成される切り込みに挿通されると共に本体部材３６３ａの後方へ延設される板部に締結固定される電子基板である右側センサ固定板３６３ｂと、その右側センサ固定板３６３ｂの反対側に右側センサ固定板３６３ｂと同様の態様で本体部材３６３ａの後方へ延設される板部に締結固定される電子基板である左側センサ固定板３６３ｃと、本体部材３６３ａの上端面に面で固定されると共にＬＥＤ等の照明装置が配設される電子基板である装飾板３６３ｄと、を主に備える。
【０１５７】
本体部材３６３ａは、底板に開口を有し、その開口を通して電気配線が内部に挿通される。その電気配線がセンサ固定板３６３ｂ，３６３ｃや、装飾板３６３ｄに接続されることにより、各センサＳ１〜Ｓ３及び装飾板３６３ｄに配設されるＬＥＤに電力を供給することができる。
【０１５８】
右側センサ固定板３６３ｂには、後端部にフォトカプラ形式の第１センサＳ１と第２センサＳ２とが上下に列設される。左側センサ固定板３６３ｃには、それら第１センサＳ１及び第２センサＳ２と対向配置される位置にフォトカプラ形式の第３センサＳ３が配設される。
【０１５９】
第１センサＳ１及び第２センサＳ２は、湾曲部材３５０の凸設部３５２ａ（図１０参照）の通過を検出することで傾倒装置３１０の向き及び位置を検出するセンサであり、第３センサＳ３は、湾曲部材３５０の凸設部３５３ａ（図１０参照）の通過を検出することで傾倒装置３１０の操作状態（押し込み又は連打操作か、押し込み量を検出するペダル操作か）を検出するセンサである。なお、以下において、押し込みや連打操作などの押し込み量によって検出に差が無い操作を「プッシュ操作」と称し、押し込み量を検出する操作を「ペダル操作」と称す。
【０１６０】
また、フォトカプラ形式のセンサとは、光を投光する投光部と、この投光部からの光を受光する受光部とを備え、検出する部分を挿入可能な隙間（スリット）を備えて略コ字状に配置されるセンサを意味する。
【０１６１】
次いで、図１９から図２１を参照して、傾倒装置３１０の押し込み操作について説明する。図１９（ａ）は、操作デバイス３００の正面図であり、図１９（ｂ）は、図１９（ａ）のＸＩＸｂ−ＸＩＸｂ線における操作デバイス３００の断面図である。なお、図１９（ａ）及び図１９（ｂ）では、傾倒装置３１０が上昇位置に配置された状態が図示される。また、ＸＩＸｂ−ＸＩＸｂ線は下ケース３６０の所定のピストン部材３６２ａの中心を通る線として図示される。
【０１６２】
図１９（ａ）及び図１９（ｂ）に示すように、傾倒装置３１０が上昇位置に配置される状態において、ねじりバネ３４３の下腕３４３ａが、下ケース３６０の帯状凸設部３６１ｂに当接され、係止される。そのため、上昇位置から傾倒装置３１０が下方へ押し込み操作（傾倒操作）されることにより、ねじりバネ３４３が巻かれ、傾倒装置３１０の回転（傾倒）角度に比例してねじりバネ３４３による付勢力が上昇する。
【０１６３】
湾曲部材３５０と各センサＳ１〜Ｓ３との関係において、上昇位置では、湾曲部材３５０の凹設部３５２ｂ，３５３ｂ（図１０参照）が投光部と受光部との間の領域に配置されるので、全てのセンサＳ１〜Ｓ３において、投光部から照射された光が受光部に到達する。そのため、傾倒装置３１０を傾倒動作させた際に、各センサＳ１〜Ｓ３のいずれかが遮光される態様で湾曲部材３５０を構成することで、全てのセンサＳ１〜Ｓ３において投光部から照射された光が受光部に到達する状態を検出したら傾倒装置３１０が上昇位置に配置されたことを検出することができる。
【０１６４】
次いで図２０及び図２１を参照して、傾倒装置３１０の傾倒動作（回転動作）について説明する。図２０（ａ）、図２０（ｂ）、図２１（ａ）及び図２１（ｂ）は、図１９（ａ）のＸＩＸｂ−ＸＩＸｂ線における操作デバイス３００の断面図である。
【０１６５】
なお、図２０（ａ）では、図１９（ｂ）に図示される状態から傾倒装置３１０が所定角度（約３°）だけ傾倒された状態が図示され、図２０（ｂ）では、図２０（ａ）に図示される状態から傾倒装置３１０が所定角度（約７°、上昇位置から約１０°）だけ傾倒された状態が図示され、図２１（ａ）では、図２０（ｂ）に図示される状態から傾倒装置３１０が所定角度（約１０°、上昇位置から約２０°）だけ傾倒された状態が図示され、図２１（ｂ）では、図２１（ａ）に図示される状態から傾倒装置３１０が所定角度（約４°、上昇位置から約２４°）だけ傾倒されると共に、下降位置に配置された状態が図示される。また、理解を容易とするために、作用爪部３２２及びピストン部材３６２ａが部分的に拡大して図示される。
【０１６６】
図２０（ａ）に示すように、上昇位置から傾倒装置３１０を３°傾倒させると、作用爪部３３２の下端面がピストン部材３６２ａに当接開始する。そのため、傾倒装置３１０を介して遊技者が感じる負荷は、ねじりバネ３４３の付勢力と、コイルスプリング３６２ｂによる付勢力とを足し合わせたものとなる。
【０１６７】
本実施形態では、コイルスプリング３６２ｂが自然長から所定量縮められた状態で筒状受け部３６１ｃに配設されるので、コイルスプリング３６２ｂから作用爪部３３２に与えられる負荷は、当接開始時から大きいため、遊技者が感じる負荷の変化割合が急激に大きくなる（図２２参照）。
【０１６８】
そのため、遊技者は傾倒装置３１０を介して与えられる負荷が急激に変化する位置を境に、操作デバイス３００の状態が変化したことを感じることができる。本実施形態では、図１９（ｂ）から図２０（ａ）までの間の状態をプッシュ操作の状態として、図２０（ａ）から図２１（ｂ）までの間の状態をペダル操作用の状態として、構成される。
【０１６９】
即ち、図２０（ａ）に示す状態で負荷が急激に上昇する位置までを目標地点として、プッシュ操作（押し込み操作や、連打操作）を行うことができ、急激な負荷の上昇に抗して更に押し込むことでペダル操作を行うことができる。従って、傾倒装置３１０を傾倒させるという単一の操作により、プッシュ操作とペダル操作という別々の操作を行うことができると共に、傾倒装置３１０から遊技者に与えられる負荷を目印に各操作方法を切り替えることができることから、目盛りを見ながら操作方法を変えるなどの視覚を通した操作ではなく、直感的（押し心地を利用）に各操作方法を切り替えることができる。
【０１７０】
図２０（ａ）に示すように、作用爪部３３２の下端面３３２ｂは、回転軸Ｏ１から引かれると共に作用爪部３３２とピストン部材３６２ａとの当接点を通る直線Ｎ１から後方（図２０（ａ）右方）へ向かうほど上昇傾斜して構成される。
【０１７１】
そのため、例えば、作用爪部３３２の下端面３３２ｂが直線Ｎ１に沿って形成される場合に比較して、傾倒装置３１０の傾倒角度に対するコイルスプリング３６２ｂの変位量を低減することができるので、傾倒装置３１０の押し込み量が大の時（図２１（ａ）や図２１（ｂ）参照）に、ねじりバネ３４３の変位量が過度に大きくなることを抑制することができる。
【０１７２】
ここで、図２０（ａ）から図２１（ｂ）へ向かうにつれて、ピストン部材３６２ａに対する作用爪部３３２の当接点は回転軸Ｏ１から遠ざかるため、例えば、作用爪部３３２の下端面３３２ｂが直線Ｎ１に沿って形成される場合、傾倒装置３１０が所定角度傾倒する場合の当接点の上下方向の変位は増大し、コイルスプリング３６２ｂの変位量が増大するため、ピストン部材３６２ａから作用爪部３３２に与えられる負荷が増大する。
【０１７３】
この場合、傾倒装置３１０の変位速度が大きな状態で押し込まれる場合に、押し込み終端に近くなるほど、作用爪部３３２にピストン部材３６２ａから与えられる負荷の変化量が急激に大きくなり、作用爪部３３２が破損する恐れがある。
【０１７４】
これに対し、本実施形態では、作用爪部３３２の下端面３３２ｂが後方へ向かうほど上昇傾斜（ピストン部材３６２ａから離反する方向に傾斜）しているので、傾倒装置３１０の変位速度が大きな状態で押し込み操作された場合にも、コイルスプリング３６２ｂが変位する速度を低減することができる。これにより、ピストン部材３６２ａから作用爪部３２２に与えられる負荷の変化量が急激に大きくなることを抑制することができる。
【０１７５】
また、作用爪部３３２の下端面３３２ｂが円弧形状から構成されると共にピストン部材３６２ａの先端が半球形状から構成されるので、接触の態様を点接触に維持でき、作用爪部３３２とピストン部材３６２ａとの間で生じる摩擦力を低減することができる。これにより、作用爪部３３２が傾倒動作する際にピストン部材３６２ａを横倒れ（前後方向に倒れ）させる負荷が生じることを防止することができる。
【０１７６】
図２１（ａ）に示すように、傾倒装置３１０が上昇位置から２０°傾倒された状態において、作用爪部３３２が下ケース３６０の切り込み部３６１ｄに挿通される。そのため、ピストン部材３６２ａの先端が半球形状とされると共に作用爪部３３２がピストン部材３６２ａの直径よりも薄い幅で構成され、作用爪部３３２が左右方向（図２１（ａ）紙面垂直方向）にピストン部材３６２ａに対してずれ易い場合であっても、作用爪部３３２の左右方向への移動を切り込み部３６１ｄで止めることで抑制することができる。これにより、コイルスプリング３６２ｂの変位に応じて生じる付勢力を、ピストン部材３６２を介して作用爪部３３２に確実に負荷することができる。
【０１７７】
なお、本実施形態よりも切り込み部３６１ｄの離間幅を小さく形成したり、切り込み部３６１ｄの側面に緩衝部材を配設したりして、切り込み部３６１ｄで作用爪部３３２を挟み込んで摩擦力をかけるようにしても良い。この場合、作用爪部３３２が切り込み部３６１ｄに入り込んだ際に遊技者が受ける負荷を急激に変化させることができるので、図２０（ａ）で図示した作用爪部３３２とピストン部材３６２ａとが当接開始する位置の次の目印となる位置として形成することができる（負荷の境界位置を複数設けることができる）。
【０１７８】
図２１（ｂ）に示すように、傾倒装置３１０が下降位置に配置されると、傾倒装置３１０の底壁部３１７がゴム板ＧＲ１に押し当てられることで、停止時の衝撃が吸収されると共に、重厚感を生じさせることができる。
【０１７９】
ここで、傾倒装置３１０の姿勢、動作方向、及び動作速度の検出方法について説明する。各センサＳ１〜Ｓ３（図１７参照）は、湾曲部材３５０の凸設部３５２ａ，３５３ａが各センサＳ１〜Ｓ３の投光部と受光部との間に介在していない（遮光されていない）時はオンとなり、湾曲部材３５０の凸設部３５２ａ，３５３ａが各センサＳ１〜Ｓ３の投光部と受光部との間に介在している（遮光されている）時にオフとなる。
【０１８０】
上述したように、傾倒装置３１０が上昇位置に配置された状態で、各センサＳ１〜Ｓ３がオンとされるので、各センサＳ１〜Ｓ３がオンとされることを契機に、カウンタを補正（ゼロにする）態様で制御される。
【０１８１】
傾倒装置３１０が上昇位置から３°までの間では、第２センサＳ２がオフとされ、第３センサＳ３がオンのままとされ、第１センサＳ１がオンとオフとで切り替えられる。本実施形態では、第３センサＳ３がオンの状態をプッシュ操作の区間として制御している。そのため、第３センサＳ３がオンのままの状態で、第１センサＳ１がオンとオフとで切り替わる回数や速度を検出することにより、押し込み操作や連打操作を検出する。
【０１８２】
傾倒装置３１０が上昇位置から３°よりも大きな角度で傾倒動作されると、第３センサＳ３がオフとされる。本実施形態では、第３センサＳ３がオフの状態をペダル操作の区間として制御している。第３センサＳ３がオフとされて以降においては、第１センサＳ１及び第２センサＳ２の切替時間に応じて傾倒装置３１０の動作速度が検出されると共に、第１センサＳ１及び第２センサＳ２のパルス信号の立ち上がりのタイミングによって傾倒装置３１０の動作方向（いずれの方向に動作しているか）が検出され、更に、それらの動作速度から割り出した距離と動作方向とをカウントすることにより傾倒装置３１０の現在の姿勢が検出される。これにより、傾倒装置３１０の傾倒の度合いと、演出とを関連づけることが可能となる。
【０１８３】
図２２を参照して、傾倒装置３１０（図８参照）を傾倒動作させる際に、遊技者が感じる負荷について説明する。図２２は、傾倒装置３１０の上昇位置からの傾倒角度に対して傾倒装置３１０に与えられる負荷を表すグラフである。図２２に示すグラフには、横軸に、傾倒装置３１０が上昇位置に配置された状態（図１９（ｂ）を左端として、そこから右方へ増大する態様で傾倒角度が示され、縦軸に、傾倒装置３１０を介して遊技者に与えられる負荷が示される。
【０１８４】
図２２に示すように、傾倒装置３１０を介して遊技者に与えられる負荷は、傾倒装置３１０が上昇位置から３°だけ傾倒される状態（図２０（ａ）参照）までは、ねじりバネ３４３（図１０参照）のバネ定数に比例して所定の角度α１で上昇する。
【０１８５】
傾倒装置３１０が上昇位置から３°だけ傾倒される状態を境に、ピストン部材３６２ａ（図２０（ａ）参照）を介してコイルスプリング３６２ｂの変位に応じた付勢力が傾倒装置３１０に負荷される。
【０１８６】
コイルスプリング３６２ｂは、組立状態（図８参照）において、予め自然長から縮められた状態で配設されるので、傾倒装置３１０が上昇位置から３°だけ傾倒する位置において、遊技者が感じる負荷が急激に変化する（負荷の変化割合が変化する）。本実施形態では、この位置を境に制御をプッシュ操作とペダル操作とで切り替えるようにしているので、遊技者は急激な負荷の変化（負荷の変化割合の急激な変化）を目印に操作方法を切り替えることを容易に行うことができる。
【０１８７】
上述したように、作用爪部３３２の下端面３３２ｂが直線Ｎ１（図２０（ａ）参照）に沿った面で形成されると、傾倒装置３１０の傾倒角度が大きくなるに従ってピストン部材３６２ａの変位の割合（傾倒装置３１０の傾倒角度に対するピストン部材３６２ａの変位量）が大きくなる。
【０１８８】
そのため、傾倒装置３１０に与えられる負荷のねじりバネ３４３の付勢力に加算される増加量が、傾倒装置３１０の傾倒角度が大きくなるに従って所定の２次関数に沿って増加されるので、破線Ｄ１に示すように、傾倒装置３１０に与えられる負荷が大きくなる側（図２２のグラフの右側）に向かうに従って、傾倒装置３１０の傾倒角度に対する負荷の変化割合が大きくなる。そのため、傾倒装置３１０を大きな速度で傾倒させる場合に、その傾倒角度が上昇位置から大きくなるに従って、ピストン部材３６２ａから作用爪部３３２に与えられる負荷（衝撃）が大きくなり、作用爪部３３２の耐久性が低下する恐れがある。
【０１８９】
これに対し、本実施形態では、作用爪部３３２の下端面３３２ｂが後方に向かうにつれて上昇傾斜する円弧形状とされるので（図２０（ｂ）参照）、ピストン部材３６２ａの変位を抑制することができ、負荷の上昇を補正曲線Ｔ１に示す態様で抑えることができる。これにより、作用爪部３３２に与えられる負荷（衝撃）を抑制することができ。作用爪部３３２の耐久性を向上させることができる。
【０１９０】
また、作用爪部３３２が複数（本実施形態では４個）配設される（図１０参照）ので、傾倒装置３１０を介して遊技者が感じる負荷を大きく保ちながら、作用爪部３３２一個当たりに与えられる負荷を抑制することができる。これにより、遊技者の操作感に変化を与えるという目的と、作用爪部３３２の耐久性を向上させるという目的との双方を達成することができる。
【０１９１】
次いで、図２３から図２８を参照して、第２実施形態について説明する。第１実施形態では、傾倒装置３１０をペダル操作することにより、遊技者が感じる負荷が増加する場合を説明したが、第２実施形態における操作デバイス２３００は、傾倒装置２３１０をペダル操作する場合に所定の姿勢を境に遊技者が感じる負荷が一定となる態様で傾倒装置２３１０の作用爪部２３３２及びピストン部材２３６２ａの外形が形成される場合を説明する。なお、上述した各実施形態と同一の部分には同一の符号を付して、その説明は省略する。
【０１９２】
図２３は、第２実施形態における傾倒装置２３１０の上面分解斜視図である。なお、図２３では、左側の駆動モータＭ１及び左側の切替動作部材２３２６が下カバー２３２０に取り付けられた状態が図示され、右側の駆動モータＭ１及び右側の切替動作部材２３２６が下カバー２３２０から離間された状態が図示されると共に、切替動作部材２３２６が拡大して図示される。
【０１９３】
図２３に示すように、傾倒装置２３１０は、下カバー２３２０のモータ支持部２３２５の底板部２３２５ａが上下方向に穿設される貫通孔２３２５ａ１と、その貫通孔２３２５ａ１に上下移動可能に挿通される切替動作部材２３２６と、を備える。
【０１９４】
図２３に示すように、切替動作部材２３２６は、隣り合う作用爪部２３３２の間の隙間に配設されると共に樹脂材料から一体成型される本体部材２３２６ａと、その本体部材２３２６ａの上部に張り出すと共に首振り可能に軸支される首振り部材２３２６ｂと、を主に備える。
【０１９５】
本体部材２３２６ａは、前後方向に長尺な板形状で形成される当接板部２３２６ａ１と、その当接板部２３２６ａ１の上端部から前後に下降傾斜しながら張り出すと共に板バネとして作用する薄板形状の板バネ作用部２３２６ａ２と、前後に傾倒する首振り部材２３２６ｂを収容する凹みである収容凹部２３２６ａ３と、当接板部２３２６ａ１の中間位置から外方へ張り出すと共に、撓み変形可能な薄さで構成される抜け止め部２３２６ａ４と、を主に備える。
【０１９６】
収容凹部２３２６ａ３は、正面側（図２３左側）の壁部が鉛直方向に沿って立ち上がり、奥側（図２３右側）の壁部が上方へ向かうほど奥（図２３右方）へ変位する態様で傾斜される。これにより、首振り部材２３２６ｂが鉛直方向に沿って立つ姿勢から正面側へ向けての傾倒が規制され、奥へ向けての傾倒が許容される。
【０１９７】
抜け止め部２３２６ａ４は、当接板部２３２６ａ１に近接する方向に変位可能とされ、当接板部２３２６ａ１に押し付けられた際には、当接板部２３２６ａ１の最大幅の内側に収容される（当接板部２３２６ａ１の側面に抜け止め部２３２６ａ４を受け入れる凹みがある）。これにより、貫通孔２３２５ａ１の幅を当接板部２３２６ａ１の幅よりも若干大きな大きさとしておけば、切替動作部材２３２６を貫通孔２３２５ａ１に上方から挿通する場合に抜け止め部２３２６ａ４が原因で切替動作部材２３２６が貫通孔２３２５ａ１に詰まることを防止することができると共に、切替動作部材２３２６を挿通仕切ったあとは、抜け止め部２３２６ａ４によって、切替動作部材２３２６が貫通孔２３２５ａ１から抜けることを防止することができる。
【０１９８】
首振り部材２３２６ｂは、本体部材２３２６ａの厚さ方向に沿って回転軸を備える棒状の部材であって、収容凹部２３２６ａ３の正面側の壁部へ向けてバネ部材（図示せず）により付勢される。即ち、図２３に示す状態が首振り部材２３２６ｂの初期位置（外方からの負荷が生じない位置）とされ、その初期位置において、本体部材２３２６ａからの張出長さが最大とされる。
【０１９９】
図２４及び図２５を参照して、切替動作部材２３２６の作用について説明する。図２４（ａ）から図２４（ｃ）及び図２５（ａ）から図２５（ｃ）は、傾倒装置２３１０及び下ケース２３６０の部分断面図である。なお、図２４（ａ）から図２４（ｃ）及び図２５（ａ）から図２５（ｃ）では、傾倒装置２３１０が下降位置に配置された状態が図示される。
【０２００】
図２４（ａ）から図２４（ｃ）及び図２５（ａ）から図２５（ｃ）では、駆動モータＭ１の回転軸に垂直な平面で切替動作部材２３２６が断面視されると共に、傾倒装置２３１０が下降位置に配置された状態が図示される（そのため、図２４（ａ）から図２４（ｃ）及び図２５（ａ）から図２５（ｃ）の上下方向は、鉛直方向から傾斜した方向とされる）。
【０２０１】
図２４（ａ）から図２４（ｃ）まででは、駆動モータＭ１の駆動力により、錘部材Ｍ１ａが図２４において反時計回りに回転される状態が時系列で図示される。即ち、図２４（ａ）では、錘部材Ｍ１ａが首振り部材２３２６ｂに当接する前の状態が、図２４（ｂ）では、錘部材Ｍ１ａが首振り部材２３２６ｂに当接した後で錘部材Ｍ１ａを時計回りに最大角度回転させた状態が、図２４（ｃ）では、錘部材Ｍ１ａが首振り部材２３２６ｂから離間され、首振り部材２３２６ｂが初期位置に復帰した状態がそれぞれ図示される。
【０２０２】
図２４（ａ）から図２４（ｃ）に示すように、錘部材Ｍ１ａが図２４において反時計回りに回転する場合には、首振り部材２３２６ｂの変位が収容凹部２３２６ａ３の凹みの範囲内で収まるため、本体部材２３２６ａは上下移動することはなく、切替動作部材２３２６の配置が維持される。
【０２０３】
図２５（ａ）から図２５（ｃ）まででは、駆動モータＭ１の駆動力により、錘部材Ｍ１ａが図２５において時計回りに回転される状態が時系列で図示される。即ち、図２５（ａ）では、錘部材Ｍ１ａが首振り部材２３２６ｂに当接する前の状態が、図２５（ｂ）では、錘部材Ｍ１ａが首振り部材２３２６ｂに当接した後で錘部材Ｍ１ａを反時計回りに回転させようとする方向の負荷を与えた状態が、図２５（ｃ）では、錘部材Ｍ１ａが首振り部材２３２６ｂから離間された状態がそれぞれ図示される。
【０２０４】
図２５（ａ）から図２５（ｃ）に示すように、錘部材Ｍ１ａが図２５において時計回りに回転する場合には、首振り部材２３２６ｂが収容凹部２３２６ａ３の正面側の壁面に押し付けられ回転動作できないので、錘部材Ｍ１ａと首振り部材２３２６ｂとの干渉が、切替動作部材２３２６が下方へ移動することにより回避される。即ち、錘部材Ｍ１ａの回転に合わせて、切替動作部材２３２６が上下方向に振動する。
【０２０５】
本実施形態では、切替動作部材２３２６が初期位置に配置された状態では、切替動作部材２３２６の下端は下ケース２３６０の底受け部材３６１に当接されず（図２５（ａ）参照）、錘部材Ｍ１ａが切替動作部材２３２６を下方へ押し下げた状態では、切替動作部材２３２６の下端が底受け部材３６１に当接される（図２５（ｂ）参照）。
【０２０６】
ここで、本実施形態では、図２５（ａ）における切替動作部材２３２６の下端と底受け部材３６１との離間幅は、切替動作部材２３２６の上下移動幅（図２５（ａ）と図２５（ｂ）との間における切替動作部材２３２６の変位）よりも短くなるように本体部材２３２６ａの形状が設計される。
【０２０７】
そのため、図２５（ａ）から図２５（ｂ）に状態が変化することによって、切替動作部材２３２６から底受け部材３６１に圧がかかり、その反力が駆動モータＭ１を上方へ押し上げる向きにかけられるので、その駆動モータＭ１を上方から押さえる上カバー３１１に負荷がかけられる。
【０２０８】
従って、傾倒装置２３１０を下降位置まで押し下げた状態において、遊技者は、切替動作部材２３２６の振動に伴って繰り返し生じる負荷を感じることができる。この繰り返し生じる負荷は、下降位置まで押し下げることにより遊技者が感じることが可能となるものであって、例えば、傾倒装置２３１０が切替動作部材２３２６の下端と底受け部材３６１との離間幅が切替動作部材２３２６の上下移動幅よりも長くなる姿勢とされる場合には、切替動作部材２３２６と底受け部材３６１とが当接しないので、遊技者が繰り返し生じる負荷を受けることは無い。
【０２０９】
そのため、遊技者は、繰り返し生じる負荷を感じることにより、傾倒装置２３１０を下降位置まで押し込み操作できていることを認識することができる。これにより、押し込み量が不足するために生じる操作ミスや、目標位置が曖昧になることから生じる押しすぎ（押し込み量の過大）等を防止することができる。
【０２１０】
また、傾倒装置２３１０が下降位置に配置され、駆動モータＭ１が回転されたとしても、その回転方向により切替動作部材２３２６が振動動作する場合と、しない場合とが形成される。
【０２１１】
ここで、パチンコ機１０が操作デバイス２３００の操作を要求するタイミングで、その操作により動作開始する他の役物（例えば、第３図柄表示装置８１の周囲に配置され演出として内方へ向けて張出移動する役物）の駆動装置が、動作開始位置まで駆動される場合がある（動作準備される場合がある）。通常、抽選結果が当たりの場合には他の役物が激しく動き、抽選結果が外れの場合には他の役物は停止したままとなるが、動作準備時のモータ駆動音や、振動により、他の役物の演出を待つことなく抽選結果を遊技者が知ることになってしまい、遊技者の興趣を低減させるという問題点があった。
【０２１２】
そのため、操作デバイス２３００においても、駆動モータＭ１の駆動音や振動で、抽選結果が予想できてしまい、傾倒装置２３１０の操作を行う意義が薄れ、遊技者が操作を行うことを止めてしまう恐れがある。
【０２１３】
これに対し、本実施形態では、図２４及び図２５に示す状態の両方において、同様に駆動モータＭ１は回転されるので、同様の駆動音や振動が発生する一方で、その駆動モータＭ１の回転方向によって切替動作部材２３２６が底受け部材３６１に当接するか否かが変化される。切替動作部材２３２６が底受け部材３６１に当接することにより生じる傾倒装置２３１０の変位は僅かであり、目視では切替動作部材２３２６が底受け部材３６１に当接しているか否かを確認しづらい態様で構成される。
【０２１４】
従って、例えば、抽選結果が当たりの場合の、傾倒装置２３１０が下降位置に配置される際に切替動作部材２３２６が振動動作する確率を高くすることにより、切替動作部材２３２６と底受け部材３６１とが当接することにより生じる繰り返し負荷を手にかけられる負荷の変化として感じることにより抽選結果を予想することができるので、遊技者が傾倒装置２３１０を下降位置まで押し込む意義を高くすることができる。これにより、操作デバイス２３００の有効活用を図る（遊技者に傾倒装置２３１０を押させる）ことができる。
【０２１５】
図２３に戻って説明する。軸カバー２３３０は、作用爪部２３３２が、手前側（図２３左側）の傾斜角度が緩い一方で、奥側（図２３右側）の傾斜角度が急となっており、遊技者に与える負荷の上昇を抑制可能に構成される。
【０２１６】
図２６及び図２７を参照して、傾倒装置２３１０の回転（傾倒）に伴うピストン部材２３６２ａの上下動作について説明する。図２６（ａ）及び図２６（ｂ）と図２７（ａ）及び図２７（ｂ）は、図１９（ａ）のＸＩＸｂ―ＸＩＸｂ線に対応する線における傾倒装置２３１０の部分断面図である。
【０２１７】
図２６（ａ）では、傾倒装置２３１０が上昇位置から３°回転され作用爪部２３３２とピストン部材２３６２ａとが当接開始した点が、図２６（ｂ）では、図２６（ａ）に示す状態から傾倒装置２３１０が１０°回転され作用爪部２３３２がピストン部材２３６２ａを押し下げた状態が、図２７（ａ）では、図２６（ｂ）に示す状態から傾倒装置２３１０が５°回転されピストン部材２３６２ａが上昇した状態が、図２７（ｂ）では、図２７（ａ）に示す状態から傾倒装置２３１０が５°回転されピストン部材２３６２ａが初期位置まで上昇した状態が、それぞれ図示される。
【０２１８】
図２６及び図２７に示すように、下ケース２３６０は、第１実施形態の筒状受け部３６１ｃに比較して下方に配置される筒状受け部２３６１ｃを備え、その内側を上下方向に動作するピストン部材２３６２ａの上端部は正面側が円弧で切り欠かれる形状から構成される。
【０２１９】
図２６及び図２７に示すように、作用爪部２３３２の下端面２３３２ｂは、図２６（ｂ）に示す状態（上昇位置から１３°回転された状態）で、切替点２３３２ｃとピストン部材２３６２ａとが当接されると共に、その切替点２３３２ｃの後方（図２６（ａ）右方）の後側円弧部２３３２ｅが、切替点２３３２ｃから遠ざかるほど回転軸Ｏ１からの長さが短くなる態様で構成される。なお、回転軸Ｏ１を中心として回転軸Ｏ１から切替点２３３２ｃまでの距離を半径とする円弧Ｃ１が想像線で図示される。
【０２２０】
傾倒装置２３１０を傾倒させる場合に傾倒装置２３１０に与えられる負荷について説明する。なお、ピストン部材２３６２ａから傾倒装置２３１０の移動方向に与えられる負荷は、ピストン部材２３６２ａの移動方向に沿った傾倒装置２３１０の変位量の成分比が変わることにより傾倒装置２３１０の姿勢によっても変動するが、ここではその説明は省略し、コイルスプリング３６２ｂの変位量に比例する負荷が全て傾倒装置２３１０の移動方向に対抗してかけられると仮定して説明する。
【０２２１】
傾倒装置２３１０を上昇位置から３°回転させた位置を基準として、傾倒装置２３１０を１０°回転させる場合（図２６（ａ）に示す状態から図２６（ｂ）に示す状態まで傾倒装置２３１０を回転させる場合）、作用爪部２３３２の切替点２３３２ｃの手前側（図２６（ｂ）左側）の前側円弧部２３３２ｄがピストン部材２３６２ａを位置Ｐ１まで押し込むことにより、付勢装置２３６２のコイルスプリング３６２ｂが変位して、ピストン部材２３６２ａから作用爪部２３３２に与えられる負荷が増大する。なお、傾倒装置２３１０を回転させる場合、遊技者は、ねじりバネ３４３と付勢装置２３６２との両方から負荷を受けるので、図２６（ａ）から図２６（ｂ）まで傾倒装置２３１０を回転させるに伴って、遊技者に与えられる負荷は増加する。
【０２２２】
図２６（ｂ）に示す状態から、傾倒装置２３１０を５°回転させる場合（図２６（ｂ）に示す状態から図２７（ａ）に示す状態まで傾倒装置２３１０を回転させる場合）、ピストン部材２３６２ａは位置Ｐ２まで上昇する。即ち、円弧Ｃ１に沿って後側円弧部２３３２ｅが形成される場合には傾倒装置２３１０の回転に対してピストン部材２３６２ａの位置が維持されるので、その円弧Ｃ１よりも半径が小さく形成されることにより、ピストン部材２３６２ａが図２６（ｂ）に示す位置Ｐ１から位置Ｐ２まで上昇する。
【０２２３】
そのため、図２６（ｂ）に示す状態から図２７（ａ）に示す状態まで傾倒装置２３１０を回転させる場合、遊技者は、ねじりバネ３４３の変位による負荷の増加と、コイルスプリング３６２ｂの変位の回復による負荷の減少との合力を負荷として受ける。
【０２２４】
本実施形態では、ねじりバネ３４３が５°だけ変位する場合に生じる付勢力の変化量と、コイルスプリング３６２ｂが位置Ｐ１と位置Ｐ２との間の距離だけ変位する場合に生じる付勢力の変化量とが、同等となるようにねじりバネ３４３及びコイルスプリング３６２ｂが選定される。従って、図２６（ｂ）の状態と、図２７（ａ）の状態とで遊技者が受ける負荷は一定とされる。
【０２２５】
図２７（ａ）に示す状態から、傾倒装置２３１０を５°回転させる場合（図２７（ａ）に示す状態から図２７（ｂ）に示す状態まで傾倒装置２３１０を回転させる場合）、ピストン部材２３６２ａは位置Ｐ３まで上昇する。ここで、位置Ｐ３は、位置Ｐ２から、位置Ｐ１と位置Ｐ２との間の距離だけ上昇した位置とされる。
【０２２６】
即ち、図２７（ａ）に示す状態から、図２７（ｂ）に示す状態まで傾倒装置２３１０が回転（傾倒）する場合、図２６（ｂ）に示す状態から図２７（ａ）に示す状態まで傾倒装置２３１０を回転させる場合と同じだけ、ねじりバネ３４３及びコイルスプリング３６２ｂがそれぞれ変位する。従って、図２７（ａ）の状態と、図２７（ｂ）の状態とで遊技者が受ける負荷は一定とされる。そのため、図２６（ｂ）から図２７（ｂ）までの間（傾倒装置２３１０を１０°回転させる期間）、遊技者が受ける負荷を一定とすることができる。
【０２２７】
次いで、図２８を参照して、傾倒装置２３１０を操作する際に、遊技者に傾倒装置２３１０から与えられる負荷について説明する。図２８は、傾倒装置２３１０の上昇位置からの傾倒角度に対して傾倒装置２３１０に与えられる負荷を表すグラフである。図２８に示すグラフには、横軸に、傾倒装置２３１０が上昇位置に配置された状態を左端として、そこから右方へ増大する態様で傾倒角度が示され、縦軸に、傾倒装置２３１０を介して遊技者に与えられる負荷が示される。
【０２２８】
図２８に示すように、傾倒装置２３１０を介して遊技者に与えられる負荷は、傾倒装置２３１０が上昇位置から３°だけ傾倒される状態（図２６（ａ）参照）までは、ねじりバネ３４３（図１０参照）のバネ定数に比例して所定の角度α１で上昇する。
【０２２９】
傾倒装置２３１０が上昇位置から３°だけ傾倒される状態を境に、ピストン部材２３６２ａ（図２６（ａ）参照）を介してコイルスプリング３６２ｂの変位に応じた付勢力が傾倒装置２３１０に負荷される。
【０２３０】
コイルスプリング３６２ｂは、組立状態（図８参照）において、予め自然長から縮められた状態で配設されるので、傾倒装置２３１０が上昇位置から３°だけ傾倒する位置において、遊技者が感じる負荷が急激に変化する（負荷の変化割合が変化する）。本実施形態では、この位置を境に制御をプッシュ操作とペダル操作とで切り替えるようにしているので、遊技者は急激な負荷の変化を目印に操作方法を切り替えることを容易に行うことができる。
【０２３１】
傾倒装置２３１０が上昇位置から３°だけ傾倒する状態から更に１０°傾倒する状態までは、遊技者に与えられる負荷が、ねじりバネ３４３による負荷の上昇割合（角度α１）よりも大きな割合で増加する。
【０２３２】
傾倒装置２３１０が上昇位置から１３°だけ傾斜する状態から更に１０°傾斜する状態までは、遊技者に与えられる負荷が一定とされる。これにより、傾倒装置２３１０が角度１３°の姿勢からも更に付勢力が増加する場合に比較して、遊技者が傾倒装置２３１０をペダル操作する際の負担を低減することができると共に、傾倒装置２３１０を一定の角度で維持する操作を行うことを容易にすることができる。
【０２３３】
次いで、図２９から図３１を参照して、第３実施形態について説明する。第１実施形態では、付勢装置３６２のピストン部材３６２ａの姿勢が固定される場合を説明したが、第３実施形態における操作デバイス３３００は、ピストン部材３６２ａが上下移動の途中で傾倒動作可能な場合を説明する。なお、上述した各実施形態と同一の部分には同一の符号を付して、その説明は省略する。
【０２３４】
図２９（ａ）は、第３実施形態における回転ピストン部材３３６４の正面斜視図であり、図２９（ｂ）は、下ケース３３６０の部分正面斜視図であり、図２９（ｃ）は、軸カバー３３３０の部分正面斜視図である。なお、図２９（ｂ）では、筒状受け部３３６１ｃの内周形状の手前側の一部が想像線で図示され、図２９（ｃ）では、回転ピストン部材３３６４の組立構造が部分的に想像線で図示される。
【０２３５】
図２９（ａ）に図示されるように、回転ピストン部材３３６４は、筒状受け部３３６１ｃの内径よりも若干小さな径で構成される球状部に板状部が延設される本体部材３３６４ａと、その本体部材３３６４ａの下部から板状部の延設される平面と同一平面上に断面コ字状に切り欠かれる切り欠き部３３６４ｂと、その切り欠き部３３６４ｂに挿通され変位可能に配設される長尺棒形状の棒部材３３６４ｃと、その棒部材３３６４ｃを軸支すると共に本体部材３３６４ａの球状部の内部に貫通固定される貫通軸部材３３６４ｄと、を主に備える。
【０２３６】
棒部材３３６４ｃは、本体部材３３６４ａに収容される側の端部に棒部材３３６４ｃが挿通される軸支孔を備え、その反対側の端部に軸支孔の貫通方向と平行な方向に凸設される案内ピン部３３６４ｃ１を備える。
【０２３７】
貫通軸部材３３６４ｄは、本体部材３３６４ａの球状部に、板状部の厚さ方向に沿って穿設される支持孔に挿通固定され、貫通軸部材３３６４ｄに棒部材３３６４ｃが回転可能に軸支される。
【０２３８】
図２９（ｂ）に図示されるように、回転ピストン部材３３６４は、下ケース３３６０の筒状受け部３３６１ｃに支持される。筒状受け部３３６１ｃは、内周が回転ピストン部材３３６４の本体部材３３６４ａの球状部の直径よりも若干大きな内径で形成される筒状に形成され、その上面に蓋がされ、その蓋に回転ピストン部材３３６４の本体部材３３６４ａの板状部の厚さよりも若干大きな幅の切り込み部３３６１ｄが形成される。
【０２３９】
この切り込み部３３６１ｄを介して棒部材３３６４ｃ及び本体部材３３６４ａが筒状受け部３３６１ｃの外方へ張り出される。
【０２４０】
図２９（ｃ）に図示されるように、軸カバー３３３０は、円筒下半部３３３１に、棒部材３３６４ｃが挿通される貫通孔３３３１ｇと、その貫通孔３３３１ｇが形成される平面と同一平面に沿って形成されると共に上面に切り込みを有する円弧状の長孔を備えると共に案内ピン部３３６４ｃ１を支持可能に構成される支持長孔部３３３１ｈと、を備える。なお、支持長孔部３３３１ｈは、回転軸Ｏ１を中心として角度３０°の範囲で延設される。
【０２４１】
組立状態において、案内ピン部３３６４ｃ１は支持長孔部３３３１ｈに挿通される。その組立方法は、作用爪部３３２が回転ピストン部材３３６４と当接しない姿勢で傾倒装置３３１０を下ケース３３６０に近づけ、貫通孔３３３１ｇに棒部材３３６４ｃを挿通させた後で傾倒装置３３１０を回転させ回転ピストン部材３３６４を所定量押し込む方法である。これにより、案内ピン部３３６４ｃ１を支持長孔部３３３１ｈの切り込みを通して支持長孔部３３３１ｈに内嵌させることができ、図３０（ａ）に示す組立状態を構成することができる。
【０２４２】
次いで、図３０及び図３１を参照して、回転ピストン部材３３６４の動作について説明する。図３０（ａ）、図３０（ｂ）、図３１（ａ）及び図３１（ｂ）は、図１９（ａ）のＸＩＸｂ―ＸＩＸｂ線に対応する線における傾倒装置３３１０の部分断面図である。なお、図３０（ａ）では、傾倒装置３３１０が上昇位置に配置された状態が図示され、図３０（ｂ）では、傾倒装置３３１０が上昇位置から３°回転（傾倒）された状態が図示され、図３１（ａ）では、傾倒装置３３１０が上昇位置から１０°回転（傾倒）された状態が図示され、図３１（ｂ）では、傾倒装置３３１０が上昇位置から２０°回転（傾倒）された状態が図示される。
【０２４３】
図３０（ａ）及び図３０（ｂ）に示すように、傾倒装置３３１０が上昇位置に配置された状態では、案内ピン部３３６４ｃ１が支持長孔部３３３１ｈの正面側（図３０（ａ）左側）の端部に配置され、傾倒装置３３１０が上昇位置から３°回転された状態では、案内ピン部３３６４ｃ１が支持長孔部３３３１ｈの中間に配置される。
【０２４４】
図３０（ａ）から図３０（ｂ）までの間、回転ピストン部材３３６４の位置は変化しておらず、支持長孔部３３３１ｈの形状が回転軸Ｏ１を中心とした円弧形状とされるので、案内ピン部３３６４ｃ１と支持長孔部３３３１ｈとの間で負荷は生じず、遊技者に与えられる負荷はねじりバネ３４３によって生じる付勢力のみとされる。
【０２４５】
図３１（ａ）に示すように、傾倒装置３３１０が上昇位置から１０°回転された状態では、作用爪部３３２に回転ピストン部材３３６４が押し下げられると共に、案内ピン部３３６４ｃ１が支持長孔部３３３１ｈの後側（図３１（ａ）右側）の端部に配置される。この状態において、傾倒装置３３１０には、ねじりバネ３４３から受ける負荷に加え、回転ピストン部材３３６４の下方に配置されるコイルスプリング３６２ｂから生じる付勢力が負荷される。
【０２４６】
図３１（ｂ）に示すように、傾倒装置３３１０が上昇位置から２０°回転された状態では、支持長孔部３３３１ｈが回転軸Ｏ１を中心として更に時計回りに回転されることにより、案内ピン部３３６４ｃが引っ張られ、それにより回転ピストン部材３３６４が回転することにより、作用爪部３３２と当接する本体部材３３６４ａの板状部の上端部分が、作用爪部３３２から逃げる方向に移動する。これにより、回転ピストン部材３３６４がそれ以上下方に移動することを抑制することができるので、コイルスプリング３６２ｂが更に縮むことを防止することができ、傾倒装置３３１０に与えられる負荷の増大を抑制することができる。
【０２４７】
次いで、図３２から図３４を参照して、第４実施形態について説明する。第１実施形態では、傾倒装置３１０がバネ弾性を備えるバネ部材により付勢される場合を説明したが、第４実施形態における操作デバイス４３００は、傾倒装置４３１０が磁力による付勢力を受ける場合を説明する。なお、上述した各実施形態と同一の部分には同一の符号を付して、その説明は省略する。
【０２４８】
図３２（ａ）、図３２（ｂ）、図３３（ａ）及び図３３（ｂ）は、図１９（ａ）のＸＩＸｂ―ＸＩＸｂ線に対応する線における第４実施形態における操作デバイス４３００の断面図である。なお、図３２（ａ）では、傾倒装置４３１０が上昇位置に配置された状態が、図３２（ｂ）では、図３２（ａ）に示す状態から傾倒装置４３１０が３°回転（傾倒）された状態が、図３３（ａ）では、図３２（ｂ）に示す状態から傾倒装置４３１０が５°回転（傾倒）された状態（上昇位置から８°回転（傾倒）された状態）が、図３３（ｂ）では、図３３（ａ）に示す状態から傾倒装置４３１０が５°回転（傾倒）された状態（上昇位置から１３°回転（傾倒）された状態）がそれぞれ図示される。なお、本実施形態では、図３２（ａ）に示す状態において付勢装置３６２のコイルスプリング３６２ｂが自然長で配設される。
【０２４９】
図３２及び図３３に示すように、操作デバイス４３００は、磁性体材料から形成され傾倒装置４３１０の下カバー３２０の湾曲壁部３２２に固定される移動磁石Ｍａ１と、その移動磁石Ｍａ１と対向配置する態様で下ケース３６０の右側センサ固定板３６３ｂの後端部に固定されると共に磁性体材料から形成される固定磁石Ｍａ２と、を備える。なお、移動磁石Ｍａ１及び固定磁石Ｍａ２は、回転軸Ｏ１を中心とした円弧に沿った形状で形成され、移動磁石Ｍａ１は中心角度が約５°の円弧形状で、固定磁石は中心角度が約３°の円弧形状で、それぞれ構成されると共に、回転軸Ｏ１を中心とした径方向で磁性が切り替わり、近接するほど吸着方向の磁力が働く態様で構成される。
【０２５０】
移動磁石Ｍａ１及び固定磁石Ｍａ２の作用について説明する。図３２（ａ）に示すように、傾倒装置４３１０が上昇位置に配置された状態において、移動磁石Ｍａ１及び固定磁石Ｍａ２の対向する面が回転軸Ｏ１を中心とした径方向で重ならない位置に移動磁石Ｍａ１及び固定磁石Ｍａ２が配設される。移動磁石Ｍａ１及び固定磁石Ｍａ２の吸着力は対向配置して重なる面の面積に比例して増大するが、対向する面が重ならない場合には、吸着力が発生しない（無視できるほど小さい）。
【０２５１】
また、図３２（ａ）に示すように、固定磁石Ｍａ２の上端位置と、移動磁石Ｍａ１の下端位置とが回転軸Ｏ１を中心とした径方向で一致するので、傾倒装置４３１０が移動開始すると移動磁石Ｍａ１と固定磁石Ｍａ２との間で吸着方向の磁力が作用し始める。
【０２５２】
図３２（ｂ）に示すように、傾倒装置４３１０が上昇位置から３°回転した状態において、移動磁石Ｍａ１と固定磁石Ｍａ２とが回転軸Ｏ１の径方向で重なる面積が最大となる。即ち、傾倒装置４３１０が上昇位置に配置された状態から回転（傾倒）するごとに、その回転角度に比例して移動磁石Ｍａ１と固定磁石Ｍａ２との間で生じる磁力が増大し、図３２（ｂ）に示す状態で最大となる。また、移動磁石Ｍａ１の上端位置は固定磁石Ｍａ２の上端位置から２°分上方に配置されるので、図３２（ｂ）の状態から更に傾倒装置４３１０が２°回転されるまで（上昇位置からの回転角度が３°から５°まで）は磁力が最大の状態が維持される。
【０２５３】
図３３（ａ）に示すように、傾倒装置４３１０が上昇位置から８°回転した状態において、固定磁石Ｍａ２の下端位置と移動磁石Ｍａ１の上端位置とが回転軸Ｏ１を中心とした径方向で一致する。即ち、移動磁石Ｍａ１及び固定磁石Ｍａ２の対向する面が重ならなくなるので、移動磁石Ｍａ１と固定磁石Ｍａ２との間で磁力が生じなくなる（無視できるほど小さくなる）。
【０２５４】
図３３（ｂ）の状態に到達するまでには、傾倒装置４３１０が上昇位置から５°回転（傾倒）した位置から、傾倒装置４３１０が回転（傾倒）するのに伴って、移動磁石Ｍａ１と固定磁石Ｍａ２との対向する面の重なる面積が減少する。そのため、傾倒装置４３１０が上昇位置から５°回転した位置（磁力が最大となる位置）から、図３３（ｂ）の状態に到達するまでの間、傾倒装置４３１０の回転角度に比例して移動磁石Ｍａ１と固定磁石Ｍａ２との間で発生する磁力が減少する。
【０２５５】
図３３（ｂ）に示すように、上昇位置から傾倒装置４３１０が１３°回転した状態では、移動磁石Ｍａ１と固定磁石Ｍａ２とが離間され、傾倒装置４３１０に与えられる負荷は、ねじりバネ３４３及び付勢装置３６２により生じる付勢力のみとなる。従って、傾倒装置４３１０が回転（傾倒）するに従って、傾倒装置４３１０に与えられる負荷は増大する。
【０２５６】
図３４を参照して、傾倒装置４３１０から遊技者に与えられる負荷について説明する。図３４は、傾倒装置４３１０の上昇位置からの傾倒角度に対して傾倒装置４３１０に与えられる負荷を表すグラフである。図３４に示すグラフには、横軸に、傾倒装置４３１０が上昇位置に配置された状態（図３２（ａ）参照）を左端として、そこから右方へ増大する態様で傾倒角度が示され、縦軸に、傾倒装置４３１０を介して遊技者に与えられる負荷が示される。なお、図３４では、理解を容易とするために、コイルスプリング３６２ｂの変位が傾倒装置４３１０の回転角度に比例すると仮定したグラフが記載される（第１実施形態で上述した作用爪部３３２の形状による効果が無視される）。
【０２５７】
図３４に示すように、傾倒装置４３１０を介して遊技者に与えられる負荷は、傾倒装置４３１０が上昇位置から３°だけ傾倒される状態（図３２（ｂ）参照）までは、ねじりバネ３４３（図１０参照）のバネ定数に比例して所定の角度α１で上昇する直線に移動磁石Ｍａ１と固定磁石Ｍａ２との間に傾倒装置４３１０の回転方向の成分として生じる磁力ＭＦ１を加えた態様で、傾倒装置４３１０の回転角度に比例して増加する。
【０２５８】
傾倒装置４３１０が上昇位置から３°だけ傾倒される状態を境に、ピストン部材３６２ａ（図３２（ｂ）参照）を介してコイルスプリング３６２ｂの変位に応じた付勢力が傾倒装置４３１０に負荷され始めると共に、移動磁石Ｍａ１と固定磁石Ｍａ２との対向する面の回転軸Ｏ１の径方向で重なる面積が最大となりはじめる。
【０２５９】
面積が最大の区間は傾倒装置４３１０の回転角度が５°となるまで続くので、その区間は、磁力の変化は生じず、ねじりバネ３４３（図１０参照）及びコイルスプリング３６２ｂ（図３２（ｂ）参照）の変位により付勢力が増加することで、傾倒装置４３１０に与えられる負荷が変化する。なお、上述したように、本実施形態ではコイルスプリング３６２ｂが自然長で配設されるので、傾倒装置４３１０の回転角度が上昇位置から３°の状態から、負荷が滑らかに上昇する。
【０２６０】
傾倒装置４３１０の回転角度が上昇位置から５°である位置から傾倒装置４３１０が３°回転（傾倒）する（上昇位置から８°の位置まで回転（傾倒）する）際には、移動磁石Ｍａ１と固定磁石Ｍａ２との対向する面の回転軸Ｏ１の径方向で重なる面積が減少し始める。この減少量が、ねじりバネ３４３（図１０参照）及びコイルスプリング３６２ｂ（図３２（ｂ）参照）の変位により生じる付勢力の増加量よりも大きくされることにより、回転角度が５°の位置から８°の位置までにおいて遊技者に与えられる負荷が減少する。
【０２６１】
即ち、傾倒装置４３１０が上昇位置から回転角度が５°の位置までの間に配置される間は、回転角度が大きくなるにつれ遊技者に与えられる負荷は増加し、その一方で回転角度が５°の位置から回転角度が８°の位置までの間は、回転角度が大きくなるにつれ遊技者に与えられる負荷が減少するので、回転角度が５°の位置を境に負荷の変化割合の正負が逆転することになる。そのため、回転角度が５°の位置で負荷の変化割合が変化したことを遊技者が認識し易くすることができ、回転角度が５°の位置を、遊技者が傾倒装置４３１０を操作した量を把握するための目印として利用することができるので、本構成を遊技に役立てることができる。
【０２６２】
傾倒装置４３１０の回転角度が上昇位置から８°である位置から更に回転させると、磁力による負荷の変動は無くなるので、傾倒装置４３１０の回転角度を増加させるにつれて、ねじりバネ３４３（図１０参照）及びコイルスプリング３６２ｂ（図３２（ｂ）参照）の変位により遊技者に与えられる付勢力が増大する。即ち、回転角度が８°の位置を境に負荷の変化割合の正負が再度、逆転することになる。そのため、回転角度が８°の位置で負荷の変化割合が変化したことを遊技者が認識し易くすることができ、回転角度が８°の位置を、遊技者が傾倒装置４３１０を操作した量を把握するための目印として利用することができる。
【０２６３】
図３４に示すように、本実施形態では、傾倒装置４３１０を回転させる過程において、回転角度が８°の位置を谷底として遊技者に与えられる負荷が減少する。そのため、傾倒装置４３１０の回転角度が増加するに従って遊技者に与えられる負荷が増大する場合に比較して、回転角度が８°の姿勢で傾倒装置４３１０を維持することを容易とすることができる。これにより、ペダル操作の前段階において、上昇位置から傾倒装置４３１０を３°以上回転させた位置において傾倒装置４３１０の姿勢を維持することを容易とすることができる。
【０２６４】
なお、本実施形態では、傾倒装置４３１０を回転角度８°の位置から５°の位置まで復帰させる復帰装置（エアーを傾倒装置４３１０の周方向に沿って下方から噴出する装置など、図示せず）を備える。これにより、傾倒装置４３１０の下降位置から上昇位置への復帰動作を補助し、傾倒装置４３１０が回転角度８°の位置で停止し続けることを防止することができる。
【０２６５】
次いで、図３５から図４２を参照して、第５実施形態について説明する。第１実施形態では、傾倒装置３１０の回転（傾倒）角度によってのみ傾倒装置３１０を上昇位置側へ復帰させる付勢力が変化する場合を説明したが、第５実施形態における操作デバイス５３００は、傾倒装置５３１０の回転（傾倒）速度によっても傾倒装置５３１０へ与えられる付勢力が変化する場合（回転速度が大きい時に付勢力が増加する場合）を説明する。なお、上述した各実施形態と同一の部分には同一の符号を付して、その説明は省略する。
【０２６６】
図３５は、第５実施形態における操作デバイス５３００の側面図である。図３５に示すように、操作デバイス５３００は、傾倒装置５３１０の上カバー５３１１が、湾曲壁部５３１６の左右方向に沿って溝状に凹設される凹設部５３１６ｂを備える態様で構成されると共に、上ケース５３７０の後上部に第３付勢装置５３８０を備える。第３付勢装置５３８０は、湾曲壁部５３１６と当接することにより傾倒装置５３１０に負荷を与える装置である。
【０２６７】
図３６を参照して、第３付勢装置５３８０の上ケース５３７０との組立構造について説明する。図３６（ａ）は、上ケース５３７０の上面図であり、図３６（ｂ）及び図３６（ｃ）は、図３６（ａ）のＸＸＸＶＩｂ−ＸＸＸＶＩｂ線における上ケース５３７０及び第３付勢装置５３８０の断面図である。なお、図３６（ｃ）では、第３付勢装置５３８０の回転ローラ５３８１の図示が省略される。
【０２６８】
図３６に示すように、上ケース５３７０は、その後上部において正面側へ向けて開放される箱状の収容箱部５３７１と、その収容箱部５３７１の側面に前後方向に沿って長孔として延設される逃げ孔５３７２と、回転ローラ５３８１を２点で支持する一対の円柱部５３７３と、ねじりバネ５３８３が係止される係止部５３７４と、を主に備える。
【０２６９】
第３付勢装置５３８０は、傾倒装置５３１０と当接することで傾倒装置５３１０の回転（傾倒）に伴って回転する回転ローラ５３８１と、その回転ローラ５３８１を回転可能に軸支すると共に逃げ孔５３７２に挿通される軸棒部材５３８２と、その軸棒部材５３８２に巻き付けられると共に回転ローラ５３８１に弾性的な付勢力を与えるねじりバネ５３８３と、を主に備える。
【０２７０】
ねじりバネ５３８３は、一方の腕部が係止部５３７４の下方から当接し、他方の腕部が回転ローラ５３８１の凸設ピン５３８１ｃの下方から当接することで、回転ローラ５３８１が下方へ巻き込まれる方向（図３６（ｂ）反時計回り）に回転する場合に付勢力が上昇する態様とされる。一方、回転ローラ５３８１が上方へ向かう方向（図３６（ｂ）時計回り）に回転する場合には、回転ローラ５３８１の凸設ピン５３８１ｃがねじりバネ５３８３の他方の腕部から離反するだけであり、付勢力の変化は生じない。
【０２７１】
図３７を参照して、回転ローラ５３８１について説明する。図３７（ａ）は、回転ローラ５３８１の側面図であり、図３７（ｂ）は、図３７（ａ）の矢印ＸＸＸＶＩＩｂにおける回転ローラ５３８１の正面図である。
【０２７２】
図３７に示すように、回転ローラ５３８１は、円盤形状に形成される本体部５３８１ａと、その本体部５３８１ａの円の中心に断面円形状で厚さ方向に穿設されると共に軸棒部材５３８２（図３６（ｃ）参照）が挿通される貫通孔５３８１ｂと、本体部５３８１ａの偏心した位置から厚さ方向に沿って凸設される凸設ピン５３８１ｃと、本体部５３８１ａの外周面から中心部へ向けて凹設されると共に軸心方向に亘って延設される凹設部５３８１ｄと、を主に備える。
【０２７３】
凸設ピン５３８１ｃは、ねじりバネ５３８３が係止される部分であって、ねじりバネ５３８３の腕部に上方から当接する（図３６（ｂ）参照）。凹設部５３８１ｄは、回転ローラ５３８１を後方へ移動可能とするための凹設部分であって、円柱部５３７３の直径よりも大きな幅で凹設される。
【０２７４】
次いで、傾倒装置５３１０と第３付勢装置５３８０との動作の関係について説明する。図３８（ａ）、図３８（ｂ）、図３９（ａ）、図３９（ｂ）、図４０（ａ）及び図４０（ｂ）は、図３６（ａ）のＸＸＸＶＩｂ−ＸＸＸＶＩｂ線に対応する線における操作デバイス５３００の断面図である。
【０２７５】
図３８（ａ）では、傾倒装置５３１０が上昇位置に配置された状態が図示され、図３８（ｂ）では、傾倒装置５３１０が上昇位置から３°回転（傾倒）した状態が図示され、図３９（ａ）では、図３８（ｂ）に示す状態から傾倒装置５３１０が更に所定量回転（傾倒）した状態が図示され、図３９（ｂ）では、傾倒装置５３１０が上昇位置から６°回転（傾倒）した状態が図示され、図４０（ａ）では、図３９（ｂ）に示す状態から傾倒装置５３１０が素早く１４°回転（傾倒）した状態が図示され、図４０（ｂ）では、図４０（ａ）に示す状態から傾倒装置５３１０が更に回転（傾倒）した状態がそれぞれ図示される。
【０２７６】
図３８から図４０に示すように、上カバー５３１１の湾曲壁部５３１６は、凹設部５３１６ｂと、回転ローラ５３８１に当接する部分である当接部５３１６ｃとを組で備える。即ち、回転ローラ５３８１と最初に当接する当接部５３１６ｃ（回転軸Ｏ１を中心に３°で形成）及びそれに続く凹設部５３１６ｂ（回転軸Ｏ１を中心に２．５°で形成）と、同様の形状でその後に続く２組の当接部５３１６ｃ及び凹設部５３１６ｂが形成される。なお、最後の当接部５３１６ｃ（最上部に配置される凹設部５３６１ｂの下側の当接部）は、他の当接部５３６１ｃに比較して、約半分の幅（回転軸Ｏ１を中心に約１．５°）で形成される。
【０２７７】
図３８（ａ）では、回転ローラ５３８１と対面する位置に凹設部５３１６ｂが配置されるので、回転ローラ５３８１と湾曲壁部５３１６とが当接せず、傾倒装置５３１０を回転させたとしても、回転ローラ５３８１から傾倒装置５３１０に与えられる負荷の上昇は生じない。
【０２７８】
図３８（ｂ）に示すように、傾倒装置５３１０を上昇位置から３°回転させると、当接部５３１６ｃと回転ローラ５３８１とが当接開始する。ここから更に傾倒装置５３１０を回転させることにより（図３９（ａ）参照）、回転ローラ５３８１からねじりバネ５３８３の変位に伴う付勢力が傾倒装置５３１０に与えられ始める。
【０２７９】
図３９（ｂ）に示すように、傾倒装置５３１０を図３８（ａ）に示す状態から６°回転させると、当接部５３１６ｃの上端部に回転ローラ５３８１が当接する。この位置から、僅かに傾倒装置５３１０を回転させると、回転ローラ５３８１と凹設部５３８１ｄとが対面し、回転ローラ５３８１と湾曲壁部５３１６との当接が解除されるため、回転ローラ５３８１がねじりバネ５３８３の付勢力により初期位置に復帰しようとする。
【０２８０】
そのため、傾倒装置５３１０を回転させる速度が遅い場合には、次の当接部５３１６ｃ（図３９（ｂ）において、回転ローラ５３８１が当接している当接部５３１６ｃの上隣の当接部５３１６ｃ）が回転ローラ５３８１と当接する前に回転ローラ５３８１が初期位置（図３８（ａ）参照）に復帰する。
【０２８１】
一方で、図４０（ａ）に示すように、回転ローラ５３８１が復帰する前に次の当接部５３１６ｃを回転ローラ５３８１と当接させる態様で傾倒装置５３１０を素早く回転させる場合、回転ローラ５３８１と当接部５３１６ｃとが対面し、傾倒装置５３１０が回転（傾倒）する毎に回転ローラ５３８１及びねじりバネ５３８３の変位が大きくなり（蓄積され）、回転ローラ５３８１から傾倒装置５３１０へ与えられる負荷が大きくなる。
【０２８２】
従って、傾倒装置５３１０が回転する速度によって、遊技者に与えられる負荷を変化させることができる。なお、本実施形態では、傾倒装置５３１０が上昇位置から３°回転した位置を境に、プッシュ操作とペダル操作とが切替られるが、図３８（ａ）及び図３８（ｂ）で上述したように、プッシュ操作に対応する上昇位置から３°までの位置では、傾倒装置５３１０と回転ローラ５３８１とが当接しないので、この位置において遊技者が傾倒装置５３１０をどれだけ素早く操作しようと、負荷が過大となることは無い。そのため、遊技者がプッシュ操作を行う際の傾倒装置５３１０の変位の速度によっては傾倒装置５３１０の操作抵抗は変化せず、例えば、プッシュ操作で連打を行う場合に傾倒装置５３１０の動きが固くなり連打に支障が出るという事態を回避することができる。
【０２８３】
一方で、上昇位置から３°より大きな角度で回転した後の位置では、当接部５３１６ｃが回転ローラ５３８１と当接し始め、その後に凹設部５３１６ｂが回転ローラ５３８１と対面する位置を通過する速度により、再度、当接部５３１６ｃと回転ローラ５３８１とが当接する際の回転ローラ５３８１の状態が変化する（回転ローラ５３８１の初期位置からの回転量が変化されることにより、回転ローラ５３８１から傾倒装置５３１０へ与えられる負荷が変化する）。
【０２８４】
従って、本実施形態では、ペダル操作を行う範囲においては傾倒装置５３１０の変位の速度に応じて傾倒装置５３１０の操作抵抗を変更可能としながら、プッシュ操作を行う範囲においては傾倒装置５３１０の操作抵抗が変位の速度に依存せず、その操作性能を向上させることができる。
【０２８５】
図４０（ａ）では、当接部５３１６ｃの全周長分、回転ローラ５３８１が回転した場合が図示される。この状態において、回転ローラ５３８１の凹設部５３８１ｄが円柱部５３７３に差し掛かる状態とされる。
【０２８６】
図４０（ｂ）に示すように、図４０（ａ）から更に傾倒装置５３１０を回転させると、回転ローラ５３８１の凹設部５３８１ｄが円柱部５３７３に対向配置される。そのため、回転ローラ５３８１が円柱部５３７３に近接する方向に逃げ孔５３７２に沿って移動可能となる。
【０２８７】
これにより、回転ローラ５３８１から傾倒装置５３１０へ与えられる負荷が過大となるとしても、回転ローラ５３８１が傾倒装置５３１０から離反する方向に移動可能となるので、傾倒装置５３１０を素早く操作した場合に、遊技者が傾倒装置５３１０から受ける負荷が過大となることを防止することができる。
【０２８８】
次いで、図４１及び図４２を参照して、当接部５３１６ｃの長さを位置によって変更する場合に付いて説明する。図４１（ａ）、図４１（ｂ）及び図４２は、図３６のＸＸＸＶＩｂ−ＸＸＸＶＩｂ線に対応する線における操作デバイス５３００ｂの断面図である。
【０２８９】
操作デバイス５３００ｂは、操作デバイス５３００と比較して、湾曲壁部５３１６の凹設部５３１６ｂ及び当接部５３１６ｃの形成パターンのみが異なる。即ち、図４１（ａ）に示す上昇位置から傾倒装置５３１０ｂが最初に当接する当接部５３１６ｃは幅が短くされ（回転軸Ｏ１を中心として１°で形成）、更に上昇位置から傾倒装置５３１０ｂを素早く１０°回転させた状態（図４１（ｂ）参照）において回転ローラ５３８１と当接する当接部５３１６ｃは、幅が長くされ（回転軸Ｏ１を中心として４°で形成）、更に上昇位置から傾倒装置５３１０ｂを素早く２０°回転させた状態（図４２参照）において回転ローラ５３８１と当接する当接部５３１６ｃは、幅が更に長くされる（回転軸Ｏ１を中心として７°で形成）。
【０２９０】
そのため、傾倒装置５３１０ｂを素早く操作する遊技者にだけでなく、傾倒装置５３１０ｂを遅く操作する遊技者に対しても、傾倒装置５３１０ｂから与えられる負荷が変化するという操作感の変化を感じさせることができる。
【０２９１】
即ち、各凹設部５３８１ｄの区間で回転ローラ５３８１が初期位置に完全に復帰する程度に遅く傾倒装置５３１０ｂを操作する遊技者を想定する場合に、図４１（ｂ）で回転ローラ５３８１と当接する当接部５３１６ｃとの当接開始から当接終了までには、その当接部５３１６ｃの下方に配設される幅の短い当接部５３１６ｃと回転ローラ５３８１とが当接する場合に生じる付勢力の４倍の付勢力が与えられる。
【０２９２】
更に、図４２に図示される状態で回転ローラ５３８１と当接する当接部５３１６ｃとの当接開始から当接終了までには、幅の短い当接部５３１６ｃと回転ローラ５３８１とが当接する場合に生じる付勢力の７倍の付勢力が与えられる。また、回転ローラ５３８１と当接部５３１６ｃとの当接が解除する瞬間には、傾倒装置５３１０ｂに与えられる負荷が急激に減少する。従って、遊技者は、回転ローラ５３８１から与えられる負荷の最大値の変化と、負荷の急激な減少とが生じたことを目印として、傾倒装置５３１０ｂを目視しなくとも、傾倒装置５３１０ｂをどれくらい押し込んでいるかを予想することができる。
【０２９３】
次いで、図４３及び図４４を参照して、第６実施形態について説明する。第１実施形態では、傾倒装置３１０の回転（傾倒）角度によってのみ傾倒装置３１０を上昇位置側へ復帰させる付勢力が変化する場合を説明したが、第６実施形態における操作デバイス６３００は、傾倒装置６３１０の回転（傾倒）速度によっても傾倒装置６３１０へ与えられる付勢力が変化する場合（回転速度が大きい時に付勢力が減少する場合）を説明する。なお、上述した各実施形態と同一の部分には同一の符号を付して、その説明は省略する。
【０２９４】
図４３は、第６実施形態における操作デバイス６３００の側面図である。なお、図４３では、傾倒装置６３１０が上昇位置に配置される状態が図示されると共に、操作デバイス６３００の後ろ部分が部分的に断面視される。図４３に示すように、操作デバイス６３００は、傾倒装置６３１０の上カバー６３１１の湾曲壁部６３１６の形状が、傾倒装置６３１０が上昇位置に配置された状態において回転部材６３８１と当接する当接点Ｊ１を通り、傾倒装置６３１０の回転軸Ｏ１を中心とする円弧Ｃ６を基準として、その当接点Ｊ１から遠ざかるほど円弧Ｃ６の径よりも小さくなる形状とされると共に、上ケース６３７０の後上部に第４付勢装置６３８０を備える。第４付勢装置６３８０は、湾曲壁部６３１６と当接することにより傾倒装置６３１０に負荷を与える装置である。
【０２９５】
上ケース６３７０は、その後上部において正面側へ向けて開放される箱状の収容箱部６３７１と、その収容箱部６３７１の側面に穿設される軸支孔６３７２と、ねじりバネ６３８３が係止される係止部６３７３と、を主に備える。
【０２９６】
第４付勢装置６３８０は、傾倒装置６３１０と当接することで傾倒装置６３１０に負荷を与える回転部材６３８１と、その回転部材６３８１を回転可能に軸支すると共に軸支孔６３７２に挿通される軸棒部材６３８２と、その軸棒部材６３８２に巻き付けられると共に回転部材６３８１に弾性的な付勢力を与えるねじりバネ６３８３と、を主に備える。
【０２９７】
回転部材６３８１は、ひょうたん形状の本体部６３８１ａに、偏心して穿設され軸棒部材６３８２が挿通される貫通孔６３８１ｂを備えると共に、ねじりバネ６３８３を係止可能な態様で軸方向と平行な方向に凸設される凸設ピン６３８１ｃを備える。
【０２９８】
ねじりバネ６３８３は、一方の腕部が係止部６３７３の下方から当接し、他方の腕部が回転部材６３８１の凸設ピン６３８１ｃの下方から当接することで、回転部材６３８１が下方へ巻き込まれる方向（図４３反時計回り）に回転する場合に付勢力が上昇する態様とされる。一方、回転部材６３８１が上方へ向かう方向（図４３時計回り）に回転する場合には、回転部材６３８１の凸設ピン６３８１ｃがねじりバネ５３８３の他方の腕部から離反するだけであり、付勢力の変化は生じない。
【０２９９】
図４４（ａ）及び図４４（ｂ）は、操作デバイス６３００の部分側面図である。なお、図４４（ａ）では、傾倒装置６３１０が上昇位置から３°回転された状態が、図４４（ｂ）では、図４４（ａ）の状態から傾倒装置６３１０が素早く１７°回転された状態（上昇位置から傾倒装置６３１０が２０°回転された状態）が、それぞれ図示されると共に、図４４（ａ）及び図４４（ｂ）では、操作デバイス６３００の後ろ部分が部分的に断面視される。
【０３００】
図４４（ａ）では、図４３に示す状態から回転部材６３８１がねじりバネ６３８３の付勢力により時計回りに回転し、回転部材６３８１と湾曲壁部６３１６との当接が維持される。ここで、回転部材６３８１と湾曲壁部６３１６との当接により生じる力が傾倒装置６３１０の周方向に沿って同一であると仮定すると、図４４（ａ）で回転部材６３８１と湾曲壁部６３１６とが当接する位置から回転軸Ｏ１までの距離は、円弧Ｃ６の半径よりも短いため、図４３に示す状態に比較して、図４４（ａ）に示す状態の方が回転部材６３８１から与えられる負荷により傾倒装置６３１０に生じるモーメントの腕の長さが短くなる。
【０３０１】
従って、回転部材６３８１が湾曲壁部６３１６に当接する状態において、傾倒装置６３１０が上昇位置から回転（傾倒）する角度が大きくなるほど、回転部材６３８１により生じる傾倒装置６３１０の回転抵抗が低減される。そのため、傾倒装置６３１０が上昇位置に配置され回転され始める状態から傾倒装置６３１０に与えられる負荷を確保しつつ、傾倒装置６３１０の回転角度が大きくなった場合に、傾倒装置６３１０から遊技者に与えられる負荷が過度に大きくなることを防止することができる。
【０３０２】
図４４（ｂ）では、図４４（ａ）に示す状態から傾倒装置６３１０が素早く回転された状態が図示され、この状態において、回転部材６３８１が湾曲壁部６３１６から離間される。即ち、回転部材６３８１がねじりバネ６３８３の付勢力により回転し湾曲壁部６３１６になつくよりも高速で傾倒装置６３１０が回転された状態が図示される。
【０３０３】
この場合、回転部材６３８１から傾倒装置６３１０に与えられる負荷が無くなるので、傾倒装置６３１０を操作する為に必要な力を低減することができる。即ち、傾倒装置６３１０をゆっくりペダル操作する場合に比較して、高速でペダル操作する場合の方が傾倒装置６３１０の回転抵抗を小さくすることができるので、例えば、可動範囲の途中で傾倒装置６３１０を維持する操作をし易くするために必要な回転抵抗は確保しながら、傾倒装置６３１０を高速で操作（押し込みきる操作）を行う場合には、確保していた回転抵抗を一気に解除することにより、回転抵抗の大きな装置を押し切るような場合に比較して、遊技者が感じる疲労感を低減する事ができる。
【０３０４】
次いで、図４５及び図４６を参照して、第７実施形態について説明する。第１実施形態では、傾倒装置３１０のプッシュ操作とペダル操作との境界を付勢力の変化する姿勢で判断する場合を説明したが、第７実施形態における操作デバイス７３００は、傾倒装置７３１０を回転（傾倒）させ、ペダル操作の開始点まで到達すると傾倒装置７３１０が係止される場合を説明する。なお、上述した各実施形態と同一の部分には同一の符号を付して、その説明は省略する。
【０３０５】
図４５（ａ）、図４５（ｂ）、図４６（ａ）及び図４６（ｂ）は、図１９（ａ）のＸＩＸｂ―ＸＩＸｂ線に対応する線における第７実施形態における操作デバイス７３００の断面図である。なお、図４５（ａ）では、傾倒装置７３１０が上昇位置に配置された状態が、図４５（ｂ）及び図４６（ａ）では、傾倒装置７３１０が上昇位置から３°回転された状態が、図４６（ｂ）では、図４６（ａ）に示す状態から傾倒装置７３１０が所定量素早く回転した状態が図示される。
【０３０６】
図４５及び図４６に示すように、操作デバイス７３００は、傾倒装置７３１０の上カバー７３１１がスライド移動可能に形成されるスライド装置７３１８と、湾曲壁部７３１６に配設される変位付勢装置７３１９と、を備える態様で構成される。
【０３０７】
スライド装置７３１８は、上カバー７３１１の押圧板部３１２から後側壁部３１５へ貫通して穿設される貫通孔７３１１ａに挿通される断面Ｚ字形状の係止部材７３１８ａと、その係止部材７３１８ａを後方へ向けて付勢するコイルスプリング７３１８ｂと、を主に備える。
【０３０８】
係止部材７３１８ａは、上カバー７３１１に対して前後方向（図４５（ａ）左右方向）に移動可能に構成され、後方へ配置された場合には、傾倒装置７３１０を回転させることで、回転軸Ｏ１を中心とした回転方向で電力作用装置３６３と当接可能とされる。
【０３０９】
変位付勢装置７３１９は、下カバー７３２０の湾曲壁部７３２２に形成される切り欠き７３２２ａに収容される範囲において上カバー７３１１の湾曲壁部７３１６に軸支される作用部材７３１９ａと、その作用部材７３１９ａを湾曲壁部７３１６に近接する方向へ付勢するねじりバネ７３１９ｂと、作用部材７３１９ａの下方に配置されると共に作用部材７３１９ａが湾曲部材７３１６に対して開閉動作する側から作用部材７３１９ａに近接する方向に移動可能に構成される慣性動作部材７３１９ｃと、その慣性動作部材７３１９ｃを下方に維持する引っ張りバネ７３１９ｄと、を主に備える。
【０３１０】
作用部材７３１９ａは、先端に磁性材料から構成される移動磁石Ｍａ７が配設され、固定磁石Ｍａ２に回転軸Ｏ１を中心とした円の径方向で吸着する方向に極性を有する。作用部材７３１９ａの下端は、慣性作用部材７３１９ｃの上端に近接するほど湾曲壁部７３１６から遠ざかる態様で傾斜する。これにより、慣性作用部材７３１９ｃが上方へ移動する際に、作用部材７３１９ａを湾曲壁部７３１６から遠ざける方向に回転させることができる。
【０３１１】
慣性作用部材７３１９ｃは、十分な慣性を作用可能な程度（傾倒装置７３１０の素早い移動に対してその場に留まれる程度）に重い材料から構成され、湾曲壁部７３１６と当接する側の周面が、湾曲壁部７３１６の内周形状にそった円弧形状から形成される。そのため、慣性作用部材７３１９ｃが上カバー７３１１に対して相対移動する場合には、その移動方向は、湾曲壁部７３１６の周面に沿った方向とされる。
【０３１２】
図４５（ｂ）に示すように、傾倒装置７３１０が上昇位置から３°回転（傾倒）すると、作用爪部３３２がピストン部材３６２ａに当接し始めると共に、係止部材７３１８ａの下端が電力作用装置３６３に対して傾倒装置７３１０の回転方向で当接する。そのため、傾倒装置７３１０の回転が機械的に係止され、それ以上、傾倒装置７３１０を回転（傾倒）することができない状態を構成することができる。
【０３１３】
これにより、遊技者の誤操作を抑止することができる。即ち、第１実施形態における操作デバイス３００を操作する遊技者は、プッシュ操作をする領域とペダル操作をする領域とを、傾倒装置３１０から生じる負荷の変化により感じ取れるところ、その境界が曖昧になる場合があり、例えば、遊技者が、プッシュ操作の領域での連打を行っていると思っていても、実はペダル操作の領域まで傾倒装置３１０を押し込んでしまっており、連打が困難となる恐れがあった。これに対し、本実施形態では、負荷の変化に加えて、傾倒装置７３１０の回転が停止される位置において、プッシュ操作の領域とペダル操作の領域との境界が形成されるので、上述したような誤操作を抑制することができる。
【０３１４】
また、係止部材７３１８ａの電力作用装置３６３との当接面は、回転軸Ｏ１を中心とした円弧と垂直な面として構成される（図４５（ｂ）参照）。これにより、図４５（ｂ）に示す状態から回転方向の負荷が更にかけられた場合に、係止部材７３１８ａが電力作用装置３６３から受ける力により手前側にスライドしてしまうことを抑制することができる。
【０３１５】
図４６（ａ）に示すように、スライド装置７３１８の係止部材７３１８ａを手前側に移動させることにより、係止部材７３１８ａと電力作用装置３６３との当接が解除され、傾倒装置７３１０を回転動作させることが可能となる。
【０３１６】
傾倒装置７３１０を回転動作させる方向と係止部材７３１８ａを移動させる方向とがほぼ直角方向である（成す角度が直角に近い）ので、傾倒装置７３１０を回転させる操作と、係止部材７３１８ａを移動させる操作とを同時に行うことを困難とすることができる。これにより、自然と係止部材７３１８ａが移動してしまい、傾倒装置７３１０を誤ってペダル操作の領域まで押し込むという誤操作が起きることを防止することができる。
【０３１７】
図４６（ａ）に示す位置から傾倒装置７３１０がゆっくりと押し込まれる場合、慣性作用部材７３１９ｃが上カバー７３１１に対して相対的に停止した状態で傾倒装置７３１０が回転動作される。この場合、移動磁石Ｍａ７と固定磁石Ｍａ２との間の距離は離れたままであり、その吸着力は無視できるほど小さい。
【０３１８】
これに対し、図４６（ａ）に示す状態から押し込み操作され、過度に大きな速度で傾倒装置７３１０が変位したり、何らかの原因で係止部材７３１８ａが手前側に固定された状態で上昇位置から傾倒装置７３１０が回転操作されたりした場合には、図４６（ｂ）に示すように、慣性作用部材７３１９ｃが上カバー７３１１に対して相対変位することで作用部材７３１９ａが回転し、固定磁石Ｍａ２と移動磁石Ｍａ７との間の距離が短くなることで、磁力による抵抗が大きくなる。これにより、傾倒装置７３１０の回転抵抗を一時的に大きくすることができ、その制動効果により遊技者に操作感の変化を与えることができると共に、傾倒装置７３１０がペダル操作の領域で勢いよく回転（傾倒）することを抑制でき傾倒装置７３１０の破損防止を図ることができる。
【０３１９】
なお、傾倒装置７３１０が勢いよく下降位置まで到達した場合に慣性作用部材７３１９ｃが上方に変位していたとしても、遊技者が傾倒装置７３１０から手を離した後は、傾倒装置７３１０が上方へ復帰動作するのに伴って慣性作用部材７３１９ｃが慣性で下方へ移動されるので、傾倒装置７３１０が復帰動作する場合に移動磁石Ｍａ７と固定磁石Ｍａ２とが吸着され抵抗が大きくなることにより傾倒装置７３１０の復帰が遅れることを回避することができる。
【０３２０】
また、図４５（ａ）及び図４５（ｂ）に示すように、傾倒装置７３１０の上昇位置と、その上昇位置から３°回転された後の位置との間（図４５（ａ）で示される位置から図４５（ｂ）で示される位置との間）、即ちプッシュ操作の範囲に傾倒装置７３１０が配置される場合には、移動磁石Ｍａ７と固定磁石Ｍａ２とが回転軸Ｏ１を中心する円の径方向で重ならない態様とされる。そのため、プッシュ操作の範囲においては、傾倒装置７３１０が移動磁石Ｍａ７と固定磁石Ｍａ２との吸着力により変位が遅くなることを回避することができる。
【０３２１】
即ち、上昇位置から３°だけ傾倒装置７３１０を回転させる際に、傾倒装置７３１０を素早く回転させることで吸着力が働くとすると、プッシュ操作をした後の傾倒装置７３１０の戻り動作の速度が遅くなり、例えばプッシュ操作の範囲で連打操作を行う場合等に操作がしづらくなり、遊技の快適性が損なわれる恐れがある。
【０３２２】
これに対し、本実施形態では、プッシュ操作の範囲では移動磁石Ｍａ７と固定磁石Ｍａ２との吸着が起きないようにすることができ、任意の速度で傾倒装置７３１０を変位させたとしても、傾倒装置７３１０の戻り動作の速度が遅くなることを回避することができ、遊技の快適性を向上させることができる。
【０３２３】
次いで、図４７を参照して、第８実施形態について説明する。第１実施形態では、傾倒装置３１０の姿勢により遊技者に与えられる負荷が変化する場合を説明したが、第８実施形態における操作デバイス８３００は、傾倒装置８３１０を回転（傾倒）させる速度によって遊技者に与えられる負荷が変化する場合を説明する。なお、上述した各実施形態と同一の部分には同一の符号を付して、その説明は省略する。
【０３２４】
図４７（ａ）及び図４７（ｂ）は、図１９（ａ）のＸＩＸｂ―ＸＩＸｂ線に対応する線における第８実施形態における操作デバイス８３００の部分断面図である。なお、図４７（ａ）では、傾倒装置８３１０が上昇位置に配置された状態が、図４７（ｂ）では、傾倒装置８３１０が上昇位置から所定角度だけ素早く回転した状態が図示される。
【０３２５】
図４７に示すように、操作デバイス８３００は、傾倒装置８３１０の上カバー８３１１が、湾曲壁部８３１６に配設される変位付勢装置８３１９を備え、上ケース８３７０が、その内周壁後部に傾倒装置８３１０の外端部の回転軌跡に沿って延設されると共に傾倒装置８３１０の回転軌跡の径方向に沿った向きで極性が切り替わる磁性材料から形成される固定磁石Ｍａ８１を備える。
【０３２６】
変位付勢装置８３１９は、下カバー７３２０の湾曲壁部７３２２に形成される切り欠き７３２２ａに収容される範囲において、上カバー８３１１の湾曲壁部８３１６に軸支される作用部材８３１９ａと、その作用部材８３１９ａを湾曲壁部８３１６に近接する方向へ付勢するねじりバネ７３１９ｂと、作用部材８３１９ａの下方に配置されると共に作用部材８３１９ａが湾曲部材８３１６に対して開閉動作する側から作用部材８３１９ａに近接する方向に移動可能に構成される慣性動作部材７３１９ｃと、その慣性動作部材７３１９ｃを下方に維持する引っ張りバネ７３１９ｄと、を主に備える。
【０３２７】
作用部材８３１９ａは、湾曲壁部８３１６に軸支される位置から二股に延設される部材であって、一方の腕部（図４７（ａ）左側の腕部）が、第７実施形態における作用部材７３１９ａと同様に湾曲壁部８３１６の内側において延設されると共に、他方の腕部（図４７（ａ）右側の腕部）が、湾曲壁部８３１６の厚さ方向に穿設される貫通孔８３１６ｂを通って湾曲壁部８３１６の外方へ延設される態様で構成される。
【０３２８】
作用部材８３１９ａの他方の腕部の先端には、磁性材料から形成される移動磁石Ｍａ８２が配設され、移動磁石Ｍａ８２の磁極の方向は、固定磁石Ｍａ８１と吸着する磁力を発生させる方向で形成される。
【０３２９】
作用部材８３１９ａの一方の腕部の下端は、慣性作用部材７３１９ｃの上端に近接するほど湾曲壁部８３１６から遠ざかる態様で傾斜する。これにより、慣性作用部材７３１９ｃが上方へ移動する際に、作用部材８３１９ａを湾曲壁部８３１６から遠ざける方向に回転させることができる。
【０３３０】
図４７（ａ）に示すように、傾倒装置８３１０が上昇位置に配置される場合、作用部材８３１９ａは一方の腕部が湾曲壁部８３１６に近接される姿勢とされ、この姿勢において他方の腕部の移動磁石Ｍａ８２が固定磁石Ｍａ８１に近接される。そのため、移動磁石Ｍａ８２と固定磁石Ｍａ８１との間の磁力（による吸着力）が無視できないほど大きくなり、傾倒装置８３１０を回転させる際の抵抗が大きくなる。
【０３３１】
図４７（ｂ）に示すように、傾倒装置８３１０を上昇位置から所定量だけ素早く回転させると、慣性作用部材７３１９ｃが慣性で留まり、慣性作用部材７３１９ｃが作用部材８３１９ａの一方の腕部と湾曲壁部８３１６との間に入り込み、作用部材８３１９ａがねじりバネ７３１９ｂの付勢力に抗して回転される（図４７（ａ）時計回りに回転される）。これにより、他方の腕部に配設される移動磁石Ｍａ８２が固定磁石Ｍａ８１から離反され、移動磁石Ｍａ８２と固定磁石Ｍａ８１との間の磁力が無視できるほど小さくなる。
【０３３２】
一方で、傾倒装置８３１０をゆっくりと操作する場合には、慣性作用部材８３１９ｃは上カバー８３１１と同じ速度で移動する（上カバー８３１１に対して相対的に停止する）。従って、傾倒装置８３１０をゆっくりと回転操作する場合に遊技者が感じる回転抵抗を大きく確保できると共に、傾倒装置８３１０を素早く回転操作する場合に遊技者が感じる回転抵抗を小さくすることができる。
【０３３３】
これにより、例えば、傾倒装置８３１０を所定位置で維持操作する等、傾倒装置８３１０をゆっくり操作する場合には回転抵抗を大きくし維持を容易とする一方で、傾倒装置８３１０を一気に押し込む時など、傾倒装置８３１０の動作が素早くなる場合には回転抵抗回転抵抗を小さくし、傾倒装置８３１０の押し込みに必要な力を低減することができる。そのため、遊技者が傾倒装置８３１０を操作する際の操作負担を低減することができる。
【０３３４】
なお、慣性作用部材７３１９ｃは、湾曲壁部８３１６の内周面と当接する側の面が、湾曲壁部８３１６の内周面の円弧形状に沿った形状とされ、上カバー８３１１と相対移動する際に湾曲壁部８３１６の周面に沿って移動する（傾倒装置８３１０の回転方向と同じ方向で移動する）ので、傾倒装置８３１０の回転角度に対する移動距離が最大となる位置（最大径位置）において上カバー８３１１の移動方向に沿って移動可能とされるという、最も慣性を利用しやすい構成とされる。
【０３３５】
従って、傾倒装置８３１０の回転角度が僅かな場合でも、上カバー８３１１に対して慣性作用部材７３１９ｃを相対移動させやすくでき、磁力による回転抵抗の変化を起こしやすくすることができる。
【０３３６】
なお、傾倒装置８３１０が勢いよく下降位置まで到達した場合に慣性作用部材７３１９ｃが上方に変位していたとしても、遊技者が傾倒装置８３１０から手を離した後は、傾倒装置８３１０が上方へ復帰動作するのに伴って慣性作用部材７３１９ｃが慣性で下方へ移動されるので、傾倒装置８３１０が復帰動作する場合に移動磁石Ｍａ８２と固定磁石Ｍａ８１とが吸着される。これにより、一気に押し込んだ傾倒装置８３１０が勢いよく復帰することを抑制し、傾倒装置８３１０の戻り動作の遅さからくる重厚感を演出することができる。
【０３３７】
次いで、図４８から図５０を参照して、第９実施形態について説明する。第１実施形態では、傾倒装置３１０のプッシュ操作とペダル操作との境界を付勢力の変化する姿勢で判断する場合を説明したが、第９実施形態における操作デバイス９３００は、傾倒装置９３１０を回転（傾倒）させペダル操作の開始点まで到達すると傾倒装置９３１０が係止され、その係止を解除するために傾倒装置９３１０を並進移動させる場合を説明する。なお、上述した各実施形態と同一の部分には同一の符号を付して、その説明は省略する。
【０３３８】
図４８（ａ）、図４８（ｂ）、図４９（ａ）、図４９（ｂ）及び図５０は、図１９（ａ）のＸＩＸｂ―ＸＩＸｂ線に対応する線における第９実施形態における傾倒装置９３１０の断面図である。なお、図４８（ａ）では、傾倒装置９３１０が上昇位置に配置された状態が、図４８（ｂ）では、傾倒装置９３１０が上昇位置から３°回転（傾倒）された状態が、図４９（ａ）では、図４８（ｂ）に示す状態から傾倒装置９３１０が奥側に所定量だけ並進移動された状態が、図４９（ｂ）では、図４９（ａ）に示す状態から傾倒装置９３１０が下降位置まで素早く回転（傾倒）動作された状態が、図５０では、傾倒装置９３１０が下降位置に配置された状態から上昇位置から３°の位置（図４８（ｂ）に示す状態と傾倒装置９３１０の前後位置のみが違う）まで復帰された状態が、それぞれ図示される。
【０３３９】
また、図４８（ａ）、図４８（ｂ）、図４９（ａ）、図４９（ｂ）及び図５０では、回転軸Ｏ１近傍が、下ケース９３６０の凹設軸受け部９３６１ａ（傾倒装置９３１０を軸支する部分）を含む断面で部分的に断面視される。
【０３４０】
図４８（ａ）に示すように、傾倒装置９３１０は、上カバー９３１１の延設半軸部３１３ｃ（図９参照）と、軸カバー３３０の延設半軸部３３１ｃ（図９参照）とを内嵌するカップ形状の部材であってその外周が半径ｒ１の円の一部を直線で切り欠いた切り欠き面ＢＲ９ａを有する形状から構成される軸固定部材ＢＲ９と、軸部材３４０（図１０参照）に巻かれると共に傾倒装置９３１０に対して回転方向と前後方向とに向く付勢力を与えるねじりバネ９３４３と、を備える。
【０３４１】
上カバー９３１１は、湾曲壁部９３１６の内周側に配設され、湾曲壁部９３１６の径方向に移動可能に弾性的に支持される移動磁石Ｍａ９を備える。移動磁石Ｍａ９は、傾倒装置９３１０の回転によって生じる遠心力により湾曲壁部９３１６に近接する方向に移動可能とされる。
【０３４２】
傾倒装置９３１０の軸固定部材ＢＲ９は、下ケース９３６０の凹設軸受け部９３６１ａの内側を前後方向に並進動作可能に構成される。即ち、凹設軸受け部９３６１ａは、軸固定部材ＢＲ９の外形の円を距離Ｌ１だけ並進移動させた場合に形成される形状（半径ｒ１の円弧（９０°分の円弧）が前後（図４８（ａ）における左右）一対で配置され、それらの下側端部を前後（図４８（ａ）における左右）方向に距離Ｌ１の直線で結んだ形状）で形成される。
【０３４３】
下ケース９３６０の上側に締結固定され傾倒装置９３１０を軸支する上ケース９３７０は、下ケース９３６０の凹設軸受け部９３６１ａと対向配置され軸固定部材ＢＲ９を支持する凹設軸受け部９３７１を備える。
【０３４４】
凹設軸受け部９３７１は、軸固定部材ＢＲ９の切り欠き面ＢＲ９ａが前後方向（図４８（ａ）左右方向）に沿う状態となる姿勢で軸固定部材ＢＲ９を前後方向に移動させた際に占める形状を元にして、中央部分を上方へ向けて軸固定部材ＢＲ９の円弧部分が回転可能となる大きさの円弧で凹設した形状から構成される。即ち、凹設軸受け部９３７１は、前後両端部の円弧と中央部分の円弧とが前後方向に沿って延設される係止平面９３７１ａで連結される形状から構成される。
【０３４５】
下ケース９３６０は、筒状受け部３６１ｃの正面側に鉛直方向に所定幅を有し左右方向に延設される押し戻し壁部９３６１ｈと、ゴム板ＧＲ１の手前側において電力作用装置３６３から後方に張り出す態様で配設されると共にゴム弾性を有する係止ゴム部材９３６１ｉと、を備える。
【０３４６】
ねじりバネ９３４３は、一方の腕部９３４３ａが先端の屈曲した形状から形成されると共に下ケース９３６０の押し戻し壁部９３６１ｈと当接する態様で配置され、他方の腕部９３４３ｂが、傾倒装置９３１０の回転軸Ｏ１の手前斜め上方（図４８左上方）において上カバー３１１に配設される凸部に係止され、両腕を開く方向に付勢力を生じる。即ち、傾倒装置９３１０を上昇位置に復帰させる方向に付勢力が作用する。
【０３４７】
係止ゴム部材９３６１ｉは、傾倒装置９３１０が凹設軸受け部９３６１ａの手前側端部に配置される状態では湾曲部材３５０と干渉する位置である一方で、傾倒装置９３１０が凹設軸受け部９３６１ａの奥側端部に配置される状態では湾曲部材３５０との干渉が回避される位置に配設される（傾倒装置９３１０が凹設軸受け部９３６１ａの手前側端部に配置される状態における櫛状部３５２の回転軌跡と、傾倒装置９３１０が凹設軸受け部９３６１ａの奥側端部に配置される状態における櫛状部３５２の回転軌跡との間に配設される）。
【０３４８】
これにより、係止ゴム部材９３６１ｉを、傾倒装置９３１０が何らかの理由（例えば、係止平面９３７１ａが摩耗して軸固定部材ＢＲ９を係止することができなくなる等）で傾倒装置９３１０が凹設軸受け部９３６１ａの手前側端部に配置される状態で過回転した場合に、傾倒装置９３１０の回転を停止させるストッパとして機能させることができる。また、ゴム材料から形成することにより、係止ゴム部材９３６１ｉで十分な変形量を確保することができるので、傾倒装置９３１０の形状が厳しく管理される部材（湾曲部材３５０等）が変形することを防止することができる。
【０３４９】
図４８（ａ）に示すように、傾倒装置９３１０が上昇位置に配置される状態において、軸固定部材ＢＲ９が下ケースの凹設軸受け部９３６１ａの手前側端部（図４８（ａ）左側端部）に配置されると共に、切り欠き面ＢＲ９ａと係止平面９３７１ａとの間が回転軸Ｏ１を中心として３°の角度で隙間が空けられる態様とされる。
【０３５０】
図４８（ａ）の状態から、矢印Ｆ１の方向で傾倒装置９３１０に負荷を与えると、傾倒装置９３１０は回転動作を行う。傾倒装置９３１０が上昇位置に配置された状態から３°回転（傾倒）すると、図４８（ｂ）に示すように、軸固定部材ＢＲ９の切り欠き面ＢＲ９ａと、上ケースの係止平面９３７１ａとが面で当接することで、軸固定部材ＢＲ９の回転が停止され、傾倒装置９３１０の移動が停止される。
【０３５１】
従って、第１実施形態で上述したように、傾倒装置３１０から与えられる負荷によって遊技者が操作方法を切り替える場合に比較して、本実施形態では、上昇位置から３°というプッシュ操作の領域で傾倒装置９３１０が停止されるので、遊技者が傾倒装置９３１０から与えられる負荷の変化を認識できずに誤操作するという事態を回避することができる。
【０３５２】
図４８（ｂ）に示す状態から、更に傾倒装置９３１０を回転させる為には、図４９（ａ）に示すように、傾倒装置９３１０を矢印Ｆ２の方向で奥側（図４８（ｂ）右方）に並進移動させて、切り欠き面ＢＲ９ａと、係止平面９３７１ａとの当接を解除する必要がある。図４９（ａ）に示す状態において、ねじりバネ９３４３の一方の腕部９３４３ａは押し戻し壁部９３６１ｈに押し付けられ、所定量変形する。
【０３５３】
ここで、矢印Ｆ１と矢印Ｆ２との方向とが異なっているので、傾倒装置９３１０が回転しながら傾倒装置９３１０が奥側へ並進移動することを抑制することができる。また、傾倒装置９３１０を回転させる前に並進移動させる為には、回転軸Ｏ１付近を奥側に押し込めば可能となるところ、傾倒装置９３１０は回転動作する装置であり、回転軸Ｏ１から遠い側を押した方が操作負担は小さいので、遊技者に回転軸Ｏ１の反対側（傾倒装置９３１０の上端部）を押すよう推奨することができ、傾倒装置９３１０が回転動作する前に並進移動する事態が発生することを抑制することができる。
【０３５４】
図４９（ａ）に示す状態から更に傾倒装置９３１０を回転させることにより、図４９（ｂ）に示すように、傾倒装置９３１０を下降位置までペダル操作することができる。ここで、図４９（ａ）に示す状態からゆっくりと（所定の速度未満で）傾倒装置９３１０を変位させる態様でペダル操作する場合には、移動磁石Ｍａ９が湾曲壁部９３１６と離間した状態が維持されるので、固定磁石Ｍａ２との間に生じる吸着力が大きくなり、ペダル操作の際の回転抵抗を確保することができる。
【０３５５】
一方で、図４９（ａ）に示す状態から素早く（所定の速度以上で）傾倒装置９３１０を変位させる態様でペダル操作する場合には、図４９（ｂ）に示すように移動磁石Ｍａ９が遠心力の作用で湾曲壁部９３１６に近接され、傾倒装置９３１０の移動中に移動磁石Ｍａ９と固定磁石Ｍａ２との間で生じる吸着力を無視できるほど小さくすることができる。即ち、ペダル操作の際の回転抵抗を低減することができる。
【０３５６】
従って、ペダル操作の際の傾倒装置９３１０の変位の速度によって、傾倒装置９３１０の回転抵抗を変化させることができる。本実施形態によれば、ゆっくりと操作する場合には磁力により回転抵抗が上昇するので傾倒装置９３１０を所定位置で維持する操作を行い易くすると共に、傾倒装置９３１０を素早く操作する場合には磁力による回転抵抗を低減することで、遊技者が傾倒装置９３１０を一気に押し込む際に感じる負荷を低減することで遊技者が感じる操作負担を低減することができる。
【０３５７】
図４９（ｂ）に示す状態から遊技者が傾倒装置９３１０から手を離すと、傾倒装置９３１０が初期位置へ向けて復帰動作を開始する。この復帰動作は、ねじりバネ９３４３の構成によって様々な速度で生じるが、回転と並進とが同時に生じる態様とされる。
【０３５８】
即ち、ねじりバネ９３４３の回転方向の変位が戻ることにより矢印Ｔａに沿って傾倒装置９３１０の回転方向の動作が生じると共に、ねじりバネ９３４３の一方の腕部９３４３ａが押し戻し壁部９３６１ｈに押し付けられたことにより生じた変位が戻ることにより矢印Ｔｂに沿って傾倒装置９３１０の並進方向の動作が生じる。
【０３５９】
ここで、上述したように、傾倒装置９３１０を上昇位置から回転させる場合には、回転操作を先に行い、傾倒装置９３１０が係止された位置から並進操作を行い、最後に回転操作を行うといったように、操作の段階が明確に分けられていた。これに対し、傾倒装置９３１０の復帰動作は、矢印Ｔａに沿って生じる回転動作と矢印Ｔｂに沿って生じる並進動作とが混合した動作となる。従って、傾倒装置９３１０を押し込む際に傾倒装置９３１０が移動する経路と、傾倒装置９３１０が復帰する際に傾倒装置９３１０が移動する経路とを異ならせることができる。
【０３６０】
この場合に、図５０に示すように、軸固定部材ＢＲ９の切り欠き面ＢＲ９ａと、奥側（図５０右側）の係止平面９３７１ａとの当接が回避される態様でねじりバネ９３４３の弾性係数が調整される。
【０３６１】
これにより、押し込み時には傾倒装置９３１０を移動範囲の途中で停止させる作用を維持しながら、復帰時には途中で停止させずにそのままの速度で復帰させることができるので、傾倒装置９３１０が途中で停止する場合に比較して、下降位置から上昇位置までの復帰動作にかかる時間を短縮することができる。
【０３６２】
以上、上記実施形態に基づき本発明を説明したが、本発明は上記形態に何ら限定されるものではなく、本発明の趣旨を逸脱しない範囲内で種々の変形改良が可能であることは容易に推察できるものである。
【０３６３】
上記各実施形態において、一の実施形態における構成の一部または全部を、他の実施形態における構成の一部または全部の構成と組み合わせて或いは置き換えて、別の実施形態としても良い。
【０３６４】
上記第２実施形態では、作用爪部２３３２の下端面２３３２ｂが遊技者の感じる負荷を一定とする為の形状とされたが、必ずしもこれに限られるものではない。例えば、切替点２３３２ｃの後方の形状をピストン部材２３６２ａから更に離反する方向に凹設される形状としても良い。これにより、切替点２３３２ｃとピストン部材２３６２ａとが当接を解除した後に（傾倒装置２３１０の回転角度が更に大きくなった場合に）ピストン部材２３６２ａから傾倒装置２３１０に与えられる負荷が低下するので、遊技者に与える負荷を減少させる演出に活用することができる。
【０３６５】
上記第４実施形態では、傾倒装置４３１０が上昇位置から３°回転した直後は傾倒装置４３１０にかけられる負荷が上昇し続ける場合を説明したが、必ずしもこれに限られるものではない。例えば、傾倒装置４３１０が上昇位置から３°回転した位置（プッシュ操作とペダル操作との境界）において、回転軸Ｏ１を中心とした円の径方向で重なる磁石の面積がゼロとされることにより、上昇位置から３°回転した位置において傾倒装置４３１０にかけられる負荷が最低値となるように構成しても良い。この場合、プッシュ操作とペダル操作との境界を遊技者が判断することを容易とすることができる。
【０３６６】
上記第５実施形態では、傾倒装置５３１０が上昇位置から３°回転されるまでは、傾倒装置５３１０と回転ローラ５３８１とが非当接な場合を説明したが、必ずしもこれに限られるものではない。例えば、傾倒装置５３１０が上昇位置から３°回転されるまでの間、常時傾倒装置５３１０と回転ローラ５３８１とが当接されるように構成しても良い。この場合、例えば、回転ローラ５３８１に付勢力を与えるねじりバネ５３８３のしまり具合を手動で変更可能に構成することにより、傾倒装置５３１０をプッシュ操作する場合の動作抵抗を変更することができる。
【０３６７】
上記第６実施形態では、傾倒装置６３１０の湾曲壁部６３１６の形状が、傾倒装置６３１０を上昇位置に配置した状態における傾倒装置６３１０と回転部材６３８１との当接点Ｊ１を基準として、回転軸Ｏ１を中心とした円弧Ｃ６から内側に入り込む場合を説明したが、必ずしもこれに限られるものではない。例えば、当接点Ｊ１から上方に３°までの範囲では、湾曲壁部６３１６の形状が円弧Ｃ６に沿った形状とされ、当接点Ｊ１から上方に３°以降の範囲では、湾曲壁部６３１６の形状が円弧Ｃ６から内側に入り込む形状とされても良い。この場合、傾倒装置６３１０を上昇位置に配置した状態から３°回転させるまでの範囲（プッシュ操作の範囲）では、傾倒装置６３１０の動作速度により回転部材６３８１が傾倒装置６３１０から離間することを防止することができるので、プッシュ操作の範囲において、傾倒装置６３１０の変位の速度により遊技者に与えられる抵抗が変化することを防止することができる。
【０３６８】
上記第７実施形態では、固定磁石Ｍａ２と移動磁石Ｍａ７とが傾倒装置７３１０のペダル操作の範囲で吸着する場合を説明したが、必ずしもこれに限られるものではない。例えば、固定磁石Ｍａ２と移動磁石Ｍａ７とがプッシュ操作でも吸着するようにしても良い。この場合、プッシュ操作の際の傾倒装置７３１０の変位の速度により傾倒装置７３１０の移動抵抗が変わる（例えば、勢いよく傾倒装置７３１０を押し込むと戻りが遅くなる）ため、適切な連打操作を行うことができる傾倒装置７３１０の変位の速度の許容幅が狭められる。これにより、遊技者が連打操作する際の連打の態様を均一側に寄せる事ができ、予期せぬ操作（連打速度が過度に大きくされる操作等）により傾倒装置７３１０が破損することを予防することができる。
【０３６９】
上記第７実施形態では、係止部材７３１８を手動で移動させる場合を説明したが、必ずしもこれに限られるものではない。例えば、係止部材７３１８が奥方向へ向けてダッシュポットで付勢されると共に係止部材７３１８と電力作用部材３６３の上面部とが滑る角度に傾斜する構造としても良い。この場合、傾倒装置７３１０を回転させる速度が大きい場合には、ダッシュポットの付勢力に抗して係止部材７３１８を手前側に移動させる前に回転方向の負荷により係止部材７３１８が電力作用部材３６３に押し付けられ、傾倒装置７３１０が停止する一方で、傾倒装置７３１０を回転させる速度が小さい場合には、係止部材７３１８を電力作用部材３６３に押し付ける力が大きくなる前に係止部材７３１８を手前側へ移動させることができる。従って、操作速度が小さい場合に限って、係止部材７３１８を自動的に移動させることができる。
【０３７０】
上記第７実施形態では、傾倒装置７３１０が回転の途中で停止した際に、係止部材７３１８ａを回転方向とは異なる方向に移動させることで傾倒装置７３１０を更に回転可能となる場合を説明したが、必ずしもこれに限られるものではない。例えば、傾倒装置７３１０の回転を止める部材がノッチ機構で出没可能に構成され、傾倒装置７３１０を押し込む方向の操作でノッチ機構が一段階切り替えられ、出状態では傾倒装置７３１０を途中で停止させ、没状態では下降位置まで回転仕切ることができる構成としても良い。この場合、傾倒装置７３１０を押し込む方向と同じ方向の動作で傾倒装置７３１０を回転途中で停止させる操作を行わせることができる。
【０３７１】
上記第８実施形態では、固定磁石Ｍａ８１と移動磁石Ｍａ８２とが傾倒装置８３１０が上昇位置に配置された状態から吸着可能とされる場合を説明したが、必ずしもこれに限られるものではない。例えば、傾倒装置８３１０が上昇位置から３°回転した位置から固定磁石Ｍａ８１と移動磁石Ｍａ８２とが吸着可能に構成されても良い。この場合、傾倒装置８３１０の変位の速度が小さな状態（慣性作用部材７３１９ｃが上カバー８３１１に対して相対的に停止する状態）で傾倒装置８３１０を回転させる場合に、付勢装置３６２により傾倒装置８３１０の変位の抵抗が増加するタイミングと、固定磁石Ｍａ８１と移動磁石Ｍａ８２との吸着により傾倒装置８３１０の変位の抵抗が増加するタイミングとを合わせることができ、傾倒装置８３１０が上昇位置から３°回転した場合において傾倒装置８３１０に与えられる負荷の増加量を大きくすることができる。これにより、プッシュ操作とペダル操作との境界を遊技者が判別し易くすることができる。
【０３７２】
上記各実施形態では、コイルスプリング３６２ｂの下端が下ケース３６０の底蓋部材３６２ｃにせき止められる場合を説明したが、必ずしもこれに限られるものではない。例えば、底蓋部材３６２ｃがコイルスプリング３６２ｂの変位の方向（上下方向）に沿って移動可能とされ、底蓋部材３６２ｃが傾倒装置３１０の傾倒に伴って移動する（下降する）態様で構成されても良い。この場合、傾倒装置３１０が上昇位置から同じ角度傾倒した場合であっても、底壁部材３６２ｃが固定される場合に比較して、コイルスプリング３６２ｂの変位を低減できる領域を任意に設定することができる。
【０３７３】
上記各実施形態では、傾倒装置３１０が、ねじりバネ３４３などの付勢部材により上昇位置へ向けて常時付勢される場合を説明したが、必ずしもこれに限られるものではない。例えば、ねじりバネ３４３は配設せず、初期位置への復帰を行う別の駆動装置（エアーによる噴出装置や、ワンウェイで駆動する駆動装置など）を配設するようにしても良い。この場合、遊技者が操作途中で傾倒装置３１０から手を離した後における、傾倒装置３１０の動作を任意に設定することができる。
【０３７４】
例えば、磁力により傾倒装置３１０に回転抵抗を与える場合において、上昇位置から所定の角度未満の位置で手を離した場合には傾倒装置３１０その場に停留する一方で、上昇位置から所定の角度以上の位置で手を離した場合には（例えば、重心の配置次第で）下降位置へ継続動作する態様で構成することもできる。これにより、傾倒装置３１０を予想外の動作態様で動作させることができ、遊技者の興趣を向上させることができる。
【０３７５】
本発明を上記各実施形態とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される）として実施してもよい。また、大当たり図柄が表示された後に、所定の領域に球を入賞させることを必要条件として遊技者に所定の遊技価値を付与する特別遊技を発生させるパチンコ機として実施してもよい。また、Ｖゾーン等の特別領域を有する入賞装置を有し、その特別領域に球を入賞させることを必要条件として特別遊技状態となるパチンコ機に実施してもよい。更に、パチンコ機以外にも、アレパチ、雀球、スロットマシン、いわゆるパチンコ機とスロットマシンとが融合した遊技機などの各種遊技機として実施するようにしても良い。
【０３７６】
なお、スロットマシンは、例えばコインを投入して図柄有効ラインを決定させた状態で操作レバーを操作することにより図柄が変動され、ストップボタンを操作することにより図柄が停止されて確定される周知のものである。従って、スロットマシンの基本概念としては、「複数の識別情報からなる識別情報列を変動表示した後に識別情報を確定表示する表示装置を備え、始動用操作手段（例えば操作レバー）の操作に起因して識別情報の変動表示が開始され、停止用操作手段（例えばストップボタン）の操作に起因して、或いは、所定時間経過することにより、識別情報の変動表示が停止して確定表示され、その停止時の識別情報の組合せが特定のものであることを必要条件として、遊技者に所定の遊技価値を付与する特別遊技を発生させるスロットマシン」となり、この場合、遊技媒体はコイン、メダル等が代表例として挙げられる。
【０３７７】
また、パチンコ機とスロットマシンとが融合した遊技機の具体例としては、複数の図柄からなる図柄列を変動表示した後に図柄を確定表示する表示装置を備えており、球打出用のハンドルを備えていないものが挙げられる。この場合、所定の操作（ボタン操作）に基づく所定量の球の投入の後、例えば操作レバーの操作に起因して図柄の変動が開始され、例えばストップボタンの操作に起因して、或いは、所定時間経過することにより、図柄の変動が停止され、その停止時の確定図柄がいわゆる大当たり図柄であることを必要条件として遊技者に所定の遊技価値を付与する特別遊技が発生させられ、遊技者には、下部の受皿に多量の球が払い出されるものである。かかる遊技機をスロットマシンに代えて使用すれば、遊技ホールでは球のみを遊技価値として取り扱うことができるため、パチンコ機とスロットマシンとが混在している現在の遊技ホールにおいてみられる、遊技価値たるメダルと球との別個の取扱による設備上の負担や遊技機設置個所の制約といった問題を解消し得る。
【０３７８】
以下に、本発明の遊技機に加えて上述した実施形態に含まれる各種発明の概念を示す。
【０３７９】
＜傾倒装置の操作感の操作角度に対する変化を抑制する技術思想の一例＞
遊技者が入力操作を行う入力手段を備える遊技機において、前記入力手段は、遊技者に入力操作される被操作部材と、入力操作を行った遊技者が受ける負荷を調整する調整手段と、を備え、前記調整手段は、少なくとも前記被操作部材の移動範囲の一部において、入力操作を行った遊技者が受ける負荷の増加を抑制することを特徴とする遊技機Ａ１。
【０３８０】
ここで、パチンコ機等の遊技機において、遊技者が押し込み操作を行う被操作部材を備え、その被操作部材の押し込み量に対応して、その被操作部材を初期位置へ戻す付勢力が増加する遊技機がある（例えば特開２０１４−０１４５７１号公報を参照）。しかし、上述した従来の遊技機では、被操作部材の移動距離が長くなる場合に対応がしづらいという問題点があった。即ち、遊技者が感じる操作感を向上させるためには、初期位置からの被操作部材の移動距離に対する付勢力の上昇割合を大きくすることが望ましいが、被操作部材の移動距離が長くなると、遊技者が受ける負荷が過大となり、操作を行う遊技者が疲労することにより、遊技中に被操作部材の押し込みを行うことを止めてしまうという問題点があった。
【０３８１】
この場合、被操作部材を押し込み操作することにより液晶表示装置の状態が変化する演出を遊技者に見せることができなくなり、遊技者の興趣が低下する恐れがある。
【０３８２】
これに対し、遊技機Ａ１によれば、調整手段が、少なくとも被操作部材の移動範囲の一部において、入力操作を行った遊技者が受ける負荷の増加量を抑制するので、遊技者が受ける負荷の増加を抑制できると共に遊技者が疲労することを防止できる。
【０３８３】
なお、被操作部材の移動距離が長くなる場合としては、例えば、被操作部材の押し込み量を検出して操作に反映させる場合や、被操作部材が円弧軌道（直線軌道では無い）や、ジグザグ軌道で操作される場合等が例示される。
【０３８４】
例えば、押し込み量を検出して操作に反映させる場合、検出の境界間を長くする方が、目標とする押し込み量に維持することを容易とでき、遊技を快適に行うことを促進できるため、被操作部材の移動距離が長くなる可能性が高い。
【０３８５】
遊技機Ａ１において、前記被操作部材を初期位置へ向けて移動させる付勢力を発生させる付勢手段を備え、その付勢手段は、前記被操作部材の移動経路に沿って変位を生じる第１弾性バネ部材から構成され、前記調整手段は、被操作部材が初期位置から所定距離移動した後の範囲において遊技者が受ける負荷を抑制することを特徴とする遊技機Ａ２。
【０３８６】
遊技機Ａ２によれば、遊技機Ａ１の奏する効果に加え、付勢手段が被操作部材の移動経路に沿って変位を生じる第１弾性バネ部材から構成されると共に、被操作部材を初期位置から所定距離移動させた後の範囲において遊技者が受ける負荷を抑制するので、遊技者が感じる負荷を、遊技者が被操作部材を移動させた距離に比例して増加させることにより遊技者に操作感を与えながら、初期位置から所定距離移動させた後の範囲において遊技者に与える負荷の上昇割合が切り替わった点（例えば、比例定数が変化した点）を遊技者に認識させることができる。
【０３８７】
これにより、遊技者に与える負荷の変化点を目印とすることで、被操作部材の移動範囲における任意の点まで被操作部材を移動させることを容易に行わせることができる。
【０３８８】
なお、第１弾性バネ部材としては、被操作部材が所定の回転軸を中心として回転動作する場合には、その回転軸を中心としたねじりバネや、被操作部材の回転軸を中心とした円弧形状の壁部に沿って湾曲して配設されるコイルスプリング等が例示され、被操作部材が並進動作する場合には、被操作部材の移動方向に沿って配設されるコイルスプリングが例示される。
【０３８９】
遊技機Ａ２において、前記被操作部材は、所定の回転軸を中心として回転され、前記調整手段は、前記被操作部材に周方向から負荷を与える第２弾性バネ部材を備え、その第２弾性バネ部材は、前記被操作部材と対向配置され前記被操作部材の移動中に当接することで前記被操作部材に付勢力を与える態様で構成され、前記第２弾性バネ部材の変位の方向が、前記回転軸を中心とした任意の円弧の接線方向に沿うことを特徴とする遊技機Ａ３。
【０３９０】
遊技機Ａ３によれば、遊技機Ａ２の奏する効果に加え、被操作部材が所定の回転軸を中心として回転され、第２弾性バネ部材が被操作部材の移動中に当接することで付勢力を与え、その変位の方向が回転軸を中心とした任意の円弧の接線方向に沿うので、被操作部材と第２弾性バネ部材とが当接した後において、その当接点を被操作部材の回転角度に応じて被操作部材の回転軸から遠ざかる方向へ変化させることができ、第２弾性バネ部材の変位を被操作部材の角度変化の割合とは異なった態様で変化させることができる。従って、被操作部材の当接点の形状を様々に変化させることで、第２弾性バネ部材から被操作部材へ与えられる負荷を任意に設定することができる。
【０３９１】
遊技機Ａ３において、前記被操作部材は、前記第２弾性バネ部材と対向配置され、その第２弾性バネ部材と当接可能に構成される当接部を備え、その当接部は、前記被操作部材が初期位置から所定距離移動された第１状態において前記第２弾性バネ部材と当接する第１当接点と、前記第１状態から更に同一方向に移動された第２状態において前記弾性バネ部材と当接する第２当接点と、を備え、前記第１当接点よりも、前記第２当接点の方が、前記回転軸と前記第１当接点とを通る直線よりも前記被操作部材の初期位置側に配置されることを特徴とする遊技機Ａ４。
【０３９２】
遊技機Ａ４によれば、遊技機Ａ３の奏する効果に加え、当接部の第１当接点よりも第２当接点の方が、回転軸と第１当接点とを通る直線よりも被操作部材の初期位置側に配置されるので、例えば、第２当接点が第１当接点と回転軸とを通る直線上に配置される場合に比較して、第１状態から第２状態まで被操作部材を回転させる際に第２弾性バネ部材と当接する付近の部分が変位する距離よりも、第２弾性バネ部材の変位量を抑制することができる。これにより、第２弾性バネ部材により被操作部材に与えられる負荷を抑制することができる。
【０３９３】
遊技機Ａ４において、前記第１状態に比較して、前記第２状態の方が、前記第２弾性バネ部材の変位量が減少する態様で前記第２当接点の形状が設定されることを特徴とする遊技機Ａ５。
【０３９４】
遊技機Ａ５によれば、遊技機Ａ４の奏する効果に加え、第１状態に比較して第２状態の方が第２弾性バネ部材の変位量が減少する態様で第２当接点の形状が設定されるので、第２弾性バネ部材が第１状態において被操作部材に与える負荷に比較して、第２弾性バネ部材が第２状態において被操作部材に与える負荷を小さくすることができる。従って、第１状態から第２状態へ被操作部材が移動することにより上昇する第１弾性バネ部材の付勢力を、第２弾性バネ部材が被操作部材に与える負荷の減少分で部分的に相殺することができる。
【０３９５】
遊技機Ａ３からＡ５のいずれかにおいて、前記第２弾性バネ部材が姿勢変化可能に構成され、その姿勢変化の方向が、前記第１弾性バネ部材の変位量が大きくなるほど、前記第２弾性バネ部材の移動方向と前記被操作部材の移動方向とのなす角度が大きくなる向きとされることを特徴とする遊技機Ａ６。
【０３９６】
遊技機Ａ６によれば、遊技機Ａ３からＡ５のいずれかの奏する効果に加え、第２弾性バネ部材が姿勢変化可能に構成され、その姿勢変化の方向が、第１弾性バネ部材の変位量が大きくなるほど、第２弾性バネ部材の移動方向と前記被操作部材の移動方向とのなす角度が大きくなる向きとされるので、第１弾性バネ部材の付勢力が大きくなるにつれて、第２弾性バネ部材の付勢力の内、被操作部材へ負荷される成分を小さくすることができる。これにより、遊技者が感じる負荷の上昇を抑制することができる。
【０３９７】
遊技機Ａ６において、前記第２弾性バネ部材が前記被操作部材に連結されることにより、前記被操作部材の姿勢に対する前記第２弾性バネ部材の姿勢の関係が一対一で対応付けされることを特徴とする遊技機Ａ７。
【０３９８】
遊技機Ａ７によれば、遊技機Ａ６の奏する効果に加え、第２弾性バネ部材が被操作部材に連結されることにより、被操作部材の姿勢に対する第２弾性バネ部材の姿勢の関係が一対一で対応付けされるので、被操作部材に急激な負荷が与えられることにより、第２弾性バネ部材が想定外の方向に姿勢変化することを防止することができる。
【０３９９】
＜傾倒装置の回転抵抗の変化割合を変化させる技術思想の一例＞
遊技者が入力操作を行う入力手段を備える遊技機において、前記入力手段は、遊技者に入力操作される被操作部材と、その被操作部材から遊技者に与えられる負荷の変化割合を変化させる変化手段と、を備えることを特徴とする遊技機Ｂ１。
【０４００】
ここで、パチンコ機等の遊技機において、遊技者が押し込み操作を行う被操作部材を備え、その被操作部材の押し込み量（変位、速度または強さ等）に対応して、入力を切り替える態様で制御される遊技機がある（例えば特開２０１２−０２４３２２号公報を参照）。しかし、上述した従来の遊技機では、押し込み量を遊技者が認識することが困難なため、押し込み量を遊技者に把握させるために液晶表示装置に目盛りを別で設ける等する必要があるという問題点があった。
【０４０１】
この場合、押し込み量を指定する演出を行ったとしても、目盛りに注目しながら被操作部材の操作を行う必要があるので、遊技盤の盤面の他の部分（例えば発射された球の流れ等）に視線を送ることができず、思い通りの遊技を行うことができなくなるという問題点があった。
【０４０２】
これに対し、遊技機Ｂ１によれば、被操作部材から遊技者に与えられる負荷の変化割合を変化させる変化手段を備えるので、その負荷の変化を目印として、遊技者に被操作部材が所定位置まで押し込まれたことを把握させることができる。これにより、目盛りを見なくとも被操作部材を所定位置まで押し込んだことを遊技者が把握することができるので、遊技者は、被操作部材を操作しながら、遊技盤の盤面の任意の箇所に注目することができる。
【０４０３】
遊技機Ｂ１において、前記変化手段は、前記被操作部材が初期位置から所定距離離間された開始位置に配置された状態において前記被操作部材の作用部と対面配置され、その状態において、前記被操作部材を介して、遊技者に負荷を与え始める態様で構成されることを特徴とする遊技機Ｂ２。
【０４０４】
遊技機Ｂ２によれば、遊技機Ｂ１の奏する効果に加え、変化手段は、被操作部材が初期位置から所定距離離間された開始位置に配置された状態において被操作部材の作用部と対面配置され、その状態において、被操作部材を介して遊技者に負荷を与え始めるので、別で駆動手段を設けることなく、遊技者が被操作部材から感じる負荷を被操作部材が開始位置に配置された状態を境に変化させることができる。
【０４０５】
これにより、制御不良に影響されることなく、確実に開始位置を境として遊技者に与える負荷を変化させることができ、その変化を、被操作部材の押し込み量を遊技者が把握する目印として利用することができる。
【０４０６】
遊技機Ｂ２において、前記変化手段は、前記被操作部材の移動方向に負荷を与える弾性バネ部材から構成され、その弾性バネ部材は、前記被操作部材の前記作用部に当接される前の初期状態において自然長から所定距離変位された状態で配置されることを特徴とする遊技機Ｂ３。
【０４０７】
遊技機Ｂ３によれば、遊技機Ｂ２の奏する効果に加え、変化手段は、被操作部材の移動方向に負荷を与える弾性バネ部材から構成され、その弾性バネ部材は被操作部材の作用部に当接される前の初期状態において自然長から所定距離変位された状態で配置されるので、被操作部材が弾性バネ部材に当接される直前と直後との間において、被操作部材に弾性バネ部材の変位分の弾性力が一時にかけられるので、遊技者に与える負荷を急激に変化させることができる。これにより、遊技者が、被操作部材から与えられる負荷の変化から、被操作部材が所定位置に配置された状態を経由したことを認識し易くすることができる。
【０４０８】
遊技機Ｂ３において、前記作用部と前記弾性バネ部材との当接点が前記被操作部材の移動に伴って変化する場合において、前記作用部は、先に前記弾性バネ部材と当接する区間である第１当接区間と、その第１当接区間の後で前記弾性バネ部材と当接する区間である第２当接区間と、を備え、前記作用部の第１当接区間と前記弾性バネ部材とが当接した状態で前記被操作部材が所定量移動する場合に比較して、前記作用部の第２当接区間と前記弾性バネ部材とが当接した状態で前記被操作部材が所定量移動する場合の方が、遊技者に与える負荷の増加量が小さくされることを特徴とする遊技機Ｂ４。
【０４０９】
遊技機Ｂ４によれば、遊技機Ｂ３の奏する効果に加え、前記作用部が第１当接区間で弾性バネ部材と当接しながら被操作部材を所定量移動させる場合に比較して、第１当接区間よりも押し込み量が大きい側で当接する第２当接区間で弾性バネ部材と当接しながら被操作部材を所定量移動させる場合の方が遊技者に与える負荷の増加量が小さくされるので、被操作部材が所定位置に配置されたことを認識しやすくする効果は保ちながら、被操作部材が所定位置を通り過ぎた後で遊技者が感じる負荷が過大となることを防止することができる。
【０４１０】
遊技機Ｂ２において、前記作用部は磁性材料を含む態様で構成され、前記変化手段は、前記作用部の移動経路の一部と対向配置される磁性負荷部材から構成され、その磁性負荷部材は、前記作用部を構成する磁性材料に対して吸着力を生じる磁性を備えることを特徴とする遊技機Ｂ５。
【０４１１】
遊技機Ｂ５によれば、遊技機Ｂ２の奏する効果に加え、被操作部材に与えられる負荷の変化が、作用部と磁性負荷部材との間で発生する磁力（吸着力）によって生じるので、作用部と磁性負荷部材とが近くにある場合と遠くにある場合との負荷の変化を遊技者に感じやすくさせることができる。
【０４１２】
なお、遊技者が被操作部材を押し込む時の負荷は増加するものの、遊技者が維持操作する場合等は、作用部が磁性負荷部材に吸着されることから、被操作部材から遊技者に与えられる負荷は弱められる。そのため、弾性バネの付勢力で被操作部材に与えられる負荷を増加させる場合に比較して、遊技者が被操作部材の位置を維持するために必要な力が小さくなり、遊技者の疲労感を軽減することができる。
【０４１３】
遊技機Ｂ１からＢ５のいずれかにおいて、前記被操作部材は、その被操作部材に対して相対移動可能に構成される移動手段と、その移動部材を動作させる駆動力を発生する駆動手段と、を備え、前記移動部材が、第１状態と、その第１状態から異なった位置に移動した後の第２状態とを構成可能とされ、少なくとも、前記移動部材が前記第１状態と前記第２状態とで変化する時に遊技者に与えられる負荷を変化可能に構成されることを特徴とする遊技機Ｂ６。
【０４１４】
遊技機Ｂ６によれば、遊技機Ｂ１からＢ５のいずれかの奏する効果に加え、移動手段の状態の変化によって遊技者に与えられる負荷を変化させることができるので、被操作部材が所定位置に配置されたことを検出した場合に駆動手段を動作させることにより、遊技者に与えられる負荷を変化させ、遊技者に被操作部材の現状の押し込み位置を認識させることができる。
【０４１５】
遊技機Ｂ６において、駆動手段が回転モータから構成され、その回転モータが正回転する場合には、前記移動部材が前記被操作部材に対して相対移動され、前記回転モータが逆回転する場合には、前記移動部材が前記被操作部材に対して相対的に停止することを特徴とする遊技機Ｂ７。
【０４１６】
遊技機Ｂ７によれば、遊技機Ｂ６の奏する効果に加え、回転モータの回転方向により遊技機に与える負荷が変化する場合と、変化しない場合とを構成できるので、例えば、被操作部材を操作せずに遊技機の一部分に伝達される振動を確認することで内部の状態を確認する遊技の仕方を抑制し、被操作部材を操作することの意義を高めることができる。これにより、被操作部材を効果的に活用することができる。
【０４１７】
＜傾倒装置の回転速度が大の時、遊技者が受ける負荷が大となる技術思想の一例＞
遊技者が入力操作を行う入力手段を備える遊技機において、前記入力手段は、遊技者に入力操作される被操作部材と、その被操作部材に移動抵抗として負荷を与えると共にその負荷を変化可能に構成される制動手段と、を備え、前記被操作部材が第１速度と、その第１速度よりも大きな第２速度とで変位可能とされる場合に、前記第１速度で変位した際に前記被操作部材に前記制動手段から与えられる負荷に比較して、前記第２速度で変位した際に前記被操作部材に前記制動手段から与えられる負荷の方が大きくされることを特徴とする遊技機Ｃ１。
【０４１８】
ここで、パチンコ機等の遊技機において、遊技者が押し込み操作を行う被操作部材を備え、その被操作部材の押し込み量（変位、速度または強さ等）に対応して、入力を切り替える態様で制御される遊技機がある（例えば特開２０１２−０２４３２２号公報を参照）。しかし、上述した従来の遊技機では、被操作部材を所定位置まで移動させるという操作を行う際に、その所定位置を通り過ぎることを防止するために若干速度を落として操作することにより操作期間が長くなることが一般的であり、例えば、操作可能期間の終了間際に操作を求められていることに気付いた場合には、操作が間に合わない場合があるという問題点があった。
【０４１９】
これに対し、遊技機Ｃ１によれば、被操作部材が第１速度で変位する場合に比較して、その第１速度よりも大きな第２速度で変位する場合の方が、制動手段から被操作部材に抵抗として与えられる負荷が大きいので、強い力（加速度大）で被操作部材を操作し、被操作部材の速度が大きくなった場合にでも、操作する力を解除した後で被操作部材が停止されるまでに必要な距離を短くすることができる。これにより、被操作部材の速度を落として被操作部材を操作することが不要となり、被操作部材の操作期間を短縮できるので、操作可能期間の終了間際に操作を求められていることに気付いた場合でも操作を間に合わせることができる。
【０４２０】
なお、制動手段としては、特に限定されるものではなく、例えば、ロータリダンパなどの、作用部の変位速度に対して負荷を変化させる市販の製品を、任意に選定して使用することができる。本遊技機Ｃ１の特徴は、被操作部材を押し込み操作することを遊技機側から要求されていることに遊技者が気付くのが遅くなったとしても、制動手段を遊技機に配設する事で、即座に目標位置まで被操作部材を操作することを可能としたことにある。
【０４２１】
遊技機Ｃ１において、前記被操作部材は、その変位量により、少なくとも第１の入力と、第２の入力とで入力の態様が変化され、前記第１の入力を行う範囲においては、前記制動手段から与えられる負荷の変化が抑制されることを特徴とする遊技機Ｃ２。
【０４２２】
遊技機Ｃ２によれば、遊技機Ｃ１の奏する効果に加え、被操作部材が変位量により第１の入力と第２の入力とで入力の態様が変化され、第１の入力を行う範囲においては、制動手段から与えられる負荷の変化が抑制されるので、入力の態様により制動手段の機能が邪魔になる場合に対応することができる。
【０４２３】
例えば、被操作部材が、第１の入力で連打操作を含めたボタン押し操作を、第２の入力でその変位量を検出するペダル押し込み操作を行う態様で構成され、第１の入力であるボタン押し操作を勢いよく行うことで被操作部材の変位の抵抗が上昇する場合、ボタン押し操作を勢いよく行うことで被操作部材の戻りが遅くなり、連打操作に支障をきたす恐れがある（被操作部材が元の位置に戻って来るまで待ってから押すしかできず、連打がしづらくなる恐れがある）。
【０４２４】
これに対し、遊技機Ｃ２によれば、第１の入力を行う範囲では被操作部材の変位の抵抗が制動手段により上昇することが抑制されるので、ボタン押し操作を行う際の被操作部材の変位の速度により被操作部材の戻りが遅くなることが防止され、連打操作を容易に行うことができる。
【０４２５】
遊技機Ｃ１又はＣ２において、前記制動手段は、前記被操作部材から伝達される負荷により変位可能とされる弾性バネ部材から構成され、前記被操作部材は、前記弾性バネ部材と対向配置する部分であって、当接して前記弾性バネ部材との間で負荷が伝達可能とされる第１部分と、その第１部分とは異なる部分であって前記弾性バネ部材との間で負荷が非伝達とされる第２部分と、を備え、少なくとも、一対の前記第１部分の間に、前記第２部分が配置されることを特徴とする遊技機Ｃ３。
【０４２６】
遊技機Ｃ３によれば、遊技機Ｃ１又はＣ２の奏する効果に加え、制動手段が、被操作部材から伝達される負荷により変位可能とされる弾性バネ部材から構成され、被操作部材は、弾性バネ部材と対向配置する部分であって、当接して弾性バネ部材との間で負荷が伝達可能とされる第１部分と、その第１部分とは異なる部分であって弾性バネ部材との間で負荷が非伝達とされる第２部分を備え、少なくとも、一対の第１部分の間に、第２部分が配置されるので、第２部分が被操作部材と対向配置される部分を通り過ぎる期間の長短により、被操作部材に負荷される負荷を調整することができる。
【０４２７】
即ち、一対の第１部分の間の第２部分を弾性バネ部材に対向配置させながら被操作部材が通り過ぎる期間が、それまでに弾性バネ部材に与えられた変位が戻りきるまでの期間よりも短ければ、第２部分を通り過ぎた後の第１部分が当接移動することにより弾性バネ部材に与えられる変位は、弾性バネ部材が戻りきらず残存した変位に加えられることになるため、戻りきった状態から弾性バネ部材を変位させる場合に比較して、被操作部材に与えられる負荷は大きくなる。
【０４２８】
一方で、一対の第１部分の間の第２部分を弾性バネ部材に対向配置させながら被操作部材が通り過ぎる期間が、それまでに弾性バネ部材に与えられた変位が戻りきるまでの期間よりも長ければ、第２部分を通り過ぎた後の第１部分が当接移動することにより弾性バネ部材に与えられる変位は、自然長からの変位となるので、被操作部材に与えられる負荷は小さくなる。これにより、被操作部材が第２部分を弾性バネ部材に対向配置させながら移動する速度の大小によって、被操作部材に弾性バネ部材から与えられる負荷を調整することができる。
【０４２９】
遊技機Ｃ３において、前記第１部分が複数配置されると共にそれら第１部分の間に前記第２部分が配置され、その第１部分の前記被操作部材の移動方向に沿った長さは、前記被操作部材が初期位置から移動する場合に、前記弾性バネ部材に対して後で当接する部分の方が、先に当接する部分に比較して長くされることを特徴とする遊技機Ｃ４。
【０４３０】
遊技機Ｃ４によれば、遊技機Ｃ３の奏する効果に加え、第１部分が複数配置されると共にそれら第１部分の間に第２部分が配置され、その第１部分の被操作部材の移動方向に沿った長さは、被操作部材が初期位置から移動する場合に、弾性バネ部材に対して後で当接する部分の方が、先に当接する部分に比較して長くされるので、被操作部材を移動させ過ぎて目標位置からの被操作部材のずれはばが大きくなりやすい初期位置から遠い位置において１の第１部分が被操作部材に弾性的な負荷を与える範囲を広く確保することができ、被操作部材を移動させすぎた後に操作力を解除すれば弾性的な負荷で目標位置に復帰させ易くすることができると共に、速度が過大とはなりにくい初期位置に近い側の部分と弾性バネ部材とが当接することにおいて負荷が過大となり遊技者が疲れやすくなることを防止することができる。
【０４３１】
遊技機Ｃ３又はＣ４において、前記被操作部材が初期位置から遠ざかる方向へ移動する間に前記第１部分を前記弾性バネ部材に当接させて移動する場合には、前記被操作部材へ前記弾性バネ部材の弾性的な負荷が伝達される一方で、前記被操作部材が初期位置へ向けて移動する間に前記第１部分を前記弾性バネ部材に当接させて移動する場合には、前記被操作部材へ前記弾性バネ部材による弾性的な負荷が非伝達とされることを特徴とする遊技機Ｃ５。
【０４３２】
遊技機Ｃ５によれば、遊技機Ｃ３又はＣ４の奏する効果に加え、被操作部材が移動する方向によって弾性バネ部材から弾性的な負荷が被操作部材へ伝達されるか否かが変化するので、被操作部材が第１部分を弾性バネ部材に当接させて移動する場合の減速度合いを、その移動方向によって変化させることができる。
【０４３３】
即ち、被操作部材が初期位置から遠ざかる方向へ向けて移動する場合には、弾性的に増加する負荷を抵抗として与えられることで移動速度が増加することを抑制できる一方で、被操作部材が初期位置へ向けて移動する場合には、抵抗が抑制され移動速度が遅くなることを抑制することができる。
【０４３４】
遊技機Ｃ１からＣ５のいずれかにおいて、前記制動手段から前記被操作部材に与えられる負荷が過大となった場合に、前記制動手段から前記被操作部材への負荷の伝達を遮断する遮断手段を備えることを特徴とする遊技機Ｃ６。
【０４３５】
遊技機Ｃ６によれば、遊技機Ｃ１からＣ５のいずれかの奏する効果に加え、制動手段から被操作部材に与えられる負荷が過大となった場合に、制動手段から被操作部材への負荷の伝達を遮断する遮断手段を備えるので、被操作部材を介して遊技者へ与える負荷の上限を定めることができる。これにより、被操作部材が遊技者へ与える負荷が過大となり、遊技者の操作負担が上昇することを抑制することができる。
【０４３６】
遊技機Ｃ１からＣ６のいずれかにおいて、前記被操作部材の移動経路に沿って前記被操作部材に併設される固定壁と、その固定壁に近接離反する態様で移動可能とされると共に被操作部材に配設される補助動作部材と、を備え、その補助動作部材は、前記被操作部材が前記第１速度で操作される場合には前記固定壁から離間する位置に配置されると共に、前記被操作部材が前記第２速度で操作される場合には前記固定壁へ近接移動され前記固定壁と当接可能に構成されることを特徴とする遊技機Ｃ７。
【０４３７】
遊技機Ｃ７によれば、遊技機Ｃ１からＣ６のいずれかの奏する効果に加え、固定壁が被操作部材の移動経路に沿って併設され、被操作部材に配設される補助動作部材が固定壁と当接するか否かを、被操作部材の変位の速度の大小によって変化させる態様で構成されるので、補助動作部材と固定壁とが当接した状態で被操作部材が移動することにより生じる摩擦力の分だけ、被操作部材を介して遊技者に与えられる負荷を変化させることができる。
【０４３８】
被操作部材を第１速度で移動させる場合には、補助動作部材と固定壁との当接は生じないので、第１速度で移動させる場合にも当接は生じる制動手段を備える場合に比較して、被操作部材を第１速度で移動させる場合に、微弱な負荷の増減が生じることを防止することができる。
【０４３９】
なお、補助動作部材の移動態様としては、被操作部材の移動時の慣性力（遠心力）で固定壁へ近接する方向に直接移動する態様や、慣性力（遠心力）で被操作部材の移動方向に沿って相対移動する他の部材を備え、その他の部材の移動により固定機構が外れ、固定壁へ近接する方向に移動する態様等が例示される。
【０４４０】
＜傾倒装置の回転速度が大の時に、遊技者への負荷が小となる技術思想の一例＞
遊技者が入力操作を行う入力手段を備える遊技機において、前記入力手段は、遊技者に入力操作される被操作部材と、その被操作部材に移動抵抗としての負荷を与えると共にその負荷を変化させる制動手段と、を備え、前記被操作部材が第１速度と、その第１速度よりも大きな第２速度とで変位する場合に、前記第１速度で変位した際に前記被操作部材に前記制動手段から与えられる負荷に比較して、前記第２速度で変位した際に前記被操作部材に前記制動手段から与えられる負荷の方が小さくされることを特徴とする遊技機Ｄ１。
【０４４１】
ここで、パチンコ機等の遊技機において、遊技者が押し込み操作を行う被操作部材を備え、その被操作部材の押し込み量（変位、速度または強さ等）に対応して、入力を切り替える態様で制御される遊技機がある（例えば特開２０１２−０２４３２２号公報を参照）。しかし、上述した従来の遊技機では、被操作部材を移動範囲の途中まで移動させて維持させる操作と、終端まで一気に押し込む操作とを要求される場合に、それら両方に適した抵抗をかけることが困難であるという問題点があった。
【０４４２】
即ち、被操作部材を移動範囲の途中まで移動させて維持する場合には、被操作部材の移動抵抗が大きい方が被操作部材に負荷を与える遊技者の力の調節が容易となる一方で、終端まで一気に押し込む操作を行う場合には移動抵抗が小さいほど快適に操作を行うことができるので、相反する性能を要求することになるという問題点があった。
【０４４３】
これに対し、遊技機Ｄ１によれば、被操作部材に移動抵抗としての負荷を与えると共にその負荷を変化させる制動手段を備え、被操作部材の移動速度が第１速度とされる場合に比較して、その第１速度よりも大きな第２速度で被操作部材が移動する場合の方が制動手段から与えられる負荷が小さくされるので、被操作部材が第１速度で変位する場合には被操作部材の位置を維持し易い状態にできると共に、被操作部材が第２速度で変位する場合には被操作部材を一気に押し込み易い状態とすることができる。
【０４４４】
遊技機Ｄ１において、前記制動手段が、付勢力により前記被操作部材に近接する方向に移動する制動補助部材を備え、その制動補助部材は前記被操作部材と当接することにより前記被操作部材に移動抵抗としての負荷を与え、前記被操作部材が初期位置から遠ざかる向きに移動する程、前記制動補助部材と前記被操作部材との当接位置が前記制動補助部材の初期位置から遠ざかる態様で構成されることを特徴とする遊技機Ｄ２。
【０４４５】
遊技機Ｄ２によれば、遊技機Ｄ１の奏する効果に加え、被操作部材と当接することにより被操作部材に移動抵抗としての負荷を与える制動補助部材が、被操作部材が初期位置から遠ざかる向きに移動する程、制動補助部材と被操作部材との当接位置が制動補助部材の初期位置から遠ざかる態様で構成されるので、被操作部材の移動後の当接位置に制動補助部材が追い付く前に更に被操作部材を移動させる速度で被操作部材を移動させることにより、制動補助部材から被操作部材へ移動抵抗としての負荷が伝達されることを抑制することができる。
【０４４６】
遊技機Ｄ２において、被操作部材が所定の回転軸を中心に回転する態様で構成され、前記制動補助部材が被操作部材の移動経路に沿った側壁部と当接され、その側壁部が、初期位置から前記被操作部材が移動する場合に先に前記制動補助部材と当接する第１当接点に比較して、その後で前記制動補助部材と当接する第２当接点の方が、前記第１当接点を通る前記所定の回転軸を中心とした円よりも内側に配置されることを特徴とする遊技機Ｄ３。
【０４４７】
遊技機Ｄ３によれば、遊技機Ｄ２の奏する効果に加え、第１当接点よりも後で制動補助部材と当接可能となる点が第１当接点を通り所定の回転軸を中心とする円の内側に配置されるので、被操作部材が初期位置から移動する程、制動補助部材から被操作部材へ与えられる負荷により発生するモーメントの腕を短くすることができ、被操作部材の回転抵抗を低減することができる。
【０４４８】
遊技機Ｄ１において、前記被操作部材の移動経路に沿って併設される固定壁を備え、前記制動手段は、前記被操作部材に弾性的に支持される慣性部材と、その慣性部材が前記被操作部材に対して相対的に停止する場合には前記固定壁と当接される一方で前記慣性部材が前記被操作部材に対して相対移動する場合には前記固定壁から離間される態様で構成される補助動作部材と、を備えることを特徴とする遊技機Ｄ４。
【０４４９】
遊技機Ｄ４によれば、遊技機Ｄ１の奏する効果に加え、制動手段が、被操作部材に弾性的に支持される慣性部材と、その慣性部材の被操作部材に対する移動に応じて固定壁と当接するか離間するか変化する補助動作部材と、を備え、慣性部材が被操作部材に対して相対移動する場合に補助動作部材が固定壁から離間するので、補助動作部材が被操作部材と同じ速度で移動し易い低速での移動時に移動抵抗としての負荷をかけやすい一方、補助動作部材が被操作部材に対して置いていかれ易い高速での移動じの移動抵抗としての負荷を小さくすることができる。
【０４５０】
遊技機Ｄ４において、前記被操作部材が所定の回転軸を中心に回転動作され、前記慣性部材は、前記被操作部材の前記回転軸の反対側の端部において回転軌跡に沿って移動する態様で支持されることを特徴とする遊技機Ｄ５。
【０４５１】
遊技機Ｄ５によれば、遊技機Ｄ４の奏する効果に加え、被操作部材が所定の回転軸を中心に回転動作され、その被操作部材が高速で移動される場合に、被操作部材の中で最も移動距離が大きくなる回転軸の反対側の端部に慣性部材が配置され、その移動距離を最も有効に活用できる回転軌跡に沿った経路で移動可能に支持されるので、慣性部材の慣性を有効に利用して慣性部材を被操作部材に対して相対移動し易くすることができる。
【０４５２】
遊技機Ｄ４又はＤ５において、前記固定壁の一部に磁性材料が配設され、前記補助動作部材が、前記固定壁に配設される磁性材料と逆の極性を有する磁性材料を含有すると共に前記補助動作部材と前記固定壁とが当接する場合に磁力により吸着可能に構成されることを特徴とする遊技機Ｄ６。
【０４５３】
遊技機Ｄ６によれば、遊技機Ｄ４又はＤ５の奏する効果に加え、固定壁の一部に磁性材料が配設され、補助動作部材と固定壁とが当接する場合に磁力により吸着可能に構成されるので、磁力による吸着が生じる部分と、磁力による吸着が生じない部分とで、被操作部材を同一速度で移動させた場合における補助動作部材の配置を変化させることができる。これにより、磁力による吸着が生じる部分において被操作部材を維持することを容易にすることができる。
【０４５４】
＜操作の種類が変化する位置で傾倒装置が係止される技術思想の一例＞
遊技者が入力操作を行う入力手段を備える遊技機において、前記入力手段は、遊技者に入力操作される被操作部材と、その被操作部材の移動を係止する係止手段と、を備え、前記被操作部材は、操作量により入力の態様を少なくとも第１の入力と第２の入力とで変更可能とされると共に、前記第２の入力がされない係止位置において前記係止手段に係止されることを特徴とする遊技機Ｅ１。
【０４５５】
ここで、パチンコ機等の遊技機において、遊技者が押し込み操作を行う被操作部材を備え、その被操作部材の押し込み量（変位、速度または強さ等）に対応して、入力の態様が変更される遊技機がある（例えば特開２０１２−０２４３２２号公報を参照）。しかし、上述した従来の遊技機では、入力の態様の変更されるタイミングを図るために被操作部材の姿勢に注目する必要があったり、被操作部材から遊技者に与えられる負荷により押し込み量を調整する必要があったりして、入力の態様が変更されるタイミングで被操作部材を停止させることが困難であるという問題点があった。
【０４５６】
そのため、例えば、連打操作と、押し込み量を変化させる押し込み操作との境界を認識できずに、押し込み操作の範囲に入り込みながら連打操作を行う恐れがあり、快適に遊技できない恐れがあるという問題点があった。
【０４５７】
これに対し、遊技機Ｅ１によれば、被操作部材の第２の入力がされない位置において、被操作部材が係止手段に係止されるので、被操作部材を第２の入力がされる位置に侵入する前に確実に停止させることができる。従って、第１の入力範囲で被操作部材の操作を完結させることができ、遊技の快適性を向上させることができる。
【０４５８】
また、この場合、途中で係止されずに移動範囲を移動仕切る場合に比較して、被操作部材の移動速度が過大となる恐れを小さくすることができる。これにより、被操作部材の破損防止を図ることができる。
【０４５９】
なお、係止手段の態様としては特に限定されるものではなく、種々の態様を採用することが可能である。例えば、被操作部材が係止位置に配置されたことを検出することにより被操作部材を係止する部材がソレノイドやバネにより被操作部材へ向けて近接変位される態様としても良いし、被操作部材が所定位置に配置された状態で吸着する固定磁石を設けその吸着により係止するようにしても良い。また、被操作部材が回転動作する場合には、被操作部材を軸支する軸棒の形状と、その軸棒を支持する軸孔の形状との関係で係止するようにしても良い。
【０４６０】
遊技機Ｅ１において、前記被操作部材を初期位置へ向けて移動させる付勢力を発生させる付勢手段を備え、前記係止手段による前記被操作部材の係止は、その係止位置まで前記被操作部材を移動させた後に開始される第２段階目の操作により解除されることを特徴とする遊技機Ｅ２。
【０４６１】
遊技機Ｅ２によれば、遊技機Ｅ１の奏する効果に加え、係止手段による被操作部材の係止の解除が、付勢手段の付勢力に抗して被操作部材を係止位置まで移動させた後で開始される第２段階目の操作により解除されるので、係止位置以降の操作を勢いよく行うことを抑制できる。これにより、被操作部材が初期位置に配置された状態から、被操作部材を移動終端まで一気に移動させるという操作を抑制することができる。
【０４６２】
なお、係止位置に被操作部材を移動させた後で開始される第２段階目の操作とは、例えば、被操作部材が押し込み操作をされる場合、係止位置で再度同じ方向に押し込まれる操作や、係止位置に至るまでに押し込まれた方向とは異なる方向に押し込まれる操作や、被操作部材に引き金を模した態様のトリガー部材が配置され、そのトリガー部材を引く操作等が例示される。
【０４６３】
遊技機Ｅ２において、前記第２段階目の操作の操作方向が、前記被操作部材が初期位置に配置された状態から行う操作の操作方向と異なった方向とされることを特徴とする遊技機Ｅ３。
【０４６４】
遊技機Ｅ３によれば、遊技機Ｅ２の奏する効果に加え、第２段階目の操作の操作方向が、被操作部材が初期位置に配置された状態から行う操作の操作方向と異なった方向とされるので、例えば、初期位置と係止位置との間に被操作部材が配置された状態において連打操作を要求された場合に、誤って、被操作部材が係止位置に配置された状態で被操作部材を押す操作を行ったとしても、被操作部材の係止が解除されないので、連打操作を続行することができる。これにより、遊技者が被操作部材を想定外に誤操作することを抑制することができる。
【０４６５】
遊技機Ｅ２において、前記被操作部材が回転動作可能に構成され、その被操作部材の回転軸は、前記被操作部材が初期位置に配置された状態における回転中心となる第１軸と、その第１軸とは異なる第２軸との間を移動可能とされ、前記被操作部材が前記係止位置に配置された状態で前記回転軸の移動が開始可能とされ、前記係止手段は、前記被操作部材が前記第１軸を中心に回転する場合に被操作部材と周方向で当接する当接係止部材を備え、前記被操作部材が前記第２軸を中心に回転する場合には前記被操作部材と前記当接係止部材との当接が解除されることを特徴とする遊技機Ｅ４。
【０４６６】
遊技機Ｅ４によれば、遊技機Ｅ２の奏する効果に加え、被操作部材が当接手段の当接係止部材と当接するか否かが、被操作部材が第１回転軸を中心に回転するか、第２回転軸を中心に回転するかによって変化するので、他の可動部材を追加することなく、被操作部材の係止と、その係止の解除とを行うことができる。これにより、部材個数の低減を図ることができる。
【０４６７】
なお、被操作部材が係止位置に配置された状態で回転軸の移動を開始可能とされる場合としては、被操作部材の回転軸の形状が真円形状ではなく、切り欠きを有する不完全円から構成され、回転軸が挿通される軸孔が真円ではなく内側に、凸部を有する形状から構成される場合に、被操作部材が係止位置に配置された状態で切り欠きと凸部とが当接されると共に、その姿勢で回転軸が軸孔に沿って第１位置から第２位置へ移動可能とされる形状で回転軸と軸孔とが形成される場合が例示される。
【０４６８】
なお、回転軸と軸孔とは、形状の関係が限られる物では無く、円柱形状の回転軸と長孔形状の軸孔で構成されても良いし、回転軸と軸孔とが共に凹凸を有する異形の形状で構成されても良い。
【０４６９】
遊技機Ｅ４において、前記付勢手段の発生させる付勢力が、前記被操作部材の回転を初期位置側に戻す方向と、前記被操作部材の前記回転軸を前記第１軸側に戻す方向との両方向にかけられることを特徴とする遊技機Ｅ５。
【０４７０】
遊技機Ｅ５によれば、遊技機Ｅ４の奏する効果に加え、付勢手段の発生させる付勢力が、被操作部材の回転を初期位置側に戻す方向と、被操作部材の回転軸を第１軸側に戻す方向との両方向にかけられるので、被操作部材の移動方向の増加に伴って付勢手段の配設個数が増加することを抑制することができる。
【０４７１】
遊技機Ｅ４又はＥ５において、前記被操作部材の初期位置からの回転操作が、前記被操作部材を奏する遊技者を基準として、手前から奥へ向けて行われる押し込み操作であり、前記第１軸が、前記第２軸よりも手前側に配置されることを特徴とする遊技機Ｅ６。
【０４７２】
遊技機Ｅ６によれば、遊技機Ｅ４又はＥ５の奏する効果に加え、被操作部材の初期位置からの回転操作が、被操作部材を奏する遊技者を基準として、手前から奥へ向けて行われる押し込み操作であり、第１軸が、第２軸よりも手前側に配置されるので、第１軸から第２軸へ被操作部材の回転軸を移動させる場合に被操作部材に遊技者からかけられる負荷の方向と、被操作部材を回転操作させる際に遊技者からかけられる負荷の方向とのなす角度が小さくされ、被操作部材を回転操作させる操作から滑らかに被操作部材の回転軸を移動させる操作に移ることができる。
【０４７３】
遊技機Ａ１からＡ７，Ｂ１からＢ７，Ｃ１からＣ７，Ｄ１からＤ６，Ｅ１からＥ６のいずれかにおいて、前記遊技機はスロットマシンであることを特徴とする遊技機Ｆ１。中でも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０４７４】
遊技機Ａ１からＡ７，Ｂ１からＢ７，Ｃ１からＣ７，Ｄ１からＤ６，Ｅ１からＥ６のいずれかにおいて、前記遊技機はパチンコ遊技機であることを特徴とする遊技機Ｆ２。中でも、パチンコ遊技機の基本構成としては操作ハンドルを備え、その操作ハンドルの操作に応じて球を所定の遊技領域へ発射し、球が遊技領域内の所定の位置に配設された作動口に入賞（又は作動口を通過）することを必要条件として、表示手段において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
【０４７５】
遊技機Ａ１からＡ７，Ｂ１からＢ７，Ｃ１からＣ７，Ｄ１からＤ６，Ｅ１からＥ６のいずれかにおいて、前記遊技機はパチンコ遊技機とスロットマシンとを融合させたものであることを特徴とする遊技機Ｆ３。中でも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用すると共に、前記識別情報の動的表示の開始に際しては所定数の球を必要とし、特別遊技状態の発生に際しては多くの球が払い出されるように構成されている遊技機」となる。
＜その他＞
パチンコ機などの遊技機において、遊技者が手動操作することで第１位置と第２位置との間を移動する操作部材を備える遊技機がある（例えば、特許文献１：特開２０１４−０１４５７１号公報）。
しかしながら、上述した従来の遊技機では、操作部材の操作性に改良の余地があるという問題点があった。本技術的思想は、上記例示した問題点などを解決するためになされたものであり、操作部材の操作性の良好な遊技機を提供することを目的とする。
＜手段＞
この目的を達成するために技術的思想１の遊技機は、遊技者が入力操作を行う入力手段を備えるものであって、前記入力手段は、遊技者に入力操作される被操作部材と、入力操作を行った遊技者が受ける負荷を調整する調整手段と、を備え、前記調整手段は、少なくとも前記被操作部材の移動範囲の一部において、入力操作を行った遊技者が受ける負荷の増加を抑制する。
技術的思想２の遊技機は、技術的思想１記載の遊技機において、前記被操作部材を初期位置へ向けて移動させる付勢力を発生させる付勢手段を備え、その付勢手段は、前記被操作部材の移動経路に沿って変位を生じる第１弾性バネ部材から構成され、前記調整手段は、被操作部材が初期位置から所定距離移動した後の範囲において遊技者が受ける負荷を抑制する。
技術的思想３の遊技機は、技術的思想２記載の遊技機において、前記被操作部材は、所定の回転軸を中心として回転され、前記調整手段は、前記被操作部材に周方向から負荷を与える第２弾性バネ部材を備え、その第２弾性バネ部材は、前記被操作部材と対向配置され前記被操作部材の移動中に当接することで前記被操作部材に付勢力を与える態様で構成され、前記第２弾性バネ部材の変位の方向が、前記回転軸を中心とした任意の円弧の接線方向に沿う。
＜効果＞
技術的思想１記載の遊技機によれば、操作部材の操作性を良好にすることができる。
技術的思想２記載の遊技機によれば、技術的思想１記載の遊技機の奏する効果に加え、所定位置まで移動させた後の操作性を良好にすることができる。
技術的思想３記載の遊技機によれば、技術的思想２記載の遊技機の奏する効果に加え、操作部材を回転動作させることによる効果を得ることができる。
【符号の説明】
【０４７６】
１０                                              パチンコ機（遊技機）
３００、２３００、３３００、４３００、５３００、６３００、７３００、８３００、９３００                                              操作デバイス（入力手段）
３１０、２３１０、３３１０、４３１０、５３１０、６３１０、７３１０、８３１０、９３１０                                              傾倒装置（被操作部材）
３３２                                            作用爪部（作用部）
３３２ｂ                                          下端面（当接部）
３３２ｄ                                          前側円弧部（第１当接区間の一部）
３３２ｅ                                          後側円弧部（第２当接区間の一部）
３４３                                            ねじりバネ（付勢手段、第１弾性バネ部材）
３６２                                            付勢装置（調整手段の一部、変化手段の一部）
３６２ａ                                          ピストン部材（第２弾性バネ部材の一部、弾性バネ部材の一部）
３６２ｂ                                          コイルスプリング（第２弾性バネ部材の一部、弾性バネ部材の一部）
２３２６                                          切替動作部材（移動部材）
５３７２                                          逃げ孔（遮断手段の一部）
５３８０                                          第３付勢装置（制動手段の一部）
５３８３                                          ねじりバネ（弾性バネ部材の一部）
６３１６                                          湾曲壁部（側壁部）
６３８０                                          第４付勢装置（制動手段の一部）
６３８１                                          回転部材（制動補助部材）
７３１８                                          スライド装置（係止手段の一部）
７３１９ａ                                        作用部材（補助動作部材の一部）
７３１９ｃ                                        慣性作用部材（慣性部材）
８３１９ａ                                        作用部材（補助動作部材の一部）
９３４３                                          ねじりバネ（付勢手段の一部）
９３６１ｉ                                        係止ゴム部材（当接係止部材の一部）
９３７１ａ                                        係止平面（当接係止部材の一部）
Ｍ１                                              駆動モータ（回転モータ、駆動手段）
Ｍａ１                                            移動磁石（作用部の一部）
Ｍａ２                                            固定磁石（磁性負荷部材）
Ｍａ８１                                          固定磁石（固定壁の一部）
Ｎ１                                              直線
Ｏ１                                              回転軸